(57)【要約】【課題】遊技機の入れ替えを行う際に、その入れ替えに要する工数を低減することができる遊技機を提供すること。【解決手段】外枠側連結部材１５に主部側連結部材３２を連結させる共に、外枠側係合部材１６に主部側被軸支部材３５を連結させることで、外枠１０に遊技機主部２０を組み付けることができる。一方、これらの各連結をそれぞれ解除することで、外枠１０から遊技機主部２０を取り外すことができる。これにより、外枠１０を島設備に残したまま、遊技機主部２０を取り外すことができる。即ち、パチンコ機の入れ替えを行う際には、島設備に残された外枠１０を利用して、別の遊技機主部２０を設置することができる。その結果、傾斜角度の調整を不要として、入れ替えに要する工数を低減することができる。【選択図】図５
2020192439.tif 000002
【特許請求の範囲】
【請求項１】
外枠と、その外枠に連結装置を介して開閉可能に配設される遊技機主部と、を備えた遊技機において、
前記連結装置は、
前記遊技機主部に配設される主部側軸部材と、
その主部側軸部材を介して前記遊技機主部に相対回動可能に軸支される主部側被軸支部材と、
その主部側被軸支部材に着脱可能に連結され前記外枠に配設される外枠側係合部材と、を少なくとも備え、
前記遊技機主部に配設される主部側被軸支部材と前記外枠に配設される外枠側係合部材とが、直線方向への相対移動により連結可能に形成されることを特徴とする遊技機。
【請求項２】
前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と、を更に備え、
前記遊技機主部に配設される主部側連結部材と前記外枠に配設される外枠側連結部材とが、直線方向への相対移動により連結可能に形成され、その主部側連結部材を外枠側連結部材に連結させる際の直線方向が、前記遊技機主部に配設される主部側被軸支部材を、前記外枠に配設される外枠側係合部材に連結させる際の前記直線方向と平行とされることを特徴とする請求項１記載の遊技機。
【請求項３】
前記直線方向は、前記外枠の枠面に対して垂直な方向であることを特徴とする請求項２記載の遊技機。
【請求項４】
前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と備え、前記外枠に配設される外枠側連結部材または前記遊技機主部に配設される主部側連結部材の一方は、軸状の連結軸部を備え、前記外枠に配設される外枠側連結部材または前記遊技機主部に配設される主部側連結部材の他方は、前記連結軸部を回動可能に軸支する軸支部と、その軸支部に連通し前記連結軸部を前記軸支部まで案内する案内溝部とを備えることを特徴とする請求項１から３のいずれかに記載の遊技機。
【発明の詳細な説明】
【技術分野】
【０００１】
本発明は、パチンコ機等に代表される遊技機に関するものである。
【背景技術】
【０００２】
遊技機のホールへの設置は、ホールの島に設けられた木枠に、釘を用いて固定する方法が一般的である。具体的には、例えば、遊技機を入れ替える場合、古い遊技機を木枠から取り外し、新しい遊技機を木枠の所定位置に配置し、傾斜角度を調整した後、その調整した傾斜角度を保持しつつ、遊技機の外枠の上板および下板を、木枠の上枠および下枠にそれぞれ釘で打ち付けて固定する（特許文献１）。
【先行技術文献】
【特許文献】
【０００３】
【特許文献１】特開２００８−１２６００４号公報
【発明の概要】
【発明が解決しようとする課題】
【０００４】
しかしながら、上述した従来の遊技機では、その入れ替えを行う際に、作業者による傾斜角度の調整がその都度必要となり、また、傾斜角度の調整には熟練した技術が必要であるため、工数が嵩むという問題点があった。
【０００５】
本発明は、上記例示した問題点等を解決するためになされたものであり、遊技機の入れ替えを行う際に、その入れ替えに要する工数を低減することができる遊技機を提供することを目的としている。
【課題を解決するための手段】
【０００６】
この目的を達成するために請求項１記載の遊技機は、外枠と、その外枠に連結装置を介して開閉可能に配設される遊技機主部と、を備えるものであり、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材と、を備える。
【０００７】
請求項２記載の遊技機は、請求項１記載の遊技機において、前記遊技機主部に配設される主部側連結部材と前記外枠に配設される外枠側連結部材とが、直線方向への相対移動により連結可能に形成されると共に、前記遊技機主部に配設される主部側被軸支部材と前記外枠に配設される外枠側係合部材とが、直線方向への相対移動により連結可能に形成され、それら両直線方向が平行とされる。
【０００８】
請求項３記載の遊技機は、請求項２記載の遊技機において、前記直線方向は、前記外枠の枠面に対して垂直な方向である。
【０００９】
請求項４記載の遊技機は、請求項１から３のいずれかに記載の遊技機において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と備え、前記外枠に配設される外枠側連結部材または前記遊技機主部に配設される主部側連結部材の一方は、軸状の連結軸部を備え、前記外枠に配設される外枠側連結部材または前記遊技機主部に配設される主部側連結部材の他方は、前記連結軸部を回動可能に軸支する軸支部と、その軸支部に連通し前記連結軸部を前記軸支部まで案内する案内溝部とを備える。
【発明の効果】
【００１０】
本発明によれば、遊技機の入れ替えを行う際に、その入れ替えに要する工数を低減することができる。
【図面の簡単な説明】
【００１１】
【図１】パチンコ機の斜視図である。
【図２】外枠と遊技機主部とに分解した状態を示すパチンコ機の分解斜視図である。
【図３】外枠および内枠の斜視図である。
【図４】外枠および内枠の斜視図である。
【図５】外枠および内枠の斜視図である。
【図６】内枠の斜視図である。
【図７】（ａ）は、外枠側連結部材の上面図であり、（ｂ）は、図７（ａ）の矢印ＶＩＩｂ方向視における外枠側連結部材の側面図である。
【図８】（ａ）は、カバー部材の上面図であり、（ｂ）は、図８（ａ）のＶＩＩＩｂ−ＶＩＩＩｂ線におけるカバー部材の断面図であり、（ｃ）は、図８（ａ）の矢印ＶＩＩＩｃ方向視におけるカバー部材の正面図である。
【図９】（ａ）は、抜け止め部材の上面図であり、（ｂ）は、図９（ａ）のＩＸｂ−ＩＸｂ線における抜け止め部材の断面図である。
【図１０】（ａ）から（ｃ）は、連結動作時における外枠側連結部材および主部側連結部材の上面図である。
【図１１】外枠側連結部材および主部側連結部材の上面図である。
【図１２】（ａ）は、外枠側係合装置および主部側被軸支部材の断面斜視図であり、（ｂ）は、図１２（ａ）の矢印ＸＩＩｂ方向視における外枠側係合装置および主部側被軸支部材の断面図である。
【図１３】（ａ）は、ケース体の背面図であり、（ｂ）は、ケース体の側面図である。
【図１４】突出部材およびコイルばねの正面図である。
【図１５】（ａ）は、規制板の上面図であり、（ｂ）は、図１５（ａ）のＸＶｂ−ＸＶｂ線における規制板の断面図である。
【図１６】（ａ）は、外壁形成部材の上面図であり、（ｂ）は、図１６（ａ）の矢印ＸＶＩｂ方向視における外壁形成部材の正面図である。
【図１７】（ａ）は、図１６（ｂ）のＸＶＩＩａ−ＸＶＩＩａ線における外壁形成部材の断面図であり、（ｂ）は、図１６（ｂ）の矢印ＸＶＩＩｂ方向視における外壁形成部材の側面図である。
【図１８】（ａ）は、主部側被軸支部材の上面図であり、（ｂ）は、図１８（ａ）の矢印ＸＶＩＩＩｂ方向視における主部側被軸支部材の正面図である。
【図１９】図１８（ｂ）のＸＩＸ−ＸＩＸ線における主部側被軸支部材の断面図である。
【図２０】（ａ）は、連結動作時における外枠側係合部材および主部側被軸支部材の斜視図であり、（ｂ）は、図２０（ａ）の矢印ＸＸ方向視における外枠側係合部材および主部側被軸支部材の断面図である。
【図２１】（ａ）は、連結動作時における外枠側係合部材および主部側被軸支部材の斜視図であり、（ｂ）は、図２１（ａ）の矢印ＸＸＩ方向視における外枠側係合部材および主部側被軸支部材の断面図である。
【図２２】（ａ）は、連結動作時における外枠側係合部材および主部側被軸支部材の斜視図であり、（ｂ）は、図２２（ａ）の矢印ＸＸＩＩ方向視における外枠側係合部材および主部側被軸支部材の断面図である。
【図２３】（ａ）は、連結動作時における外枠側係合部材および主部側被軸支部材の斜視図であり、（ｂ）は、図２３（ａ）の矢印ＸＸＩＩＩ方向視における外枠側係合部材および主部側被軸支部材の断面図である。
【図２４】（ａ）は、連結動作時における外枠側係合部材および主部側被軸支部材の斜視図であり、（ｂ）は、図２４（ａ）の矢印ＸＸＩＶ方向視における外枠側係合部材および主部側被軸支部材の断面図である。
【図２５】内枠の回動先端側における背面斜視図である。
【図２６】（ａ）は、第２実施の形態における主部側被軸支部材の上面図であり、（ｂ）は、図２６（ａ）の矢印ＸＸＶＩｂ方向視における主部側被軸支部材の正面図である。
【図２７】図２６（ｂ）のＸＸＶＩＩ−ＸＸＶＩＩ線における主部側被軸支部材の断面図である。
【図２８】第３実施の形態における主部側被軸支部材の斜視図である。
【図２９】外枠側係合部材および主部側被軸支部材の斜視図である。
【図３０】第４実施の形態におけるパチンコ機を外枠と遊技機主部とに分解した状態を示すパチンコ機の分解斜視図である。
【図３１】内枠および外枠の斜視図である。
【図３２】外枠と内枠の構成要素との斜視図である。
【図３３】（ａ）は、内枠の構成要素が連結された状態における外枠の斜視図であり、（ｂ）は、内枠の構成要素が取り外された状態における外枠の斜視図である。
【図３４】（ａ）は、外枠の斜視図であり、（ｂ）は、図３４（ａ）のＸＸＸＩＶｂ−ＸＸＸＩＶｂ線における外枠の断面図であり、（ｃ）は、係合片の斜視図である。
【図３５】（ａ）及び（ｃ）は、連結構造部分の斜視断面図であり、（ｂ）及び（ｄ）は、連結構造部分の側断面図である。
【図３６】（ａ）は、連結構造部分の斜視断面図であり、（ｂ）は、連結構造部分の側断面図である。
【図３７】第５実施の形態におけるパチンコ機を外枠と遊技機主部とに分解した状態を示すパチンコ機の分解斜視図である。
【図３８】外枠および内枠の斜視図である。
【図３９】外枠と内枠の構成要素との斜視図である。
【図４０】内枠の構成要素が連結された状態における外枠の斜視図である。
【図４１】第６実施の形態における外枠と内枠の構成要素との分解斜視図である。
【図４２】外枠と内枠の構成要素との斜視図である。
【図４３】（ａ）は、図４１の矢印Ｗ１方向視における内面縦枠体の部分拡大正面図であり、（ｂ）は、図４３（ａ）のＷ３−Ｗ３線における内面縦枠体の断面図である。
【図４４】（ａ）は、図４１の矢印Ｗ１方向視における外面縦枠体の部分拡大正面図であり、（ｂ）は、図４４（ａ）のＷ４−Ｗ４線における外面縦枠体の断面図である。
【図４５】（ａ）は、図４１の矢印Ｗ４方向視における縦枠体の部分拡大正面図であり、（ｂ）は、図４５（ａ）のＷ５−Ｗ５線における縦枠体の断面図である。
【図４６】外枠と遊技機主部（構成要素）との連結構造を示す連結構造部分の断面図である。
【図４７】内枠の構成要素が連結された状態における外枠の斜視図である。
【図４８】第７実施の形態における内枠の分解斜視図である。
【図４９】外枠の分解斜視図である。
【図５０】外枠および内枠の斜視図である。
【図５１】外枠および内枠の斜視図である。
【発明を実施するための形態】
【００１２】
以下、遊技機の一種であるパチンコ遊技機（以下「パチンコ機」と称す）の一実施の形態について添付図面を参照して説明する。図１は、パチンコ機１の斜視図であり、図２は、パチンコ機１を外枠１０と遊技機主部２０とに分解した状態を示すパチンコ機１の分解斜視図である。なお、図１及び図２では、パチンコ機１の遊技領域ＰＥ内の構成の図示が省略される。また、図１及び図２は、パチンコ機１（外枠１０及び遊技機主部２０）の前面側が図示される。
【００１３】
図１及び図２に示すように、パチンコ機１は、その外殻を形成する外枠１０と、この外枠１０の前面側に取り付けられる遊技機主部２０とを備える。外枠１０は、４枚の板材（上下に位置する上枠体１１及び下枠体１２並びにそれらを連結する左右の左枠体１３及び右枠体１４）を四辺に連結することで、正面視矩形枠状に形成され、島設備の木枠に上枠体１１及び下枠体１２を釘により打ち付けて、固定される。なお、本実施の形態では、上枠体１１及び下枠体１２が木材から形成され、左枠体１３及び左枠体１４が金属製の押出材から形成される。
【００１４】
ここで、パチンコ機１は、図２に示すように、外枠１０と遊技機主部２０とが着脱可能に連結され、外枠１０を島設備の木枠（図示せず）に残したまま、遊技機主部２０を取り外すことができる。よって、パチンコ機１の入れ替え（例えば、古い機種を新しい機種とする新台入れ替え）を行う際には、島設備の木枠に残された古い機種の外枠１０（即ち、既に傾斜角度が調整された外枠１０）を利用して、新しい機種の遊技機主部２０を設置することができる。その結果、パチンコ機１の傾斜角度の調整を不要として、その入れ替えに要する工数を低減できる。
【００１５】
また、外枠１０は、遊技機主部２０を開閉可能な状態で支持する（図３及び図４参照）。図１に示すように、外枠１０に遊技機主部２０が連結され支持された状態では、外枠１０の上枠体１１と左枠体１３との連結部分および下枠体１２と左枠体１３との連結部分により、遊技機主部２０が開閉可能に支持される。遊技機主部２０は、外枠１０に対し、パチンコ機１の正面視で、左側（図１左側）を回動基端側とすると共に右側（図１右側）を回動先端側として、回動可能とされる。
【００１６】
なお、外枠１０は、上枠体１１と左枠体１３との連結部分に配設される外枠側連結部材１５と、下枠体１２の上面に配設される外枠側係合部材１６とを備える。これら外枠側連結部材１５及び外枠側係合部材１６は、外枠１０と遊技機主部２０とを開閉可能かつ着脱可能に連結する機構（連結構造）の一部をなす部材である。連結構造の詳細構成については、後述する。
【００１７】
遊技機主部２０は、ベース体としての内枠３０（図３及び図４参照）と、その内枠３０の前方に配置される前面扉４０と、内枠３０の後方（背面）に配置される裏パックユニット（図示せず）とを備える。なお、遊技機主部２０は、内枠３０が外枠１０に対して回動可能に支持され、内枠３０には、前面扉４０が回動可能に支持される。
【００１８】
この場合、前面扉４０は、内枠３０に対し、パチンコ機１の正面視で、左側（図１左側）を回動基端側とすると共に右側（図１右側）を回動先端側として、回動可能とされる。また、裏パックユニットは、内枠３０に対し、パチンコ機１の正面視で、左側を回動基端側とすると共に右側を回動先端側として、回動可能とされる。
【００１９】
なお、これら前面扉４０及び裏パックユニットは、遊技機主部２０が外枠１０に連結された状態（図１参照）及び遊技機主部２０が外枠１０から取り外された状態（図２参照）のいずれの状態においても、内枠３０に対して回動可能とされる。
【００２０】
前面扉４０は、外形が外枠１０とほぼ同一形状をなす合成樹脂製の枠体を主体として構成され、内枠３０における前面側のほぼ全域を覆う。前面扉４０の枠体の中央部分には、遊技領域ＰＥのほぼ全域を前方から視認することができるようにした略楕円状の窓部４１が形成されており、その窓部４１は、ガラスパネル４２によって前面扉４０の背面側から覆われる。
【００２１】
前面扉４０における窓部４１の周囲には、各種ランプ等の発光手段が設けられる。例えば、窓部４１の縁部に沿ってＬＥＤ等の発光手段を内蔵した電飾部４３が設けられる。電飾部４３では、大当たり時や所定のリーチ時等における遊技状態の変化に応じて点灯や点滅が行われる。例えば、パチンコ機１の最上部には、所定のエラー時に点灯するエラー表示ランプ部４３ａが設けられ、窓部４１の左右両側には、賞球払出中に点灯する賞球ランプ部４３ｂが設けられる。また、窓部４１の周囲には、遊技状態に応じた効果音などが出力されるスピーカ部４４が複数設けられる。
【００２２】
前面扉４０における窓部４１の下方には、手前側へ膨出した上側膨出部４５と下側膨出部４６とが上下に並設される。上側膨出部４５の内側には上方に開口した上皿４５ａが、下側膨出部４６の内側には上方に開口した下皿４６ａが、それぞれ設けられる。上皿４５ａは、払出装置（図示せず）より払い出された遊技球を一旦貯留し、一列に整列させながら遊技球発射機構側（図示せず）へ導く機能を有する。また、下皿４６ａは、上皿４５ａ内にて余剰となった遊技球を貯留する機能を有する。
【００２３】
なお、前面扉４０の背面には、通路形成ユニット（図示せず）が取り付けられる。通路形成ユニットは、合成樹脂により成形され、その上側隅部には後方に突出し上方に開放された受口が形成される。受口には、上皿４５ａに通じる通路と、下皿４６ａに通じる通路とが、それぞれ形成される。また、前面扉４０の前面には、下側膨出部４６の側方において手前側へ突出するようにして遊技球発射ハンドル４７が設けられる。遊技球発射ハンドル４７が操作されることにより、遊技球発射機構から遊技球が発射される。
【００２４】
次いで、図３及び図４を参照して、内枠３０について説明する。図３及び図４は、外枠１０及び内枠３０の斜視図であり、外枠１０に対し内枠３０が開閉可能に連結され、かつ、外枠１０に対し内枠３０が開放された状態が図示される。なお、図３及び図４では、前面扉４０及び裏パックユニット等の図示が省略される。また、図３では、外枠１０の前面側が図示されると共に内枠３０の背面側が図示され、図４では、外枠１０及び内枠３０の両者において前面側が図示される。
【００２５】
図３及び図４に示すように、内枠３０は、外形が外枠１０とほぼ同一形状をなす正面視略矩形状の樹脂ベース３１を主体に構成される。樹脂ベース３１における回動基端側（外枠１０に連結される側）には、上端部に主部側連結部材３２が、下端部に支持金具３３が、それぞれ配設される。支持金具３３には、支持軸３４を介して、主部側被軸支部材３５が回動可能に軸支される。
【００２６】
なお、これら主部側連結部材３２及び主部側被軸支部材３５は、外枠１０と遊技機主部２０とを開閉可能かつ着脱可能に連結する機構（連結構造）の一部をなす部材である。即ち、主部側連結部材３２は外枠１０の外枠側連結部材１５に、主部側被軸支部材３５は外枠１０の外枠側係合部材１６に、それぞれ連結される。連結構造の詳細構成については、後述する。
【００２７】
ここで、前面扉４０の背面における回動基端側（内枠３０に連結される側）には、内枠３０の主部側連結部材３２及び支持金具３３に対応して支持軸と軸穴とが形成される（いずれも図示せず）。内枠３０の主部側連結部材３２（カバー部材５０）には軸穴５２ａが形成されると共に支持金具３３には支持軸３４が配設され、それら軸穴５２ａ及び支持軸３４に前面扉４０の支持軸および軸穴がそれぞれ軸支されることで、内枠３０に対して前面扉４０が回動可能に支持される。
【００２８】
内枠３０の回動先端側（外枠１０に連結される側と反対側）には、長尺状の施錠装置ＫＤが樹脂ベース３１の右枠体部分に沿って配設される。施錠装置ＫＤは、パチンコ機１の前面側にキーの挿入孔が露出するシリンダ錠ＫＤａと、そのシリンダ錠ＫＤａのキー操作に伴って変位動作される施錠動作部材とを備える。
【００２９】
ここで、前面扉４０の背面における回動先端側には、内枠３０へ向けて延びる複数の係合爪が配設されると共に、外枠１０の右枠体１４の内側面には、内枠３０側に開放する開口を有する箱状の爪受け部材１７が複数配設される。一方、施錠装置ＫＤの施錠動作部材は、前面扉４０の係合爪に係合可能な被係合部（図示せず）と、外枠１０の爪受け部材１７に係合可能な係合爪ＫＤｂとを備える。
【００３０】
外枠１０に対して遊技機主部２０を閉じた状態では（図１参照）、前面扉４０の係合爪が、施錠装置ＫＤの施錠動作部材における被係合部に係合されると共に、施錠動作部材における係合爪ＫＤｂが、外枠１０の爪受け部材１７に係合され、これにより、前面扉４０が内枠３０に対して開放不能な状態で施錠されると共に、遊技機主部２０（内枠３０及び前面扉４０）が外枠１０に対して開放不能な状態で施錠される。この場合、シリンダ錠ＫＤａのキー操作により、前面扉４０を内枠３０に対して、或いは、遊技機主部２０（内枠３０）を外枠１０に対して、それぞれ個別に解錠可能とされる。
【００３１】
内枠３０の樹脂ベース３１における前面側には、図４に示すように、遊技盤収容部３８が形成され、その遊技盤収容部３８に遊技盤がロック装置を介して着脱可能に収容される。内枠３０の樹脂ベース３１における背面側には、図３に示すように、その回動基端側（外枠１０に連結される側）に、軸受金具３９が取着され、その軸受金具３９により裏パックユニットが回動可能に軸支される。
【００３２】
また、内枠３０の樹脂ベース３１における背面側には、図３に示すように、その上端側に棒状のハンドルｈｄが取着される。ハンドルｈｄは、樹脂ベース３１の背面側へ突出されており、把持可能に形成される。よって、ハンドルｈｄを把持することで、内枠３０（遊技機主部２０）の搬送を効率的に行うことができる。なお、外枠１０の上枠体１１には、ハンドルｈｄを収納可能な凹部１１ａが凹設されると共に、その凹部１１ａに対応する領域を覆う封止板１１ｂが上枠体１１の下面に配設される（図１及び図２参照）。
【００３３】
次いで、図５から図２４を参照して、外枠１０と遊技機主部２０とを開閉可能かつ着脱可能に連結するための連結構造について説明する。まず、図５及び図６を参照して、連結構造の概略について説明する。
【００３４】
図５は、外枠１０及び内枠３０の斜視図であり、外枠１０から内枠３０が取り外されると共に連結構造の一部が分解された状態が図示される。図６は、内枠３０の斜視図であり、内枠３０に対して主部側被軸支部材３５が開かれた状態が図示される。なお、図５及び図６では、前面扉４０及び裏パックユニット等の図示が省略される。また、図５では、外枠１０及び内枠３０の前面側が図示され、図６では、内枠３０の背面側が図示される。
【００３５】
連結構造は、外枠１０に配設される外枠側連結部材１５及び外枠側係合部材１６と、内枠３０に配設される主部側連結部材３２及び主部側被軸支部材３５とを備え、外枠側連結部材１５に主部側連結部材３２を、外枠側係合部材１６に主部側被係止部材３５を、それぞれ連結（係合）させることで、外枠１０に内枠３０（遊技機主部２０、図２参照）が開閉可能かつ着脱可能に連結される。
【００３６】
よって、上述したように、外枠１０を島設備の木枠に傾斜角度を調整した上で取り付けた後は、例えば、パチンコ機１の新台入れ替えを行う際、島設備の木枠に残された古い機種の外枠１０を利用して、新しい機種の遊技機主部２０を設置することができる。その結果、パチンコ機１の傾斜角度の調整を不要として、その新台入れ替えに要する工数を低減できる。
【００３７】
この場合、外枠１０に対して遊技機主部２０を組み付ける場合には、遊技機主部２０を外枠１０の正面に配置し（図２参照）、その状態から遊技機主部２０を外枠１０へ向けて真直ぐ直線方向へ押し込むことで、連結構造が連結状態となり、外枠１０に対して遊技機主部２０を開閉可能に連結させることができる。また、外枠１０から遊技機主部２０を取り外す場合には、連結構造を解除状態に設定した後、外枠１０から遊技機主部２０を真直ぐ直線方向に引き抜くことができる。よって、外枠１０に対し遊技機主部２０を着脱（組み付け及び取り外し）する際の作業性の向上を図ることができる。
【００３８】
また、遊技機主部２０を新たな機種として設計する場合、内枠３０の支持金具３３と主部側被軸支部材３５とを軸支する支持軸３４については、外枠１０（即ち、古い機種としての外枠１０）との関係を考慮する必要がなく、その設計の自由度を高めることができる。即ち、主部側連結部材３２は、外枠１０側の外枠側連結部材１５との間で回動可能な支持構造を構成するので、外枠１０との関係を考慮する必要があり、その設計に制約が生じる。これに対し、本実施の形態では、主部側被軸支部材３５が、外枠１０側の外枠側係合部材１６に対して連結（係合）可能な構造とされていれば足り、支持軸３４を、外枠１０（外枠側係合部材１６）との関係で設計する必要がない。よって、設計の自由度を確保できる。その結果、例えば、支持軸３４近傍における前面扉４０の意匠性の向上を図ることができる。
【００３９】
なお、主部側被軸支部材３５は、内枠３０の支持金具３３に対し支持軸３４を介して回動可能に軸支されるため、かかる主部側被軸支部材３５を、図６に示すように、内枠３０に対して相対回動させて、開いた状態とすることができる。即ち、内枠３０と主部側被軸支部材３５との配置関係を、略く字状とすることができるので、内枠３０を単独で（即ち、外枠１０から分離した状態であっても）自立させることができる。遊技機主部２０においても同様に主部側被軸支部材３５を利用して自立させることができる。
【００４０】
ここで、外枠１０に遊技機主部２０が連結された状態であれば（図１参照）、外枠１０の下枠体１２の底面を利用して、パチンコ機１を自立させることが可能である。しかしながら、外枠１０から遊技機主部２０を分離した状態では（図２参照）、外枠１０は、同様に自立させることが可能であるが、遊技機主部２０は、十分な面積を有する平坦面状の底面を有さないため、自立させることができない。
【００４１】
この場合、内枠３０を自立可能とするために、内枠３０の樹脂ベース３１の底面を平坦面として形成する構造では、底面近傍が部分的に厚肉となり、樹脂ベース３１成形時の成形不良を招きやすい。また、平坦面を形成すると、その分、基板装置などの配設スペースの減少を招く。
【００４２】
これに対し、本実施の形態では、外枠１０に配設される外枠側係合部材１６との連結要素として必要な構成（主部側被軸支部材３５）に、自立のための役割も兼用させることができる。よって、新たな部品の追加を不要として、部品コストの削減を図ることができる。また、樹脂ベース３１の底面に平坦面を追加する必要もないので、その成形性を確保することができる。
【００４３】
次いで、連結構造を構成する各部の詳細構成について、図５及び図６を参照して、説明する。図５に示すように、外枠側連結部材１５は、外枠１０の上枠体１１及び左枠体１３の連結部分に配設され、内枠３０へ向けて突出して形成される。ここで、図７を参照して、外枠側連結部材１５について説明する。
【００４４】
図７（ａ）は、外枠側連結部材１５の上面図であり、図７（ｂ）は、図７（ａ）の矢印ＶＩＩｂ方向視における外枠側連結部材１５の側面図である。
【００４５】
図７（ａ）及び図７（ｂ）に示すように、外枠側連結部材１５は、上面板１５ａと、その上面板１５ａと略垂直をなす側面板１５ｂと、上面板１５ａから水平に延設される延設板１５ｃと、その延設板１５ｃの延設先端に固着される軸状の連結軸部１５ｄとを主に備えて構成される。
【００４６】
上面板１５ａ及び側面板１５ｂは、外枠１０の上枠体１１及び左枠体１３（図５参照）にそれぞれ締結ねじにより締結固定される板状の部材であり、締結ねじを挿通させるための挿通孔がそれぞれ２箇所に穿設される。延設板１５ｃは、外枠１０への取り付け状態において、外枠１０の前面側（内枠３０側、図５参照）へ向けて延設され、連結軸部１５ｄは、延設板１５ｃの下面から下方へ向けて突設される。
【００４７】
なお、連結軸部１５ｄは、内枠３０の支持軸３４（支持金具３３に主部側被軸支部材３５を軸支する軸）と同軸上に配置される。また、外枠連結部材１５は、プレス加工により、一枚の金属材料からなる板状体を所定の外形形状に打ち抜くと共にその打ち抜き材を上面板１５ａと側面板１５ｂとの間で折り曲げた後、延設板１５ｃに連結軸部１５ｄを圧入固定して形成される。板状体の打ち抜きの際には、外形形状の形成と同時に挿通孔も穿設される。
【００４８】
本実施の形態では、外枠側連結部材１５が、上枠体１１と左枠体１３とを接続して外枠１０を形成するための強度部材としての役割と共に、外枠１０に内枠３０を着脱可能かつ開閉可能に連結するための連結構造の一部としての役割も兼用する。これにより、製品コストの削減を図ることができる。
【００４９】
図５及び図６に戻って説明する。図５及び図６に示すように、主部側連結部材３２は、内枠３０の回動基端側（図５左側）における上端部に配設され、外枠１０と反対側（即ち、前面扉４０側、図１参照）へ向けて突出する状態で、樹脂ベース３１に締結ねじにより締結固定される。この主部側連結部材３２は、図５に示すように、カバー部材５０と、抜け止め部材６０とから構成される。ここで、図８及び図９を参照して、主部側連結部材３２を構成するカバー部材５０及び抜け止め部材６０について説明する。
【００５０】
図８（ａ）は、カバー部材５０の上面図であり、図８（ｂ）は、図８（ａ）のＶＩＩＩｂ−ＶＩＩＩｂ線におけるカバー部材５０の断面図であり、図８（ｃ）は、図８（ａ）の矢印ＶＩＩＩｃ方向視におけるカバー部材５０の正面図である。なお、図８（ａ）から図８（ｃ）において、便宜上、図８（ｂ）のみに樹脂ベース３１が図示され、図８（ａ）及び図８（ｃ）では樹脂ベース３１の図示が省略される。
【００５１】
図８（ａ）から図８（ｃ）に示すように、カバー部材５０は、上面板５１と、その上面板５１と所定間隔を隔てつつ対向配置される底面板５２と、それら上面板５１及び底面板５２の縁部同士を接続する接続板５３とから構成される。
【００５２】
上面板５１は、図８（ａ）に示す上面視において、接続板５３から離間する方向（図８（ａ）下方）へ向かうに従って幅寸法（図８（ａ）左右方向寸法）が小さくなる台形形状に形成される。また、上面板５１は、図８（ｂ）に示す側面視において、段差を有する階段状に形成され、接続板５３側（台形形状の底辺側）となる部分である上面板基部５１ａに対し、接続板５３と反対側（台形形状の上辺側）となる部分である上面板先部５１ｂが、一段高くされる。上面板先部５１ｂの下面側（図８（ｂ）下側）には、抜け止め部材６０（図９参照）が配設される。
【００５３】
上面板５１には、図８（ａ）及び図８（ｂ）に示すように、直線状に延設される案内溝５４と、その案内溝５４の途中から分岐すると共に案内溝５４と直交する方向へ直線状に延設される分岐溝５５とが開口形成される。
【００５４】
案内溝５４は、外枠１０と内枠３０とを連結する際に、外枠１０に配設される外枠側連結部材１５の連結軸部１５ｄを受け入れると共に終端で軸支するための部位であり、その案内溝５４の終端（図８（ａ）下端）は、受け入れた外枠側連結部材１５の連結軸部１５ｄ（図７参照）を内枠３０に配設される支持軸３４（図５参照）と同軸上に軸支する位置に設定される。また、案内溝５４の延設方向（直線方向）は、内枠３０の枠面に垂直な方向とされる。
【００５５】
底面板５２は、接続板５３から離間する方向（図８（ｃ）紙面手前側）へ向かうに従って幅寸法（図８（ｃ）左右方向寸法）が小さくなる三角形状に形成され（図４参照）、その先端側には、図８（ｂ）に示すように、前面扉４０の支持軸（図示せず）を軸支するための軸穴５２ａが穿設される。また、接続板５３には、締結ねじを挿通するための挿通孔が２ヶ所に穿設される。
【００５６】
樹脂ベース３１には、その背面側（図８（ｂ）右側）と前面側（図８（ｂ）左側）とを連通させる開口３１ａが貫通形成されており、その開口３１ａには、カバー部材５０の底面板５２が挿通される。即ち、カバー部材５０は、図８（ｂ）に示すように、底面板５２を開口３１ａに挿通させつつ、樹脂ベース３１の背面側から装着され、接続板５３の挿通孔から挿通された締結ネジにより樹脂ベース３１に締結固定される。
【００５７】
このカバー部材５０の樹脂ベース３１への装着状態では、図８（ｂ）に示すように、上面板５１の上面板先部５１ｂ及び底面板５２の軸穴５２ａ形成部分が少なくとも樹脂ベース３１の前面側（図８（ｂ）左側）に突出される。これにより、底面板５２の軸穴５２ａに、前面扉４０の支持軸（図示せず）が軸支可能となり、この軸支により、内枠３０に対して前面扉４０が回動可能に支持される。
【００５８】
このように、底面板５２の上面には、前面扉４０の部材（支持軸が配設される部材）が配置されるため、抜け止め部材６０（図９参照）は、上面板５１の上面板先部５１ａの下面側と前面扉４０の部材の上面側との対向面間に挟まれて、保持される。
【００５９】
なお、カバー部材５１は、プレス加工により、一枚の金属材料からなる板状体を所定の外形形状に打ち抜くと共にその打ち抜き材を所定部位（上面板基部５１ａと上面板先部５１ｂとの間、上面板５１と接続板５３との間および底面板５２と接続板５３との間）で折り曲げ形成される。なお、板状体の打ち抜きの際には、外形形状の形成と同時に上面板５１への両溝５４，５５の開口および接続板５３への挿通孔の穿設も行われる。
【００６０】
図９（ａ）は、抜け止め部材６０の上面図であり、図９（ｂ）は、図９（ａ）のＩＸｂ−ＩＸｂ線における抜け止め部材６０の断面図である。図９（ａ）及び図９（ｂ）に示すように、抜け止め部材６０は、上面側（図９（ａ）紙面手前側）が開放した箱状のケース体６１と、そのケース体６１内に移動可能に配設されるスライド片６２と、そのスライド片６２に付勢力を付与するコイルばね６３とを備えて構成される。
【００６１】
ケース体６１は、案内通路６１ａと、軸出入口６１ｂと、規制溝６１ｃ、保持突起６１ｄとを備える。案内溝６１ａは、スライド片６２を案内するための溝状の通路であり、ケース体６１の底壁（図９（ａ）紙面奥側の板）の外周縁部に沿って立設される外壁および内部に立設される内壁によって、直線状に延設される。
【００６２】
なお、外壁および内壁の立設寸法（図９（ｂ）上下方向寸法）は、スライド片６２の高さ寸法（図９（ｂ）上下方向寸法）よりも若干高くされる。また、ケース体６１は、図９（ａ）に示す上面視形状が、カバー部材５０の上面板５１における上面板先部５１ｂ（図８参照）と略同一の外形に形成される。
【００６３】
よって、ケース部材５０に抜け止め部材６０が保持された状態（上面板先部５１ｂの下面側にケース体６１の上面側（外壁および内壁の立設先端側）を当接させた状態）では、スライド片６２が案内通路６１ａに沿って移動可能とされる。また、上面板先部５１ｂとケース体６１の底壁との間には、外枠側連結部材１５の連結軸部１５ｄ（図７参照）が、カバー部材５０の案内溝５４に沿って移動する通過経路が形成される。なお、案内通路６１ａは、連結軸部１５ｄの通過経路（即ち、案内溝５４、図８（ａ）参照）に対して垂直な直線状に形成される。
【００６４】
軸出入口６１ｂは、外枠側連結部材１５の連結軸部１５ｄを通過させるための開口であり、ケース体６１の外壁の一部（カバー部材５０の案内溝５４に対応する部分）に開口形成される。これにより、外枠側連結部材１５の連結軸部１５ｄが、カバー部材５０の案内溝５４に沿って移動可能とされる。
【００６５】
規制溝６１ｃは、スライド片６２の案内通路６１ａに沿った移動位置を規制するための溝であり、ケース体６１の底壁に案内通路６１ａに沿って直線状に延設される。この規制溝６１ｃには、スライド片６２の底面から突設される規制突起６２ｃが挿通され、その規制突起６２ｃが規制溝６１ｃの終端（図９（ｂ）左端）に達することで、スライド片６２の前進移動を規制する。
【００６６】
保持突起６１ｄは、ケース体６１の外壁の内周面から案内通路６１ａ内へ向けて（即ち、スライド片６２の側面へ向けて）突設される半球状の突起として形成される。スライド片６１ｄの側面には、保持突起６１ｄに対応する位置に半球状の凹部（図示せず）が形成され、その凹部に保持突起６１ｄが嵌り込む位置までスライド片６２が後退移動されると、スライド片６２がその位置で保持される。
【００６７】
スライド片６２は、上面視菱形形状に形成され、案内通路６１ａ内に移動可能に配設される。スライド片６２の上面からは、円柱状の突起部６２ａが突設される。突起部６２ａは、カバー部材５０の分岐溝５５（図８（ａ）参照）内に操作可能に挿通される（図１０参照）。よって、作業者は、分岐溝５５に挿通された突起部６２ａを操作することで、スライド片６２を案内通路６１ａに沿って前進または後退させることができる。
【００６８】
コイルばね６３は、その圧縮方向をスライド片６２の移動方向に沿わせた状態で、案内通路６１ａ内に配設される。スライド片６２は、このコイルばね６３と反対側となる部分（即ち、連結軸部１５ｄ（図１０参照）の通過経路に突出する部分）に、傾斜した平坦面として形成される傾斜面６２ｂを備える。
【００６９】
傾斜面６２ｂは、軸出入口６１ｂから離間する方向（即ち、連結軸部１５ｄが案内溝５４の終端へ向かって移動する方向、図９下方）へ向かうに従って、連結軸部１５ｄの通過経路への突出量が多くなるように傾斜される。よって、連結軸部１５ｄの案内溝５４への挿入時には、連結軸部１５ｄに傾斜面６２ｂが押圧されることで、スライド片６２が、コイルばね６３を圧縮変形させつつ、後退移動される。
【００７０】
なお、スライド片６２は、規制突起６２ｃがケース体６１の規制溝６１ｃの終端に当接することで、その前進移動が規制された状態（即ち、図９（ａ）及び図９（ｂ）に示す状態）では、傾斜面６２ｂの縁部（図９（ａ）左側）が、軸出入口６１ｂの縁部（図９（ａ）左側）に一致する。よって、軸出入口６１ｂから挿入された連結軸部１５ｄを傾斜面６２ｂに確実に当接させることができる。
【００７１】
また、このスライド片６２の前進移動が規制された状態では、コイルばね６３は、弾性的に圧縮変形された状態で、ケース体６１の外壁とスライド片６２との間に配設される。よって、連結軸部１５ｄが傾斜面６２ｂの押圧によりスライド片６２を後退移動させつつ通過して、案内溝５４の終端まで達した後は、スライド片６２を確実に復帰（前進移動）させ、連結軸部１５ｄの脱落を防止する。
【００７２】
また、スライド片６２は、連結軸部１５ｄの通過時に傾斜面６２ｂが押圧され、後退移動されるが、この連結軸部１５ｄの通過に伴う後退移動では、上述した保持突起６２ｄによる保持位置には達しない。即ち、スライド片６２を所定の後退位置で保持突起６２により保持させるためには、作業者が突起部６２ａを操作してスライド片６２を後退移動させる必要がある。
【００７３】
図５及び図６に戻って説明する。外枠１０に配設される外枠側連結部材１５と内枠３０（遊技機主部２０）に配設された主部側連結部材３２との連結は、図５に示すように、外枠１０の正面に内枠３０（遊技機主部２０）を対面配置し、その状態から、外枠１０へ向けて内枠３０を真直ぐに押し込むことで行うことができる。ここで、図１０及び図１１を参照して、外枠１０に配設される外枠側連結部材１５と内枠３０に配設される主部側連結部材３２との間の連結動作について説明する。
【００７４】
図１０（ａ）から図１０（ｃ）は、連結動作時における外枠側連結部材１５及び主部側連結部材３２の上面図であり、図１０（ａ）は連結動作の開始時を、図１０（ｂ）は連結動作の途中を、図１０（ｃ）は連結動作の終了時を、それぞれ示している。また、図１１は、外枠側連結部材１５及び主部側連結部材３２の上面図であり、１０（ｃ）に示す連結動作の終了後に外枠１０に対して遊技機主部２０を開放した状態を示している。なお、図１０及び図１１では、図面を簡素化するために、主要な構成のみに符号を付している。
【００７５】
図１０（ａ）に示すように、外枠１０の正面に遊技機主部２０が対面配置された状態から、外枠１０へ向けて遊技機主部２０が押し込まれると、外枠側連結部材１５の連結軸部１５ｄが、主部側連結部材３２の案内溝５４に沿って移動され、スライド片６２の傾斜面６２ｂに当接される。遊技機主部２０が更に押し込まれると、連結軸部１５ｄは、図１０（ｂ）に示すように、傾斜面６２ｂを押圧することで、スライド片６２を後退移動させつつ、案内溝５４を通過し、図１０（ｃ）に示すように、案内溝５４の終端に達し、外枠側連結部材１５及び主部側連結部材３２の連結動作が完了する。
【００７６】
この場合、スライド片６２が、コイルばね６３の弾性回復力により初期位置へ復帰（前進移動）されるので、連結軸部１５ｄの抜き取り（脱落）が防止される。即ち、外枠側連結部材１５と主部側連結部材３２との連結が解除されることが防止される。
【００７７】
ここで、上述したように、案内溝５４の延設方向（直線方向）は、内枠３０（遊技機主部２０）の枠面に垂直な方向とされる。よって、外枠１０の正面に遊技機主部２０が対面配置された状態では、主部側連結部材３２を外枠側連結部材１５に連結する方向を、外枠１０の枠面に対して垂直な方向とすることができる。これにより、遊技機主部２０を外枠１０に対し正面に配置した後は、そのまま真直ぐに直線方向へ押し込む動作のみで、遊技機主部２０を外枠１０に組み付けることができる。よって、遊技機主部２０を外枠１０に組み付ける際の作業性の向上を図ることができる。
【００７８】
本実施の形態では、外枠１０に対して遊技機主部２０が閉じられた状態では、図１０（ｃ）に示すように、外枠側連結部材１５によってスライド片６２の突起部６２ａが上面側から覆い隠される。よって、スライド片６２の突起部６２の操作を困難として、スライド片６２が遊技者などによって後退移動されることを抑制できる。その結果、外枠側連結部材１５と主部側連結部材３２との間の連結が不正に解除されることを抑制できる。
【００７９】
一方で、図１１に示すように、外枠１０に対して遊技機主部２０を開放した状態では、スライド片６２の突起部６２ａは、外枠側連結部材１５によって上面側から覆い隠されず、外部に露出された状態とすることができる。即ち、施錠装置ＫＤを開錠して、遊技機主部２０を開放できる店員等は、突起部６２ａを操作することができ、その結果、外枠側連結部材１５と主部側連結部材３２との間の連結の解除を行うことができる。
【００８０】
ここで、図１１に示す状態において、スライド片６２の突起部６２ａを操作して、スライド片６２を所定位置まで後退移動させると、かかるスライド片６２をケース体６１の保持突起６１ｄによって保持することができる。即ち、スライド片６２による規制を解除して、連結軸部１５ｄを案内溝５４に沿って抜き取り可能な状態を形成し、かつ、その状態を維持することができる。
【００８１】
よって、例えば、スライド片６２が初期位置へ復帰することを防止するべく、突起部６２ａを片方の手で保持しつつ、遊技機主部２０を外枠１０から取り外すという煩雑な作業を行う必要がない。具体的には、スライド片６２を保持突起６１ｄにより保持させた後は、遊技機主部２０を閉じれば、外枠側連結部材１５と主部側連結部材との連結が解除可能な状態となっているので、外枠１０に対して遊技機主部２０を取り付け時とは反対となる方向へ引き抜くことで、遊技機主部２０を外枠１０から取り外すことができる。
【００８２】
なお、外枠側連結部材１５と主部側連結部材３２との連結時には、連結軸部１５ｄがスライド片６２の傾斜面６２ｂを押圧することで、スライド片６２を後退移動させるが、この後退移動によっては、上述したように、スライド片６２は、保持突起６１ｄにより保持される位置には達しない。よって、コイルばね６３の弾性回復力により、スライド片６２を確実に初期位置へ復帰（前進移動）させることができる。
【００８３】
図５及び図６に戻って説明する。図５に示すように、外枠側係合部材１６は、外枠１０の下枠体１２上に配設され、その上面から突出部材７６が出没する。外枠１０に遊技機主部２０が取り付けられると、外枠側係合部材１６の上面に、遊技機主部２０側の主部側被軸支部材３５が配置され、その主部側被軸支部材３５の受入穴３６ａに外枠側係合部材１６の突出部材７６が挿通されることで、両者が係合される（図２２参照）。
【００８４】
外枠側係合部材１６は、箱状に形成される複数（本実施の形態では５個）の係合装置７０と、それら係合装置７０の群の周囲を覆うように配設され外枠側係合部材１６の外壁を形成する外壁形成部材８０とを備える。各係合装置７０は、外枠１０（下枠体１２）の左右方向に沿って等間隔に直線状に並設される。ここで、図１２から図１７を参照して、外枠側係合部材１６について説明する。
【００８５】
図１２（ａ）は、外枠側係合装置１６及び主部側被軸支部材３５の断面斜視図であり、図１２（ｂ）は、図１２（ａ）の矢印ＸＩＩｂ方向視における外枠側係合装置１６及び主部側被軸支部材３５の断面図である。
【００８６】
なお、図１２（ａ）及び図１２（ｂ）では、遊技機主部２０の図示を省略し、主部側被軸支部材３５を単独で図示する。この場合、図１２（ａ）及び図１２（ｂ）は、外枠１０の正面に対向配置された遊技機主部２０を、外枠１０へ向けて押し込み、組み付け作業を行う直前の状態に対応する。
【００８７】
また、図１２ａ（ａ）及び図１２（ｂ）は、ケース体７１Ｒの側面であって、ケース体７１Ｌとの合わせ面となる側面が図示される。この場合、理解を容易とするために、ケース体７１Ｒの側面（合わせ面）にハッチングを付して図示する。このハッチングの付与は、図１３（ｂ）及び図２０から図２２において同様である。
【００８８】
図１２（ａ）及び図１２（ｂ）に示すように、係合装置７０は、箱状体を形成するケース体７１Ｒ，７１Ｌと、そのケース体７１Ｒ，７１Ｌにより形成される箱状体の内部空間に収納されると共に先端を外壁形成部材８０の上面から出没可能とされる突出部材７６と、その突出部材７６を突出方向へ向けて付勢するコイルばね７７と、突出部材７６の没入方向への移動を規制する規制板７８とを主に備える。
【００８９】
ここで、図１３を参照して、ケース体７１Ｒ，７１Ｌについて説明する。図１３（ａ）は、ケース体７１Ｒ，７１Ｌの背面図であり、図１３（ｂ）は、ケース体７１Ｒの側面図である。なお、図１３（ａ）では、ケース体７１Ｒ，７１Ｌの組み立て状態が図示される。また、図１３（ｂ）では、ケース体７１Ｒの側面であって、ケース体７１Ｌとの合わせ面となる側面がハッチングを付して図示される。
【００９０】
図１３（ａ）及び図１３（ｂ）に示すように、ケース体７１Ｒ，７１Ｌは、合わせ面側が開放する容器状に形成され、互いの合わせ面同士を当接させることで、内部空間を有する箱状体を形成する。なお、ケース体７１Ｒ，７１Ｌは、合わせ面を対称面とする対称形状に形成されるので、ここでは、ケース体７１Ｒについて説明し、ケース体７１Ｌについての説明は省略する。
【００９１】
ケース体７１Ｒは、箱状体の前面を形成する前壁（図１３（ｂ）左側）と、その前壁に対向配置され箱状体の背面を形成する後壁（図１３（ｂ）右側）と、それら前壁および後壁を連結し箱状体の上面および底面を形成する上壁（図１３（ｂ）上側）及び底壁７４と、箱状体の側面を形成する側壁（図１３（ｂ）紙面奥側）と、内部空間を上下に区画する第１区画壁７３ａ及び第２区画壁７３ｂと、内部空間を前後に区画する縦壁７３ｃとを備え、これら各壁が樹脂材料から一体に形成される。なお、これら各壁の板厚は、それぞれ略同一の寸法に設定される。
【００９２】
前壁および後壁には、膨出部７２がそれぞれ突設され、その膨出部７２には、締結ボルトＢ１を挿通するための挿通孔７２ａが穿設される。よって、図１３（ａ）に示すように、挿通孔７２ａに挿通した締結ボルトＢ１を、ナットＮ１を螺合することで、ケース体７１Ｒ，７１Ｌを強固に一体化することができる。
【００９３】
第１区画壁７３ａ及び第２区画壁７３ｂは、前壁、後壁および側壁を連結しつつ、上壁および底壁７４の間に水平姿勢で配置される板状体であり、内部空間を上下に３つの空間に区画する。縦壁７３ｃは、上壁、底壁７４及び側壁を連結しつつ、前壁および後壁の間に縦姿勢で配置される板状体であり、内部空間を前後に２つの空間に区画する。
【００９４】
上壁、第1区画壁７３ａ及び第２区画壁７３ｂには、保持部ｈ１，ｈ２，ｈ３がそれぞれ形成される。保持部ｈ１，ｈ２，ｈ３は、突出部材７６（図１２参照）を軸方向へ移動可能に保持するために上壁等に凹設された部位であり、同軸上に配置される。これらケース体７１Ｒの保持部ｈ１，ｈ２，ｈ３は、突出部材７６を保持する際の軸方向視において半円形状に形成され、これらと同様に半円形状に形成されるケース体７１Ｒの保持部ｈ１，ｈ２，ｈ３（図示せず）と向かい合わせに配置されることで、円形を形成する。
【００９５】
なお、保持部ｈ１，ｈ２により形成される円形の内径は、突出部材７６の本体部７６ａにおける大径部の外径よりも若干大きくされ、かつ、張出部７６ｂ及び環状板７６ｃの外径よりも小さくされる。また、保持部ｈ３により形成される円形の内径は、突出部材７６の本体部７６ａにおける小径部の外径よりも若干大きくされ、かつ、コイルばね７７の外径よりも小さくされる（図１４参照）。
【００９６】
前壁、縦壁７３ｃ及び後壁には、上壁と第１区画壁７３ａとの間に位置する部分に、受入部ｍ１，ｍ２，ｍ３がそれぞれ形成される。受入部ｍ１，ｍ２，ｍ３は、規制板７８（図１２参照）を前後（図１３（ｂ）左右方向）へ移動させる通路を形成すると共に前方へ押し込まれた規制板７８を収容する空間を形成するために前壁等に凹設された部位である。これらケース体７１Ｒの受入部ｍ１，ｍ２，ｍ３は、ケース体７１Ｒの受入部ｍ１，ｍ２，ｍ３（図示せず）と向かい合わせに配置されることで、図１３（ａ）に示すように、規制板７８の外形に対応する横長の矩形形状を形成する。
【００９７】
底壁７４は、後壁に連設される後側底壁７４ａと、前壁に連設される前側底壁７４ｂと、それら両底壁７４ａ，７４ｂの間を連結する段差部とを備え、前側底壁７４ｂが後側底壁７４ａよりも一段高くなるように形成される。よって、係合装置７０を外枠１０の下枠体１２に設置した状態では、後側底壁７４ａが下枠体１２に当接され、前側底壁７４ｂと下枠体１２との間には所定の隙間が形成される（図１２参照）。
【００９８】
よって、係合装置７０の群に外壁形成部材８０を装着して、外枠側係合装置１６を構成する場合には、係合装置７０（ケース体７１Ｒ，７１Ｌ）の前側底壁７４ｂと下枠体１２との間の隙間に、外壁形成部材８０の底面板８２を挿入することができる（図１２参照）。これにより、例えば、締結ねじによる締結固定を行わなくても、外壁形成部材８０の上方への移動を規制することができる。
【００９９】
この場合、前側底壁７４ｂと前壁との間を連結する部分は、前側底壁７４ｂから前壁へ向けて上昇傾斜して形成される。よって、前側底壁７４ｂと下枠体１２との間の隙間を大きくすると共に、傾斜部分を案内面として利用できるので、外壁形成部材８０の底面板８２を隙間へ挿入する作業を効率的に行わせることができる。
【０１００】
なお、前側底壁７４ｂと上壁とを連結する位置に、縦壁７３ｃを設けることで、ケース体７１Ｒ，７１Ｌの剛性を確保することができるだけでなく、係合装置７０の上面側（ケース体７１Ｒ，７１Ｌの上壁側）に載置された遊技機主部２０の重量を、縦壁７３ｃを利用して、前側底壁７４ｂへ効率的に伝達することができる。即ち、前側底壁７４ｂと外壁形成部材８０の底面板８２との間、或いは、外壁形成部材８０の底面板８２と下外枠１２との間に多少の隙間があっても、これらを密着させ、遊技機主部２０の重量を、前側底壁７４ｂ側においても、効果的に支えることができる。
【０１０１】
側壁の外面には、座面部７５が外方へ向けて張り出して形成される。座面部７５は、その底面を後側底壁７４ｂの底面と面一とする板状体に形成され、その板状体には、締結ねじＢ２を挿通するための挿通孔が穿設される。よって、座面部７５の挿通孔に挿通した締結ねじＢ２を下枠体１２に締結することで、ケース体７１Ｒ，７１Ｌが下枠体１２に締結固定される。
【０１０２】
次いで、図１４を参照して、突出部材７６及びコイルばね７７について説明する。図１４は、突出部材７６及びコイルばね７７の正面図である。なお、図１４では、環状板７６ｃを断面視して図示する。
【０１０３】
突出部材１４は、ケース体７１Ｒ，７１Ｌの内部空間に移動可能に収納される部材であり、大径部およびその大径部よりも小径の小径部を有し軸状に形成される軸本体７６ａと、その軸本体７６ａの大径部から径方向外方へ向けてフランジ状に張り出す張出部７６ｂと、環状の円板として形成される環状板７６ｃとを備える。
【０１０４】
本体部７６ａは、その先端に半球形状の先端部７６ａ１を備える。張出部７６ｂは、その下面（図１４下側面）と側面との接続部分が円弧状に湾曲して形成される。これにより、規制板７８の操作時には、その規制板７８の傾斜上面７８ｂ及び後端上面７８ｃに沿って張出部７６ｂを滑らかに移動させ、突出部材７６の出没動作を確実に行うことができる（図２０から図２２参照）。
【０１０５】
環状板７６ｃの中央には、円形の穴が開口される。その穴の内径は、本体部７６ａの小径部の外径よりも大径で、かつ、本体部７６ａの大径部の外径よりも小径とされる。よって、環状板７６ｃの中央の穴に、本体部７６ａの小径部が挿通されると、環状板７６ｃは、本体部７６ａの大径部と小径部との間の段差により係止される。
【０１０６】
コイルばね７７は、その内径が本体部７６ａの小径部よりも大径で、かつ、その外径が環状板７６ｃの外径よりも小径とされる。よって、コイルばね７７に本体部７６ａの小径部が挿通されると、そのコイルばね７７の端面が環状板７６ｃの板面に当接される。
【０１０７】
次いで、図１５を参照して、規制板７８について説明する。図１５（ａ）は、規制板７８の上面図であり、図１５（ｂ）は、図１５（ａ）のＸＶｂ−ＸＶｂ線における規制板７８の断面図である。
【０１０８】
図１５（ａ）及び図１５（ｂ）に示すように、規制板７８は、樹脂材料から上面視矩形の板状に形成される。この規制板７８には、水平な底面（図１５（ｂ）下側面）に対し、その底面と平行に形成される先端上面７８ｂ及び後端上面７８ｃと、先端上面７８ａから後端上面７８ｃへ向けて上昇傾斜する傾斜上面７８ｂとが形成される。
【０１０９】
これら各上面７８ａ，７８ｂ，７８ｃは、図１５（ａ）に示すように、矩形状の領域として形成される。また、規制板７８の板厚（図１５（ｂ）上下方向寸法）は、先端上面７８ａが形成される部分において最小とされ、後端上面７８ｃが形成される部分において最大とされる。また、傾斜上面７８ｂが形成される部分の板厚は、その傾斜に沿って徐々に変化される。
【０１１０】
なお、規制板７８の先端上面７８ａが形成される部分の板厚は、ケース体７１Ｒの受入部ｍ３の高さと同等か若干小さくされ、規制板７８の傾斜上面７８ｂが形成される部分の板厚は、ケース体７１Ｒの受入部ｍ２の高さと同等か若干小さくされ、規制板７８の後端上面７８ｃが形成される部分の板厚は、ケース体７１Ｒの受入部ｍ１の高さと同等か若干小さくされる（図１３（ｂ）参照）。よって、規制板７８が前方へ最も押し込まれた状態では、規制板７８の各部が受入部ｍ１，ｍ２，ｍ３内にそれぞれ収容される（図２２参照）。
【０１１１】
傾斜上面７８ｂは、後端上面７８ｃに対し、図１５（ｂ）に示すように、直接接続されるのに対し、先端上面７８ａに対しては、底面に垂直な段差面を介して、接続される。ここで、コイルばね７７の付勢により、突出部材７６が初期位置（規制板７８による規制前の状態、図２１参照）に配置された状態では、ケース体７１Ｒの第１区画壁７３ａと突出部材７６の張出部７６ｂとの間の間隔は、規制板７８における傾斜上面７８ｂが形成される部分の板厚よりも大きくされる。よって、傾斜上面７８ｂが先端上面７８ａに直接接続される位置まで延設されていなくても、規制板７８を押し込み、その傾斜上面７８ｂを突出部材７６の張出部７６ｂの下面に侵入させる動作（図２１から図２２の状態へ遷移させる際の動作）を円滑に行うことができる。
【０１１２】
従って、本実施の形態における規制板７８によれば、傾斜上面７８ｂが先端上面７８ａに直接接続される位置まで延設される場合と比較して、その長さ寸法（図１５（ｂ）左右方向寸法）の短縮を図ることができ、その結果、部品コストの削減を図ることができる。また、このように、規制板７８の長さ寸法の短縮を図りつつ、傾斜上面７８ｂの傾斜角度は緩やかとできるので、傾斜上面７８ｂで突出部材７６を上方へ押し上げつつ、規制板７８を前方へ押し込む動作を円滑に行うことができる。
【０１１３】
規制板７８は、その板厚方向に貫通される上面視矩形形状の貫通孔７８ｄを備える。貫通孔７８ｄには、突出部材７６の本体部７６ａにおける大径部が挿通される（図１２参照）。よって、貫通孔７８ｄの幅寸法（図１５（ａ）上下寸法）は、突出部材７６の本体部７６ａにおける大径部の直径よりも若干大きくされる。
【０１１４】
また、貫通孔７８ｄは、その幅寸法（図１５（ａ）上下寸法）が、突出部材７６の張出部７６ｂの外径よりも小さくされると共に、先端上面７８ａから後端上面７８ｃにわたって形成さされる。これにより、突出部材７６の張出部７６ｂに少なくとも傾斜上面７８ｂ及び後端上面７８ｃを当接させることが可能とされる（図２２参照）。また、突出部材７６の張出部７６ｂを傾斜上面７８ｂから離間させ、先端上面７８ａに対向させることが可能とされる（図２０参照）。
【０１１５】
ここで、規制板７８は、貫通孔７８ｄにより形成される空間が閉じた空間として形成されるので、係合装置７０の組み立て状態においては（図１２参照）、かかる貫通孔７８ｄに突出部材７６が挿通されることで、規制板７８が抜き取り不可能とされる。よって、例えば、パチンコ機１の搬送中に規制板７８が脱落することや、島設備への設置後に作業者が不用意に抜き取って紛失することを抑制できる。
【０１１６】
図１２に戻って、係合装置７０の組み立て方法について説明する。まず、突出部材７６の本体部７６ａを、規制部材７８の貫通孔７８ｄに挿通した後、本体部７６ａの小径部に環状板７６ｃ及びコイルばね７７を挿通する。即ち、本体部７６ａの張出部７６ｂと環状板７６ｃとの間に規制板７８を挟んだ状態を形成する。以下、この状態の突出部材７６及び規制板７８を「第1組立部品」と称す。
【０１１７】
次いで、ケース体７１Ｒへ第1組立部品を合わせ面側から装着する。即ち、図１２に示すように、ケース体７１Ｒの保持部ｈ１〜ｈ３及び受入部ｍ１〜ｍ３に、第1組立部品を嵌め込む。この場合、ケース体７１Ｒの上壁と第１区画壁７３ａとの間に、突出部材７６の張出部７６ｂを配置すると共に、ケース体７１Ｒの第１区画壁７３ａと第２区画壁７３ｂとの間に、環状板７６ｃ及びコイルばね７７を配置する。なお、規制板７８は、ケース体７１Ｒの受入部ｍ１〜ｍ３の内、少なくとも受入部ｍ１に嵌め込まれていれば良い。即ち、規制板７８は、受入部ｍ２及びｍ３に達していなくても良く、貫通孔７８ｄに突出部材７６の本体部７６ａにおける大径部が挿通されていれば良い。
【０１１８】
ケース体７１Ｒに第１組立部品を装着した後は、そのケース体７１Ｒに対し、ケース体７１Ｌを、向かい合わせで（即ち、合わせ面同士を）結合し、膨出部７２の挿通孔７２ａに挿通した締結ねじＢ１にナットＮ１を螺合する。これにより、突出部材７６及び規制板７８が収容された状態で、ケース体７１Ｒ，７１Ｌが一体化され、係合装置７０の組み立てが完了する。
【０１１９】
外壁形成部材８０は、係合装置７０の群に前面側から装着され、係合装置７０の群の周囲に外壁を形成するための部材であり、一面側が開放された箱状に形成される。ここで、図１６及び図１７を参照して、外壁形成部材８０について説明する。
【０１２０】
図１６（ａ）は、外壁形成部材８０の上面図であり、図１６（ｂ）は、図１６（ａ）の矢印ＸＶＩｂ方向視における外壁形成部材８０の正面図である。また、図１７（ａ）は、図１６（ｂ）のＸＶＩＩａ−ＸＶＩＩａ線における外壁形成部材８０の断面図であり、図１７（ｂ）は、図１６（ｂ）の矢印ＸＶＩＩｂ方向視における外壁形成部材８０の側面図である。
【０１２１】
図１６及び図１７に示すように、外壁形成部材８０は、上面板８１と、その上面板８１に対し所定間隔を隔てつつ対向配置される底面板８２と、それら上面板８１及び底面板８２を連結する連結正面板８３と、連結正面板８３の長手方向両端に形成され対向配置される一対の側面板８４とを備える。
【０１２２】
即ち、外壁形成部材８０は、連結正面板８３が正面視矩形形状に形成され、その矩形形状（連結正面板８３）の上辺および下辺から上面板８１及び底面板８２が、左右の両辺から一対の側面板８４が、それぞれ同方向（図１７（ａ）右方向）へ向けて延設される。これにより、外壁形成部材８０は、一面側（連結正面板８３と反対側、図１７（ａ）右側）が開放する箱状に形成される。なお、上面板８１と側面板８４との間、及び、底面板８２と側面板８４との間には、所定の隙間が形成される。
【０１２３】
上面板８１には、複数（本実施の形態では４個、図５参照）の折り返し片８１ａが形成される。折り返し片８１ａは、上面板８１の延設先端側（連結正面板８３と反対側）の縁部から突設される上面視矩形状の小片を、上面板８１の上面側（図１７（ａ）上側）へ折り返して形成される。折り返し片８１ａと上面板８１との間の対向面間隔は、主部側被軸支部材３５の挿入爪３６ｃの板厚と同等か若干大きな寸法に設定される。
【０１２４】
なお、折り返し片８１ａの折り返し先端は、図１７（ａ）に示すように、上面板８１に対向する側（図１７（ａ）下側）の面が折り返し先端へ向けて上昇傾斜して形成される。よって、折り返し片８１ａと上面板８１との間の対向面間隔が、折り返し片８１ａの折り返し先端側（図１７（ａ）左側）ほど広くされるので、主部側被軸支部材３５の挿入３６ｃ１を対向面間へ挿入する際には、その挿入動作を円滑に行わせることができる（図２３及び図２４参照）。
【０１２５】
上面板８１には、複数個所（本実施の形態では５ヶ所、図５参照）に出没穴８１ｂが穿設される。出没穴８１ｂは、係合装置７０の突出部材７６が出没可能に挿通される円形の穴であり、複数の係合装置７０に対応する位置にそれぞれ設けられる。また、出没穴８１ｂの内径は、突出部材７６の本体部７６ａ（大径部）における外径よりも若干大きくされる（図１２参照）。
【０１２６】
なお、外壁形成部材８０は、プレス加工により、一枚の金属材料からなる板状体を所定の外形形状に打ち抜くと共にその打ち抜き材の所定部位（連結正面板８３に対して上面板８１、底面板８２および側面板８４が連結される部位、並びに、折り返し片８１ａ）を折り曲げて、形成される。板状体の打ち抜きの際には、外形形状の形成と同時に出没穴８１ｂも穿設される。
【０１２７】
図１２に戻って説明する。外壁形成部材８０は、その開放面側（連結正面板８３と反対側）を、外枠１０の下枠体１２に締結固定された係合装置７０の群の正面側（遊技機主部２０側、図１２左側）に対向配置した状態から、そのまま係合装置７０へ向けて真直ぐに（水平に）押し込むことで、係合装置７０の群に装着される。これにより、係合装置７０の群の周囲が外壁形成部材８０により取り囲まれる。
【０１２８】
即ち、係合装置７０の群の上面側には外壁形成部材８０の上面壁８１が、係合装置７０の群の正面側には外壁形成装置８０の連結正面板８３が、係合装置７０の群の左右両側には外壁形成装置８０の一対の側面板８４が、それぞれ対向配置される。その結果、係合装置７０が外壁形成部材８０の内部空間に収納された状態となり、各係合装置７０への外部からのアクセスを困難とできる。
【０１２９】
なお、外壁形成部材８０の一対の側面板８４は、その延設先端（連結正面板８３と反対側の縁部）が、側面視において（図１２（ｂ）参照）、外枠１０の左枠体１３及び右枠体１４と重なる位置まで延設される。よって、外壁形成部材８０の左右の側面板８４と外枠１０の左枠体１３及び右枠体１４との間からの係合装置７０へのアクセスをより困難とできる。
【０１３０】
また、各係合装置７０の底壁７４（前側外壁７４ｂ）と外枠１０の下枠体１２との対向面間には、外壁形成部材８０の底面板８２が挿入され、隙間が閉封される。また、その外壁形成部材８０の底面板８２は、外枠１０の下枠体１２に沿って左右方向に連続する。即ち、隣接する係合装置７０同士の間においても、外壁形成部材８０の底面板８２が外枠１０の下枠体１２の上面に当接される。これにより、外枠１０の下枠体１２と外枠形成部材８０の底面壁８２との間からの各係合装置７０へのアクセスを困難とできる。
【０１３１】
一方で、外壁形成部材８０は一面側（連結正面壁８３と反対側、図１２（ｂ）右側）が開放された形状に形成されるので、係合装置７０の群の背面側を露出させることができる。よって、外枠１０に対し遊技機主部２０を開放した状態においては（図３及び図４参照）、係合装置７０の背面側に突出する規制板７８へのアクセスを容易とできる。よって、作業者が規制板７８の押し込み操作または引き抜き操作をする際の作業性の向上を図ることができる。
【０１３２】
ここで、外壁形成部材８０が係合装置７０の群に装着されると、係合装置７０の突出部材７６の先端が、外壁形成部材８０の上面板８１の出没穴８１ｂに挿通され、その外壁形成部材８０の上面板８１から突出した状態となる。よって、外壁形成部材８０の引き抜き方向（装着時の押し込み方向と反対方向、図１２（ｂ）左方向）への移動を、突出部材７６と上面板８１の出没穴８１ｂとの係合により、規制することができる。また、外壁形成部材８０の上方向（図１２（ｂ）上方向）への移動は、外枠１０の下枠体１２と係合装置７０の底壁７４（前側底壁７４ｂ）との間に外壁形成部材８０の底面壁８２が挟持されていることで、規制することができる。
【０１３３】
このように、外壁形成部材８０は、係合装置７０へ対して一方向へ押し込むだけで、係合装置７０へ簡易に装着できるので、その分、組み立て工数を低減できる。また、締結ねじ等を用いて両者を固定する必要がなく、遊技機主部２０（主部側被軸支部材３５）との連結のための機能を利用（兼用）して、外壁形成部材８０を係合装置７０に固定するので、その分、部品点数の低減を図ることができる。一方で、このように、簡易な装着を可能としつつ、両者７０，８０を強固に連結できるので、外壁形成部材８０が係合装置７０から不正に取り外されることを抑制できる。
【０１３４】
外枠側係合部材１６は、図１２に示すように、係合装置７０に外壁形成部材８０が装着されることで、その上面側（図１２（ａ）及び図１２（ｂ）上側）に、遊技機主部２０の主部側被軸支部材３５と係合するための構造（外壁形成部材８０の上面壁８１から出没する突出部材７６、上面壁８１の折り返し片８１ａなど）が形成される。ここで、図１８及び図１９を参照して、主部側被軸支部材３５について説明する。
【０１３５】
図１８（ａ）は、主部側被軸支部材３５の上面図であり、図１８（ｂ）は、図１８（ａ）の矢印ＸＶＩＩＩｂ方向視における主部側被軸支部材３５の正面図である。また、図１９は、図１８（ｂ）のＸＩＸ−ＸＩＸ線における主部側被軸支部材３５の断面図である。なお、図１８（ａ）では、挿通爪３６ｃの近傍を部分的に断面視して図示する。
【０１３６】
図１８及び図１９に示すように、主部側被軸支部材３５は、長尺板状の本体板３６と、その本体板３６の長手方向（図１８（ａ）左右方向）に沿って本体板３６の縁部から立設されると共にその立設先端部分を本体板３６側へ平行に折り返して断面逆Ｌ字状に形成される立設板３７とを備える。
【０１３７】
主部側被軸支部材３５は、立設板３７が本体板３６の上面側（図１９上側）へ向けて立設される（即ち、主部側被軸支部材３５の一方の縁部が、本体板３６の上面側へ向けて折り返されて形成される）ので、主部側被軸支部材３５（本体板３６）の底面を平坦面形状とすることができる。よって、その接地面積を確保できるので、主部側被軸支部材３５を開放した状態（く字状に配置）して、遊技機主部２０（内枠３０）を自立させる際には（図６参照）、その自立を安定化させることができる。
【０１３８】
また、主部側被軸支部材３５が板状体から長尺形状に形成される場合であっても、かかる主部側被軸支部材３５に立設板３７を設けることで、その分、曲げ剛性を高めることができる。よって、主部側被軸支部材３５を遊技機主部２０（内枠３０）に対して開いた状態として、その主部側被軸支部材３５を利用することで、遊技機主部２０を自立させる場合に、遊技機主部２０を強固に支持することができる。よって、この点からも、遊技機主部２０の自立を安定化させることができる。
【０１３９】
一方で、主部側被軸支部材３５の縁部が折り返されていると、１の主部側被軸支部材３５に他の主部側被軸支部材３５を重ねて、複数の遊技機主部２０を自立させる（即ち、図６に示す状態で遊技機主部２０（内枠３０）を複数自立させる）際に、１の主部側被軸支部材３５の折り返された縁部に他の主部側被軸支部材３５が乗り上げることで、乗り上げた方の遊技機主部２０が傾斜して、その自立が不安定となる。
【０１４０】
これに対し、本実施の形態では、主部側被軸支部材３５は、遊技機主部２０（内枠３０）を自立させた状態において、遊技機主部２０側に位置する側の縁部が平板形状に形成される。即ち、平板形状の本体板３６には、遊技機主部２０と反対側となる縁部のみ立設板３７が形成される（図６参照）。よって、折り返されて形成される縁部（立設板３７）を避け、反対側の縁部の上（即ち、本体板３６の上）に他の主部側被軸支部材３５を順に重ねていくことができる。よって、遊技機主部２０の傾斜を抑制して、安定的に自立させることができる。
【０１４１】
ここで、立設板３７は、主部側被軸支部材３５の長手方向の全域にわたって（即ち、本体板３６の長手方向一端側から他端側までの範囲にわたって）形成される。よって、主部側被軸支部材３５の剛性を長手方向全体にわたって均一に向上させることができる。即ち、立設板３７と反対側の縁部を折り曲げて、主部側被軸支部材３５の剛性を高める構造を採用した場合、支持軸３４の近傍では、支持金具３３が上面側に移動可能に載置されることに起因して、縁部を折り曲げることができない。そのため、支持軸３４近傍のみに、剛性の弱い箇所が部分的に形成されてしまう。
【０１４２】
本体板３６には、複数個所（本実施の形態では５ヶ所、図５参照）に受入穴３６ａが穿設される。受入穴３６ａは、外枠側係合部材１６（係合装置７０）の突出部材７６を受け入れるための円形の穴であり、複数の係合装置７０に対応する位置にそれぞれ設けられる。受入穴３６ａの内径は、突出部材７６の本体部７６ａ（大径部）における外径よりも若干大きくされる（図１２参照）。
【０１４３】
なお、受入穴３６ａは、外枠側係合部材１６の長手方向（図１８（ａ）左右方向）を長径方向とする長穴形状に形成されていても良い。この場合には、外枠１０に対して遊技機主部２０を組み付ける際に、受入穴３６ａの長径方向の長さを利用して、突出部材７６の先端を受入穴３６ａに受け入れ易くすることができる。よって、外枠側係合部材１６に対する主部側被軸支部材３５の配置ずれや部材の寸法公差が存在する場合でも、外枠１０に対する遊技機主部２０の組み付け作業の効率化を図ることができる。一方で、受入穴３６は、その短径方向（図１８（ａ）上下方向）を、外枠１０から遊技機主部２０を抜き取る方向に向けるため、その方向においては、突出部材７６を受入穴３６ａにがたつきを少なくした状態で受け入れることができる。
【０１４４】
本体板３６及び立設板３７には、複数箇所（本実施の形態では４箇所、図５参照）に開口部３６ｂが開口形成される。開口部３６ｂは、外枠側係合装置１６の外壁形成部材８０における折り返し片８１ａを受け入れるための開口であり、図１８（ｂ）に示すように、立設板３７に正面視矩形形状に形成される開口部分の幅寸法（図１８（ｂ）左右方向寸法）が、外枠形成部材８０の折り返し片８１ａの幅寸法（図１６（ａ）左右方向寸法）よりも若干大きく形成される。
【０１４５】
開口部３６ｂは、本体板３６に開口される部分が、立設板３７に開口される部分に連通されつつ、図１８（ａ）に示すように、上面視Ｕ字形状を左右に配置した形状に形成される。これにより、本体板３６には、開口部３６ｂへ向けて突設される挿入爪３６ｃが形成される。ここで、挿入爪３６ｃは、複数（本実施の形態では４個）の開口部３６ｂのそれぞれに形成される。
【０１４６】
なお、挿入爪３６ｃの突設先端は、図１９に示すように、上側（図１９上側）の面が突設先端へ向けて下降傾斜して形成される。よって、外壁形成部材８０の折り返し片８１ａと本体板３６との間の対向面間へ挿入爪３６ｃを挿入する際には、その挿入動作を円滑に行わせることができる（図２３及び図２４参照）。
【０１４７】
本体板３６には、その長手方向一端側（図１８（ａ）左側）に、固定板３６ｄが形成される。固定板３６ｃは、立設板３７と同方向に立設され断面逆Ｊ字状に形成され、ねじりコイルばねＣＳの腕を固定する。即ち、主部側被軸支部材３５には、内枠３０の樹脂ベース３１の下端部に配設される支持金具３３が、その支持金具３３の挿通孔に支持軸３４を挿通させた状態で載置される（図４参照）。
【０１４８】
この場合、ねじりコイルばねＣＳは、コイル部を支持軸３４に挿通させ、そのコイル部から伸びる一方の腕を主部側被軸支部材３５の固定板３６ｄに固定すると共に、他方の腕を支持金具３３の固定部に固定した状態で、支持金具３３と主部側被軸支部材３５との間に介在される。その結果、主部側被軸支部材３５は、支持軸３４を回動中心として、支持金具３３（即ち、内枠３０）に対して、ねじりコイルばねＣＳのねじりトルクによって、開放される方向へ付勢される（図６参照）。
【０１４９】
このように、主部側被軸支部材３５は、ねじりコイルばねＣＳにより内枠３０（遊技機主部２０）に対して開いた状態となる方向へ付勢されるので、上述したように、主部側被軸支部材３５を内枠３０に対して開いた状態（く字状配置）として、内枠３０を自立させる際には（図６参照）、その主部側被軸支部材３５を開いた状態に維持して、内枠３０の自立を安定化させることができる。即ち、内枠３０の自立時に、主部側被軸支部材３５が不用意に閉じられて、内枠３０の自立が不安定化することを抑制できる。
【０１５０】
また、このように、主部側被軸支部材３５が、ねじりコイルばねＣＳのねじりトルクにより、内枠３０（遊技機主部２０）に対して開いた状態となる方向へ付勢される構造であれば、外枠１０に対して遊技機主部２０が開閉可能に配設された状態では（図３及び図４参照）、ねじりコイルばねＣＳの付勢力（ねじりトルク）を、遊技機主部２０を開放させる方向への力として利用することができる。よって、遊技機主部２０の重量が例えば重い場合であっても、その遊技機主部２０を解放させるための作業者の操作を容易化することができる。
【０１５１】
なお、主部側被軸支部材３５は、プレス加工により、一枚の金属材料からなる板状体を所定の外形形状に打ち抜くと共にその打ち抜き材の所定部位（立設板３７及び固定板３６ｄ）を折り曲げて、形成される。板状体の打ち抜きの際には、外形形状の形成と同時に受入穴３６ａ及び開口部３６ｂも穿設される。
【０１５２】
図１２に戻って説明する。外枠１０に配設される外枠側係合部材１６と内枠３０（遊技機主部２０）に配設された主部側被軸支部材３５との連結（係合）は、まず、外枠１０の正面に内枠３０（遊技機主部２０）を対面配置する（図２参照）。これにより、図１２に示すように、外枠側係合部材１６に主部側被軸支部材３５が立設板３７側を向けた状態で配設されるので、外枠１０へ向けて内枠３０を真直ぐに押し込むことで、上述した外枠側連結部材１５と主部側連結部材３２との連結を行いつつ（図１０参照）、主部側被軸支部材３５と外枠側係合部材１６との連結を行うことができる。
【０１５３】
この場合、外枠側係合部材１６の上面（外壁形成部材８０の上面板８１）には、主部側被軸支部材３５（主部側被軸支部材３５を介して遊技機主部２０）を仮置きするための領域が形成される。即ち、かかる領域に主部側被軸支部材３５が載置された状態では、外枠側連結部材１５と主部側連結部材３２とが連結されておらず（図１０（ａ）参照）、かつ、外枠側係合部材１６の突出部材７６が主部側被軸支部材３５の受入穴３６ａに受け入れられていない状態とできる。
【０１５４】
よって、遊技機主部２０を外枠１０に組み付ける際には、まず、遊技機主部２０の主部側被軸支部３５の先端側（立設板３７側）を、外枠側係合部材１６の上面における上記領域に載置（仮置き）し、その後、遊技機主部２０を押し込み、主部側被軸支部３５を外枠側係合部材１６の上面に沿って移動（滑動）させることで、外枠側連結部材１５と主部側連結部材３２とを連結させると共に（図１０（ｃ）参照）、外枠側係合部材１６の突出部材７６を主部側被軸支部材３５の受入穴３６ａへ挿通（受け入れ）させることができる（図２０から図２４参照）。
【０１５５】
即ち、作業者は、両連結部材１５，１６の連結と、受入穴３６ａへの突出部材７６の受け入れとを行う際に、それらの作業を、遊技機主部２０の重量を支持しつつ行う必要がなく、遊技機主部２０を外枠側係合部材１６上に仮置きした後は、水平方向へ押し込むだけで良い。よって、外枠１０に対して遊技機主部２０を組み付ける作業の作業性の向上を図ることができる。
【０１５６】
この場合、突出部材７６は、図１２に示す初期位置（コイルばね７７のみにより付勢され、張出部７６ｂの下面に規制板７８の上面が当接していない状態）において、半球状の先端部７６ｂ１のみが、外枠側係合部材１６の上面（外壁形成部材８０の上面板８１）からから突出されるので、主部側被軸支部材３５が外枠側係合部材１６の上面をスライド移動（滑動）され、主部側被軸支部材３５の角部（本体板３６と立設壁３７の接続部）が突出部材７６に当接する際には、引っ掛かりを抑制して、突出部材７６を対向面下により確実に没入させることができる。
【０１５７】
ここで、図２０から図２４を参照して、外枠１０に配設される外枠側係合部材１６と内枠３０に配設される主部側被軸支部３５との間の連結動作について説明する。
【０１５８】
図２０（ａ）、図２１（ａ）、図２２（ａ）、図２３（ａ）及び図２４（ａ）は、連結動作時における外枠側係合部材１６及び主部側被軸支部材３５の斜視図であり、図２０（ａ）及び図２３（ａ）は連結動作の開始時を、図２１（ａ）は主部側被軸支部材３５の受入穴３６ａに突出部材７６が挿通された状態を、図２２（ａ）及び図２４（ａ）は規制板７８が押し込まれた連結動作の終了時を、それぞれ示している。
【０１５９】
なお、図２０（ｂ）、図２１（ｂ）、図２２（ｂ）、図２３（ｂ）及び図２４（ｂ）は、図２０（ａ）の矢印ＸＸｂ、図２１（ａ）の矢印ＸＸＩｂ、図２２（ａ）のＸＸＩＩｂ、図２３（ａ）のＸＸＩＩＩｂ及び図２４（ａ）の矢印ＸＸＩＶｂ方向視における外枠側係合部材１６及び主部側被軸支部材３５の断面図である。
【０１６０】
また、図２０から図２４では、図面を簡素化するために、主要な構成のみに符号を付している。また、図２０から図２２では、ケース体７１Ｒの側面であって、ケース体７１Ｌとの合わせ面となる側面がハッチングを付して図示される。
【０１６１】
図２０に示すように、連結動作が開始され、主部側被軸支部材３５が外枠側係合部材１６（外壁形成部材８０）の上面に沿って移動されると、その主部側被軸支部材３５の移動に伴って、突出部材７６が下方へ押し下げられ、かかる突出部材７６が主部側被軸支部材３５の下面側に没入される。
【０１６２】
この場合、図２３に示すように、外枠側係合部材１６（外壁形成部材８０）の折り返し片８１ａの折り返し先端が、主部側被軸支部材３５の開口部３６ｂ内へ挿入される。これにより、折り返し片８１ａが開口部３６ｂにより規制され、外枠側係合部材１６に対する主部側被軸支部材３５の左右方向（図２１（ｂ）紙面垂直方向）への位置決めを行うことができる。また、主部側被軸支部材３５が外枠側係合部材１６に対して更に押し込まれる（前進移動される）場合には、開口部３６ｂが折り返し片８１ａに沿って案内されることで、主部側被軸支部材３５を適正な位置（即ち、受入穴３６ａに突出部材７６を受け入れ可能な位置）へ確実に移動させることができる。
【０１６３】
図２１に示すように、図２０に示す状態から主部側被軸支部材３５が外枠側係合部材１６に対して更に押し込まれる（前進移動される）と、主部側被軸支部材３５の受入穴３６ａに、外枠側係合部材１６（係合装置７０）の突出部材７６が受け入れられる（先端部が挿入される）。
【０１６４】
なお、図２１に示すように、受入穴３６ａに突出部材７６の先端部が挿入された状態では、主部側被軸支部材３５の挿入爪３６ｃの先端が、外枠側係合部材１６（外壁形成部材８０）の折り返し片８１ａの根元部分に当接される。これにより、主部側被軸支部材３５の押し込み動作（前進移動）を、適正な位置（受入穴３６ａに突出部材７６を受け入れた位置）で、確実に停止させることができる。
【０１６５】
また、挿入爪３６ｃの先端が折り返し片８１ａの根元部分に当接されることで、外枠側係合部材１６に対する主部側被軸支部材３５の押し込み動作（前進移動）が、仮に、作業者の不注意などで非常に強い力で行われたとしても、その力が突出部材７６のみに作用することを回避できる。即ち、主部側被軸支部材３５から作用する力を、折り返し片８１ａと突出部材７６の両者に分担させることができるので、その分、突出部材７６の破損を抑制できる。
【０１６６】
図２１に示すように、主部側被軸支部材３５の受入穴３６ａに、外枠側係合部材１６（係合装置７０）の突出部材７６の先端部分が受け入れられることで、主部側被軸支部材３５と外枠側係合部材１６とが連結状態とされる。しかし、この状態では、主部側被軸支部材３５が抜き取り方向（図２１（ｂ）左方向）へ引っ張られる（後退移動される）と、受入穴３６ａの内周面から突出部材７６の先端部７６ａ１に作用する力により、突出部材７６が下方へ移動して、受入穴３６ａよりも下方へ没入されることで、主部側被軸支部材３５が抜き取り可能となるおそれがある。
【０１６７】
そこで、図２１に示す状態となった後は、外枠側係合部材１６の背面側から、規制板７８を突出部材７６へ向けて（即ち、図２１（ｂ）左方向へ向けて）押し込む操作が行われる。規制板７８が突出部材７６へ向けて押し込まれると、その規制板７８の傾斜上面７８ｂが突出部材７６の張出部７６ｂの下面に侵入され、規制板７８の押し込み動作に伴って、傾斜上面７８ｂが張出部７６ｂを介して突出部材７６を上昇させる。
【０１６８】
図２２及び図２３に示すように、規制板７８が突出部材７６へ向けてさらに押し込まれると、突出部材７６の張出部７６ｂの下面に、規制板７８の後端上面７８ｃが侵入される。規制板７８は、後端上面７８ｃが底面と平行に形成されるため、突出部材７６の張出部７６ｂとケース体７１Ｒ，７１Ｌの第１区画壁７３ａとの間に規制板７８が介在されることで、突出部材７６の下方への移動を規制することができる。
【０１６９】
即ち、図２２及び図２３に示すように、突出部材７６の張出部７６ｂが規制板７８の後端上面７８ｃにより支持された状態では、仮に、主部側被軸支部材３５の受入穴３６ａから突出される突出部材７６の先端部分を、何らかの方法により、下方へ直接押し下げる不正行為が行われたとしても、突出部材７６が没入されることを回避できる。
【０１７０】
また、図２２及び図２３に示すように、突出部材７６の張出部７６ｂが規制板７８の後端上面７８ｃにより支持された状態では、突出部材７６の半球状の先端部７６ａ１は、主部側被軸支部材３５の上面（図２２（ｂ）上側面）よりも上方に突出される。即ち、受入穴３６ａの内周面に対面される部位は、突出部材７６の本体部７６ａにおける円柱状の部分となる。よって、仮に、主部側被軸支部材３５が抜き取り方向（図２１（ｂ）左方向）へ強い力で引っ張られ、受入穴３６ａの内周面が突出部材７６に当接したとしても、その当接によって突出部材７６を下方へ移動させる力を作用させることはできない。
【０１７１】
次いで、図２５を参照して、主部側被軸支部材３５を内枠３０に閉じた状態で保持するための保持構造について説明する。図２５は、内枠３０の回動先端側における背面斜視図である。なお、図２５では、施錠装置ＫＤによる係止が解除された状態における主部側被軸支部材３５が二点鎖線を用いて模式的に図示される。
【０１７２】
図２５に示すように、施錠装置ＫＤの係合爪ＫＤｂは、主部側被軸支部材３５の立設板３７に係合可能な第２係合爪ＫＤｂ１を備える。第２係合爪ＫＤｂ１は、係合爪ＫＤｂをなす板状体に一体に形成され、その板状体の縁部から下方（図２５下方向）へ向けて突設される。この第２係合爪ＫＤｂ１が、主部側被軸支部材３５の立設板３７の外面側（本体板３６と反対側）に係合されることで、主部側被軸支部材３５の開放方向（即ち、図２５に２点鎖線で示す状態）への移動が規制され、かかる主部側被軸支部材３５が図２５に実線で示す閉じた状態に保持される。
【０１７３】
一方、シリンダ錠ＫＤａのキー操作により、係合爪ＫＤｂが外枠１０の爪受け部材１７との係合を解除する方向へ変位されると、その係合爪ＫＤｂの変位に伴って、第２係合爪ＫＤｂ１が上方（図２５上方向）へ向けて変位される。これにより、第２係合爪ＫＤｂ１が、主部側被軸支部材３５の立設板３７の外面側（本体板３６と反対側）から上方へ後退され、主部側被軸支部材３５の図２５に実線で示す閉じた状態からの移動が許容される。その結果、主部側被軸支部材３５が開放方向（即ち、図２５に２点鎖線で示す状態）へ移動される。
【０１７４】
このように、第２係合爪ＫＤｂ１により、主部側被軸支部材３５を内枠３０（遊技機主部２０）の底面側に保持することができるので、遊技機主部２０を外枠１０に組み付ける際の作業性の向上を図ることができる。即ち、主部側被軸支部材３５は、ねじりコイルばねＣＳにより、遊技機主部２０に対して開いた状態となる方向へ付勢されているところ、これを第２係合爪ＫＤｂ１により遊技機主部２０の底面側に保持する（閉じた状態に保持する）ことができれば、作業者が、作業者自身が例えば一方の手で主部側被軸支部材３５を閉じた状態に保持しつつ、遊技機主部２０を外枠１０に組み付けるという煩雑な作業を行う必要がなく、遊技機主部２０を外枠１０に組み付ける作業のみに集中することができる。
【０１７５】
ここで、主部側被軸支部材３５を保持する第２係合爪ＫＤｂ１は、係合爪ＫＤｂに一体に形成される。よって、施錠装置ＫＤの操作（シリンダ錠ＫＤａのキー操作）により、係合爪ＫＤｂと外枠１０の爪受け部材１７との間の係合を解除する際には、その解除動作に連動して、第２係合爪ＫＤｂ１による主部側被軸支部材３５の保持（係合）も解除することができる。
【０１７６】
よって、遊技機主部２０を外枠１０に組み付ける際には、主部側被軸支部材３５を第２係合爪ＫＤｂ１により保持し、組み付け作業の作業性の向上を図りつつ、組み付け後は、施錠装置ＫＤの操作（シリンダ錠ＫＤａのキー操作）を行うのみで、外枠１０に対して遊技機主部２０を開放させることができる。即ち、シリンダ錠ＫＤａに対する一のキー操作のみで、遊技機主部２０の外枠１０に対する施錠の解除と、主部側被軸支部材３５の第２係合爪ＫＤｂ１による保持の解除とを同時に行うことができる。
【０１７７】
なお、主部側被軸支部材３５には、図２５に示すように、立設板３７の一部を切り欠いて形成される立設切り欠き部３７ａが形成され、この立設切り欠き部３７ａの形成部に残された縦壁部分（本体板３６から立設される部分）の外面側に第２係合爪ＫＤｂ１が係合する。
【０１７８】
ここで、立設切り欠き部３７ａを設けず、立設板３７の外面側に第２係合爪ＫＤｂ１を係合させる構成では、立設板３７のＲ状に湾曲した部分（本体板３６から立設される縦壁部分とその縦壁部分の立設先端から折り返される部分との間の接続部分）に第２係合爪ＫＤｂ１を係合させる必要が生じ、その係合が不安定となる。これに対し、上述のように、立設切り欠き部３７ａの形成部に残された縦壁部分（本体板３６から立設される部分）の外面側に第２係合爪ＫＤｂ１を係合させる構成とすることで、平坦面同士の係合として、その係合を安定化（確実化）することができる。
【０１７９】
次いで、図２６及び図２７を参照して、第２実施の形態について説明する。第１実施の形態では、主部側被軸支部材３５の立設板３７と反対側となる本体板３６の縁部が平坦面状に形成される場合を説明したが、第２実施の形態における主部側被軸支部材３５は、立設板３７と反対側となる本体板３６の縁部に第２立設板２３７ａが立設される。なお、上述した第１実施の形態と同一の部分には同一の符号を付して、その説明は省略する。
【０１８０】
図２６（ａ）は、第２実施の形態における主部側被軸支部材２３５の上面図であり、図２６（ｂ）は、図２６（ａ）の矢印ＸＸＶＩｂ方向視における主部側被軸支部材２３５の正面図である。また、図２７は、図２６（ｂ）のＸＸＶＩＩ−ＸＸＶＩＩ線における主部側被軸支部材２３５の断面図である。
【０１８１】
図２６及び図２７に示すように、第２実施の形態における主部側被軸支部材２３５は、本体板３６の長手方向（図２６（ａ）左右方向）に沿ってその本体板３６の縁部（立設板３７が形成される縁部と反対側の縁部、図２６（ａ）下側）から立設される第２立設板２３７ａを備える。
【０１８２】
第２立設板２３７ａは、立設板３７と同じ方向に立設される。即ち、主部側被軸支部材２３５が、外枠側係合部材１６に連結（係合）された状態では（図２２参照）、第２立設板２３７ａが本体板３６から立設される方向と、突出部材７６の先端部分が本体板３６の上面に突出される方向とを一致させることができる。よって、外枠１０に遊技機主部２０が組み付けられた状態において（図１参照）、その遊技機主部２０の前面側から突出部材７６の先端部分にアクセスする不正行為を、第２立設板２３７ａにより困難とすることができる。
【０１８３】
なお、内枠３０の樹脂ベース３１の底面に段差を設け、内枠３０に主部側被軸支部材２３５を閉じた状態では、樹脂ベース３１の底面の段差面（高い底面と低い底面との間を接続する面）に、第２立設板２３７ａの外面（図２７左側面）が対向配置されるように形成しても良い。これにより、遊技機主部２０の前面側から突出部材７６の先端部分にアクセスする不正行為をより困難とすることができる。
【０１８４】
次いで、図２８及び図２９を参照して、第３実施の形態について説明する。第１実施の形態では、外枠側係合部材１６に主部側被軸支部材３５が連結された場合に、突出部材７６の先端部分が露出される場合を説明したが（図２２参照）、第３実施の形態における主部側被軸支部材３３５は、外枠側係合部材１６に連結された場合に、突出部材７６の先端部分を被覆可能に形成される。なお、上述した第１実施の形態と同一の部分には同一の符号を付して、その説明は省略する。
【０１８５】
図２８は、第３実施の形態における主部側被軸支部材３３５の斜視図であり、図２９は、外枠側係合部材１６及び主部側被軸支部材３３５の斜視図である。なお、図２８では、主部側被軸支部材３３５の一部が部分的に断面視される。図２９は、規制板７８が押し込まれて連結動作を終了した状態が図示される。また、図２９では、ケース体７１Ｒの側面であって、ケース体７１Ｌとの合わせ面となる側面がハッチングを付して図示される。
【０１８６】
図２８に示すように、第３実施の形態における主部側被軸支部材３３５には、複数個所（本実施の形態では５ヶ所、第１実施の形態における受入穴３６ａと同じ箇所）に受入凹部３３６ａが凹設される。受入凹部３３６ａは、外枠側係合部材１６（係合装置７０）の突出部材７６の先端部分を受け入れるために底面側（図２８下側）に開口を有する凹部である。即ち、受入凹部３３６ａは、本体部３６の底面側からパンチを押し込む絞り加工により形成される容器状の凹部である。
【０１８７】
なお、受入凹部３３６ａの開口の内径は、突出部材７６の本体部７６ａ（大径部）における外径よりも若干大きくされ、受入凹部３３６ａの凹設深さは、規制板７８の後端上面７８ｃにより突出部材７６の張出部７６ｂが支持された状態において、その突出部材７６の先端部分を受け入れ可能な深さ（即ち、突出部材７６の先端部７６ａ１と受入凹部３３６ａの内周面３３６ａ１との間に若干の隙間が形成される深さ）に設定される。
【０１８８】
図２９に示すように、突出部材７６の張出部７６ｂが規制板７８の後端上面７８ｃにより支持された状態（即ち、主部側被軸支部材３３５と外枠側係合部材１６とが連結（係合）された状態）では、突出部材７６の先端部分を、受入凹部３３６ａにより被覆する（覆い隠す）ことができる。よって、突出部材７６が遊技者などによって操作（没入方向へ移動）され、外枠側係合部材１６と主部側被軸支部材３３５との間の連結が不正に解除されることを抑制できる。
【０１８９】
次いで、図３０から図３６を参照して、第４実施の形態について説明する。第１実施の形態では、外枠１０に対し遊技機主部２０を回動可能に軸支する２本の軸の内、上方側に位置する軸（連結軸部１５ｄ）が外枠１０側に配設される場合を説明したが、第４実施の形態における２本の軸の内の上方側の軸（第２支持軸４３４）は、遊技機主部４２０側に配設される。なお、上述した第１実施の形態と同一の部分には同一の符号を付して、その説明は省略する。
【０１９０】
図３０は、第４実施の形態におけるパチンコ機４０１を外枠４１０と遊技機主部４２０とに分解した状態を示すパチンコ機４０１の分解斜視図である。図３１は、内枠４３０及び外枠４１０の斜視図であり、内枠４３０に対してその内枠４３０の構成要素Ａ４が開かれた状態が図示される。図３２は、外枠４１０と内枠４３０の構成要素Ａ４との斜視図である。図３３（ａ）は、内枠４３０の構成要素Ａ４が連結された状態における外枠４１０の斜視図であり、図３３（ｂ）は、内枠４３０の構成要素Ａ４が取り外された状態における外枠４１０の斜視図である。
【０１９１】
第４実施の形態では、遊技機主部４２０を新たな機種として設計する場合、主部側被軸支部材３５を遊技機主部４２０に回動可能に軸支する支持軸３４だけでなく、主部側第２被軸支部材４３５を遊技機主部４２０に回動可能に軸支する第２支持軸４３４についても、外枠４１０（即ち、古い機種としての外枠４１０）との関係を考慮する必要がなく、その設計の自由度を高めることができる。即ち、本実施の形態では、主部側被軸支部材３５に加え、主部側第２被軸支部材４３５も、外枠４１０側の外枠側第２係合部材１６に対して連結（係合）可能な構造とされていれば足り、第２支持軸４３４を、支持軸３４と同様に、外枠４１０（外枠側第２係合部材４１６）との関係で設計する必要がなく、設計の自由度を確保できる。よって、支持軸４３４近傍においても、例えば、前面扉４０の意匠性の向上などを図ることができる。
【０１９２】
図３０から図３３に示すように、外枠４１０は、第１実施の形態と同様に、４枚の板材（上下に位置する上枠体４１１及び下枠体１２並びにそれらを連結する左右の左枠体４１３及び右枠体１４）を四辺に連結することで、正面視矩形枠状に形成される。
【０１９３】
上枠体４１１は、左枠体４１３が連結される側の端部に、係合片４３６を受け入れるための外枠側通路４１１ｃが形成される点で、第１実施の形態における上枠体１１と異なるが、他の構成は同一である。また、左枠体４１３は、縦材ＳＭが並設される分、第１実施の形態における左枠体１３よりも幅寸法（枠面に垂直な方向の寸法）が小さくされる点で異なるが、他の構成は左枠体１３と同一である。
【０１９４】
外枠４１０は、上枠体４１１と左枠体４１３との連結部分に配設される外枠側第２係合部材４１６と、下枠体１２の上面に配設される外枠側係合部材１６とを備える。外枠側第２係合部材４１６は、金属材料からなる板状体を所定形状に折り曲げて形成される部材であり、上枠体４１１の上面側（取付面４１１ｃ）及び左枠体４１３の外側面に締結ねじにより締結固定される。
【０１９５】
内枠４３０は、第１実施の形態と同様に、正面視略矩形状の樹脂ベース３１を主体に構成され、樹脂ベース３１における回動基端側（外枠４１０に連結される側）には、上端部（上方側）に主部側連結部材３２が、下端部（下方側）に支持金具３３（図４及び図５参照）が、それぞれ配設される。
【０１９６】
第4実施の形態では、主部側連結部材３２に、第２支持軸４３４を介して主部側第２被軸支部材４３５が回動可能に軸支される。なお、主部側第２被軸支部材４３５には、係合片４３６が締結ねじにより締結固定され、係合片４３６は、第２支持軸４３４と反対側となる端部から外方へ向けて突設される。第１実施の形態と同様に、支持金具３３には、主部側被軸支部材３５が支持軸３４を介して回動可能に軸支される。
【０１９７】
主部側被軸支部材３５及び主部側第２被軸支部材４３５は、外枠４１０と遊技機主部４２０とを開閉可能かつ着脱可能に連結する機構（連結構造）の一部をなす部材である。即ち、主部側被軸支部材３５が、第１実施の形態と同様に、外枠４１０の外枠側係合部材１６に連結される一方、第４実施の形態では、主部側第２被軸支部材４３５（係合片４３６）が、外枠４１０の外枠側第２係合部材４１６に連結される。この連結構造の詳細構成については、後述する。
【０１９８】
主部側被軸支部材３５と主部側第２被軸支部材４３５との間には、縦材ＳＭが配設される。縦材ＳＭは、金属製の押出材から断面Ｌ字に形成される板状体であり、その下端側（図３２下側）が主部側被軸支部材３５の基端部（回動中心側）の外側面に締結ねじにより締結固定されると共に、上端側（図３２上側）が主部側第２被軸支部材４３５の内側面に締結ねじにより締結固定される。
【０１９９】
このように、主部側被軸支部材３５及び主部側第２被軸支部材４３５は、縦材ＳＭにより連結されているので、主部側被軸支部材３５及び主部側第２被軸支部材４３５のいずれか一方が遊技機主部４２０（内枠４３０）に対して回動された場合には、この一方の回動に連動させて他方も回動させることができる。即ち、主部側被軸支部材３５及び主部側第２被軸支部材４３５の両者の回動位置を常に同位相に維持することができる。よって、主部側被軸支部材３５を外枠側係合部材１６に、主部側第２被軸支部材４３５を外枠側第２係合部材４１６に、それぞれ連結させる際には、これら両部材３５，４３５の位相を個別に調整する必要がないので、その連結作業の作業性の向上を図ることができる。
【０２００】
次いで、図３４から図３６を参照して、外枠４１０と遊技機主部４２０とを開閉可能かつ着脱可能に連結するための連結構造について説明する。まず、図３４を参照して、外枠側第２係合部材４１６及び主部側第２被軸支部材４３５の詳細構成について説明する。
【０２０１】
図３４（ａ）は、外枠４１０の斜視図であり、図３３（ｂ）の状態（内枠４３０の構成要素Ａ４が取り外された状態）に対応する。また、図３４（ｂ）は、図３４（ａ）のＸＸＸＩＶｂ−ＸＸＸＩＶｂ線における外枠４１０の断面図であり、図３４（ｃ）は、係合片４３６の斜視図である。
【０２０２】
図３４に示すように、外枠側第２係合部材４１６は、上枠体４１１の上面に配設される板状の上面板４１６ａと、その上面板４１６ａと略垂直をなし左枠体４１３の外面に配設される板状の側面板４１６ｂとを主に備える。なお、上面板４１６ａは上枠体４１１に、側面板４１６ｂは左枠体４１３に、それぞれ締結ねじにより締結固定される。また、上面板４１６ａ及び側面板４１６ｂの前後方向寸法（図３４（ｂ）左右方向寸法）は、上枠体４１１の前後方向寸法（図３４（ｂ）左右方向寸法）の約１／２とされる。
【０２０３】
外枠側第２係合部材４１６の上面板４１６ａは、その下面（上枠体４１１の取付面４１１ｃに当接される面）に挿入部４１６ｃが凹設される。挿入部４１６ｃは、主部側第２被軸支部材４３５の係合片４３６が挿入されると共にその挿入された係合片４３６が着脱自在に連結される部位であり（図３５参照）、係合片４３６の幅よりも若干大きな幅を有すると共に下面側が開放された断面コ字形状の溝状に形成される。
【０２０４】
ここで、挿入部４１６ｃは、外枠４１０の枠面に垂直な方向（図３４（ｂ）左右方向、即ち、係合片４３６の挿入方向）に沿って延設される。即ち、主部側第２被軸支部材４３５を外枠側第２係合部材４１６に連結する際の直線方向（即ち、係合片４３６の挿入方向）が、主部側被軸支部材３５を外枠側連結部材１６に連結する際の直線方向に平行とされるので、遊技機主部４２０を外枠４１０に対し直線方向へ移動させる動作のみで、これらを連結することができる。よって、主部側被軸支部材３５及び外枠側連結部材１６に加え、主部側第２被軸支部材４３５及び外枠側第２係合部材４１６を更に備える場合であっても、遊技機主部４２０を外枠４１０に組み付ける際の作業性の向上を図ることができる。なお、後述する外枠側通路４１１ｄの延設方向も挿入部４１６ｃと平行とされる。よって、この点からも、作業性の向上を図ることができる。
【０２０５】
挿入部４１６ｃの始端は、上面板４１６ａの一側（主部側第２被軸支部材４３５の側面に対向する側であって、図３４（ｂ）右側）の側面に開口され、この開口から係合片４３６が挿入される。挿入部４１６ｃの終端は、上面板４１６ａの他側（係合片４３６の挿入方向奥側であって、図３４（ｂ）左側）の側面まで達しておらず、上面板４１６ａの下面が上枠体４１１の取付面４１１ｃに密着される。これにより、係合片４３６を外部から遮蔽できる。
【０２０６】
挿入部４１６ｃの図３４（ｂ）に示す断面形状は、係合片４３６の外形形状とほぼ同一に形成される（図３５（ｂ）参照）。即ち、挿入部４１６ｃの天井面（図３４（ｂ）上側の面）は、終端側（図３４（ｂ）左側）が部分的に高くされ、その高さが異なる境界部分に係止面４１６ｃ１が形成される。係止面４１６ｃは、係合片４３６の挿入方向（枠面に垂直な方向、図３４（ｂ）左右方向）に垂直な平坦面として形成される。よって、挿入部４１６ｃに係合片４３６が挿入されると、係合片４３６の折返し部４３６ｃにおける折返し先端が係止面４１６ｃ１に係止され、これにより、外枠側第２係合部材４１６に主部側第２被軸支部材４３５（係合片４３６）が連結される。
【０２０７】
外枠４１１の上面は、取付面４１１ｃの高さ位置が他の面よりも一段低くされ、その取付面４１１ｃに外枠側第２係合部材４１６の上面板４１６ａが取り付けられた状態では、上面板４１６ａの上面が外枠４１１の上面（取付面４１１ｃ以外の面）よりも若干低くされる。
【０２０８】
取付面４１１ｃには、外枠側第２係合部材４１６の挿入部４１６ｃに対面する位置に外枠側通路４１１ｄが形成される。外枠側通路４１１ｄは、主部側第２被軸支部材４３５の係合片４３６を外枠側第２係合部材４１６の挿入部４１６ｃへ挿入する際に係合片４３６が通過する通路（図３５（ａ）参照）を形成すると共に挿入部４１６ｃに挿入された係合片４３６が揺動するための空間（図３６参照）を形成するための部位であり、係合片４３６の幅よりも若干大きな幅（即ち、挿入部４１６ｃと同等の幅）を有し、外枠４１０の枠面に垂直な方向（図３４（ｂ）左右方向、即ち、挿入部４１６ｃと同方向）に沿って延設される断面コ字状の溝状に形成される。
【０２０９】
外枠側通路４１１ｄの始端は、取付面４１１ｃの一側（外枠４１０の前面側、図３４（ｂ）右側）の側面に開口され、この開口から係合片４３６が挿入可能とされる。よって、外枠側第２係合部材４１６に主部側第２被軸支部材４３５を連結させる作業において、その初期段階（係合片４３６を外枠側通路４１１ｄ内へ配置する段階）での作業性が向上される。
【０２１０】
外枠側通路４１１ｄの終端は、上枠体４１１の他側（外枠４１０の背面側、図３４（ｂ）左側）の側面まで達しておらず、上述したように、上面板４１６ａの下面が上枠体４１１の取付面４１１ｃに密着される。これにより、係合片４３６を外部から遮蔽できる。
【０２１１】
外枠側通路４１１ｄは、上面側（図３４（ｂ）上側）が全域にわたって開放されると共に、下面側（図３４（ｂ）下側）は、外枠側第２係合部材４１６の挿入部４１６ｃに対応する部分（係合片４３６の挿入方向奥側であって、図３４（ｂ）左側）のみが部分的に開放される。
【０２１２】
なお、外枠側通路４１１ｄの下面側であって、開放して形成される部分の残部（係合片４３６の挿入方向手前側であって、図３４（ｂ）右側）は、開放部分へ向けて下降傾斜して形成される。よって、この下降傾斜により形成される空間によって、挿入部４１６ｃへの挿入時（即ち、図３５（ａ）に示す位置から更に挿入される際）に下方へ揺動する係合片４３６（薄板部４３６ｂ）を受け入れることができ、その結果、折返し部４３６ｃの塑性変形によりその折返し角度が小さくなる（即ち、係止面４１６ｃ１に対する係止能力が低下する）ことを抑制できる。
【０２１３】
主部側第２被軸支部材４３５は、係合片４３６が底面側に締結固定される上面板４３５ａと、その上面板４３５ａと略垂直をなす側面板４３５ｂと、上面板４３５ａから水平に延設されると共にその延設先端に第２支持軸４３４が底面から突設された状態で固着される延設板４３５ｃとを備える。
【０２１４】
なお、上面板４３５ａの幅寸法は、外枠側第２係合部材４１６の上面板４１６ａの幅寸法（即ち、上枠体４１１の取付面４１１ｃの幅寸法）と同等とされる。また、側面板４３５ｂは、縦材ＳＭの上端（図３４（ａ）上側）における外側面に締結ねじにより締結固定される。
【０２１５】
係合片４３６は、基部片４３６ａと、その基部片４３６ａから延設される薄板部４３６ｂと、その薄板部４３６ｂの一側（基部片４３６ａと反対側）を折り返して形成される折返し部４３６ｃとを備え、これら各部４３６ａ〜４３６ｃが金属材料から一体に形成される。
【０２１６】
基部４３６ａには、内周面にめねじが螺刻された締結孔が中央部に設けられ、その締結孔に締結ねじが螺合されることで、主部側第２被軸支部材４３５の上面板４３５ａにおける底面に係合片４３６（基部４３６ａ）が締結固定される。なお、基部４３６ａと主部側第２被軸支部材４３５の上面板４３５ａとを重ねた部分の板厚寸法が、外枠側第２係合部材４１６の上面板４１６ａの板厚寸法と同等とされる。
【０２１７】
薄板部４３６ｂは、基部４３６ａよりも板厚寸法が小さくされると共に、その底面が基部４３６ａの底面と面一に形成される。即ち、係合片４３６は、薄板部４３６ｂの上面と基部４３６ａの上面との間に段差を有し、基部４３６ａの上面に対し薄板部４３６ｂの上面が低くされる。
【０２１８】
このように、基部４３６ａの板厚寸法を大きくすることで、螺合強度を確保して、係合片４３６を上面板４３５ａに強固に締結固定できる。一方、係合片４３６が挿入部４１６ｃに挿入された状態では、薄板部４３６ｂの上面と挿入部４１６ｃの天井面との対向面間に空間（隙間）を形成することができるので（図３５（ｂ）参照）、係合片４３６に対する操作（揺動や切断）を行い易くできる。
【０２１９】
また、薄板部４３６ｂには、その長手方向中央よりも基部４３６ａ側に偏った位置に開口部４３６ｂ１が開口されると共に、その開口部４３６ｂ１を挟む両側の側縁部には、開口部４３６ｂ１へ向けてくぼみが形成される。これらによっても、係合片４３６に対する操作（揺動や切断）を行い易くできる。
【０２２０】
折返し部４３６ｃは、薄板部４３６ｂの一側を上面側（図３４（ｃ）上側）に折り返すことで形成され、その折返し先端の高さ位置が基部４３６ａの上面よりも高くされる。係合片４３６が挿入部４１６ｃに挿入されると、この折返し部４３６ｃの折返し先端が、挿入部４１６ｃの係止面４１６ｃ１に係止されることで、係合片４３６の反挿入方向（図３４（ｂ）右方向）への移動が規制される（図３５（ｂ）参照）。
【０２２１】
次いで、図３５及び図３６を参照して、外枠４１０に配設される外枠側第２係合部材４１６と内枠３０に配設される主部側第２被軸支部材４３５との間の連結動作および連結を解除する解除動作について説明する。
【０２２２】
図３５（ａ）及び図３５（ｃ）は、連結構造部分の斜視断面図であり、図３５（ｂ）及び図３５（ｄ）は、連結構造部分の側断面図である。なお、図３５（ａ）及び図３５（ｂ）は連結動作の開始時に対応し、図３５（ｃ）及び図３５（ｄ）は、連結動作の終了時に対応する。
【０２２３】
図３５（ａ）及び図３５（ｂ）に示すように、連結動作が開始され、主部側第２被軸支部材４３５が取付面４１１ｃ上で外枠側第２係合部材４１６へ向けて押し込まれる（前進移動される）ことで、係合片４３６の折返し部４３６ｃが挿入部４１６ｃの挿入始端側開口に当接される。即ち、係合片４３６が外枠側通路４１１ｄによって移動（案内）されることで、係合片４３６の挿入部４１６ｃへの位置決めを行うことができる。
【０２２４】
この位置決めされた状態から、主部側第２被軸支部材４３５が外枠側第２係合部材４１６へ向けて更に押し込まれる（前進移動される）と、外枠側通路４１６ｃの挿入始端側開口によって折返し部４３６ｃの傾斜面が下方（図３５（ｂ）下側）へ押し下げられ、係合片４３６（薄板部４３６ｂ）が弾性的に下方へ向けて揺動（変形）され、挿入部４１６ｃ内に挿入される。その後、折返し部４３６ｃの折返し先端が係止面４１６ｃ１に達すると、係合片４３６（薄板部４３６ｂ）が弾性回復力により上方へ向けて揺動（変形）される。その結果、図３５（ｃ）及び図３５（ｄ）に示すように、折返し部４３６ｃの折返し先端が係止面４１６ｃ１に係止される。
【０２２５】
係合片４３６は、薄板部４３６ｂに開口部４３６ｂ１及びくぼみが形成され、変形し易くされているので、係合片４３６が挿入部４１６ｃに挿入される過程においては、薄板部４３６ｂに変形（下方へ弾性的な揺動）を集中させ、折返し部４３６ｃ自体および折返し部４３６ｃと薄板部４３６ｂとの接続部分が塑性変形することを抑制できる。よって、薄板部４３６ｂに対する折返し部４３６ｃの折返し角度が小さくされることを抑制して、折返し部４３６ｃの折返し先端を係止面４１６ｃ１に確実に係止させることができ、その結果、係止能力を確保できる。
【０２２６】
外枠側第２係合部材４１６の挿入部４１６ｃは、係合片４３６の折返し部４３６ｃを受け入れる部分の形状が、折返し部４３６ｃの形状と同一形状（即ち、幅寸法（図３５（ｄ）紙面垂直方向寸法）及び前後方向寸法（図３５（ｄ）左右方向寸法）が略同一、かつ、傾斜角度が略同一）とされ、折返し部４３６ｃと折返し部４３６ｃ及び薄板部４３６ｂの接続部分との外面が挿入部４１６ｃの内面にほぼ密着（対面配置）される構造なので、係合片４３６が反挿入方向へ無理に引き抜かれる場合でも、折返し部４３６ｃが変形する（逃げる）ための空間を小さくして、係止状態が解除されることを抑制できる。
【０２２７】
ここで、外枠側係合部材１６の上面（外壁形成部材８０の上面板８１）には、上述したように、主部側被軸支部材３５（主部側被軸支部材３５を介して遊技機主部２０）を仮置きするための領域が形成されるが（図１２参照）、かかる領域に主部側被軸支部材３５が載置された状態では、外枠側第２係合部材４１６と主部側第２被軸支部材４３５とが連結されておらず、かつ、少なくとも係合片４３６が挿入部４１６ｃの挿入側開口（図３５（ｂ）右側）に達していない状態とされる。
【０２２８】
よって、遊技機主部４２０を外枠４１０に組み付ける際には、まず、遊技機主部４２０の主部側被軸支部３５の先端側（立設板３７側）を、外枠側係合部材１６の上面における上記領域に載置（仮置き）し、その後、遊技機主部４２０を押し込み、主部側被軸支部３５を外枠側係合部材１６の上面に沿って移動（滑動）させることで、外枠側係合部材１６の突出部材７６を主部側被軸支部材３５の受入穴３６ａへ挿通（受け入れ）させつつ（図２０から図２４参照）、外枠側第２係合部材４１６と主部側第２被軸支部材４３５とを連結させる（係合片４３６の折返し部４３６ｃを挿入部４１６ｃの係止面４１６ｃ１に係止させる）ことができる。
【０２２９】
即ち、作業者は、外枠側第２係合部材４１６と主部側第２被軸支部材４３５との連結と、受入穴３６ａへの突出部材７６の受け入れとを行う際に、それらの作業を、遊技機主部４２０の重量を支持しつつ行う必要がなく、遊技機主部４２０を外枠側係合部材１６上に仮置きした後は、水平方向へ押し込むだけで良い。よって、外枠４１０に対して遊技機主部４２０を組み付ける作業の作業性の向上を図ることができる。
【０２３０】
なお、仮置きするための領域に主部側被軸支部材３５が載置された状態では、係合片４３６が外枠側通路４１１ｄの前面側開口（図３５（ｂ）右側）に達していない状態としても良い。遊技機主部４２０を外枠側係合部材１６上に仮置きする際に、係合片４３６を外枠側通路４１１ｄ内に配置する必要がないので、その分、更に作業性の向上を図ることができる。
【０２３１】
図３６（ａ）は、連結構造部分の斜視断面図であり、図３６（ｂ）は、連結構造部分の側断面図である。なお、図３６（ａ）及び図３６（ｂ）は、連結を解除する解除動作の実行時に対応する。
【０２３２】
図３６（ａ）及び図３６（ｂ）に示すように、係合片４３６と挿入部４１６ｃとの間の連結を解除する際には、外枠４１０に対し遊技機主部４２０を開放し、外枠４１０の枠内（即ち、上枠体４１１の下面側）の空間から治具Ｊを利用して係合片４３６を操作することにより行うことができる。即ち、治具Ｊは、棒状体の先端に鉤状のフック部が形成されており、かかるフック部を係合片４３６の開口部４３６ｂ１に挿入し、薄板部４３６ｂを下方は引き寄せることで、かかる薄板部４３６ｂを弾性的に揺動（変形）させる。これにより、折返し部４３６ｃの折返し先端を、挿入部４１６ｃの係止面４１６ｃ１から下方へ移動させ、両者の間の係止状態を解除できる。
【０２３３】
このように、第４実施の形態では、主部側第２被軸支部材４３５の係合片４３６をその一側から外枠側第２係合部材４１６の挿入部４１６ｃに挿入することで、係合片４３６の折返し部４３６ｃにおける折り返し先端を、挿入部４１６ｃの係止面４１６ｃ１に係止させ、外枠側第２係合部材４１６と主部側第２被軸支部材４３５とを連結する構造であり、一方向への移動動作のみで両者を連結することができるので、遊技機主部４２０を外枠４１０に組み付ける作業の作業性の向上を図ることができる。この場合、係合片４３６は、板状体からなりその一部を折り返して折返し部４３６ｃを形成した簡素な構造であるので、部品コストの削減を図ることができる。
【０２３４】
また、主部側第２被軸支部材４３５と外枠側第２係合部材４１６とが連結された状態では、係合片４３６が外枠側第２係合部材４１６によって外枠４１０の外側（上面側および背面側）から遮蔽されるので（図３５（ｄ）参照）、係合片４３６が外部から操作されることを困難とできる。よって、主部側第２被軸支部材４３５と外枠側第２係合部材４１６との連結が不正に解除されることを抑制できる。
【０２３５】
一方で、係合片４３６は、少なくとも薄板部４３６ｂが外枠４１０の内側（上枠体４１１の下面側、図３５（ｄ）下側）に露出されるので、外枠４１０に対して遊技機主部４２０が開放された状態では、係合片４３６の露出された部分（薄板部４３６ｂの開口部４３６ｂ１）を操作することで、挿入部４１６ｃの係止面４１６ｃ１による係合片４３６の折返し部４３６ｃにおける折返し先端の係止を解除して、主部側第２被軸支部材４３５と外枠側第２係合部材４１６との連結の解除を行うことができる。
【０２３６】
なお、外枠４１０に対して遊技機主部４２０を閉じた状態では、遊技機主部４２０に配設される図示しない部品が外枠４１０の枠内（上枠体４１１の下面側に配設され、かかる部品が、外枠４１０の内側（上枠体４１１の下面側）に露出される係合片４３６の部分（薄板部４３６ｂ）に対面されるので、係合片４３６が操作されることを困難とできる。
【０２３７】
次いで、図３７から図４０を参照して、第５実施の形態について説明する。第１実施の形態では、施錠装置ＫＤの係合爪ＫＤｂが遊技機主部２０に配設されると共にその係合爪ＫＤｂが係合される爪受け部材１７が外枠１０に配設される場合を説明したが、第５実施の形態における爪受け部材１７は、遊技機主部５２０（内枠５３０の構成要素Ａ５）に配設される。なお、上述した各実施の形態と同一の部分には同一の符号を付して、その説明は省略する。
【０２３８】
図３７は、第５実施の形態におけるパチンコ機５０１を外枠５１０と遊技機主部５２０とに分解した状態を示すパチンコ機５０１の分解斜視図である。図３８は、外枠５１０及び内枠５３０の斜視図であり、内枠５３０に対してその内枠５３０の構成要素Ａ５が開かれた状態が図示される。図３９は、外枠５１０と内枠５３０の構成要素Ａ５との斜視図である。図４０は、内枠５３０の構成要素Ａ５が連結された状態における外枠５１０の斜視図である。
【０２３９】
第５実施の形態では、第４実施の形態と同様に、内枠５３０の構成要素Ａ５に支持軸３４及び第２支持軸４３４が配設され、その構成要素Ａ５を介して、内枠５３０（遊技機主部５２０）が外枠５１０に着脱可能に連結される。よって、遊技機主部５２０を新たな機種として設計する場合には、支持軸３４及び第２支持軸４３４について、設計の自由度を高めることができ、その分、両支持軸３４，４３４近傍における前面扉４０の意匠性の向上を図ることができる。
【０２４０】
更に、第５実施の形態では、施錠装置ＫＤ（爪受け部材１７）についても、構成要素Ａ５に配設される。よって、島設備に残した外枠５１０を流用しつつ、遊技機主部５２０を新たな機種として設計する場合には、施錠装置ＫＤについても、外枠５１０との関係を考慮する必要がない。従って、その設計の自由度を高め、より安全性の高い施錠装置ＫＤの開発が可能となる。
【０２４１】
図３７から図４０に示すように、外枠５１０は、第１実施の形態及び第４実施の形態と同様に、４枚の板材（上下に位置する上枠体５１１及び下枠体１２並びにそれらを連結する左右の左枠体４１３及び右枠体５１４）を四辺に連結することで、正面視矩形枠状に形成される。
【０２４２】
上枠体４１１は、取付面４１１ｃの一側（左枠体４１３が連結される側と反対側）にスリット溝５１１ｅが形成されると共に封止板１１ｂの配設が省略される（横枠体５３８に置き換えられる）点で、第４実施の形態における上枠体４１１と異なるが、他の構成は上枠体４１１と同一である。
【０２４３】
スリット溝５１１ｅは、上枠体５１１の上面側および下面側が開放されたスリット状の溝であり、外枠５１０に対して遊技機主部５２０（内枠５３０の構成要素Ａ５）が閉じられた状態では（図４０参照）、スリット溝５１１ｅ内に主部側第２被軸支部材５３５の連結板５３５ｄが収容される。
【０２４４】
右枠体５１４は、縦枠体５３７が並設される分、第１実施の形態における右枠体１４よりも厚み寸法（右枠体４１３と左枠体５１４を結ぶ方向の寸法）が小さくされると共に爪受け部材１７が配設されない点で異なるが、他の構成は右枠体１４と同一である。
【０２４５】
内枠５３０は、第１実施の形態および第４実施の形態と同様に、正面視略矩形状の樹脂ベース３１を主体に構成され、樹脂ベース３１における回動基端側（外枠５１０に連結される側）には、上端部（上方側）に主部側連結部材３２が、下端部（下方側）に支持金具３３（図４及び図５参照）が、それぞれ配設されると共に、主部側連結部材３２に、第２支持軸４３４を介して主部側第２被軸支部材５３５が回動可能に軸支される。
【０２４６】
内枠５３０の構成要素Ａ５は、第４実施の形態における構成要素Ａ４（主部側被軸支部材３５、主部側第２被軸支部材４３５および縦材ＳＭ）に対し、縦枠体５３７及び横枠体５３８を更に備え、これら各部材により正面視矩形の枠状に形成される。外枠５１０に対して遊技機主部５２０を連結した状態では、構成要素Ａ５が外枠５１０の枠内に配設される（図４０参照）。
【０２４７】
主部側第２被軸支部材５３５は、上面板４３５ａの一側（側面板４３５ｂと反対側）の縁部に連結板５３５ｄが配設される点で異なるが、他の構成は主部側第２被軸支部材４３５と同一である。
【０２４８】
なお、連結板５３５ｄは、上端が上面板４３５ａに連設されると共に上面板４３５ａと略垂直（即ち、側面板４３５ｂと平行）な板状の部分と、その板状の部分の下端に連設されると共に上面板４３５ａと略平行な板状の部分とから断面Ｌ字状に形成される。連結板５３５ｄは、上面板４３５ａに略平行な部分に横枠体５３８が接続されると共に、外枠５１０に対し遊技機主部５２０が閉じられた状態において上面板４３５ａに略垂直な部分がスリット溝５１１ｅ内に収容される。
【０２４９】
縦枠体５３７及び横枠体５３８は、主部側被軸支部材３５、主部側第２被軸支部材５３５および縦材ＳＭと共に正面視矩形の枠状体を形成する部材であり、金属材料から平板形状に形成される。縦枠体５３７は、主部側被軸支部材３５と横枠体５３８との間を接続することで、枠形状において縦材ＳＭと対向する辺を形成し、横枠体５３８は、主部側第２被軸支部材５３５と縦枠体５３７との間を接続することで、枠形状において主部側被軸支部材３５と対向する辺を形成する。
【０２５０】
施錠装置ＫＤは、係合爪ＫＤｂ（施錠移動部材）が内枠５３０に配設されると共に、爪受け部材１７（施錠基部材）が、縦枠体５３８（主部側被軸支部材、構成要素Ａ５）に配設されるので、施錠装置ＫＤを施錠状態とした場合には、遊技機主部５２０に対して構成要素Ａ５（主部側被軸支部材）を回動不能にすることができると共に、施錠装置ＫＤを開錠状態とした場合には、遊技機主部５２０に対して構成要素Ａ５（主部側被軸支部材）を回動可能とすることができる。
【０２５１】
即ち、構成要素Ａ５（主部側被軸支部材、主部側第２被軸支部材）が外枠側係合部材１６（及び外枠側第２係合部材４１６）に連結され、遊技機主部５２０が外枠５１０に組み付けられた状態では、施錠装置ＫＤを施錠状態にすることで、遊技機主部５２０を外枠５１０に対して開放不能にする（施錠する）ことができると共に、施錠装置ＫＤを開錠状態とすることで、遊技機主部５２０を外枠５１０に対して開閉可能とする（開錠する）ことができる。
【０２５２】
ここで、第１から第４実施の形態（即ち、遊技機主部２０，４２０に係合爪ＫＤｂを、外枠１０，４１０に爪受け部材１７を、それぞれ配設する構成）でも、遊技機主部２０，４２０を外枠１０，４１０に対して施錠装置ＫＤにより施錠することはできるが、この場合には、遊技機主部２０，４２０を新たに設計する場合であっても、係合爪ＫＤｂは、ホールに残される外枠１０，４１０の爪受け部材１７に対して施錠開錠可能な構造である必要があり、よって、施錠装置ＫＤについては新たに設計することができない。
【０２５３】
これに対し、本実施の形態では、構成要素Ａ５が主部側被軸支部材３５や主部側第２被軸支部材５３５等を備え、その構成要素Ａ５が外枠側係合部材１６及び外枠側第２係合部材４１６を介して外枠５１０に連結されるところ、その構成要素Ａ５に爪受け部材１７が配設されるので、施錠装置ＫＤの設計時には、係合爪ＫＤｂと爪受け部材１７の両者を、外枠５１０との関係を考慮する必要なく、自由に設計することができる。
【０２５４】
なお、第５実施の形態では、外枠５１０に遊技機主部５２０（構成要素Ａ５）が取り付けられると、横枠体５３８が上枠体５１１の下面に配設され、凹部１１ａにより形成される空間の下面側が横枠体５３８によって覆われる。よって、ハンドルｈｄを凹部１１ａ内に収納可能としつつ、その凹部１１ａによる空間を外部から遮蔽して、不正を防止できる。よって、封止板１１ｂ（図１から図５参照）の配設を省略して、製品コストの低減を図ることができる。
【０２５５】
次いで、図４１から図４９を参照して、第６実施の形態について説明する。第１実施の形態では、外枠側係合部材１６と主部側被軸支部材３５とによる連結構造が、その連結状態を変更不能に構成され、外枠１０に対する遊技機主部２０の傾斜状態は調整不能とされる場合を説明したが、第6実施の形態における連結構造は、その連結状態が変更可能とされ、外枠６１０に対する遊技機主部２０の傾斜角度を調整可能とされる。なお、上述した各実施の形態と同一の部分には同一の符号を付して、その説明は省略する。
【０２５６】
図４１は、第６実施の形態における外枠６１０と内枠の構成要素Ａ６との分解斜視図であり、図４２は、外枠６１０と内枠の構成要素Ａ６との斜視図である。なお、第6実施の形態の遊技機主部は、第５実施の形態における遊技機主部５２０と同一に構成される。よって、その図示および説明は省略する。
【０２５７】
第６実施の形態では、第４及び第５実施の形態と同様に、内枠５３０の構成要素Ａ６に支持軸３４及び第２支持軸４３４が配設され、その構成要素Ａ６を介して、内枠（遊技機主部）が外枠６１０に着脱可能に連結される。よって、遊技機主部を新たな機種として設計する場合には、支持軸３４及び第２支持軸４３４について、設計の自由度を高めることができ、その分、両支持軸３４，４３４近傍における前面扉の意匠性の向上を図ることができる。
【０２５８】
また、第６実施の形態では、構成要素Ａ６と外枠６１０との間に、両者の相対的な傾斜角度を調整する傾斜角度調整機構が形成される。具体的には、傾斜角度調整機構を構成する一要素である構成（ピン部材Ｂ）の取着位置が選択可能とされ、そのピン部材Ｂの取着位置に応じて、外枠６１０に対する構成要素Ａ６の相対的な傾斜角度が調整される。これにより、島設備に残した外枠６１０を流用して、遊技機主部の設置を行う場合であっても、ピン部材Ｂの取着位置を適宜選択することで、遊技機主部（遊技機６０１）の傾斜角度の調整を行うことができる。即ち、外枠６１０を島設備から取り外さなくても、遊技機６０１の傾斜角度の調整を行うことができる。
【０２５９】
図４１及び図４２に示すように、外枠６１０は、４枚の板材（上下に位置する上枠体６１１及び下枠体１２並びにそれらを連結する左右の枠体（内面縦枠体６１３及び外面縦枠体６１４を重合させて形成される枠体））を四辺に連結することで、正面視矩形枠状に形成される。
【０２６０】
上枠体６１１は、細幅の棒状体であり、連結部材６１２を介して、内面縦枠体６１３及び外面縦枠体６１４に両端が締結固定される。外枠６１０の組立状態では、図４２に示すように、上枠体６１１が外枠６１０の背面側に位置し、上枠体６１１の前面側には空間が形成される。よって、この空間を利用して、構成要素Ａ６の横枠体６３８及び封止板６３９を配設できる（図４９参照）。
【０２６１】
左右の枠体のそれぞれは、内面縦枠体６１３と外面縦枠体６１４との２枚を重ね合わせて形成される。これら左側の枠体および右側の枠体は鏡像対象の関係にあるため、それぞれに同じ符号を付して説明する。内面縦枠体６１３は、金属材料から縦長の平板形状に形成され、複数（本実施の形態では５個）の揺動片６１５を備える。
【０２６２】
ここで、図４３を参照して、内面縦枠体６１３の揺動片６１５について説明する。図４３（ａ）は、図４１の矢印Ｗ１方向視における内面縦枠体６１３の部分拡大正面図であり、図４３（ｂ）は、図４３（ａ）のＷ３−Ｗ３線における内面縦枠体６１３の断面図である。
【０２６３】
図４３に示すように、内面縦枠体６１３には、正面視略Ｕ字状のスリット６１３ａ（内面縦枠体６１３を板厚方向に貫通する細幅の開口）が開口形成され、そのスリット６１３ａに囲まれた部分が揺動片６１５とされる。よって、揺動片６１５は、基部側（スリット６１３ａの始端および終端側であって、図４３（ａ）右側）を支点として、内面縦枠体６１３の板厚方向（図４３（ａ）紙面垂直方向）に揺動可能とされる。
【０２６４】
このように、スリット６１３ａで囲まれた部分を揺動片６１５とするので、内面縦枠体６１３の外形をプレス加工で打ち抜く際に、同時に、同じ金型により、スリット６１３ａも打ち抜くことで、揺動片６１５を形成することができ、製造工数の削減を図ることができる。また、内面縦枠体６１３と揺動片６１５とを一体に形成でき、これらを別体に形成する場合（例えば、内面縦枠体６１３に揺動片６１５を締結や溶接などで固定する場合）と比較して、部品点数の削減を図ることができると共に、組立コストを削減できる。よって、パチンコ機６０１全体としての製品コストの削減を図ることができる。
【０２６５】
揺動片６１５は、その揺動先端側（図４３（ａ）左側）に締結孔６１５ａが貫通形成される。締結孔６１５ａは、内周面にめねじが螺刻されており、この締結孔６１５ａにピン部材Ｂのおねじ部Ｂ１が着脱可能に締結固定される。ピン部材Ｂは、揺動片６１５の揺動に伴って、頭部Ｂ２が、縦枠体６３７に近接する方向または縦枠体６３７から離間する方向へ移動される（図４６参照）。
【０２６６】
揺動片６１５は、互いに所定間隔（本実施の形態では等間隔）を隔てつつ、内面縦枠体６１３の長手方向（図４３（ａ）上下方向）に対し傾斜した状態で複数が列設される。即ち、各揺動片６１５は、揺動先端側が外枠６１０の前面側（図４３（ａ）左側）を向くと共に基部側が外枠６１０の背面側（図４３（ａ）右側）を向き、その向きを維持した状態で、下方の揺動片６１５ほど外枠６１０の前面側にずれた位置に配置される（図４２参照）。よって、複数の揺動片６１５は、最上方（図４３（ａ）上側）の揺動片６１５が最も外枠６１０の背面側に位置し、最下方の揺動片６１５が最も外枠６１０の前面側に位置する。
【０２６７】
ピン部材Ｂは、外枠６１０の左右の枠体（揺動片６１５）と遊技機主部（構成要素Ａ６）の縦枠体６３７との間に介在し、両者を連結させるための部材（介在体）であり（図４６参照）、揺動片６１５の締結孔６１５ａに締結固定されるおねじ部Ｂ１と、そのおねじ部Ｂ１よりも大径に形成される頭部Ｂ２とを備える。
【０２６８】
頭部Ｂ２は、縦枠体６３７の受入部６３７に挿入される部位であり、おねじ部Ｂ１に接続される基部側（図４３（ｂ）上側）が円柱状に形成されると共に、先端側（図４３（ｂ）下側）が先細テーパ状の円錐形状に形成される。これにより、外枠６１０に対し遊技機主部を取り付ける際には、縦枠体６３７の移動に伴いピン部材Ｂを持ち上げやすく（後方に後退させやすく）すると共に（図４６（ａ）参照）、受入部６３７に挿入しやすくし、かつ、挿入された後は、受入部６３７とピン部材Ｂとの係合を強固とすることができる（図４６（ｃ）参照）。
【０２６９】
図４１及び図４２に戻って説明する。内面縦枠体６１３は、その長手方向上端面（図４１上側面）から上方へ向けて突出する小片を下方へ向けて折り返した折返し片６１３ｂと、長手方向下端における背面側の側面（図４１右側面）から背面側へ突出する小片を前方へ向けて折り返した折返し片６１３ｃとを備える。外面縦枠体６１４を折返し片６１３ｂ，６１４ｃにより挟み込み、それら折返し片６１３ｂ，６１４ｃを外面縦枠体６１４に外面側から締結固定することで、図４２に示すように、内面縦枠体６１３及び外面縦枠体６１４が重ね合わされた状態で一体化される。
【０２７０】
外面縦枠体６１４は、木製材料から縦長の平板形状に形成され、内面縦枠体６１３と共に外枠６１０の左右の枠体を構成する。外面縦枠体６１４の長手方向上端（図４１上側）における外面（内面縦枠体６１３が重ね合わされる面と反対側の面）には、連結部材６１２の連結部分および内面縦枠体６１３の折返し片６１３ｂがそれぞれ嵌合される凹部が凹設される。同様に、外面縦枠体６１４の長手方向下端（図４１下側）における外面には、内面縦枠体６１３の折返し片６１３ｃが嵌合される凹部が応接される。これら凹部により折返し片６１３ｂ等が嵌合されることで、外面縦枠体６１４に対する連結部材６１２及び内面縦枠体６１３の横ずれが防止され、これらが強固に一体化される。
【０２７１】
ここで、外面縦枠体６１４について、図４４を参照して説明する。図４４（ａ）は、図４１の矢印Ｗ１方向視における外面縦枠体６１４の部分拡大正面図であり、図４４（ｂ）は、図４４（ａ）のＷ４−Ｗ４線における外面縦枠体６１４の断面図である。
【０２７２】
図４４に示すように、外面縦枠体６１４は、内面縦枠体６１３に重ね合わされる側（図４４（ａ）紙面手前側）の面に正面視矩形状の凹部６１４ａが凹設される。凹部６１４ａは、有底の凹みとして形成され、揺動片６１５の後退方向への最大の揺動を許容する深さ寸法を有する（図４６（ｂ）参照）。
【０２７３】
また、凹部６１４ａは、揺動片６１５の配設領域に対応する位置および大きさに形成される（図４７参照）。即ち、内面縦枠体６１３と外面縦枠体６１４とが重ね合わされた状態では、凹部６１４ａの形成領域内に全て（本実施の形態では５個）の揺動片６１５が配置される。
【０２７４】
外枠６１０は、左右の枠体が、内面縦枠体６１３及び外面縦枠体６１４の２枚の板状体を重ね合わさせて形成されるので、その剛性を高めることができる。この場合、外面縦枠体６１４の凹部６１４ａにより形成される空間により、揺動片６１５の揺動は許容しつつ、揺動片６１５を外部から遮蔽できるので（図４６（ｃ）参照）、かかる揺動片６１５が外部から操作されることを困難とできる。よって、その連結が不正に解除されることを抑制できる。
【０２７５】
図４１及び図４２に戻って説明する。第６実施の形態における内枠の構成要素Ａ６は、第５実施の形態における構成要素Ａ５と同様に、正面視矩形の枠状に形成され、外枠６１０に対して遊技機主部を連結した状態では、構成要素Ａ６が外枠６１０の枠内に配設される（図４９参照）。この構成要素Ａ６による枠状体は、主部側被軸支部材３５、主部側第２被軸支部材４３５、縦枠体６３７及び横枠体６３８から構成される。
【０２７６】
縦枠体６３７は、左右の枠体を構成する部材であり、金属材料から縦長の平板形状に形成され、主部側被軸支部材３５の長手方向両端にそれぞれ締結固定される。これら左側の枠体および右側の枠体は鏡像対象の関係にあるため、それぞれに同じ符号を付して説明する。
【０２７７】
ここで、図４５を参照して、縦枠体６３７について説明する。図４５（ａ）は、図４１の矢印Ｗ４方向視における縦枠体６３７の部分拡大正面図であり、図４５（ｂ）は、図４５（ａ）のＷ５−Ｗ５線における縦枠体６３７の断面図である。
【０２７８】
図４５に示すように、縦枠体６３７は、幅方向（図４５（ｂ）左右方向）の一側にテーパ状の傾斜面６３７ａが形成される。傾斜面６３７ａは、構成要素Ａ６の外面（即ち、外枠６１０に構成要素Ａ４が取り付けられた状態で、内面縦枠体６１３に対向する面）側から幅方向一側（構成要素Ａ６を外枠６１０へ取り付ける際の取付方向（挿入方向）先端側、図４５（ｂ）右側）へ向けて下降傾斜して形成される。この傾斜面６３７ａにより、構成要素Ａ６を外枠６１０の枠内へスムーズに挿入できると共に、内面縦枠体６１３の揺動片６１５を後方へスムーズに後退させることができる（図４６参照）。
【０２７９】
縦枠体６３７は、複数（本実施の形態では５個）の受入部６３７ｂを備える。受入部６３７ｂは、縦枠体６３７に板厚方向に貫通形成された正面視長円形の孔であり、その長径方向を上下方向（縦枠体６３７の長手方向、図４５（ａ）上下方向）に沿わせた姿勢で配設される。受入部６３７ｂの短径寸法は、ピン部材Ｂの頭部Ｂ２における外径寸法よりも若干大きくされる。
【０２８０】
受入部６３７ｂは、互いに所定間隔（本実施の形態では等間隔）を隔てつつ、縦枠体６３７の長手方向（図４５（ａ）上下方向）に平行な直線状に複数が列設され、各受入部６３７ｂの高さ位置（図４５（ａ）上下方向位置）は、各揺動片６１５の高さ位置に対応して設定される。
【０２８１】
よって、複数の揺動片６１５の内のいずれか１の揺動片６１５にピン部材Ｂを締結固定し、外枠６１０に対して遊技機主部（構成要素Ａ６）を取り付けると、ピン部材Ｂの頭部Ｂ２が所定の受入部６３７ｂ（即ち、ピン部材Ｂが取り付けられた揺動片６１５と同じ高さ位置にある受入部６３７ｂ）に受け入れられる。これにより、ピン部材Ｂを介して、揺動片６１５（外枠６１０）と受入部６３７ｂ（遊技機主部）とが連結される。
【０２８２】
この場合、上述したように、複数の揺動片６１５の列設方向が内面縦枠体６１３の長手方向に対して傾斜される一方、複数の受入部６３７ｂの列設方向が縦枠体６３７の長手方向に対して平行とされるので、ピン部材Ｂの介在する介在位置（即ち、ピン部材Ｂが締結固定される揺動片６１５の高さ位置）に応じて、外枠６１０と遊技機主部（構成要素Ａ６）との間の連結状態が変更される。即ち、外枠６１０に対する遊技機主部の傾斜角度が変更される。
【０２８３】
このように、板状体からなる縦枠体６３７に貫通形成された孔が受入部６３７ｂとされるので、縦枠体６３７の外形をプレス加工で打ち抜く際に、同時に、同じ金型により、孔を打ち抜くことで、受入部６３７ｂを容易に形成することができ、製造工数の削減を図ることができる。よって、パチンコ機６０１全体としての製品コストの削減を図ることができる。
【０２８４】
また、受入部６３７ｂが正面視長円形とされ、その長径の方向を上下方向に沿わせた姿勢で受入部６３７ｂが配設されると共に、受入部６３７ｂの長径がピン部材Ｂの外径よりも大きくされるので、その長径と外径との寸法差の分、受入部６３７ｂにピン部材Ｂを受け入れる際の外枠６１０と遊技機主部との上下方向（高さ方向）の位置決めを行い易くすることができる。
【０２８５】
図４１及び図４２に戻って説明する。横枠体６３８は、木製材料から平板形状に形成され、一端側が主部側第２被軸支部材４３５を介して一方の縦枠体６３７に接続されると共に、他端側が他方の縦枠体６３７に接続される。これにより、横枠体６３８は、構成要素Ａ６の枠形状において、主部側被軸支部材３５と対向する辺を形成する。
【０２８６】
なお、横枠体６３８には、ハンドルｈｄを収納可能な凹部６３８ａが凹設されると共に、その凹部６３８ａに対応する領域を覆う封止板６３９が下面に配設される。また、縦枠体６３７の一方（図４１右側）には、その内面側（他方の縦枠体６３７と対向する側）に爪受け部材１７（図３９参照）が配設される。
【０２８７】
次いで、図４６及び図４７を参照して、外枠６１０に対する遊技機主部（構成要素Ａ６）の連結構造およびその連結動作について説明する。図４６（ａ）から図４６（ｃ）は、外枠６１０と遊技機主部（構成要素Ａ６）との連結構造を示す連結構造部分の断面図であり、図４２のＷ２−Ｗ２線における断面図に対応する。
【０２８８】
図４７（ａ）から図４７（ｃ）は、遊技機主部（構成要素Ａ６）が連結された状態における外枠６１０の斜視図であり、外枠６１０と遊技機主部との間の連結位置を変更した状態が図示され、外枠６１０に対する遊技機主部の傾斜角度がそれぞれ異なる。
【０２８９】
図４６（ａ）に示すように、外枠６１０に対する遊技機主部（構成要素Ａ６）の取り付けが開始され、外枠６１０の枠内へ構成要素Ａ６が挿入（図４６（ａ）右方向へ移動）されると、縦枠体６３７が内面縦枠体６１３の内面に沿って移動される。これにより、ピン部材Ｂの頭部Ｂ２が縦枠体６３７の傾斜面６３７ａに沿って案内されることで、内面縦枠体６１３の揺動片６１５が後方（縦枠体６３７から離間する方向、図４６（ａ）上方）へ向けて弾性的に揺動（変形）される。
【０２９０】
図４６（ｂ）に示すように、外枠６１０の枠内へ構成要素Ａ６が更に挿入（図４６（ｂ）右方向へ移動）されると、ピン部材Ｂの頭部Ｂ２が、縦枠体６３７の傾斜面６３７ａを通過して、縦枠体６３７の外面（図４６（ｂ）上側面）上に乗り上げる。なお、この場合、揺動片６１５の後方への揺動量（変形量）が最大となり、凹部６１４ａは、この揺動片６１５の揺動を許容する。
【０２９１】
図４６（ｃ）に示すように、ピン部材Ｂの頭部Ｂ２が縦枠体６３７の受入部６３７ｂに到達すると、弾性回復力により、内面縦枠体６１３の揺動片６１５が縦枠体６３７へ近接する方向へ揺動（即ち、初期位置へ復帰）され、ピン部材Ｂの頭部Ｂ２が縦枠体６３７の受入部６３７ｂに受け入れられる。その結果、外枠６１０の内側縦枠体６１３と遊技機主部（構成要素Ａ６）の縦枠体６３７との間にピン部材Ｂが介在する状態（即ち、外枠６１０に対し遊技機主部（構成要素Ａ６）を連結させた状態）が形成され、遊技機主部を外枠６１０に組み付ける作業が完了される。
【０２９２】
このように、揺動片６１５が弾性的に揺動可能に形成されるので、外枠６１０に遊技機主部（構成要素Ａ６）を取り付ける場合には、かかる遊技機主部を外枠６１０に対して移動させるだけで、揺動片６１５を前後に揺動させ（後退および初期位置への復帰）、ピン部材Ｂを受入部６３７ｂに受け入れさせることができる。即ち、作業者は、外枠６１０に対して遊技機主部を押し込むだけで、両者を容易に連結させることができ、その結果、遊技機主部を外枠６１０に組み付ける作業の作業性の向上を図ることができる。
【０２９３】
この場合、ピン部材Ｂの介在する介在位置（即ち、ピン部材Ｂが締結固定される揺動片６１５の高さ位置）に応じて、外枠６１０に対する遊技機主部（構成要素Ａ６）の傾斜角度が変更される。即ち、上述したように、複数の受入部６３７ｂの列設方向が縦枠体６３７の長手方向に対して平行とされる一方、複数の揺動片６１５の列設方向が内面縦枠体６１３の長手方向に対して傾斜され、高さ位置が上方の揺動片６１５ほど外枠６１０の背面側に位置すると共に高さ位置が下方の揺動片６１５ほど外枠６１０の前面側に位置する（図４２参照）。
【０２９４】
よって、図４７（ａ）に示すように、高さ位置が最下方の揺動片６１５にピン部材Ｂが取り付けられた場合は、ピン部材Ｂが外枠６１０の最も前面側（図４７（ａ）左手前側）に位置する場合であるので、かかるピン部材Ｂを介して連結された状態では、外枠６１０に対する遊技機主部（構成要素Ａ６）の傾斜角度が最も大きくなる（即ち、外枠６１０に対して遊技機主部（構成要素Ａ６）が最も起立した状態となる）。
【０２９５】
一方、図４７（ｃ）に示すように、高さ位置が最上方の揺動片６１５にピン部材Ｂが取り付けられた場合は、ピン部材Ｂが外枠６１０の最も背面側（図４７（ｃ）右奥側）に位置する場合であるので、かかるピン部材Ｂを介して連結された状態では、外枠６１０に対する遊技機主部（構成要素Ａ６）の傾斜角度が最も小さくなる（即ち、外枠６１０に対して遊技機主部（構成要素Ａ６）が最も倒伏した状態となる）。
【０２９６】
また、図４７（ｂ）に示すように、高さ位置が中間（５ヶ所の内の上から３ヶ所目）の揺動片６１５にピン部材Ｂが取り付けられた場合は、ピン部材Ｂが上述した外枠６１０の背面側および前面側の中間位置となるので、かかるピン部材Ｂを介して連結された状態では、外枠６１０に対する遊技機主部（構成要素Ａ６）の傾斜角度が上述した最大および大小の中間の角度となる。
【０２９７】
このように、第６実施の形態では、内面縦枠体６１３と縦枠体６３７との間の連結状態を変更することができ、これにより、外枠６１０に対する遊技機主部（構成要素Ａ６）の傾斜角度を調整することができる。よって、例えば、外枠６１０に遊技機主部を組み付けた結果、傾斜角度の調整が必要な場合であっても、外枠６１０を島の木枠から一旦取り外し、島の木枠に対する外枠６１０の取り付け角度を調整する必要がなく、島の木枠に外枠６１０を装着したままで、外枠６１０に対する遊技機主部の傾斜角度、即ち、島の木枠に対する遊技機主部の傾斜角度を調整することができる。
【０２９８】
この場合、内面縦枠体６１３と縦枠体６３７との間の連結状態の変更は、これら内面縦枠体６１３と縦枠体６３７との間に介在するピン部材Ｂの介在位置を変更する（即ち、複数の揺動片６１５に対し、ピン部材Ｂをいずれに締結固定するかを選択する）ことで行うことができ、簡素な作業である。よって、外枠６１０に対する遊技機主部（構成要素Ａ６）の傾斜角度を調整する際の作業性の向上を図ることができる。
【０２９９】
一方、外枠６１０から遊技機主部（構成要素ａ６）の取り外しは次のように行う。まず、施錠装置ＫＤを開錠し、外枠６１０に対し遊技機主部を開放する。構成要素Ａ６の縦枠体６３７の内面に、受入部６３７ｂの開口を介して、ピン部材Ｂの頭部Ｂ２を露出されるので、かかるピン部材Ｂの頭部Ｂ２を取り外し方向（図４６（ｃ）上方向）へ向けて押圧することで、揺動片６１５を縦枠体６３７から離間する方向へ揺動させ、ピン部材Ｂの頭部Ｂ２を受入部６３７ｂの外へ後退させる。これにより、内面縦枠体６１３と縦枠体６３７との間にピン部材Ｂが介在しない状態（即ち、両者の連結を解除した状態）とすることができるので、遊技機主部を取り外し方向（図４６（ｂ）左方向）へ移動させることで、外枠６１０から取り外すことができる。
【０３００】
なお、外枠６１０に対して遊技機主部を閉じた状態では、遊技機主部に配設される各部品（例えば、樹脂ベース３１など）が外枠６１０の枠内に配設され、かかる部品が、縦枠体６３７の受入部６３７ｂの開口に対面される。よって、受入部６３７ｂの開口から露出されるピン部材Ｂの頭部Ｂ２を対面された部品により遮蔽できるので、開口を介してピン部材Ｂの頭部Ｂ２が操作されることを困難とできる。
【０３０１】
次いで、図４８から図５１を参照して、第７実施の形態について説明する。第１実施の形態では、遊技機主部２０が主部側被軸支部材３５により自立可能に形成される場合を説明したが、第７実施の形態における遊技機主部は、主部側被軸支部材７３５による正立状態での自立に加え、主部側第２被軸支部材７３８による倒立状態での自立も可能に形成される。なお、上述した各実施の形態と同一の部分には同一の符号を付して、その説明は省略する。
【０３０２】
図４８は、内枠７３０の分解斜視図であり、図４９は、外枠７３０の分解斜視図である。なお、第７実施の形態の遊技機主部は、主部側被軸支部材７３５、主部側第２被軸支部材７３８及び主部側連結部材７３２が異なると共にハンドルｈｄが省略される点を除き、第１実施の形態における遊技機主部２０と同一に構成される。よって、その図示および説明は省略する。
【０３０３】
図４８に示すように、第７実施の形態における内枠７３０は、樹脂ベース３１の回動基端側下端（図４８左下）に主部側被軸支部材７３５が配設される。主部側被軸支部材７３５は、支持金具３３との連結構造は第１実施の形態における主部側被軸支部材３５と同一であるので、その説明は省略する。
【０３０４】
主部側被軸支部材７３５は、長尺板状の本体板７３６と、その本体板７３６の長手方向に沿って本体板７３６の縁部から立設されると共にその立設先端部分を本体板７３６側へ平行に折り返して断面逆Ｌ字状に形成される立設板７３７とを備える。立設板７３７は、本体板７３６の長手方向の全域にわたって形成され、主部側被軸支部材７３５の剛性が確保される。
【０３０５】
本体板７３６の複数個所（本実施の形態では３ヶ所）には、受入穴７３６ａが穿設される。受入穴７３６ａは、係合装置７７０の突出部材７７６を受け入れるための正面視矩形の孔である。また、主部側被軸支部材７３５には、立設板７３７の一部を切り欠いて形成される立設切り欠き部７３７ａが形成される。この立設切り欠き部３７ａに第２係合爪ＫＤｂ１が係合することで、主部側被軸支部材７３５が閉じた状態に保持される。
【０３０６】
樹脂ベース３１の回動基端側上端（図４８左奥側）には、主部側連結部材７３２が配設される。主部側連結部材７３２は、外枠７１０と反対側（即ち、前面扉４０側、図１参照）へ向けて突出する状態で、樹脂ベース３１に締結ねじにより締結固定される。この主部側連結部材７３２には、第２支持軸７３４を介して、主部側第２被軸支部材７３８が回動可能に軸支される。
【０３０７】
なお、主部側連結部材７３２と主部側第２被軸支部材７３８との間には、ねじりコイルばね（図示せず）が介在され、そのねじりコイルばねのねじりトルクによって、主部側被軸支部材７３８は、第２支持軸７３４を回動中心として、開放方向（図５０の状態となる方向）へ付勢される。
【０３０８】
主部側第２被軸支部材７３８は、長尺板状の本体板７３９と、その本体板７３９の長手方向に沿って本体板７３９の縁部から立設される立設板７４０と、その立設板７４０の長手方向一側において外枠７１０と反対側（即ち、前面扉４０側、図１参照）へ向けて本体板７３９と平行に延設される延設板７４１とを備える。立設板７４０は、本体板７３９の長手方向の全域にわたって形成され、主部側第２被軸支部材７３８の剛性が確保される。延設板７４１の下面には、第２支持軸７３４が突設される。
【０３０９】
本体板７３９の複数個所（本実施の形態では３ヶ所）には、受入穴７３９ａが穿設される。受入穴７３９ａは、外枠側係合部材７１７（係合装置７７０）の突出部材７７６を受け入れるための正面視矩形の孔である。また、主部側第２被軸支部材７３８には、立設板７４０の一部を切り欠いて形成される立設切り欠き部７４０ａが形成される。この立設切り欠き部７４０ａに施錠装置ＫＤの施錠動作部材の一部（例えば、一対の係合爪ＫＤｂを連結すると共にシリンダー錠ＫＤａのキー操作に連動して変位動作する部材）が係合することで、主部側第２被軸支部材７３８が閉じた状態に保持される。
【０３１０】
図４９に示すように、第７実施の形態における外枠７１０は、４枚の板材（上下に位置する上枠体７１１及び下枠体１２並びにそれらを連結する左枠体１３及び右枠体１４）を四辺に連結することで、正面視矩形枠状に形成される。なお、右枠体１４には、爪受け部材１７が配設される（図４及び図５参照）。
【０３１１】
上枠体７１１は、金属材料からなり、長尺板状の本体板７１１ａと、その本体板７１１ａの長手方向に沿って本体板７１１ａの縁部から立設されると共にその立設先端部分を本体板７１１ａ側へ平行に折り返して断面逆Ｌ字状に形成される立設板７１１ｂとを備える。立設板７１１ｂは、本体板７１１ａの長手方向の全域にわたって形成され、上枠体７１１の剛性が確保される。また、立設板７１１ｂの折り返した部分と本体板７１１ａとの対向間隔は、後述する板材７１５の板厚と同等か若干大きくされ、その対向面間に板材７１５を保持可能とされる。
【０３１２】
上枠体７１１は、本体板７１１ａに複数（本実施の形態では２個）の開口７１１ａ１が形成される。開口７１１ａは、正面視矩形の孔（開口）である。開口７１１ａ１の縁部（隣接する開口７１１ａ１に対向する側の辺）には、係合板７１１ａ２が配設される。係合板７１１ａ２は、本体板７１１ａから立設されると共にその立設先端部分を開口７１１ａ１側へ平行に折り返して断面逆Ｌ字状に形成される。係合板７１１ａ２の折り返した部分と本体板７１１ａとの対向間隔は、板材７１５の板厚と同等か若干大きくされ、その対向面間に板材７１５を保持可能とされる。
【０３１３】
本体板７１１ａの上面であって、開口７１１ａ１に対応する位置には、木製材料からなる平板状の板材７１５が配設される。よって、上枠体７１１を金属材料から形成して、その剛性を確保しつつ、開口７１１ａ１を介して、外枠７１０（上枠体７１１）を島設備の枠体に釘等により打ち付けて固定することができる。
【０３１４】
なお、板材７１５は、上枠体７１１の長手方向両端側から中央へ向けて挿入され、開口７１１ａ１に対応する位置で、本体板７１１ａと立設板７１１ｂの折り返した部分との対向面間、及び、本体板７１１ａと係合板７１１ａ２の折り返した部分との対向面間に挟まれて保持される。よって、板材７１５を保持するための構造を簡素化して、製品コストの削減を図ることができると共に、板材７１５の着脱を容易とすることができる。
【０３１５】
上枠体７１１には、本体板７１１ａの上面に複数（本実施の形態では３個）の係合装置７７０が配設される。係合装置７７０は、主部側第２被軸支部材７３８を外枠７１０に連結させるための装置であり、進退可能に形成される突出部材７７６を備える。本体板７１１ａには、係合装置７７０の配設位置に出没穴（図示せず）が開口形成されており、係合装置７７０は、本体板７１１ａの出没穴を介して、本体板７１１ａの下面から突出部材７７６を出没可能とされる。
【０３１６】
下枠体１２には、外壁形成部材７８０が配設され、その外壁形成部材７８０の内部に複数（本実施の形態では３個）の係合装置７７０が配設される。外壁形成部材７８０に配設される係合装置７７０は、外壁形成部材７８０の出没穴７８１ａを介して、外壁形成部材７８０の上面から突出部材７７６を出没可能とされる。
【０３１７】
なお、外壁形成部材７８０は、第１実施の形態における外壁形成部材８０に対し、出没穴７８１ａの形成個数が３個とされると共に出没穴７８１ａの正面視形状が矩形状とされる（第１実施の形態では正面視円形の出没穴８１ｂが５個）点を除き、他の構成は外壁形成部材８０と同一であるので、その説明は省略する。この場合、折り返し片８１ａの図示は省略するが、かかる折り返し片８１ａを第１実施の形態と同様の形態で外壁形成部材７８０に設けても良い。
【０３１８】
図５０は、外枠７１０及び内枠７３０の斜視図であり、外枠７１０から内枠７３０を取り外した状態が図示される。図５１は、外枠７１０及び内枠７３０の斜視図であり、外枠７１０に対して内枠７３０を開放した状態が図示される。なお、図５０では、内枠７３０に対し主部側被軸支部材７３５を開放すると共に主部側第２被軸支部材７３８を閉じた状態が図示される。
【０３１９】
図５０及び図５１に示すように、遊技機主部（内枠７３０）は、主部側被軸支部材７３５及び主部側第２被軸支部材７３８が係合装置７７０に係合されることで、外枠７１０に連結される。即ち、外枠７１０の枠内へ主部側被軸支部材７３５及び主部側第２被軸支部材７３８が挿入されると、主部側被軸支部材７３５の本体板７３６の下面が外壁形成部材８０の上面に沿って移動されると共に、主部側第２被軸支部材７３８の本体板７３９の上面が上枠体７１１の本体板７１１ａの下面に沿って移動され、これら本体板７３６，７３９によって、係合装置７７０の突出部材７７６が押し込まれ（後退され）、外壁形成部材８０の上面および本体板７１１ａの下面に没入される。
【０３２０】
主部側被軸支部材７３５及び主部側第２被軸支部材７３８が更に挿入され、係合装置７７０の突出部材７７６（即ち、出没穴７８１ａの形成位置）に本体板７３６の受入穴７３６ａおよび本体板７３９の受入穴７３９ａが到達すると、係合装置７７０の突出部材７７６が前進し、本体板７３６の受入穴７３６ａおよび本体板７３９の受入穴７３９ａにそれぞれ受け入れられる。その結果、外枠７１０に対し遊技機主部（内枠７３０）が連結され、組み付け作業が完了される。
【０３２１】
この場合、第７実施の形態では、遊技機主部に対して回動可能に形成される主部側被軸支部材７３５及び主部側第２被軸支部材７３８の２本の部材を備え、それら２本の部材の一方（主部側被軸支部材７３５）が遊技機主部の下端に配設されると共に他方（主部側第２被軸支部材７３８）が遊技機主部の上端に配設される。
【０３２２】
よって、一方（主部側被軸支部材７３５）を開いた状態とすることで、遊技機主部を正立状態（即ち、図５０に示す状態）で単独で自立させることができ、かつ、他方（主部側第２被軸支部材７３８）を開いた状態とすることで、遊技機主部を倒立状態（即ち、図５０に示す遊技機主部を上下反転させ、その遊技機主部の上方側を床面に載置した状態）でも単独で自立させることができる。
【０３２３】
これにより、下方寄りに重心が位置する遊技機主部であれば、主部側被軸支部材７３５を開放して、正立状態で自立させる一方、上方寄りに重心が位置する遊技機主部であれば、主部側第２被軸支部材７３８を開放して、倒立状態で自立させることで、遊技機主部を安定して自立させることができる。
【０３２４】
以上、実施形態に基づき本発明を説明したが、本発明は上記実施形態に何ら限定されるものではなく、本発明の趣旨を逸脱しない範囲内で種々の変形改良が可能であることは容易に推察できるものである。
【０３２５】
上記各実施の形態において、一又は複数の実施の形態における一部の形態または全部の形態と、一又は複数の他の実施の形態における一部の形態または全部の形態とを、組み合わせても良く、置き換えても良い。以下に例示する変形例（変形形態）においても同様である。即ち、一又は複数の実施の形態または（及び）一又は複数の変形形態における一部の形態または全部の形態と、一又は複数の他の実施の形態または（及び）一又は複数の他の変形形態における一部の形態または全部の形態とを、組み合わせても良く、置き換えても良い。
【０３２６】
この組み合わせや置き換えとしては、例えば、以下の形態が一例として例示される。第２実施の形態における第２立設板２３７ａを、第３実施の形態における主部側被軸支部材３３５、第４から第６実施の形態における主部側被軸支部材３５、或いは、第７実施の形態における主部側被軸支部材３３５又は（及び）主部側第２被軸支部材７３８に設ける形態。第１及び第２実施の形態または第４から第６実施の形態における主部側被軸支部材３５の受入穴３６ａと第７実施の形態における主部側被軸支部材３３５又は（及び）主部側第２被軸支部材７３８における受入穴７３６ａ，７３９ａを、第３実施の形態における受入凹部３３６ａに置き換える形態。
【０３２７】
上記各実施形態で挙げた数値は一例であり、他の数値を採用することは当然可能である。かかる数値の一例としては、例えば、受入穴３６ａや挿入爪３６ｃの形成個数などが例示される。
【０３２８】
上記各実施の形態では、外枠側係合装置１６が外枠１０の下枠体１２に配設される場合を説明したが、必ずしもこれに限られるものではなく、これに代えて、或いは、これに加えて、外枠１０の上枠体１１の下面側に配設してもよい。なお、上枠体１１に配設する場合には、遊技機主部２０の重量を支える必要がないので、外枠側係合装置１６の簡素化（例えば、板厚の薄肉化や材質の変更など）を行うことができ、その分、製品コストの削減を図ることができる。
【０３２９】
上記各実施の形態では、規制板７８の上面視において、貫通孔７８ｄにより形成される空間が閉じた空間として形成される場合を説明したが、必ずしもこれに限られるものではなく、規制板７８の上面視において、貫通孔７８ｄの内部空間と外部とを連通する通路が規制板７８に形成されていても良い。この場合には、かかる通路を利用して、突出部材７６を貫通孔７８ｄの内部空間へ配置することができる。よって、突出部材７６の本体部７６ａと環状板７６ｃとを別体とする必要がなく、環状板７６ｃを本体部７６ａと一体に形成することができるので、部品点数および組立工数の低減を図ることができる。
【０３３０】
上記各実施の形態では、複数の係合装置７０が外枠１０の幅方向（左右方向）に等間隔に配設される場合を説明したが、必ずしもこれに限られるものではなく、例えば、外枠１０の左右方向（左枠体１３側および右枠体１４側）に偏らせて配設しても良い。この場合には、中央部分にスペースを確保して、他の部品（例えば、スピーカ装置や制御基板、コネクタなど）を配設できる。即ち、各係合装置７０の対向間に形成される各スペースは狭く、単体では有効な利用が困難なデッドスペースとなり易いところ、係合装置８０を左右に偏らせて配設することで、各デッドスペースを合体させて、その分、中央に有効なスペース（広いスペース）を確保することができる。
【０３３１】
上記各実施の形態では、主部側被軸支部材３５の長手方向寸法が、外枠１０の幅寸法（左枠体１３及び右枠体１４の対向面間隔）と略同一とされる場合を説明したが、必ずしもこれに限られるものではなく、上記各実施の形態における主部側被軸支部材３５よりも短くすることは当然可能である。
【０３３２】
上記各実施の形態では、規制板７８の後端部分における外面を平坦面状に形成する場合を説明したが、必ずしもこれに限られるものではなく、その外面の凹凸や溝を設けても良い。凹凸や溝が設けられることで、規制板７８を引く抜く際の滑り止めとすることができる。
【０３３３】
上記各実施の形態では、ケース体７１Ｒ，７１Ｌを締結ねじＢ１及びナットＮ１による締結固定により一体化（結合）する場合を説明したが、必ずしもこれに限られるものではなく、他の結合手段を利用することは当然可能である。他の結合手段としては、ケース体７１Ｒ，７１Ｌの合わせ面同士を接着で接着固定する方法、合わせ面同士を超音波溶着で溶着させる方法、或いは、ケース体７１Ｒ，７１Ｌの一方に形成された弾性的な爪を他方に設けられた受け部に係合させる方法などが例示される。
【０３３４】
上記各実施の形態では、外壁形成部材８０が、板状体を折り曲げることで形成され、例えば、上面板８１と側面板８４との間などに隙間が形成される場合を説明したが、必ずしもこれに限られるものではなく、板状体に絞り加工を施して、外壁形成部材８０を容器状（即ち、上面板８１と側面板８４との間、及び、底面板８２と側面板８４との間に隙間が形成されない形状）に形成しても良い。これにより、突出部材７６へのアクセスをより困難とすることができる。
【０３３５】
上記第１及び第２実施の形態では、係合装置７０（突出部材７６）の配設数と主部側被軸支部材３５の受入穴３６ａの配設数とが同数とされる場合を説明したが、必ずしもこれに限られるのものではなく、係合装置７０（突出部材７６）の配設数よりも、主部側被軸支部材３５の受入穴３６ａの配設数を少なくしても良い。第３実施の形態における受入凹部３３６ａについても同様である。これら受入穴３６ａ又は受入凹部３３６ａの配設数が少なくても、突出部材７６は主部側被軸支部材３５の下面側で没入状態にあれば足りるからである(図２０参照）。
【０３３６】
上記第４から第６実施の形態では、主部側第２被係合部材４３５，５３５と主部側連結部材３２とが枠面に垂直な方向へのスライド移動（案内溝５４への第２支持軸４３４の挿入）により連結可能に構成される場合を説明したが、必ずしもこれに限られるものではなく、着脱不能に構成しても良く、或いは、連結方向を変更しても良い。連結方向を変更する場合としては、例えば、主部側連結部材３２の軸穴に、主部側第２被係合部材４３５，５３５の第２支持軸４３４を軸方向に挿入することで、両者が連結される構造が例示される。
【０３３７】
上記第４実施の形態では、主部側第２被軸支部材４３５に係合片４３６を締結固定する締結ねじの頭部が、主部側第２被軸支部材４３５の外面に位置する構造を説明したが、必ずしもこれに限られるものではなく、締結ねじの頭部が係合片４３６の下面側に位置する構想であっても良い。即ち、締結ねじのおねじが挿通する挿通孔を係合片４３６に設けると共にその挿通孔に挿通されたおねじが螺合されるめねじを主部側第２被軸支部材４３５に設けても良い。これにより、締結ねじの頭部を外枠４１０の枠内に位置させることができるので、かかる締結ねじが不正に取り外されることを抑制できる。
【０３３８】
上記第４実施の形態では、係合片４３６が挿入部４１６ｃに挿入された状態で、係合片４３６を下方に揺動させる空間（外枠側通路４１１ｄ）が形成される構造を説明したが、必ずしもこれに限られるものではなく、係合片４３６が挿入部４１６ｃに挿入された状態（折返し部４３６ｃの折返し先端が係止面４１６ｃ１に係止された状態）では係合片４３６の下方への揺動を規制する手段を、外枠側通路４１１ｄ内に設けてもよい。これにより、係合片４３６を切断しなければ連結状態（係止された状態）を解除できないので、かかる連結状態が不正に解除されることを抑制できる。
【０３３９】
上記第６実施の形態では、内面縦枠体６１３の長手方向に対し揺動片６１５が傾斜した状態で列設され、縦枠体６３７の長手方向に平行な直線状に受入部６３７ｂが列設される場合を説明したが、必ずしもこれに限られるものではなく、これとは逆としても良い。即ち、内面縦枠体６１３の長手方向に平行な直線状に揺動片６１５を列設すると共に、縦枠体６３７の長手方向に対し傾斜した状態で受入部６３７ｂを列設しても良い。これによっても、同様に、外枠６１０に対する遊技機主部の傾斜角度を調整できる。
【０３４０】
第６実施の形態では、揺動片６１５が、その揺動先端側を外枠６１０の前面側へ向けて配置される場合を説明したが、必ずしもこれに限られるものではなく、これとは逆に、揺動片６１５は、その揺動先端側を外枠６１０の背面側へ向けた状態で配置されても良い。
【０３４１】
上記第６実施の形態では、外枠６１０の左右の枠体に揺動片６１５を、構成要素Ａ６の左右の枠体に受入部６３７ｂを、それぞれ設ける場合を説明したが、必ずしもこれに限られるものではなく、これと逆の配置としても良い。即ち、外枠６１０の左右の枠体に受入部６３７ｂを、構成要素Ａ６の左右の枠体に揺動片６１５を、それぞれ設けても良い。
【０３４２】
上記第６実施の形態では、複数の受入部６３７ｂが縦枠体６３７に分散配置される場合を説明したが、必ずしもこれに限られるものではなく、１の受入部６３７ｂのみを設ける構造としても良い。この場合の１の受入部６３７ｂとしては、例えば、第６実施の形態における複数の受入部６３７ｂの間を直線状の溝で接続して得られる長穴形状の開口が例示される。
【０３４３】
上記第６実施の形態では、複数の揺動片６１５を備え、それら各揺動片６１５にピン部材Ｂを着脱自在に装着する部位を設ける場合を説明したが、必ずしもこれに限られるものではなく、１の揺動片を幅広に形成し、その１の揺動片に、ピン部材を着脱自在に装着する部位を複数設けても良い。これによっても、ピン部材を装着する部位を変更することで、外枠６１０に対する遊技機主部の傾斜角度を調整することができる。
【０３４４】
上記各実施の形態では、遊技機主部が連結装置を介して外枠に開閉可能に配設される場合を説明したが、外枠は特に存在する必要がなく、外枠に代えて、取付対象に遊技機主部が連結装置を介して開閉可能に配設される構成であっても良い。即ち、外枠側係合部材や外枠側連結部材が取付対象に取り付けられても良い。取付対象の形状は任意であり、枠状に限定されるものではない。また、取付対象は、ホールの島に設けられた枠自体であっても良い。即ち、ホールの島に設けられた枠（取付対象）に連結装置を介して遊技機主部が配設されても良い。この場合、ホールの島に設けられた枠（取付対象）の形状は任意であり、例えば、上下の板（外枠の上枠体および下枠体が連結される板）を有する形状に限られるものではない。
【０３４５】
上記各実施の形態では、支持金具３３（主部側軸部材）に軸穴が開口される一方、主部側被軸支部材３５，７３５（主部側被軸支部材）から支持軸３４が突設され、支持金具３３の軸穴に挿通された支持軸３４を介して、主部側被軸支部材３５，７３５が支持金具３３に対して相対回動可能に軸支される場合を説明したが、必ずしもこれに限られるものではなく、支持金具３３から支持軸３４が突設される一方、主部側被軸支部材３５，７３５に軸穴が開口され、主部側被軸支部材３５，７３５の軸穴に挿通された支持軸３４を介して、主部側被軸支部材３５，７３５が支持金具３３に対して相対回動可能に軸支される構成であっても良い。即ち、主部側軸部材に対し主部側被軸支部材を相対回動可能に軸支する構成は、主部側軸部材または主部側被軸支部材の一方から支持軸が突設されると共にその支持軸が挿通される軸穴が主部側軸部材または主部側被軸支部材の他方に開口されていれば良い。
【０３４６】
これは主部側第２軸部材（主部側連結部材３２，７３２）に対して主部側第２被軸支部材（主部側第２被軸支部材４３５，５３５，７３２）を相対回動可能に軸支する構成についても同様であり、主部側第２軸部材または主部側第２被軸支部材の一方から支持軸（第２支持軸４３４，７３４）が突設されると共にその支持軸が挿通される軸穴が主部側第２軸部材または主部側第２被軸支部材の他方に開口されていれば良い。
【０３４７】
上記各実施の形態では、主部側被軸支部材３５，７３５（主部側被軸支部材）が支持金具３３（主部側軸部材）に対し１本の支持軸３４を介して相対回動可能に軸支される場合を説明したが、必ずしもこれに限られるものではなく、複数本の支持軸を介して、主部側被軸支部材３５，７３５（主部側被軸支部材）が支持金具３３（主部側軸部材）に対し相対回動可能に軸支される構成としても良い。同様に、複数本の支持軸を介して、主部側第２被軸支部材（主部側第２被軸支部材４３５，５３５，７３２）が主部側第２軸部材（主部側連結部材３２，７３２）に相対回動可能に軸支される構成としても良い。例えば、主部側被軸支部材３５，７３５と支持金具３３との間、或いは、主部側第２被軸支部材４３５，５３５，７３２と主部側連結部材３２，７３２との間を、スライドヒンジ（相対回動に伴って回動軸の位置が移動するヒンジ）を介して相対回動可能に軸支する構成が例示される。このような軸支構造も、請求項１から請求項４及び遊技機Ａ０〜Ａ３５，Ｄ１〜Ｄ３における「軸支」に含まれる。
【０３４８】
以下に、本発明の遊技機に加えて、上記実施形態に含まれる各種発明の概念を示す。
【０３４９】
外枠と、その外枠に連結装置を介して開閉可能に配設される遊技機主部と、を備えた遊技機において、前記連結装置は、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材と、を少なくとも備えることを特徴とする遊技機Ａ０。
【０３５０】
なお、遊技機Ａ０の「外枠」は「取付対象」と変更しても良い。この場合、「取付対象」は遊技機Ａ０の構成でなくても良い（遊技機Ａ０が備えなくても良い）。これらのことは、以下の従属項（遊技機Ａ１からＡ３５および遊技機Ｄ１からＤ３）においても同様である。
【０３５１】
遊技機Ａ０によれば、外枠に配設される外枠側係合部材に対し、遊技機主部に配設される主部側被軸支部材を連結させることで、外枠に対し、遊技機主部を、連結装置を介して開閉可能に連結することができる。一方、外枠側係合部材と主部側被軸支部材との間の連結を解除することで、外枠から遊技機主部を取り外すことができる。
【０３５２】
これにより、外枠をホールの島の木枠に残したまま、遊技機主部を取り外すことができるので、遊技機の入れ替えを行う際には、ホールの島の木枠に残された外枠を利用して、別の遊技機主部を設置することができる。その結果、傾斜角度の調整を不要として、入れ替えに要する工数を低減することができる。
【０３５３】
この場合、遊技機主部の設計時、主部側軸部材については、外枠との関係を考慮する必要がないので、その設計の自由度を高めることができる。即ち、主部側軸部材は、主部側被軸支部材を、外枠に配設される外枠側係合部材に対して連結可能な構造とすれば足り、主部側軸部材を、外枠（外枠側係合部材）との関係で設計する必要がない。よって、主部側軸部材の設計の自由度を確保できる。
【０３５４】
遊技機Ａ０において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と、を更に備えることを特徴とする遊技機Ａ１。
【０３５５】
遊技機Ａ１によれば、遊技機Ａ０の奏する効果に加え、外枠に配設される外枠側連結部材に対し、遊技機主部に配設される主部側連結部材を連結させる共に、外枠に配設される外枠側係合部材に対し、遊技機主部に配設される主部側被軸支部材を連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、外枠側連結部材と主部側連結部材との間の連結、及び、外枠側係合部材と主部側被軸支部材との間の連結をそれぞれ解除することで、外枠から遊技機主部を取り外すことができる。
【０３５６】
遊技機Ａ０又はＡ１において、前記遊技機主部に配設される主部側被軸支部材と前記外枠に配設される外枠側係合部材とが、直線方向への相対移動により連結可能に形成されることを特徴とする遊技機Ａ２。
【０３５７】
遊技機Ａ２によれば、遊技機Ａ０又はＡ１の奏する効果に加え、遊技機主部を外枠に組み付ける際の作業性の向上を図ることができる。即ち、外枠と比較して、遊技機主部は比較的重量が嵩むところ、遊技機の入れ替えを行う際には、作業者は、この比較的重量が嵩む遊技機主部を、ホールの島の木枠に残された外枠に対して組み付ける必要がある。さらにその組み付け作業では、外枠に配設される外枠側係合部材に対し、遊技機主部に配設される主部側被軸支部材を連結させる必要がある。そのため、作業者にとって、外枠係合部材と主部側被軸支部材との連結に複雑な動作が必要であると、その連結動作を、比較重量が嵩む遊技機主部を支持しながら行うことが困難となり、遊技機主部を外枠に組み付けることができないおそれがある。これに対し、遊技機Ａ２によれば、遊技機主部に配設される主部側被軸支部材と外枠に配設される外枠側係合部材とが、直線方向への相対移動により連結可能とされるので、かかる連結動作を簡素とすることができ、その結果、遊技機主部を外枠に組み付ける際の作業性の向上を図ることができる。
【０３５８】
特に、遊技機Ａ１の構成を備えた遊技機Ａ２の場合には、「前記遊技機主部に配設される主部側連結部材と前記外枠に配設される外枠側連結部材とが、直線方向への相対移動により連結可能に形成され、その主部側連結部材を外枠側連結部材に連結させる際の直線方向が、前記遊技機主部に配設される主部側被軸支部材を、前記外枠に配設される外枠側係合部材に連結させる際の前記直線方向と平行とされる」構成を備えることが好ましい。この構成を備える遊技機Ａ２によれば、遊技機Ａ０又はＡ１の奏する効果に加え、遊技機主部に配設される主部側連結部材を、外枠に配設される外枠側連結部材に連結する際の直線方向と、遊技機主部に配設される主部側被軸支部材を、外枠に配設される外枠側連結部材に連結する際の直線方向とが平行とされるので、遊技機主部を外枠に対し直線方向へ移動させる動作のみで連結することができる。よって、主部側連結部材および外枠側連結部材を更に備える場合であっても、遊技機主部を外枠に組み付ける際の作業性の向上を図ることができる。
【０３５９】
遊技機Ａ２において、前記直線方向は、前記外枠の枠面に対して垂直な方向であることを特徴とする遊技機Ａ３。
【０３６０】
遊技機Ａ３によれば、遊技機Ａ２の奏する効果に加え、遊技機主部に配設される主部側連結部材を、外枠に配設される外枠側連結部材に連結する際の直線方向、及び、遊技機主部に配設される主部側被軸支部材を、外枠に配設される外枠側連結部材に連結する際の直線方向が、外枠の枠面に対して垂直な方向とされるので、遊技機主部を外枠に対し正面に配置し、そのまま真直ぐに直線方向へ押し込む動作のみで、遊技機主部を外枠に組み付けることができる。よって、遊技機主部を外枠に組み付ける際の作業性の向上を図ることができる。
【０３６１】
遊技機Ａ０からＡ３において、前記主部側被軸支部材は、前記主部側軸部材に軸支される一端側から離間する位置に配設され先端部を備え、前記先端部は、前記外枠から取り外された前記遊技機主部に対して前記主部側被軸支部材が開いた状態となった場合に接地可能に形成されることを特徴とする遊技機Ａ４。
【０３６２】
遊技機Ａ４によれば、遊技機Ａ０からＡ３に奏する効果に加え、遊技機主部を単独で（即ち、外枠から分離した状態であっても）自立させることができる。即ち、従来の遊技機は、外枠の底面が比較的面積を有する平坦面として形成され、その外枠の底面を利用することで、遊技機が自立可能に形成された。一方、従来の遊技機では、遊技機主部の自立については考慮されていない。そのため、外枠から遊技機主部を取り外し可能に形成した場合には、取り外した遊技機主部は、横倒しとする必要がある。これに対し、遊技機Ａ４によれば、主部側被軸支部材が、主部側軸部材に軸支される一端側から離間する位置に先端部を備えるので、かかる主部側被軸支部材を遊技機主部に対して相対回動させ、開いた状態とする（即ち、主部側被軸支部材が例えば直線状の部材であれば、両者をく字状に配置する。但し、主部側被軸支部材は、軸支される一端側と先端部との間の形状は直線状に限定されない。）ことで、遊技機主部を単独で（即ち、外枠から分離した状態であっても）自立させることができる。
【０３６３】
なお、従来の遊技機においては、外枠に対して遊技機主部を開いた状態とすれば（両者をく字状に配置）、遊技機を自立させることはできる。しかし、外枠が遊技機主部に対して一回り大きな外形を有するため、外枠の底面（接地側の面）と遊技機主部の底面（接地側の面）との間の高さ方向（遊技機の上下方向）の寸法差の分、自立させた遊技機の傾きが大きくなる。また、外枠を含む分、重心位置が高くなる。そのため、自立させた遊技機が倒れ易い。これに対し、遊技機Ａ４によれば、外枠から取り外した遊技機主部を単独で自立させるので、遊技機主部の底面（接地側の面）と主部側被軸支部材の先端部における底面（接地面）との高さ方向の差を小さくできる。また、外枠を含まない分、重心位置を低くできる。よって、自立させた遊技機が倒れることを抑制できる。
【０３６４】
遊技機Ａ４において、前記主部側被軸支部材は、前記遊技機主部の枠面に垂直な方向に平行な平板形状に形成される部分を備え、その平板形状に形成される部分の底面が前記先端部とされることを特徴とする遊技機Ａ５。
【０３６５】
遊技機Ａ５によれば、遊技機Ａ４の奏する効果に加え、主部側被軸支部材が、遊技機主部の枠面に垂直な方向に平行な平板形状に形成される部分を備えるので、その分、例えば、接地される床が変形する場合（例えば、床が弾性材料からなる場合、或いは、床に布や弾性材料からなる敷設材が敷設されている場合など）には、その床（敷設体）に対する接地面積を確保して、遊技機主部の自立を安定化させることができる。また、このように主部側被軸支部材の平板形状に形成される部分が、遊技機主部の枠面に垂直な方向に平行とされることで、複数の遊技機主部を自立させる際に、１の主部側被軸支部材に他の主部側被軸支部材を重ねることができるので、複数の遊技機主部を自立させる際の収納効率の向上を図ることができる。さらに、主部側被軸支部材が、遊技機主部の枠面に垂直な方向に平行な平板形状に形成される部分を備えることで、遊技機主部を外枠に閉じた状態とした際に、遊技機主部に制御基板などの部品を配設するスペースを効率的に確保することができる。
【０３６６】
ここで、主部側被軸支部材が遊技機主部に１の軸（主部側軸部材）により軸支される（軸支箇所が１ヶ所のみである）場合には、その軸支部分に軸方向（遊技機の上下方向）のガタを設け、そのガタにより、遊技機主部の底面（接地側の面）と主部側被軸支部材の先端部（平板形状に形成される部分）における底面（接地側の面）との間の高さ方向（遊技機の上下方向）の寸法差を吸収する（小さくする）ように構成しても良い。これにより、主部側被軸支部材の先端部を、より均一に接地させる（接地面席を確保する）ことができ、自立を安定させることができる。
【０３６７】
遊技機Ａ４又はＡ５において、前記主部側被軸支部材は、前記主部側軸部材に軸支される一端側とその反対側となる他端側との間を結ぶ一対の縁部の内の一方の縁部が折り返されて形成されると共に他方の縁部が平板形状に形成され、前記主部側被軸支部材が前記遊技機主部に対して開いた状態となった場合に、前記折り返されて形成された一方の縁部が前記遊技機主部と反対側に位置すると共に、前記平板形状に形成された他方の縁部が前記遊技機主部側に位置することを特徴とする遊技機Ａ６。
【０３６８】
遊技機Ａ６によれば、遊技機Ａ４又はＡ５の奏する効果に加え、主部側被軸支部材の一端側と他端側とを結ぶ一対の縁部の内の一方の縁部が折り返されて形成されるので、その分、主部側被軸支部材の剛性を高めることができる。即ち、主部側被軸支部材が遊技機主部に対して開いた状態（く字状の配置）とされる場合に、遊技機主部を強固に支持することができるので、遊技機主部の自立を安定化させることができる。
【０３６９】
一方で、主部側被軸支部材の縁部が折り返されていると、１の主部側被軸支部材に他の主部側被軸支部材を重ねて、複数の遊技機主部を自立させる際に、折り返された縁部に乗り上げることで、遊技機主部が傾斜して、自立が不安定となる。これに対し、本遊技機によれば、主部側軸支部材は、遊技機主部を自立させた状態において、遊技機主部側に位置する他方の縁部が平板形状に形成される。よって、折り返されて形成される一方の縁部を避け、他方の縁部の上に他の主部側被軸支部材を順に重ねていくことができる。よって、遊技機主部の傾斜を抑制して、安定的に自立させることができる。
【０３７０】
遊技機Ａ６において、前記主部側被軸支部材の一方の縁部は、上面側へ向けて折り返されて形成されることを特徴とする遊技機Ａ７。
【０３７１】
遊技機Ａ７によれば、遊技機Ａ６の奏する効果に加え、主部側被軸支部材の一方の縁部は、上面側へ向けて折り返されて形成されるので、主部側被軸支部材の底面（接地側の面）に平坦面形状の部分を形成することができる。よって、接地面積を確保して、遊技機主部の自立を安定化させることができる。
【０３７２】
なお、遊技機Ａ５及び遊技機Ａ７において、外枠へ遊技機主部が取り付けられた状態で「上面（上側を向く面）」となる面は、遊技機主部が外枠から取り外され、接地される面となる場合には、「底面」となる。また、遊技機Ａ７において、「上面側」とは、接地させた際に上側を向く面を意味する。よって、外枠に遊技機主部が取り付けられた状態で上方に位置する主部側被軸支部材では、その取り付け状態で下面となる面側が、遊技機Ａ７における「上面側」となる。遊技機Ａ５及びＡ７を除く他の遊技機Ａ１からＡ４，Ａ６，Ａ８からＡ３５，Ｄ１からＤ３においても同様である。
【０３７３】
遊技機Ａ４から遊技機Ａ７のいずれかにおいて、前記主部側被軸支部材と前記遊技機主部との間に介在し、前記主部側被軸支部材を、前記主部側軸部材を回動中心として相対回動させ、前記遊技機主部に対して開いた状態となる方向へ付勢する回動付勢部材を備えることを特徴とする遊技機Ａ８。
【０３７４】
遊技機Ａ８によれば、遊技機Ａ４からＡ７のいずれかの奏する効果に加え、主部側被軸支部材が回動付勢部材により遊技機主部に対して開いた状態となる方向へ付勢されるので、主部側被軸支部材を遊技機主部に対して開いた状態（く字状に配置）に維持して、遊技機主部の自立を安定化させることができる。即ち、遊技機主部の自立時に主部側被軸支部材が不用意に閉じられて、遊技機主部の自立が不安定化することを抑制できる。
【０３７５】
また、外枠に配設される外枠側係合部材と遊技機主部に配設される主部側被軸支部材との連結により、外枠に対して遊技機主部が開閉可能に配設された状態では、回動付勢部材の付勢力を、遊技機主部を開放させる方向への力として利用することができる。よって、遊技機主部の重量が重い場合であっても、その遊技機主部を作業者が開放する操作を容易とすることができる。
【０３７６】
遊技機Ａ２又はＡ８において、前記主部側被軸支部材が、前記主部側軸部材を回動中心として前記遊技機主部に対して相対回動され、前記遊技機主部の底面側に配設された場合に、その主部側被軸支部材を保持する主部側保持部材を備えることを特徴とする遊技機Ａ９。
【０３７７】
遊技機Ａ９によれば、遊技機Ａ２又はＡ８の奏する効果に加え、主部側保持部材により主部側被軸支部材を遊技機主部の底面側に保持することができるので、遊技機主部を外枠に組み付ける際の作業性の向上を図ることができる。即ち、遊技機Ａ２の構成を備えた遊技機Ａ９の場合には、外枠から取り外された状態での遊技機主部において、主部側保持部材によって主部側被軸支部材が保持されているので、外枠に対して遊技機主部を直線方向へ相対移動させる動作のみで、主部側被軸支部材を外枠側係合部材に連結させ、外枠に対する遊技機主部の組み付けを完了することができ、先に主部側被軸支部材を主部側係合部材に連結させた後、次いで外枠に対して遊技機主部を閉じる動作を不要とすることができる。また、遊技機Ａ８の構成を備えた遊技機Ａ９の場合には、主部側被軸支部材は、回動付勢部材により遊技機主部に対して開いた状態となる方向へ付勢されているところ、これを主部側保持部材により遊技機主部の底面側に保持する（閉じた状態に保持する）ことができれば、作業者は、作業者自身が例えば一方の手で主部側被軸支部材を閉じた状態に保持しつつ、遊技機主部を外枠に組み付けるという煩雑な作業を行う必要がなく、遊技機主部を外枠に組み付ける作業のみに集中することができる。
【０３７８】
遊技機Ａ９において、前記遊技機主部を前記外枠に対して施錠する施錠装置を備えると共に、前記施錠装置が前記主部側保持部材を備え、前記施錠装置の操作により前記遊技機主部の外枠に対する施錠が解除される場合に、その操作に連動して、前記主部側保持部材による前記主部側被軸支部材の保持が解除されることを特徴とする遊技機Ａ１０。
【０３７９】
遊技機Ａ１０によれば、遊技機Ａ９の奏する効果に加え、施錠装置が主部側保持部材を備え、施錠装置の操作に連動して、主部側保持部材による主部側被軸支部材の保持を解除できるので、遊技機主部を外枠に組み付ける際には、主部側被軸支部材を主部側保持部材により保持し、組み付け作業の作業性の向上を図りつつ、組み付け後は、施錠装置による施錠を解除するのみで、外枠に対して遊技機主部を開放させることができる。即ち、施錠装置を解除する一の操作のみで、遊技機主部の外枠に対する施錠の解除と、主部側被軸支部材の主部側保持部材による保持の解除とを同時に行うことができる。
【０３８０】
遊技機Ａ４からＡ１０のいずれかにおいて、前記連結装置は、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材とからなる組を二組備え、これら二組の内の一方の組が前記遊技機主部および外枠の下方側に配設される共に他方の組が前記遊技機主部および外枠の上方側に配設されることを特徴とする遊技機Ａ１１。
【０３８１】
遊技機Ａ１１によれば、遊技機Ａ４からＡ１０のいずれかの奏する効果に加え、主部側軸部材、主部側被軸支部材および外枠側係合部材からなる組を二組備え、それら二組のそれぞれにおいて、主部側被軸支部材を外枠側係合部材に連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、二組のそれぞれにおいて、主部側被軸支部材と外枠側係合部材との間の連結を解除することで、外枠から遊技機主部を取り外すことができる。
【０３８２】
また、遊技機主部の設計時、二組のそれぞれにおいて、主部側被軸支部材を、外枠側係合部材に対して連結可能な構造とすれば足り、主部側軸部材を、外枠（外枠側係合部材）との関係で設計する必要がない。即ち、主部側軸部材の設計の自由度を確保できるので、遊技機主部を外枠に対して開閉させる際の支持軸（即ち、二組の内の一方の組の主部側軸部材と他方の組の主部側軸部材）の位置を任意に設計可能とでき、その結果、例えば、遊技機主部の開閉態様や支持軸周辺の他部材の設計の自由度を確保できる。
【０３８３】
この場合、二組の内の一方の組が遊技機主部および外枠の下方側に配設される共に他方の組が遊技機主部および外枠の上方側に配設されるので、一方の組における主部側被軸支部材を開いた状態とし、かかる一方の組における主部側被軸支部材を接地させることで、遊技機主部を正立状態（即ち、遊技機主部の下方側を床面に載置した状態）で単独で自立させることができるだけでなく、他方の組における主部側被軸支部材を開いた状態とし、かかる他方の組における主部側被軸支部材を接地させることで、遊技機主部を倒立状態（即ち、遊技機主部を上下反転させることで、その遊技機主部の上方側を床面に載置した状態）でも単独で自立させることができる。これにより、遊技機主部の重心位置に応じて、自立させる向きを変更する（例えば、重心位置が上方に位置する遊技機主部であれば、その重心位置が下方となるように、倒立状態で自立させる）ことができるので、その自立状態を安定化することができる。
【０３８４】
また、遊技機Ａ８の構成を備えた遊技機Ａ１１では、二組の両方が回動付勢部材を備えても良く、或いは、一方の組または他方の組のいずれかのみが回動付勢部材を備えても良い。遊技機Ａ９の構成を備えた遊技機Ａ１１では、二組の両方が主部側保持部材を備えても良く、或いは、一方の組または他方の組のいずれかのみが主部側保持部材を備えても良い。
【０３８５】
遊技機Ａ１１において、前記連結装置は、前記二組の内の一方の組の主部側被軸支部材と他方の組の主部側被軸支部材とを接続する接続部材を備えることを特徴とする遊技機Ａ１２。
【０３８６】
遊技機Ａ１２によれば、二組の内の一方の組の主部側被軸支部材と他方の組の主部側被軸支部材とが接続部材により接続（連結）されるので、一方（又は他方）の組の主部側被軸支部材が回動された場合には、この一方（又は他方）の組の主部側被軸支部材の回動に連動させて他方（又は一方）の組の主部側被軸支部材も回動させることができる。即ち、二組の主部側被軸支部材の両者の回動位置を常に同位相に維持することができる。よって、二組の主部側被軸支部材を相手部材（外枠に配設される外枠側係合部材）にそれぞれ連結させる際には、これら二組の主部側被軸支部材の位相を個別に調整する必要がなく、その分、連結作業の作業性の向上を図ることができる。
【０３８７】
遊技機Ａ０からＡ１２において、前記外枠に配設される外枠側係合部材は、前記主部側被軸支部材に対向配置される対向面と、その対向面から出没可能に突出する突出部材と、その突出部材を前記対向面から突出する方向へ付勢する出没付勢部材とを備え、前記遊技機主部に配設される主部側被軸支部材は、前記外枠側係合部材の対向面に対向配置された場合に、その対向面から突出される前記突出部材を受け入れる受入部を備え、前記外枠側係合部材の突出部材が前記主部側被軸支部材の受入部に受け入れられることで、前記外枠側係合部材に対し前記主部側被軸支部材が連結されることを特徴とする遊技機Ａ１３。
【０３８８】
遊技機Ａ１２によれば、遊技機Ａ０からＡ１１のいずれかの奏する効果に加え、主部側被軸支部材を外枠側係合部材の対向面に対向配置させ、その外枠側係合部材の対向面から突出される突出部材を、主部側被軸支部材の受入部に受け入れさせることで、外枠側係合部材に対し主部側被軸支部材を連結させることができるので、遊技機主部を外枠に組み付ける作業の作業性の向上を図ることができる。
【０３８９】
遊技機Ａ１３において、前記外枠側係合部材の突出部材は、突出先端部分が先細形状に形成されると共にその突出先端部分を前記対向面下に没入可能に形成され、前記突出先端部分のみが前記対向面から突出する位置に前記出没付勢部材の付勢力により保持されることを特徴とする遊技機Ａ１４。
【０３９０】
遊技機Ａ１４によれば、遊技機Ａ１３の奏する効果に加え、外枠側係合部材の突出部材は、先細形状に形成された突出先端部分のみが対向面から突出されるので、遊技機主部に配設される主部側被軸支部材が外枠側係合部材の対向面上をスライド移動され、突出部材に当接した際に、引っ掛かりを抑制して、突出部材を対向面下により確実に没入させることができる。
【０３９１】
遊技機Ａ１３又はＡ１４において、前記外枠側係合部材は、前記突出部材が前記主部側被軸支部材の受入部に受け入れられた状態で、前記突出部材に当接してその突出部材の前記対向面下への没入を規制する没入規制部材を備えることを特徴とする遊技機Ａ１５。
【０３９２】
遊技機Ａ１５によれば、遊技機Ａ１３又はＡ１４の奏する効果に加え、外枠側係合部材の突出部材が対向面下へ没入することを没入規制部材により規制できるので、主部側被軸支部材の受入部に外枠側係合部材の突出部材が受け入れられた状態を維持して、外枠側係合部材と主部側被軸支部材との連結が解除されることを抑制できる。この場合、外枠側係合部材の突出部材の突出先端部分のみが対向面から突出される場合には、突出部材が主部側被軸支部材の受入部に受け入れられた後に、主部側被軸支部材を外枠側係合部材の対向面上でスライド移動させることで、突出部材を対向面下により没入させることができ、その結果、外枠側係合部材と主部側被軸支部材との連結が解除されてしまうので、没入規制部材により突出部材の没入を規制する本構造が特に有効となる。
【０３９３】
遊技機Ａ１５において、前記外枠側係合部材は、前記没入規制部材の移動を案内する案内部材を備え、前記没入規制部材は、傾斜して形成される傾斜面を備えると共に、前記突出部材は、前記没入規制部材の傾斜面が当接される被当接部を備え、前記没入規制部材が前記案内部材に案内され、その傾斜面を前記突出部材の被当接部に当接させつつ、一方向へ移動されると、前記突出部材が前記対向面上に押し上げられると共に、前記案内部材と前記被当接面との間に没入規制部材が介在することで、前記突出部材の前記対向面下への没入が規制されることを特徴とする遊技機Ａ１６。
【０３９４】
遊技機Ａ１６によれば、遊技機Ａ１５の奏する効果に加え、没入規制部材が突出部材の被当接部に当接する傾斜面を備えるので、没入規制部材の一方向への移動により、突出部材の対向面下への没入が規制され場合には、突出部材を対向面上に押し上げた状態とすることができる。これにより、主部側被軸支部材の受入部へ突出部材の突出先端をより深くまで挿入して、その受け入れ量を確保することができる。その結果、主部側被軸支部材の受入部と外枠側係合部材の突出部材との係合を強固として、外枠側係合部材と主部側被軸支部材との連結が解除されることを抑制できる。
【０３９５】
また、このように、没入規制部材の傾斜面を利用して突出部材を対向面上へ押し上げる構造とすることで、没入規制部材を案内部材の案内に沿って一方向へ移動させるのみで、かかる没入規制部材を案内部材と突出部材との間に介在させることができる。よって、例えば、没入規制部材を一方向へ移動させる動作と同時に突出部材を持ち上げておく動作を別途行う必要がなく、その分、作業性の向上を図ることができる。
【０３９６】
遊技機Ａ１３から遊技機Ａ１６において、前記外枠に配設される外枠側係合部材は、前記平坦面から立設される立設壁と、その立設壁の立設先端から前記遊技機主部側へ向けて前記平坦面と略平行に延設される延設壁とを備え、前記遊技機主部に配設される主部側被軸支部材は、その受入部に前記外枠側係合部材の突出部材が受け入れられた場合に、前記外枠側係合部材の平坦面および延設壁の対向面間に挟持される被挟持部を備えることを特徴とする遊技機Ａ１７。
【０３９７】
遊技機Ａ１７によれば、遊技機Ａ１３からＡ１６の奏する効果に加え、外枠側係合部材の突出部材が主部側被軸支部材の受入部に受け入れられると、外枠側係合部材の平坦面および延設壁の対向面間に、主部側被軸支部材の被挟持部が挟持されるので、外枠側係合部材に対して主部側被軸支部材が平坦面の面直方向（即ち、突出部材の出没方向）へ移動することを規制することができる。これにより、外枠側係合部材と主部側軸支部材との間の連結を確実として、外枠に対し、遊技機主部を、より強固に連結できる。
【０３９８】
この場合、外枠側係合部材の延設壁は、立設壁の立設先端から遊技機主部側へ向けて延設されるので、主部側被軸支部材を外枠側係合部材の平坦面に沿って移動させる動作のみで、主部側被軸支部材の被挟持部を外枠側係合部材の平坦面および延設壁との対向面間に挟持させることができる。また、その主部側被軸支部材の移動は、外枠側係合部材の立設壁によって規制する（位置決めする）ことができる。よって、遊技機主部を外枠に組み付ける際の作業性の向上を図ることができる。
【０３９９】
遊技機Ａ１３からＡ１７において、前記外枠に配設される外枠側連結部材と前記遊技機主部に配設される主部側連結部材とが連結されておらず、かつ、前記外枠側係合部材の突出部材が前記主部側被軸支部材の受入部に受け入れられていない状態において、前記主部側被軸支部材を載置可能な領域が前記外枠側係合部材の平坦面に形成されることを特徴とする遊技機Ａ１８。
【０４００】
遊技機Ａ１８によれば、遊技機Ａ１３からＡ１７の奏する効果に加え、外枠側の外枠側連結部材と遊技機主部側の主部側連結部材とが連結されておらず、かつ、外枠側係合部材の突出部材が主部側被軸支部材の受入部に受け入れられていない状態において、主部側被軸支部材を載置可能な領域が外枠側係合部材の平坦面に形成されるので、遊技機主部を外枠に組み付ける際には、まず、遊技機主部の主部側被軸支部を、外枠側係合部材の平坦面における上記領域に載置（仮置き）し、その後、主部側被軸支部を外枠側係合部材の平坦面に沿って移動させることで、外枠側の外枠側連結部材に対する遊技機主部側の主部側連結部材の連結と、外枠側係合部材の突出部材の主部側被軸支部材の受入部への受け入れとをそれぞれ行うことができる。即ち、作業者は、上記連結および受け入れの作業を行う際に、その作業を、遊技機主部の重量を支持しつつ行う必要がない。よって、外枠に対して遊技機主部を組み付ける作業の作業性の向上を図ることができる。
【０４０１】
遊技機Ａ０からＡ１８において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と備え、前記外枠に配設される外枠側連結部材または前記遊技機主部に配設される主部側連結部材の一方は、軸状の連結軸部を備え、前記外枠に配設される外枠側連結部材または前記遊技機主部に配設される主部側連結部材の他方は、前記連結軸部を回動可能に軸支する軸支部と、その軸支部に連通し前記連結軸部を前記軸支部まで案内する案内溝部とを備えることを特徴とする遊技機Ａ１９。
【０４０２】
遊技機Ａ１９によれば、遊技機Ａ０からＡ１８の奏する効果に加え、連結軸部を回動能に軸支する軸支部には、連結軸部を案内する案内溝部が連通されているので、連結軸部を案内溝部に沿って移動させることで、連結軸部を軸支部に軸支させ、外枠側の外枠側連結部材と遊技機主部側の主部側連結部材とを連結することができる。よって、遊技機主部を外枠に組み付ける際の作業性の向上を図ることができる。
【０４０３】
遊技機Ａ１９において、前記外枠に配設される外枠側連結部材または前記遊技機主部に配設される主部側連結部材の他方は、前記案内溝部へ出没可能に形成され前記案内溝部に突出することで、前記軸支部に軸支された連結軸部が前記案内溝部を通過することを規制する通過規制部材を備えることを特徴とする遊技機Ａ２０。
【０４０４】
遊技機Ａ２０によれば、遊技機Ａ１９の奏する効果に加え、外枠側の外枠側連結部材または遊技機主部側の主部側連結部材の他方は、案内溝部へ出没可能に形成される通過規制部材を備え、その通過規制部材を案内溝部に突出させることで、軸支部に軸支された連結軸部が案内溝部を通過することを規制することができる。即ち、連結軸部が軸支部から脱落して、外枠側の外枠側連結部材と遊技機主部側の主部側連結部材との連結が解除されることを抑制することができる。
【０４０５】
遊技機Ａ２０において、前記外枠に配設される外枠側連結部材または前記遊技機主部に配設される主部側連結部材の一方は、前記外枠に対して前記遊技機主部が閉じられた状態では、前記通過規制部材を被覆すると共に、前記外枠に対して前記遊技機主部が開放された状態では、前記通過規制部材を露出させる被覆部材を備えることを特徴とする遊技機Ａ２１。
【０４０６】
遊技機Ａ２１によれば、遊技機Ａ２０の奏する効果に加え、外枠に対して遊技機主部が閉じられた状態では、被覆部材により通過規制部材が被覆されるので、通過規制部材が操作されることを困難とできる。よって、外枠側の外枠側連結部材と遊技機主部側の主部側連結部材との連結が不正に解除されることを抑制することができる。一方で、外枠に対して遊技機主部が開放された状態では、通過規制部材が露出されるので、通過規制部材を操作可能とできる。よって、連結軸部が案内溝部を通過可能な状態として、外枠側の外枠側連結部材と遊技機主部側の主部側連結部材との連結の解除を行うことができる。
【０４０７】
遊技機Ａ２０又はＡ２１において、前記外枠に配設される外枠側連結部材または前記遊技機主部に配設される主部側連結部材の他方は、少なくとも、前記連結軸部が前記案内溝部を通過可能な位置まで前記通過規制部材が後退された場合に、その通過規制部材を保持する規制部材保持手段を備えることを特徴とする遊技機Ａ２２。
【０４０８】
遊技機Ａ２２によれば、遊技機Ａ２０又はＡ２１の奏する効果に加え、少なくとも、連結軸部が案内溝部を通過可能な位置まで通過規制部材が後退された場合に、その通過規制部材を保持する規制部材保持手段を備えるので、通過規制部材による規制を解除し、連結軸部が案内溝部を通過可能（即ち、連結軸部を抜き取り可能）な状態を形成し且つその状態を維持することができる。よって、作業者は、通過規制部材を後退した状態に保持しつつ、連結溝部を軸支部から抜き取るという煩雑な作業を行う必要がない。その結果、外枠側の外枠側連結部材と遊技機主部側の主部側連結部材との連結の解除を容易とすることができる。
【０４０９】
遊技機Ａ２２において、前記外枠に配設される外枠側連結部材または前記遊技機主部に配設される主部側連結部材の他方は、前記通過規制部材を前記案内溝部に突出する方向へ付勢する規制付勢部材を備え、前記通過規制部材は、前記案内溝部に突出する部分に傾斜して形成される傾斜面を備え、前記連結軸部が前記傾斜面を押圧することで、前記連結軸部が前記案内溝部を通過可能な位置まで前記通過規制部材が後退される一方、前記規制部材保持手段により保持可能な位置には前記通過規制部材が達しないことを特徴とする遊技機Ａ２３。
【０４１０】
遊技機Ａ２３によれば、遊技機Ａ２２の奏する効果に加え、連結軸部が傾斜面を押圧することで、連結軸部が案内溝部を通過可能な位置まで通過規制部材が後退されるので、連結軸部を案内溝部に沿って押し込むことで、かかる連結軸部を軸支部に到達させ、外枠側の外枠側連結部材と遊技機主部側の主部側連結部材とを連結することができる。この場合、通過規制部材は、規制部材保持手段により保持可能な位置には達しないので、規制付勢部材の付勢力により、通過規制部材を案内溝部に突出する位置へ復帰（前進）させることができる。その結果、連結軸部が軸支部から脱落して、外枠側の外枠側連結部材と遊技機主部側の主部側連結部材との連結が解除されることを抑制することができる。
【０４１１】
遊技機Ａ０において、前記連結装置は、前記遊技機主部に配設される主部側第２軸部材と、その主部側第２軸部材を介して前記遊技機主部に相対回動可能に軸支される主部側第２被軸支部材と、その主部側第２被軸支部材に着脱可能に連結され前記外枠に配設される外枠側第２係合部材と、を更に備えることを特徴とする遊技機Ａ２４。
【０４１２】
遊技機Ａ２４によれば、遊技機Ａ０の奏する効果に加え、外枠に配設される外枠側係合部材および外枠側第２係合部材に対し、遊技機主部に配設される主部側被軸支部材および主部側第２被軸支部材をそれぞれ連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、外枠側係合部材と主部側被軸支部材との間の連結、及び、外枠側第２係合部材と主部側第２被軸支部材との間の連結をそれぞれ解除することで、外枠から遊技機主部を取り外すことができる。
【０４１３】
この場合、主部側第２軸部材についても、主部側軸部材と同様に、主部側第２被軸支部材を、外枠に配設される外枠側第２係合部材に対して連結可能な構造とすれば足り、かかる主部側第２軸部材を、外枠（外枠側第２係合部材）との関係で設計する必要がない。即ち、主部側軸部材に加え、主部側第２軸部材についても、外枠との関係を考慮する必要がなく、その設計の自由度を確保できるので、遊技機主部を外枠に対して開閉させる際の支持軸（即ち、主部側軸部材と主部側被軸支部材との間の支持軸、及び、主部側第２軸部材と主部側第２被軸支部材との間の支持軸）の位置を任意に設計可能とでき、その結果、例えば、遊技機主部の開閉態様や支持軸周辺の他部材の設計の自由度を確保できる。
【０４１４】
遊技機Ａ２４において、前記遊技機主部に配設される主部側第２被軸支部材は、板状体からなると共にその板状体の一側を折り返して形成された折返し部を有する係合片を備え、前記外枠に配設される外枠側第２係合部材は、前記主部側第２被軸支部材の係合片が前記一側から挿入可能に形成されると共に前記係合片が前記一側から挿入された場合に前記係合片の折返し部における折り返し先端が係止される係止面を有する挿入部を備え、前記係合片が挿入部に挿入され、前記係合片の折返し部における折返し先端が挿入部の係止面に係止されることで、前記主部側第２被軸支部材と外枠側第２係合部材とが連結されることを特徴とする遊技機Ａ２５。
【０４１５】
遊技機Ａ２５によれば、遊技機Ａ２４の奏する効果に加え、主部側第２被軸支部材の係合片をその一側から外枠側第２係合部材の挿入部に挿入し、係合片の折返し部における折り返し先端を、挿入部の係止面に係止させることで、外枠側第２係合部材に対し主部側第２被軸支部材を連結させることができる。よって、遊技機主部を外枠に組み付ける作業の作業性の向上を図ることができる。また、係合片は、板状体からなりその一部を折り返して折返し部を形成した簡素な構造であるので、部品コストの削減を図ることができる。
【０４１６】
遊技機Ａ２５において、前記主部側第２被軸支部材が外枠側第２係合部材に連結された状態では、前記主部側第２被軸支部材の係合片が前記外枠側第２係合部材よりも前記外枠の内側に位置し、前記係合片が前記外枠側第２係合部材によって前記外枠の外側から遮蔽される一方、前記係合片の少なくとも一部が前記外枠の内側に露出され、前記係合片の前記外枠の内側に露出した部分を操作することで、前記係合片の折返し部における折返し先端と前記挿入部の係止面との係止を解除可能に形成されることを特徴とする遊技機Ａ２６。
【０４１７】
遊技機Ａ２６によれば、遊技機Ａ２５の奏する効果に加え、主部側第２被軸支部材が外枠側第２係合部材に連結された状態では、係合片が外枠側第２係合部材によって外枠の外側から遮蔽されるので、係合片が操作されることを困難とできる。よって、主部側第２被軸支部材と外枠側第２係合部材との連結が不正に解除されることを抑制することができる。一方で、係合片の少なくとも一部が外枠の内側に露出されるので、外枠に対して遊技機主部が開放された状態では、係合片の露出された部分を操作することができる。よって、係合片の折返し部における折返し先端と挿入部の係止面との係止を解除して、主部側第２被軸支部材と外枠側第２係合部材との連結の解除を行うことができる。なお、外枠に対して遊技機主部を閉じた状態では、遊技機主部に配設される部品が外枠の枠内に配設され、かかる部品が、係合片の外枠の内側に露出される部分に対面されるので、係合片が操作されることを困難とできる。
【０４１８】
遊技機Ａ２４からＡ２６のいずれかにおいて、前記遊技機主部に配設される主部側被軸支部材と前記外枠に配設される外枠側係合部材とが、直線方向への相対移動により連結可能に形成されると共に、前記遊技機主部に配設される主部側第２被軸支部材と前記外枠に配設される外枠側第２係合部材とが、直線方向への相対移動により連結可能に形成され、その主部側第２被軸支部材を外枠側第２係合部材に連結させる際の直線方向が、前記主部側被軸支部材を前記外枠側係合部材に連結させる際の前記直線方向と平行とされることを特徴とする遊技機Ａ２７。
【０４１９】
遊技機Ａ２７によれば、遊技機Ａ２４からＡ２６のいずれかの奏する効果に加え、主部側第２被軸支部材を外枠側第２係合部材に連結する際の直線方向と、主部側被軸支部材を外枠側連結部材に連結する際の直線方向とが平行とされるので、遊技機主部を外枠に対し直線方向へ移動させる動作のみで連結することができる。よって、主部側第２被軸支部材および外枠側第２係合部材を更に備える場合であっても、遊技機主部を外枠に組み付ける際の作業性の向上を図ることができる。
【０４２０】
遊技機Ａ０からＡ２７のいずれかにおいて、前記遊技機主部を前記外枠に対して施錠する施錠装置を備え、前記施錠装置は、外部からの操作に連動して開錠位置および施錠位置に移動される移動体を有する施錠移動部材と、前記施錠位置に移動した移動体が係合されることで前記施錠移動部材との間で施錠状態を形成すると共に前記移動体の開錠位置への移動に伴い前記移動体の係合が解除されることで前記施錠移動部材との間で開錠状態を形成する施錠基部材とを備え、前記施錠移動部材が前記遊技機主部に配設されると共に、前記施錠基部材が前記主部側被軸支部材に配設されることを特徴とする遊技機Ａ２８。
【０４２１】
遊技機Ａ２８によれば、遊技機Ａ０からＡ２８のいずれかの奏する効果に加え、施錠装置は、施錠移動部材が遊技機主部に配設されると共に、施錠基部材が主部側被軸支部材に配設されるので、施錠装置を施錠状態とすることで、遊技機主部に対して主部側被軸支部材を回動不能にすることができると共に、施錠装置を開錠状態とすることで、遊技機主部に対して主部側被軸支部材を回動可能とすることができる。即ち、主部側被軸支部材が外枠側係合部材に連結され、遊技機主部が外枠に組み付けられた状態では、施錠装置を施錠状態にすることで、遊技機主部を外枠に対して開放不能にする（施錠する）ことができると共に、施錠装置を開錠状態とすることで、遊技機主部を外枠に対して開閉可能とする（開錠する）ことができる。
【０４２２】
ここで、遊技機主部に施錠移動部材を、外枠に施錠基部材を、それぞれ配設する構成でも、遊技機主部を外枠に対して施錠装置により施錠することはできるが、この場合には、遊技機主部を新たに設計する場合であっても、施錠移動部材は、ホールに残される外枠の施錠基部材に対して施錠開錠可能な構造である必要があり、よって、施錠装置については新たに設計することができない。これに対し、本遊技機によれば、施錠装置の設計時、施錠移動部材と施錠基部材との両者を、外枠との関係を考慮する必要なく、自由に設計することができる。
【０４２３】
遊技機Ａ０において、前記遊技機主部に配設される主部側被軸支部材が、前記外枠に配設される外枠側係合部材に連結された場合に、それら主部側被軸支部材と外枠側係合部材と間の連結状態を変更して前記外枠に対する遊技機主部の傾斜角度を調整する傾斜調整手段を備えることを特徴とする遊技機Ａ２９。
【０４２４】
遊技機Ａ２９によれば、遊技機Ａ０の奏する効果に加え、主部側被軸支部材と外枠側係合部材との間の連結状態を傾斜調整手段により変更することで、外枠に対する遊技機主部の傾斜角度を調整することができる。よって、例えば、外枠に遊技機主部を組み付けた結果、傾斜角度の調整が必要な場合であっても、外枠を島の木枠から一旦取り外し、島の木枠に対する外枠の取り付け角度を調整する必要がなく、島の木枠に外枠を装着したままで、外枠に対する遊技機主部の傾斜角度、即ち、島の木枠に対する遊技機主部の傾斜角度を調整することができる。
【０４２５】
遊技機Ａ２９において、前記傾斜調整手段は、前記主部側被軸支部材または外枠側係合部材の一方に配設される第1係合部と、前記主部側被軸支部材または外枠側係合部材の他方に配設される第２係合部と、それら第1係合部および第２係合部の間に介在し両者を連結させる介在体とを備え、前記第1係合部および第２係合部の間に前記介在体が介在する介在位置が変更可能とされ、前記介在体の介在位置に応じて前記外枠に対する遊技機主部の傾斜角度が調整されることを特徴とする遊技機Ａ３０。
【０４２６】
遊技機Ａ３０によれば、遊技機Ａ２９の奏する効果に加え、第1係合部と第２係合部との間に介在する介在体により両者（第1係合部および第２係合部）が連結され、かかる介在体の介在位置が変更可能とされるので、介在体の介在位置を変更することで、第１係合部と第２係合部との間の連結状態を変更して、外枠に対する遊技機主部の傾斜角度を調整できる。よって、外枠に対する遊技機主部の傾斜角度を調整する際の作業性の向上を図ることができる。
【０４２７】
遊技機Ａ３０において、前記第１係合部は、前記第２係合部に対して近接および離間する方向へ向けて弾性的に揺動可能に形成されると共に前記介在体が着脱可能に形成される複数の揺動片を備え、前記第２係合部は、前記複数の揺動片に対応する位置に配設されると共に前記介在体を受け入れ可能に形成される複数の介在体受入部を備え、前記揺動片に装着された介在体が前記介在体受入部に受け入れられることで前記第１係合部と第２係合部とが連結されると共に、前記介在体が装着される揺動片が変更されることで、前記第1係合部および第２係合部の間に介在する前記介在体の介在位置が変更され、その介在体の介在位置に応じて前記外枠に対する遊技機主部の傾斜角度が調整されることを特徴とする遊技機Ａ３１。
【０４２８】
遊技機Ａ３１によれば、遊技機Ａ３０の奏する効果に加え、第１係合部が複数の揺動片を備えると共にそれら揺動片に対応する位置に配設される介在体受入部を第２係合部が備え、複数の揺動片に対して介在体が着脱可能に形成されるので、複数の揺動片のいずれに介在体を装着するかを選択することで、第１係合部および第２係合部の間に介在する介在体の介在位置を変更することができる。即ち、介在体の介在位置を選択することで、外枠に対する遊技機主部の傾斜角度を調整できる。
【０４２９】
この場合、揺動片が第２係合部に対して近接および離間する方向へ向けて揺動可能に形成されるので、外枠に遊技機主部を取り付ける場合、介在体が介在体受入部に到達するまでは、揺動片の第２係合部から離間する方向への揺動により介在体を後退させることで、外枠に対する遊技機主部の移動を可能としつつ、介在体が介在体受入部に到達した際には、揺動片の第２係合部へ近接する方向への揺動（初期位置への復帰）により、介在体を介在体受入部に受け入れさせることができる。このように、外枠に対して遊技機主部を移動させることで、第１係合部と第２係合部との間に介在体が介在する状態（即ち、外枠側係合部材に対し主部側被軸支部材を連結させた状態）を容易に形成することができるので、遊技機主部を外枠に組み付ける作業の作業性の向上を図ることができる。
【０４３０】
遊技機Ａ３１において、前記第１係合部が配設される主部側被軸支部材または外枠側係合部材の一方が板状体から形成されると共に、その板状体に正面視略Ｕ字状のスリットが開口され、前記正面視略Ｕ字状のスリットに囲まれた部分が前記揺動片とされることを特徴とする遊技機Ａ３２。
【０４３１】
遊技機Ａ３２によれば、遊技機Ａ３１の奏する効果に加え、板状体に正面視略Ｕ字状のスリットが開口され、その正面視略Ｕ字状のスリットに囲まれた部分が揺動片とされるので、揺動片を弾性的に揺動可能とするための構造を簡素化することができる。即ち、板状体（主部側被軸支部材または外枠側係合部材の一方）と揺動片とを一体に形成できるので、これらを別体に形成する場合と比較して、部品点数の削減を図ることができると共に、組立コストを削減でき、その分、遊技機全体としての製品コストの削減を図ることができる。
【０４３２】
遊技機Ａ３１又はＡ３２において、前記第２係合部が配設される主部側被軸支部材または外枠側係合部材の他方が板状体から形成されると共に、その板状体に孔が貫通形成され、その孔が前記介在体受入部とされることを特徴とする遊技機Ａ３３。
【０４３３】
遊技機Ａ３３によれば、遊技機Ａ３１又はＡ３２の奏する効果に加え、第２係合部が配設される主部側被軸支部材または外枠側係合部材の他方が板状体から形成され、その板状体に貫通形成された孔が介在体受入部とされるので、主部側被軸支部材または外枠側係合部材の他方の構造を簡素化すると共に、介在体受入部の形成を容易として、その分、製品コストの削減を図ることができる。
【０４３４】
また、板状体に貫通形成された孔が介在体受入部とされるので、介在体受入部に介在体が受け入れられた状態において、介在体の先端側を介在体受入部の他方の開口から露出させることができる。よって、かかる露出部分を介して、介在体を取り外し方向へ向けて押圧して、揺動片を第２係合部から離間する方向へ揺動させることで、介在体を介在体受入部の外へ後退させる（押し出す）ことができる。これにより、第１係合部と第２係合部との間に介在体が介在しない状態（即ち、外枠側係合部材と主部側被軸支部材との連結を解除した状態）を容易に形成することができるので、遊技機主部を外枠から取り外す作業の作業性の向上を図ることができる。
【０４３５】
遊技機Ａ３３において、前記第１係合部が外枠側係合部材に配設されると共に、前記第２係合部が主部側被軸支部材に配設され、前記揺動片に装着された介在体が前記介在体受入部に受け入れられ、前記第１係合部と第２係合部とが連結された状態では、前記第２係合部が配設される主部側被軸支部材が、前記第１係合部が配設される外枠側係合部材よりも前記外枠の内側に位置し、前記第２係合部の介在体受入部の開口が前記外枠の内側に露出されることを特徴とする遊技機Ａ３４。
【０４３６】
遊技機Ａ３４によれば、遊技機Ａ３３の奏する効果に加え、第２係合部が配設される主部側被軸支部材が外枠の内側に位置し、第２係合部の介在体受入部の開口が外枠の内側に露出されるので、外枠に対して遊技機主部が開放された状態では、露出された介在体受入部の開口を介して介在体を操作する（反対側へ押し出す）ことができる。よって、第１係合部と第２係合部との間に介在体が介在しない状態（即ち、外枠側係合部材と主部側被軸支部材との連結を解除した状態）を容易に形成可能として、遊技機主部を外枠から取り外す作業の作業性の向上を図ることができる。一方、外枠に対して遊技機主部を閉じた状態では、遊技機主部に配設される部品が外枠の枠内に配設され、かかる部品が、第２係合部の介在体受入部の開口に対面されるので、かかる開口を介して介在体が操作されることを困難とできる。
【０４３７】
遊技機Ａ３１からＡ３４のいずれかにおいて、前記第１係合部が配設される主部側被軸支部材または外枠側係合部材の一方が２枚の板状体を重合させて形成され、それら２枚の板状体は、前記第２係合部側に位置する一方の板状体に前記揺動片が配設されると共に、その一方の板状体を挟んで前記第２係合部と反対側に位置する他方の板状体には、前記一方の板状体に重合される側の面における前記揺動片を含む範囲に凹部が凹設されることを特徴とする遊技機Ａ３５。
【０４３８】
遊技機Ａ３５によれば、遊技機Ａ３１からＡ３４のいずれかが奏する効果に加え、第１係合部が配設される主部側被軸支部材または外枠側係合部材の一方が２枚の板状体を重合させて形成されるので、かかる主部側被軸支部材または外枠側係合部材の一方の剛性を高めることができる。この場合、第２係合部側に位置する一方の板状体に揺動片が配設されると共に、他方の板状体には、前記一方の板状体に重合される側の面における揺動片を含む範囲に凹部が凹設されるので、かかる凹部により形成される空間により揺動片の揺動を許容しつつ、他方の板状体が一方の板状体に重合されることにより、他方の板状体により揺動片を遮蔽して、かかる揺動片が操作されることを困難とすることができる。よって、主部側被軸支部材と外枠側係合部材との連結が不正に解除されることを抑制することができる。
【０４３９】
遊技機Ａ０からＡ３５のいずれかにおいて、前記遊技機はスロットマシンであることを特徴とする遊技機Ｄ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４４０】
遊技機Ａ０からＡ３５のいずれかにおいて、前記遊技機はパチンコ遊技機であることを特徴とする遊技機Ｄ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４４１】
遊技機Ａ０からＡ３５のいずれかにおいて、前記遊技機はパチンコ遊技機とスロットマシンとを融合させたものであることを特徴とする遊技機Ｄ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０４４２】
１，４０１，５０１                      パチンコ機（遊技機）
１０，４１０，５１０，６１０，７１０    外枠
１５                                    外枠側連結部材
１５ｃ                                  延設板（被覆部材）
１５ｄ                                  連結軸部
１６                                    外枠側係合部材
１７                                    爪受け部材（施錠基部材）
２０，４２０，５２０                    遊技機主部
３２，７３２                            主部側連結部材
３４                                    支持軸（主部側軸部材または主部側第２軸部材）
３５，２３５，３３５，７３５            主部側被軸支部材（又は主部側第２被軸支部材）
ＣＳ                                    ねじりコイルばね（回動付勢部材）
３６ａ                                  受入穴（受入部）
３３６ａ                                受入凹部（受入部）
３７                                    立設壁（折り返して形成された主部側被軸支部材の一方の縁部）
５４                                    案内溝（案内溝部）
６１ｄ                                  保持突起（規制部材保持手段の一部）
６２                                    スライド片（通過規制部材）
６２ｂ                                  傾斜面
６３                                    コイルばね（規制付勢部材）
７３ａ                                  第１区画壁（案内部材）
７６                                    突出部材
７６ａ１                                先端部（突出部材の突出先端部分）
７６ｂ                                  張出部（被当接部）
７７                                    コイルばね（出没付勢部材）
７８                                    規制板（没入規制部材）
７８ｂ                                  傾斜上面（傾斜面）
８１ａ                                  折り返し片（立設壁および延設壁）
４１６                                  外枠側第２係合部材（または外枠側係合部材）
４１６ｃ                                挿入部
４１６ｃ１                              係止面
４３４，７３４                          第２支持軸（主部側第２軸部材または主部側軸部材）
４３５，５５，７３８                    主部側第２被軸支部材（又は主部側被軸支部材）
４３６                                  係合片
４３６ｃ                                折返し部
５３７，６３７                          縦枠体（接続部材）
６１３                                  内面縦枠体（外枠側係合部材または外枠側第２係合部材）
６１３ａ                                スリット
６１４ａ                                凹部
６１４                                  外面縦枠体（外枠側係合部材または外枠側第２係合部材）
６１５                                  揺動片（傾斜調整手段の一部、第１係合部または第２係合部）
６３７                                  縦枠体（主部側被軸支部材または主部側第２被軸支部材）
６３７ａ                                受入部（傾斜調整手段の一部、第２係合部または第１係合部、介在体受入部）
７７０                                  係合装置（外枠側係合部材の一部）
７８０                                  外壁形成部材（外枠側係合部材の一部）
ＫＤ                                    施錠装置
ＫＤｂ１                                第２係合爪（主部側保持部材、移動体、施錠移動部材の一部）
ＫＤｂ                                  係合爪（移動体、施錠移動部材の一部）
ＳＭ                                    縦材（接続部材）
Ｂ                                      ピン部材（介在体）
【図１】
2020192439.tif 000003
【図２】
2020192439.tif 000004
【図３】
2020192439.tif 000005
【図４】
2020192439.tif 000006
【図５】
2020192439.tif 000007
【図６】
2020192439.tif 000008
【図７】
2020192439.tif 000009
【図８】
2020192439.tif 000010
【図９】
2020192439.tif 000011
【図１０】
2020192439.tif 000012
【図１１】
2020192439.tif 000013
【図１２】
2020192439.tif 000014
【図１３】
2020192439.tif 000015
【図１４】
2020192439.tif 000016
【図１５】
2020192439.tif 000017
【図１６】
2020192439.tif 000018
【図１７】
2020192439.tif 000019
【図１８】
2020192439.tif 000020
【図１９】
2020192439.tif 000021
【図２０】
2020192439.tif 000022
【図２１】
2020192439.tif 000023
【図２２】
2020192439.tif 000024
【図２３】
2020192439.tif 000025
【図２４】
2020192439.tif 000026
【図２５】
2020192439.tif 000027
【図２６】
2020192439.tif 000028
【図２７】
2020192439.tif 000029
【図２８】
2020192439.tif 000030
【図２９】
2020192439.tif 000031
【図３０】
2020192439.tif 000032
【図３１】
2020192439.tif 000033
【図３２】
2020192439.tif 000034
【図３３】
2020192439.tif 000035
【図３４】
2020192439.tif 000036
【図３５】
2020192439.tif 000037
【図３６】
2020192439.tif 000038
【図３７】
2020192439.tif 000039
【図３８】
2020192439.tif 000040
【図３９】
2020192439.tif 000041
【図４０】
2020192439.tif 000042
【図４１】
2020192439.tif 000043
【図４２】
2020192439.tif 000044
【図４３】
2020192439.tif 000045
【図４４】
2020192439.tif 000046
【図４５】
2020192439.tif 000047
【図４６】
2020192439.tif 000048
【図４７】
2020192439.tif 000049
【図４８】
2020192439.tif 000050
【図４９】
2020192439.tif 000051
【図５０】
2020192439.tif 000052
【図５１】
2020192439.tif 000053
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
所定枠を有する取付対象と、その取付対象に対して開閉可能に配設される配設部と、を備えた遊技機において、
前記配設部に挿通される軸部材と、
その軸部材を中心に前記配設部に対して相対回動可能な被係合部材と、
その被係合部材に着脱可能に連結され前記取付対象に配設される係合部材と、を少なくとも備え、
前記係合部材は、
前記被係合部材に対向配置される対向面と、
その対向面に対して交差する方向へ変位可能に構成され前記対向面から前記被係合部材側へ向けて突出する突出部材とを備え、
前記被係合部材は、
前記対向面から突出する前記突出部材を受け入れ可能に形成される受入部を備え、
前記係合部材は、前記突出部材が前記受入部に受け入れられた所定状態で、前記突出部材が前記対向面に対して前記被係合部材の反対側へ変位することを防止可能に構成される防止部材を備え、
前記防止部材の状態は、前記係合部材と前記被係合部材との係合を維持可能な第１状態と、前記係合部材と前記被係合部材との係合を解除可能な第２状態とで変化可能に構成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機等に代表される遊技機に関するものである。
【背景技術】
【０００２】
遊技機のホールへの設置は、ホールの島に設けられた木枠に、釘を用いて固定する方法が一般的である（特許文献１）。
【先行技術文献】
【特許文献】
【０００３】
【特許文献１】特開２００８−１２６００４号公報
【発明の概要】
【発明が解決しようとする課題】
【０００４】
しかしながら、上述した従来の遊技機では、入れ替えを行う際に、工数が嵩むという問題点があった。
【０００５】
本発明は、上記例示した問題点等を解決するためになされたものであり、遊技機の入れ替えを行う際に、その入れ替えに要する工数を低減することができる遊技機を提供することを目的としている。
【課題を解決するための手段】
【０００６】
この目的を達成するために請求項１記載の遊技機は、所定枠を有する取付対象と、その取付対象に対して開閉可能に配設される配設部と、を備えた遊技機であって、前記配設部に挿通される軸部材と、その軸部材を中心に前記配設部に対して相対回動可能な被係合部材と、その被係合部材に着脱可能に連結され前記取付対象に配設される係合部材と、を少なくとも備え、前記係合部材は、前記被係合部材に対向配置される対向面と、その対向面に対して交差する方向へ変位可能に構成され前記対向面から前記被係合部材側へ向けて突出する突出部材とを備え、前記被係合部材は、前記対向面から突出する前記突出部材を受け入れ可能に形成される受入部を備え、前記係合部材は、前記突出部材が前記受入部に受け入れられた所定状態で、前記突出部材が前記対向面に対して前記被係合部材の反対側へ変位することを防止可能に構成される防止部材を備え、前記防止部材の状態は、前記係合部材と前記被係合部材との係合を維持可能な第１状態と、前記係合部材と前記被係合部材との係合を解除可能な第２状態とで変化可能に構成される。
【０００７】
【０００８】
【０００９】
【発明の効果】
【００１０】
本発明によれば、遊技機の入れ替えを行う際に、その入れ替えに要する工数を低減することができる。
【図面の簡単な説明】
【００１１】
【図１】パチンコ機の斜視図である。
【図２】外枠と遊技機主部とに分解した状態を示すパチンコ機の分解斜視図である。
【図３】外枠および内枠の斜視図である。
【図４】外枠および内枠の斜視図である。
【図５】外枠および内枠の斜視図である。
【図６】内枠の斜視図である。
【図７】（ａ）は、外枠側連結部材の上面図であり、（ｂ）は、図７（ａ）の矢印ＶＩＩｂ方向視における外枠側連結部材の側面図である。
【図８】（ａ）は、カバー部材の上面図であり、（ｂ）は、図８（ａ）のＶＩＩＩｂ−ＶＩＩＩｂ線におけるカバー部材の断面図であり、（ｃ）は、図８（ａ）の矢印ＶＩＩＩｃ方向視におけるカバー部材の正面図である。
【図９】（ａ）は、抜け止め部材の上面図であり、（ｂ）は、図９（ａ）のＩＸｂ−ＩＸｂ線における抜け止め部材の断面図である。
【図１０】（ａ）から（ｃ）は、連結動作時における外枠側連結部材および主部側連結部材の上面図である。
【図１１】外枠側連結部材および主部側連結部材の上面図である。
【図１２】（ａ）は、外枠側係合装置および主部側被軸支部材の断面斜視図であり、（ｂ）は、図１２（ａ）の矢印ＸＩＩｂ方向視における外枠側係合装置および主部側被軸支部材の断面図である。
【図１３】（ａ）は、ケース体の背面図であり、（ｂ）は、ケース体の側面図である。
【図１４】突出部材およびコイルばねの正面図である。
【図１５】（ａ）は、規制板の上面図であり、（ｂ）は、図１５（ａ）のＸＶｂ−ＸＶｂ線における規制板の断面図である。
【図１６】（ａ）は、外壁形成部材の上面図であり、（ｂ）は、図１６（ａ）の矢印ＸＶＩｂ方向視における外壁形成部材の正面図である。
【図１７】（ａ）は、図１６（ｂ）のＸＶＩＩａ−ＸＶＩＩａ線における外壁形成部材の断面図であり、（ｂ）は、図１６（ｂ）の矢印ＸＶＩＩｂ方向視における外壁形成部材の側面図である。
【図１８】（ａ）は、主部側被軸支部材の上面図であり、（ｂ）は、図１８（ａ）の矢印ＸＶＩＩＩｂ方向視における主部側被軸支部材の正面図である。
【図１９】図１８（ｂ）のＸＩＸ−ＸＩＸ線における主部側被軸支部材の断面図である。
【図２０】（ａ）は、連結動作時における外枠側係合部材および主部側被軸支部材の斜視図であり、（ｂ）は、図２０（ａ）の矢印ＸＸ方向視における外枠側係合部材および主部側被軸支部材の断面図である。
【図２１】（ａ）は、連結動作時における外枠側係合部材および主部側被軸支部材の斜視図であり、（ｂ）は、図２１（ａ）の矢印ＸＸＩ方向視における外枠側係合部材および主部側被軸支部材の断面図である。
【図２２】（ａ）は、連結動作時における外枠側係合部材および主部側被軸支部材の斜視図であり、（ｂ）は、図２２（ａ）の矢印ＸＸＩＩ方向視における外枠側係合部材および主部側被軸支部材の断面図である。
【図２３】（ａ）は、連結動作時における外枠側係合部材および主部側被軸支部材の斜視図であり、（ｂ）は、図２３（ａ）の矢印ＸＸＩＩＩ方向視における外枠側係合部材および主部側被軸支部材の断面図である。
【図２４】（ａ）は、連結動作時における外枠側係合部材および主部側被軸支部材の斜視図であり、（ｂ）は、図２４（ａ）の矢印ＸＸＩＶ方向視における外枠側係合部材および主部側被軸支部材の断面図である。
【図２５】内枠の回動先端側における背面斜視図である。
【図２６】（ａ）は、第２実施の形態における主部側被軸支部材の上面図であり、（ｂ）は、図２６（ａ）の矢印ＸＸＶＩｂ方向視における主部側被軸支部材の正面図である。
【図２７】図２６（ｂ）のＸＸＶＩＩ−ＸＸＶＩＩ線における主部側被軸支部材の断面図である。
【図２８】第３実施の形態における主部側被軸支部材の斜視図である。
【図２９】外枠側係合部材および主部側被軸支部材の斜視図である。
【図３０】第４実施の形態におけるパチンコ機を外枠と遊技機主部とに分解した状態を示すパチンコ機の分解斜視図である。
【図３１】内枠および外枠の斜視図である。
【図３２】外枠と内枠の構成要素との斜視図である。
【図３３】（ａ）は、内枠の構成要素が連結された状態における外枠の斜視図であり、（ｂ）は、内枠の構成要素が取り外された状態における外枠の斜視図である。
【図３４】（ａ）は、外枠の斜視図であり、（ｂ）は、図３４（ａ）のＸＸＸＩＶｂ−ＸＸＸＩＶｂ線における外枠の断面図であり、（ｃ）は、係合片の斜視図である。
【図３５】（ａ）及び（ｃ）は、連結構造部分の斜視断面図であり、（ｂ）及び（ｄ）は、連結構造部分の側断面図である。
【図３６】（ａ）は、連結構造部分の斜視断面図であり、（ｂ）は、連結構造部分の側断面図である。
【図３７】第５実施の形態におけるパチンコ機を外枠と遊技機主部とに分解した状態を示すパチンコ機の分解斜視図である。
【図３８】外枠および内枠の斜視図である。
【図３９】外枠と内枠の構成要素との斜視図である。
【図４０】内枠の構成要素が連結された状態における外枠の斜視図である。
【図４１】第６実施の形態における外枠と内枠の構成要素との分解斜視図である。
【図４２】外枠と内枠の構成要素との斜視図である。
【図４３】（ａ）は、図４１の矢印Ｗ１方向視における内面縦枠体の部分拡大正面図であり、（ｂ）は、図４３（ａ）のＷ３−Ｗ３線における内面縦枠体の断面図である。
【図４４】（ａ）は、図４１の矢印Ｗ１方向視における外面縦枠体の部分拡大正面図であり、（ｂ）は、図４４（ａ）のＷ４−Ｗ４線における外面縦枠体の断面図である。
【図４５】（ａ）は、図４１の矢印Ｗ４方向視における縦枠体の部分拡大正面図であり、（ｂ）は、図４５（ａ）のＷ５−Ｗ５線における縦枠体の断面図である。
【図４６】外枠と遊技機主部（構成要素）との連結構造を示す連結構造部分の断面図である。
【図４７】内枠の構成要素が連結された状態における外枠の斜視図である。
【図４８】第７実施の形態における内枠の分解斜視図である。
【図４９】外枠の分解斜視図である。
【図５０】外枠および内枠の斜視図である。
【図５１】外枠および内枠の斜視図である。
【発明を実施するための形態】
【００１２】
以下、遊技機の一種であるパチンコ遊技機（以下「パチンコ機」と称す）の一実施の形態について添付図面を参照して説明する。図１は、パチンコ機１の斜視図であり、図２は、パチンコ機１を外枠１０と遊技機主部２０とに分解した状態を示すパチンコ機１の分解斜視図である。なお、図１及び図２では、パチンコ機１の遊技領域ＰＥ内の構成の図示が省略される。また、図１及び図２は、パチンコ機１（外枠１０及び遊技機主部２０）の前面側が図示される。
【００１３】
図１及び図２に示すように、パチンコ機１は、その外殻を形成する外枠１０と、この外枠１０の前面側に取り付けられる遊技機主部２０とを備える。外枠１０は、４枚の板材（上下に位置する上枠体１１及び下枠体１２並びにそれらを連結する左右の左枠体１３及び右枠体１４）を四辺に連結することで、正面視矩形枠状に形成され、島設備の木枠に上枠体１１及び下枠体１２を釘により打ち付けて、固定される。なお、本実施の形態では、上枠体１１及び下枠体１２が木材から形成され、左枠体１３及び左枠体１４が金属製の押出材から形成される。
【００１４】
ここで、パチンコ機１は、図２に示すように、外枠１０と遊技機主部２０とが着脱可能に連結され、外枠１０を島設備の木枠（図示せず）に残したまま、遊技機主部２０を取り外すことができる。よって、パチンコ機１の入れ替え（例えば、古い機種を新しい機種とする新台入れ替え）を行う際には、島設備の木枠に残された古い機種の外枠１０（即ち、既に傾斜角度が調整された外枠１０）を利用して、新しい機種の遊技機主部２０を設置することができる。その結果、パチンコ機１の傾斜角度の調整を不要として、その入れ替えに要する工数を低減できる。
【００１５】
また、外枠１０は、遊技機主部２０を開閉可能な状態で支持する（図３及び図４参照）。図１に示すように、外枠１０に遊技機主部２０が連結され支持された状態では、外枠１０の上枠体１１と左枠体１３との連結部分および下枠体１２と左枠体１３との連結部分により、遊技機主部２０が開閉可能に支持される。遊技機主部２０は、外枠１０に対し、パチンコ機１の正面視で、左側（図１左側）を回動基端側とすると共に右側（図１右側）を回動先端側として、回動可能とされる。
【００１６】
なお、外枠１０は、上枠体１１と左枠体１３との連結部分に配設される外枠側連結部材１５と、下枠体１２の上面に配設される外枠側係合部材１６とを備える。これら外枠側連結部材１５及び外枠側係合部材１６は、外枠１０と遊技機主部２０とを開閉可能かつ着脱可能に連結する機構（連結構造）の一部をなす部材である。連結構造の詳細構成については、後述する。
【００１７】
遊技機主部２０は、ベース体としての内枠３０（図３及び図４参照）と、その内枠３０の前方に配置される前面扉４０と、内枠３０の後方（背面）に配置される裏パックユニット（図示せず）とを備える。なお、遊技機主部２０は、内枠３０が外枠１０に対して回動可能に支持され、内枠３０には、前面扉４０が回動可能に支持される。
【００１８】
この場合、前面扉４０は、内枠３０に対し、パチンコ機１の正面視で、左側（図１左側）を回動基端側とすると共に右側（図１右側）を回動先端側として、回動可能とされる。また、裏パックユニットは、内枠３０に対し、パチンコ機１の正面視で、左側を回動基端側とすると共に右側を回動先端側として、回動可能とされる。
【００１９】
なお、これら前面扉４０及び裏パックユニットは、遊技機主部２０が外枠１０に連結された状態（図１参照）及び遊技機主部２０が外枠１０から取り外された状態（図２参照）のいずれの状態においても、内枠３０に対して回動可能とされる。
【００２０】
前面扉４０は、外形が外枠１０とほぼ同一形状をなす合成樹脂製の枠体を主体として構成され、内枠３０における前面側のほぼ全域を覆う。前面扉４０の枠体の中央部分には、遊技領域ＰＥのほぼ全域を前方から視認することができるようにした略楕円状の窓部４１が形成されており、その窓部４１は、ガラスパネル４２によって前面扉４０の背面側から覆われる。
【００２１】
前面扉４０における窓部４１の周囲には、各種ランプ等の発光手段が設けられる。例えば、窓部４１の縁部に沿ってＬＥＤ等の発光手段を内蔵した電飾部４３が設けられる。電飾部４３では、大当たり時や所定のリーチ時等における遊技状態の変化に応じて点灯や点滅が行われる。例えば、パチンコ機１の最上部には、所定のエラー時に点灯するエラー表示ランプ部４３ａが設けられ、窓部４１の左右両側には、賞球払出中に点灯する賞球ランプ部４３ｂが設けられる。また、窓部４１の周囲には、遊技状態に応じた効果音などが出力されるスピーカ部４４が複数設けられる。
【００２２】
前面扉４０における窓部４１の下方には、手前側へ膨出した上側膨出部４５と下側膨出部４６とが上下に並設される。上側膨出部４５の内側には上方に開口した上皿４５ａが、下側膨出部４６の内側には上方に開口した下皿４６ａが、それぞれ設けられる。上皿４５ａは、払出装置（図示せず）より払い出された遊技球を一旦貯留し、一列に整列させながら遊技球発射機構側（図示せず）へ導く機能を有する。また、下皿４６ａは、上皿４５ａ内にて余剰となった遊技球を貯留する機能を有する。
【００２３】
なお、前面扉４０の背面には、通路形成ユニット（図示せず）が取り付けられる。通路形成ユニットは、合成樹脂により成形され、その上側隅部には後方に突出し上方に開放された受口が形成される。受口には、上皿４５ａに通じる通路と、下皿４６ａに通じる通路とが、それぞれ形成される。また、前面扉４０の前面には、下側膨出部４６の側方において手前側へ突出するようにして遊技球発射ハンドル４７が設けられる。遊技球発射ハンドル４７が操作されることにより、遊技球発射機構から遊技球が発射される。
【００２４】
次いで、図３及び図４を参照して、内枠３０について説明する。図３及び図４は、外枠１０及び内枠３０の斜視図であり、外枠１０に対し内枠３０が開閉可能に連結され、かつ、外枠１０に対し内枠３０が開放された状態が図示される。なお、図３及び図４では、前面扉４０及び裏パックユニット等の図示が省略される。また、図３では、外枠１０の前面側が図示されると共に内枠３０の背面側が図示され、図４では、外枠１０及び内枠３０の両者において前面側が図示される。
【００２５】
図３及び図４に示すように、内枠３０は、外形が外枠１０とほぼ同一形状をなす正面視略矩形状の樹脂ベース３１を主体に構成される。樹脂ベース３１における回動基端側（外枠１０に連結される側）には、上端部に主部側連結部材３２が、下端部に支持金具３３が、それぞれ配設される。支持金具３３には、支持軸３４を介して、主部側被軸支部材３５が回動可能に軸支される。
【００２６】
なお、これら主部側連結部材３２及び主部側被軸支部材３５は、外枠１０と遊技機主部２０とを開閉可能かつ着脱可能に連結する機構（連結構造）の一部をなす部材である。即ち、主部側連結部材３２は外枠１０の外枠側連結部材１５に、主部側被軸支部材３５は外枠１０の外枠側係合部材１６に、それぞれ連結される。連結構造の詳細構成については、後述する。
【００２７】
ここで、前面扉４０の背面における回動基端側（内枠３０に連結される側）には、内枠３０の主部側連結部材３２及び支持金具３３に対応して支持軸と軸穴とが形成される（いずれも図示せず）。内枠３０の主部側連結部材３２（カバー部材５０）には軸穴５２ａが形成されると共に支持金具３３には支持軸３４が配設され、それら軸穴５２ａ及び支持軸３４に前面扉４０の支持軸および軸穴がそれぞれ軸支されることで、内枠３０に対して前面扉４０が回動可能に支持される。
【００２８】
内枠３０の回動先端側（外枠１０に連結される側と反対側）には、長尺状の施錠装置ＫＤが樹脂ベース３１の右枠体部分に沿って配設される。施錠装置ＫＤは、パチンコ機１の前面側にキーの挿入孔が露出するシリンダ錠ＫＤａと、そのシリンダ錠ＫＤａのキー操作に伴って変位動作される施錠動作部材とを備える。
【００２９】
ここで、前面扉４０の背面における回動先端側には、内枠３０へ向けて延びる複数の係合爪が配設されると共に、外枠１０の右枠体１４の内側面には、内枠３０側に開放する開口を有する箱状の爪受け部材１７が複数配設される。一方、施錠装置ＫＤの施錠動作部材は、前面扉４０の係合爪に係合可能な被係合部（図示せず）と、外枠１０の爪受け部材１７に係合可能な係合爪ＫＤｂとを備える。
【００３０】
外枠１０に対して遊技機主部２０を閉じた状態では（図１参照）、前面扉４０の係合爪が、施錠装置ＫＤの施錠動作部材における被係合部に係合されると共に、施錠動作部材における係合爪ＫＤｂが、外枠１０の爪受け部材１７に係合され、これにより、前面扉４０が内枠３０に対して開放不能な状態で施錠されると共に、遊技機主部２０（内枠３０及び前面扉４０）が外枠１０に対して開放不能な状態で施錠される。この場合、シリンダ錠ＫＤａのキー操作により、前面扉４０を内枠３０に対して、或いは、遊技機主部２０（内枠３０）を外枠１０に対して、それぞれ個別に解錠可能とされる。
【００３１】
内枠３０の樹脂ベース３１における前面側には、図４に示すように、遊技盤収容部３８が形成され、その遊技盤収容部３８に遊技盤がロック装置を介して着脱可能に収容される。内枠３０の樹脂ベース３１における背面側には、図３に示すように、その回動基端側（外枠１０に連結される側）に、軸受金具３９が取着され、その軸受金具３９により裏パックユニットが回動可能に軸支される。
【００３２】
また、内枠３０の樹脂ベース３１における背面側には、図３に示すように、その上端側に棒状のハンドルｈｄが取着される。ハンドルｈｄは、樹脂ベース３１の背面側へ突出されており、把持可能に形成される。よって、ハンドルｈｄを把持することで、内枠３０（遊技機主部２０）の搬送を効率的に行うことができる。なお、外枠１０の上枠体１１には、ハンドルｈｄを収納可能な凹部１１ａが凹設されると共に、その凹部１１ａに対応する領域を覆う封止板１１ｂが上枠体１１の下面に配設される（図１及び図２参照）。
【００３３】
次いで、図５から図２４を参照して、外枠１０と遊技機主部２０とを開閉可能かつ着脱可能に連結するための連結構造について説明する。まず、図５及び図６を参照して、連結構造の概略について説明する。
【００３４】
図５は、外枠１０及び内枠３０の斜視図であり、外枠１０から内枠３０が取り外されると共に連結構造の一部が分解された状態が図示される。図６は、内枠３０の斜視図であり、内枠３０に対して主部側被軸支部材３５が開かれた状態が図示される。なお、図５及び図６では、前面扉４０及び裏パックユニット等の図示が省略される。また、図５では、外枠１０及び内枠３０の前面側が図示され、図６では、内枠３０の背面側が図示される。
【００３５】
連結構造は、外枠１０に配設される外枠側連結部材１５及び外枠側係合部材１６と、内枠３０に配設される主部側連結部材３２及び主部側被軸支部材３５とを備え、外枠側連結部材１５に主部側連結部材３２を、外枠側係合部材１６に主部側被係止部材３５を、それぞれ連結（係合）させることで、外枠１０に内枠３０（遊技機主部２０、図２参照）が開閉可能かつ着脱可能に連結される。
【００３６】
よって、上述したように、外枠１０を島設備の木枠に傾斜角度を調整した上で取り付けた後は、例えば、パチンコ機１の新台入れ替えを行う際、島設備の木枠に残された古い機種の外枠１０を利用して、新しい機種の遊技機主部２０を設置することができる。その結果、パチンコ機１の傾斜角度の調整を不要として、その新台入れ替えに要する工数を低減できる。
【００３７】
この場合、外枠１０に対して遊技機主部２０を組み付ける場合には、遊技機主部２０を外枠１０の正面に配置し（図２参照）、その状態から遊技機主部２０を外枠１０へ向けて真直ぐ直線方向へ押し込むことで、連結構造が連結状態となり、外枠１０に対して遊技機主部２０を開閉可能に連結させることができる。また、外枠１０から遊技機主部２０を取り外す場合には、連結構造を解除状態に設定した後、外枠１０から遊技機主部２０を真直ぐ直線方向に引き抜くことができる。よって、外枠１０に対し遊技機主部２０を着脱（組み付け及び取り外し）する際の作業性の向上を図ることができる。
【００３８】
また、遊技機主部２０を新たな機種として設計する場合、内枠３０の支持金具３３と主部側被軸支部材３５とを軸支する支持軸３４については、外枠１０（即ち、古い機種としての外枠１０）との関係を考慮する必要がなく、その設計の自由度を高めることができる。即ち、主部側連結部材３２は、外枠１０側の外枠側連結部材１５との間で回動可能な支持構造を構成するので、外枠１０との関係を考慮する必要があり、その設計に制約が生じる。これに対し、本実施の形態では、主部側被軸支部材３５が、外枠１０側の外枠側係合部材１６に対して連結（係合）可能な構造とされていれば足り、支持軸３４を、外枠１０（外枠側係合部材１６）との関係で設計する必要がない。よって、設計の自由度を確保できる。その結果、例えば、支持軸３４近傍における前面扉４０の意匠性の向上を図ることができる。
【００３９】
なお、主部側被軸支部材３５は、内枠３０の支持金具３３に対し支持軸３４を介して回動可能に軸支されるため、かかる主部側被軸支部材３５を、図６に示すように、内枠３０に対して相対回動させて、開いた状態とすることができる。即ち、内枠３０と主部側被軸支部材３５との配置関係を、略く字状とすることができるので、内枠３０を単独で（即ち、外枠１０から分離した状態であっても）自立させることができる。遊技機主部２０においても同様に主部側被軸支部材３５を利用して自立させることができる。
【００４０】
ここで、外枠１０に遊技機主部２０が連結された状態であれば（図１参照）、外枠１０の下枠体１２の底面を利用して、パチンコ機１を自立させることが可能である。しかしながら、外枠１０から遊技機主部２０を分離した状態では（図２参照）、外枠１０は、同様に自立させることが可能であるが、遊技機主部２０は、十分な面積を有する平坦面状の底面を有さないため、自立させることができない。
【００４１】
この場合、内枠３０を自立可能とするために、内枠３０の樹脂ベース３１の底面を平坦面として形成する構造では、底面近傍が部分的に厚肉となり、樹脂ベース３１成形時の成形不良を招きやすい。また、平坦面を形成すると、その分、基板装置などの配設スペースの減少を招く。
【００４２】
これに対し、本実施の形態では、外枠１０に配設される外枠側係合部材１６との連結要素として必要な構成（主部側被軸支部材３５）に、自立のための役割も兼用させることができる。よって、新たな部品の追加を不要として、部品コストの削減を図ることができる。また、樹脂ベース３１の底面に平坦面を追加する必要もないので、その成形性を確保することができる。
【００４３】
次いで、連結構造を構成する各部の詳細構成について、図５及び図６を参照して、説明する。図５に示すように、外枠側連結部材１５は、外枠１０の上枠体１１及び左枠体１３の連結部分に配設され、内枠３０へ向けて突出して形成される。ここで、図７を参照して、外枠側連結部材１５について説明する。
【００４４】
図７（ａ）は、外枠側連結部材１５の上面図であり、図７（ｂ）は、図７（ａ）の矢印ＶＩＩｂ方向視における外枠側連結部材１５の側面図である。
【００４５】
図７（ａ）及び図７（ｂ）に示すように、外枠側連結部材１５は、上面板１５ａと、その上面板１５ａと略垂直をなす側面板１５ｂと、上面板１５ａから水平に延設される延設板１５ｃと、その延設板１５ｃの延設先端に固着される軸状の連結軸部１５ｄとを主に備えて構成される。
【００４６】
上面板１５ａ及び側面板１５ｂは、外枠１０の上枠体１１及び左枠体１３（図５参照）にそれぞれ締結ねじにより締結固定される板状の部材であり、締結ねじを挿通させるための挿通孔がそれぞれ２箇所に穿設される。延設板１５ｃは、外枠１０への取り付け状態において、外枠１０の前面側（内枠３０側、図５参照）へ向けて延設され、連結軸部１５ｄは、延設板１５ｃの下面から下方へ向けて突設される。
【００４７】
なお、連結軸部１５ｄは、内枠３０の支持軸３４（支持金具３３に主部側被軸支部材３５を軸支する軸）と同軸上に配置される。また、外枠連結部材１５は、プレス加工により、一枚の金属材料からなる板状体を所定の外形形状に打ち抜くと共にその打ち抜き材を上面板１５ａと側面板１５ｂとの間で折り曲げた後、延設板１５ｃに連結軸部１５ｄを圧入固定して形成される。板状体の打ち抜きの際には、外形形状の形成と同時に挿通孔も穿設される。
【００４８】
本実施の形態では、外枠側連結部材１５が、上枠体１１と左枠体１３とを接続して外枠１０を形成するための強度部材としての役割と共に、外枠１０に内枠３０を着脱可能かつ開閉可能に連結するための連結構造の一部としての役割も兼用する。これにより、製品コストの削減を図ることができる。
【００４９】
図５及び図６に戻って説明する。図５及び図６に示すように、主部側連結部材３２は、内枠３０の回動基端側（図５左側）における上端部に配設され、外枠１０と反対側（即ち、前面扉４０側、図１参照）へ向けて突出する状態で、樹脂ベース３１に締結ねじにより締結固定される。この主部側連結部材３２は、図５に示すように、カバー部材５０と、抜け止め部材６０とから構成される。ここで、図８及び図９を参照して、主部側連結部材３２を構成するカバー部材５０及び抜け止め部材６０について説明する。
【００５０】
図８（ａ）は、カバー部材５０の上面図であり、図８（ｂ）は、図８（ａ）のＶＩＩＩｂ−ＶＩＩＩｂ線におけるカバー部材５０の断面図であり、図８（ｃ）は、図８（ａ）の矢印ＶＩＩＩｃ方向視におけるカバー部材５０の正面図である。なお、図８（ａ）から図８（ｃ）において、便宜上、図８（ｂ）のみに樹脂ベース３１が図示され、図８（ａ）及び図８（ｃ）では樹脂ベース３１の図示が省略される。
【００５１】
図８（ａ）から図８（ｃ）に示すように、カバー部材５０は、上面板５１と、その上面板５１と所定間隔を隔てつつ対向配置される底面板５２と、それら上面板５１及び底面板５２の縁部同士を接続する接続板５３とから構成される。
【００５２】
上面板５１は、図８（ａ）に示す上面視において、接続板５３から離間する方向（図８（ａ）下方）へ向かうに従って幅寸法（図８（ａ）左右方向寸法）が小さくなる台形形状に形成される。また、上面板５１は、図８（ｂ）に示す側面視において、段差を有する階段状に形成され、接続板５３側（台形形状の底辺側）となる部分である上面板基部５１ａに対し、接続板５３と反対側（台形形状の上辺側）となる部分である上面板先部５１ｂが、一段高くされる。上面板先部５１ｂの下面側（図８（ｂ）下側）には、抜け止め部材６０（図９参照）が配設される。
【００５３】
上面板５１には、図８（ａ）及び図８（ｂ）に示すように、直線状に延設される案内溝５４と、その案内溝５４の途中から分岐すると共に案内溝５４と直交する方向へ直線状に延設される分岐溝５５とが開口形成される。
【００５４】
案内溝５４は、外枠１０と内枠３０とを連結する際に、外枠１０に配設される外枠側連結部材１５の連結軸部１５ｄを受け入れると共に終端で軸支するための部位であり、その案内溝５４の終端（図８（ａ）下端）は、受け入れた外枠側連結部材１５の連結軸部１５ｄ（図７参照）を内枠３０に配設される支持軸３４（図５参照）と同軸上に軸支する位置に設定される。また、案内溝５４の延設方向（直線方向）は、内枠３０の枠面に垂直な方向とされる。
【００５５】
底面板５２は、接続板５３から離間する方向（図８（ｃ）紙面手前側）へ向かうに従って幅寸法（図８（ｃ）左右方向寸法）が小さくなる三角形状に形成され（図４参照）、その先端側には、図８（ｂ）に示すように、前面扉４０の支持軸（図示せず）を軸支するための軸穴５２ａが穿設される。また、接続板５３には、締結ねじを挿通するための挿通孔が２ヶ所に穿設される。
【００５６】
樹脂ベース３１には、その背面側（図８（ｂ）右側）と前面側（図８（ｂ）左側）とを連通させる開口３１ａが貫通形成されており、その開口３１ａには、カバー部材５０の底面板５２が挿通される。即ち、カバー部材５０は、図８（ｂ）に示すように、底面板５２を開口３１ａに挿通させつつ、樹脂ベース３１の背面側から装着され、接続板５３の挿通孔から挿通された締結ネジにより樹脂ベース３１に締結固定される。
【００５７】
このカバー部材５０の樹脂ベース３１への装着状態では、図８（ｂ）に示すように、上面板５１の上面板先部５１ｂ及び底面板５２の軸穴５２ａ形成部分が少なくとも樹脂ベース３１の前面側（図８（ｂ）左側）に突出される。これにより、底面板５２の軸穴５２ａに、前面扉４０の支持軸（図示せず）が軸支可能となり、この軸支により、内枠３０に対して前面扉４０が回動可能に支持される。
【００５８】
このように、底面板５２の上面には、前面扉４０の部材（支持軸が配設される部材）が配置されるため、抜け止め部材６０（図９参照）は、上面板５１の上面板先部５１ａの下面側と前面扉４０の部材の上面側との対向面間に挟まれて、保持される。
【００５９】
なお、カバー部材５１は、プレス加工により、一枚の金属材料からなる板状体を所定の外形形状に打ち抜くと共にその打ち抜き材を所定部位（上面板基部５１ａと上面板先部５１ｂとの間、上面板５１と接続板５３との間および底面板５２と接続板５３との間）で折り曲げ形成される。なお、板状体の打ち抜きの際には、外形形状の形成と同時に上面板５１への両溝５４，５５の開口および接続板５３への挿通孔の穿設も行われる。
【００６０】
図９（ａ）は、抜け止め部材６０の上面図であり、図９（ｂ）は、図９（ａ）のＩＸｂ−ＩＸｂ線における抜け止め部材６０の断面図である。図９（ａ）及び図９（ｂ）に示すように、抜け止め部材６０は、上面側（図９（ａ）紙面手前側）が開放した箱状のケース体６１と、そのケース体６１内に移動可能に配設されるスライド片６２と、そのスライド片６２に付勢力を付与するコイルばね６３とを備えて構成される。
【００６１】
ケース体６１は、案内通路６１ａと、軸出入口６１ｂと、規制溝６１ｃ、保持突起６１ｄとを備える。案内溝６１ａは、スライド片６２を案内するための溝状の通路であり、ケース体６１の底壁（図９（ａ）紙面奥側の板）の外周縁部に沿って立設される外壁および内部に立設される内壁によって、直線状に延設される。
【００６２】
なお、外壁および内壁の立設寸法（図９（ｂ）上下方向寸法）は、スライド片６２の高さ寸法（図９（ｂ）上下方向寸法）よりも若干高くされる。また、ケース体６１は、図９（ａ）に示す上面視形状が、カバー部材５０の上面板５１における上面板先部５１ｂ（図８参照）と略同一の外形に形成される。
【００６３】
よって、ケース部材５０に抜け止め部材６０が保持された状態（上面板先部５１ｂの下面側にケース体６１の上面側（外壁および内壁の立設先端側）を当接させた状態）では、スライド片６２が案内通路６１ａに沿って移動可能とされる。また、上面板先部５１ｂとケース体６１の底壁との間には、外枠側連結部材１５の連結軸部１５ｄ（図７参照）が、カバー部材５０の案内溝５４に沿って移動する通過経路が形成される。なお、案内通路６１ａは、連結軸部１５ｄの通過経路（即ち、案内溝５４、図８（ａ）参照）に対して垂直な直線状に形成される。
【００６４】
軸出入口６１ｂは、外枠側連結部材１５の連結軸部１５ｄを通過させるための開口であり、ケース体６１の外壁の一部（カバー部材５０の案内溝５４に対応する部分）に開口形成される。これにより、外枠側連結部材１５の連結軸部１５ｄが、カバー部材５０の案内溝５４に沿って移動可能とされる。
【００６５】
規制溝６１ｃは、スライド片６２の案内通路６１ａに沿った移動位置を規制するための溝であり、ケース体６１の底壁に案内通路６１ａに沿って直線状に延設される。この規制溝６１ｃには、スライド片６２の底面から突設される規制突起６２ｃが挿通され、その規制突起６２ｃが規制溝６１ｃの終端（図９（ｂ）左端）に達することで、スライド片６２の前進移動を規制する。
【００６６】
保持突起６１ｄは、ケース体６１の外壁の内周面から案内通路６１ａ内へ向けて（即ち、スライド片６２の側面へ向けて）突設される半球状の突起として形成される。スライド片６１ｄの側面には、保持突起６１ｄに対応する位置に半球状の凹部（図示せず）が形成され、その凹部に保持突起６１ｄが嵌り込む位置までスライド片６２が後退移動されると、スライド片６２がその位置で保持される。
【００６７】
スライド片６２は、上面視菱形形状に形成され、案内通路６１ａ内に移動可能に配設される。スライド片６２の上面からは、円柱状の突起部６２ａが突設される。突起部６２ａは、カバー部材５０の分岐溝５５（図８（ａ）参照）内に操作可能に挿通される（図１０参照）。よって、作業者は、分岐溝５５に挿通された突起部６２ａを操作することで、スライド片６２を案内通路６１ａに沿って前進または後退させることができる。
【００６８】
コイルばね６３は、その圧縮方向をスライド片６２の移動方向に沿わせた状態で、案内通路６１ａ内に配設される。スライド片６２は、このコイルばね６３と反対側となる部分（即ち、連結軸部１５ｄ（図１０参照）の通過経路に突出する部分）に、傾斜した平坦面として形成される傾斜面６２ｂを備える。
【００６９】
傾斜面６２ｂは、軸出入口６１ｂから離間する方向（即ち、連結軸部１５ｄが案内溝５４の終端へ向かって移動する方向、図９下方）へ向かうに従って、連結軸部１５ｄの通過経路への突出量が多くなるように傾斜される。よって、連結軸部１５ｄの案内溝５４への挿入時には、連結軸部１５ｄに傾斜面６２ｂが押圧されることで、スライド片６２が、コイルばね６３を圧縮変形させつつ、後退移動される。
【００７０】
なお、スライド片６２は、規制突起６２ｃがケース体６１の規制溝６１ｃの終端に当接することで、その前進移動が規制された状態（即ち、図９（ａ）及び図９（ｂ）に示す状態）では、傾斜面６２ｂの縁部（図９（ａ）左側）が、軸出入口６１ｂの縁部（図９（ａ）左側）に一致する。よって、軸出入口６１ｂから挿入された連結軸部１５ｄを傾斜面６２ｂに確実に当接させることができる。
【００７１】
また、このスライド片６２の前進移動が規制された状態では、コイルばね６３は、弾性的に圧縮変形された状態で、ケース体６１の外壁とスライド片６２との間に配設される。よって、連結軸部１５ｄが傾斜面６２ｂの押圧によりスライド片６２を後退移動させつつ通過して、案内溝５４の終端まで達した後は、スライド片６２を確実に復帰（前進移動）させ、連結軸部１５ｄの脱落を防止する。
【００７２】
また、スライド片６２は、連結軸部１５ｄの通過時に傾斜面６２ｂが押圧され、後退移動されるが、この連結軸部１５ｄの通過に伴う後退移動では、上述した保持突起６２ｄによる保持位置には達しない。即ち、スライド片６２を所定の後退位置で保持突起６２により保持させるためには、作業者が突起部６２ａを操作してスライド片６２を後退移動させる必要がある。
【００７３】
図５及び図６に戻って説明する。外枠１０に配設される外枠側連結部材１５と内枠３０（遊技機主部２０）に配設された主部側連結部材３２との連結は、図５に示すように、外枠１０の正面に内枠３０（遊技機主部２０）を対面配置し、その状態から、外枠１０へ向けて内枠３０を真直ぐに押し込むことで行うことができる。ここで、図１０及び図１１を参照して、外枠１０に配設される外枠側連結部材１５と内枠３０に配設される主部側連結部材３２との間の連結動作について説明する。
【００７４】
図１０（ａ）から図１０（ｃ）は、連結動作時における外枠側連結部材１５及び主部側連結部材３２の上面図であり、図１０（ａ）は連結動作の開始時を、図１０（ｂ）は連結動作の途中を、図１０（ｃ）は連結動作の終了時を、それぞれ示している。また、図１１は、外枠側連結部材１５及び主部側連結部材３２の上面図であり、１０（ｃ）に示す連結動作の終了後に外枠１０に対して遊技機主部２０を開放した状態を示している。なお、図１０及び図１１では、図面を簡素化するために、主要な構成のみに符号を付している。
【００７５】
図１０（ａ）に示すように、外枠１０の正面に遊技機主部２０が対面配置された状態から、外枠１０へ向けて遊技機主部２０が押し込まれると、外枠側連結部材１５の連結軸部１５ｄが、主部側連結部材３２の案内溝５４に沿って移動され、スライド片６２の傾斜面６２ｂに当接される。遊技機主部２０が更に押し込まれると、連結軸部１５ｄは、図１０（ｂ）に示すように、傾斜面６２ｂを押圧することで、スライド片６２を後退移動させつつ、案内溝５４を通過し、図１０（ｃ）に示すように、案内溝５４の終端に達し、外枠側連結部材１５及び主部側連結部材３２の連結動作が完了する。
【００７６】
この場合、スライド片６２が、コイルばね６３の弾性回復力により初期位置へ復帰（前進移動）されるので、連結軸部１５ｄの抜き取り（脱落）が防止される。即ち、外枠側連結部材１５と主部側連結部材３２との連結が解除されることが防止される。
【００７７】
ここで、上述したように、案内溝５４の延設方向（直線方向）は、内枠３０（遊技機主部２０）の枠面に垂直な方向とされる。よって、外枠１０の正面に遊技機主部２０が対面配置された状態では、主部側連結部材３２を外枠側連結部材１５に連結する方向を、外枠１０の枠面に対して垂直な方向とすることができる。これにより、遊技機主部２０を外枠１０に対し正面に配置した後は、そのまま真直ぐに直線方向へ押し込む動作のみで、遊技機主部２０を外枠１０に組み付けることができる。よって、遊技機主部２０を外枠１０に組み付ける際の作業性の向上を図ることができる。
【００７８】
本実施の形態では、外枠１０に対して遊技機主部２０が閉じられた状態では、図１０（ｃ）に示すように、外枠側連結部材１５によってスライド片６２の突起部６２ａが上面側から覆い隠される。よって、スライド片６２の突起部６２の操作を困難として、スライド片６２が遊技者などによって後退移動されることを抑制できる。その結果、外枠側連結部材１５と主部側連結部材３２との間の連結が不正に解除されることを抑制できる。
【００７９】
一方で、図１１に示すように、外枠１０に対して遊技機主部２０を開放した状態では、スライド片６２の突起部６２ａは、外枠側連結部材１５によって上面側から覆い隠されず、外部に露出された状態とすることができる。即ち、施錠装置ＫＤを開錠して、遊技機主部２０を開放できる店員等は、突起部６２ａを操作することができ、その結果、外枠側連結部材１５と主部側連結部材３２との間の連結の解除を行うことができる。
【００８０】
ここで、図１１に示す状態において、スライド片６２の突起部６２ａを操作して、スライド片６２を所定位置まで後退移動させると、かかるスライド片６２をケース体６１の保持突起６１ｄによって保持することができる。即ち、スライド片６２による規制を解除して、連結軸部１５ｄを案内溝５４に沿って抜き取り可能な状態を形成し、かつ、その状態を維持することができる。
【００８１】
よって、例えば、スライド片６２が初期位置へ復帰することを防止するべく、突起部６２ａを片方の手で保持しつつ、遊技機主部２０を外枠１０から取り外すという煩雑な作業を行う必要がない。具体的には、スライド片６２を保持突起６１ｄにより保持させた後は、遊技機主部２０を閉じれば、外枠側連結部材１５と主部側連結部材との連結が解除可能な状態となっているので、外枠１０に対して遊技機主部２０を取り付け時とは反対となる方向へ引き抜くことで、遊技機主部２０を外枠１０から取り外すことができる。
【００８２】
なお、外枠側連結部材１５と主部側連結部材３２との連結時には、連結軸部１５ｄがスライド片６２の傾斜面６２ｂを押圧することで、スライド片６２を後退移動させるが、この後退移動によっては、上述したように、スライド片６２は、保持突起６１ｄにより保持される位置には達しない。よって、コイルばね６３の弾性回復力により、スライド片６２を確実に初期位置へ復帰（前進移動）させることができる。
【００８３】
図５及び図６に戻って説明する。図５に示すように、外枠側係合部材１６は、外枠１０の下枠体１２上に配設され、その上面から突出部材７６が出没する。外枠１０に遊技機主部２０が取り付けられると、外枠側係合部材１６の上面に、遊技機主部２０側の主部側被軸支部材３５が配置され、その主部側被軸支部材３５の受入穴３６ａに外枠側係合部材１６の突出部材７６が挿通されることで、両者が係合される（図２２参照）。
【００８４】
外枠側係合部材１６は、箱状に形成される複数（本実施の形態では５個）の係合装置７０と、それら係合装置７０の群の周囲を覆うように配設され外枠側係合部材１６の外壁を形成する外壁形成部材８０とを備える。各係合装置７０は、外枠１０（下枠体１２）の左右方向に沿って等間隔に直線状に並設される。ここで、図１２から図１７を参照して、外枠側係合部材１６について説明する。
【００８５】
図１２（ａ）は、外枠側係合装置１６及び主部側被軸支部材３５の断面斜視図であり、図１２（ｂ）は、図１２（ａ）の矢印ＸＩＩｂ方向視における外枠側係合装置１６及び主部側被軸支部材３５の断面図である。
【００８６】
なお、図１２（ａ）及び図１２（ｂ）では、遊技機主部２０の図示を省略し、主部側被軸支部材３５を単独で図示する。この場合、図１２（ａ）及び図１２（ｂ）は、外枠１０の正面に対向配置された遊技機主部２０を、外枠１０へ向けて押し込み、組み付け作業を行う直前の状態に対応する。
【００８７】
また、図１２ａ（ａ）及び図１２（ｂ）は、ケース体７１Ｒの側面であって、ケース体７１Ｌとの合わせ面となる側面が図示される。この場合、理解を容易とするために、ケース体７１Ｒの側面（合わせ面）にハッチングを付して図示する。このハッチングの付与は、図１３（ｂ）及び図２０から図２２において同様である。
【００８８】
図１２（ａ）及び図１２（ｂ）に示すように、係合装置７０は、箱状体を形成するケース体７１Ｒ，７１Ｌと、そのケース体７１Ｒ，７１Ｌにより形成される箱状体の内部空間に収納されると共に先端を外壁形成部材８０の上面から出没可能とされる突出部材７６と、その突出部材７６を突出方向へ向けて付勢するコイルばね７７と、突出部材７６の没入方向への移動を規制する規制板７８とを主に備える。
【００８９】
ここで、図１３を参照して、ケース体７１Ｒ，７１Ｌについて説明する。図１３（ａ）は、ケース体７１Ｒ，７１Ｌの背面図であり、図１３（ｂ）は、ケース体７１Ｒの側面図である。なお、図１３（ａ）では、ケース体７１Ｒ，７１Ｌの組み立て状態が図示される。また、図１３（ｂ）では、ケース体７１Ｒの側面であって、ケース体７１Ｌとの合わせ面となる側面がハッチングを付して図示される。
【００９０】
図１３（ａ）及び図１３（ｂ）に示すように、ケース体７１Ｒ，７１Ｌは、合わせ面側が開放する容器状に形成され、互いの合わせ面同士を当接させることで、内部空間を有する箱状体を形成する。なお、ケース体７１Ｒ，７１Ｌは、合わせ面を対称面とする対称形状に形成されるので、ここでは、ケース体７１Ｒについて説明し、ケース体７１Ｌについての説明は省略する。
【００９１】
ケース体７１Ｒは、箱状体の前面を形成する前壁（図１３（ｂ）左側）と、その前壁に対向配置され箱状体の背面を形成する後壁（図１３（ｂ）右側）と、それら前壁および後壁を連結し箱状体の上面および底面を形成する上壁（図１３（ｂ）上側）及び底壁７４と、箱状体の側面を形成する側壁（図１３（ｂ）紙面奥側）と、内部空間を上下に区画する第１区画壁７３ａ及び第２区画壁７３ｂと、内部空間を前後に区画する縦壁７３ｃとを備え、これら各壁が樹脂材料から一体に形成される。なお、これら各壁の板厚は、それぞれ略同一の寸法に設定される。
【００９２】
前壁および後壁には、膨出部７２がそれぞれ突設され、その膨出部７２には、締結ボルトＢ１を挿通するための挿通孔７２ａが穿設される。よって、図１３（ａ）に示すように、挿通孔７２ａに挿通した締結ボルトＢ１を、ナットＮ１を螺合することで、ケース体７１Ｒ，７１Ｌを強固に一体化することができる。
【００９３】
第１区画壁７３ａ及び第２区画壁７３ｂは、前壁、後壁および側壁を連結しつつ、上壁および底壁７４の間に水平姿勢で配置される板状体であり、内部空間を上下に３つの空間に区画する。縦壁７３ｃは、上壁、底壁７４及び側壁を連結しつつ、前壁および後壁の間に縦姿勢で配置される板状体であり、内部空間を前後に２つの空間に区画する。
【００９４】
上壁、第1区画壁７３ａ及び第２区画壁７３ｂには、保持部ｈ１，ｈ２，ｈ３がそれぞれ形成される。保持部ｈ１，ｈ２，ｈ３は、突出部材７６（図１２参照）を軸方向へ移動可能に保持するために上壁等に凹設された部位であり、同軸上に配置される。これらケース体７１Ｒの保持部ｈ１，ｈ２，ｈ３は、突出部材７６を保持する際の軸方向視において半円形状に形成され、これらと同様に半円形状に形成されるケース体７１Ｒの保持部ｈ１，ｈ２，ｈ３（図示せず）と向かい合わせに配置されることで、円形を形成する。
【００９５】
なお、保持部ｈ１，ｈ２により形成される円形の内径は、突出部材７６の本体部７６ａにおける大径部の外径よりも若干大きくされ、かつ、張出部７６ｂ及び環状板７６ｃの外径よりも小さくされる。また、保持部ｈ３により形成される円形の内径は、突出部材７６の本体部７６ａにおける小径部の外径よりも若干大きくされ、かつ、コイルばね７７の外径よりも小さくされる（図１４参照）。
【００９６】
前壁、縦壁７３ｃ及び後壁には、上壁と第１区画壁７３ａとの間に位置する部分に、受入部ｍ１，ｍ２，ｍ３がそれぞれ形成される。受入部ｍ１，ｍ２，ｍ３は、規制板７８（図１２参照）を前後（図１３（ｂ）左右方向）へ移動させる通路を形成すると共に前方へ押し込まれた規制板７８を収容する空間を形成するために前壁等に凹設された部位である。これらケース体７１Ｒの受入部ｍ１，ｍ２，ｍ３は、ケース体７１Ｒの受入部ｍ１，ｍ２，ｍ３（図示せず）と向かい合わせに配置されることで、図１３（ａ）に示すように、規制板７８の外形に対応する横長の矩形形状を形成する。
【００９７】
底壁７４は、後壁に連設される後側底壁７４ａと、前壁に連設される前側底壁７４ｂと、それら両底壁７４ａ，７４ｂの間を連結する段差部とを備え、前側底壁７４ｂが後側底壁７４ａよりも一段高くなるように形成される。よって、係合装置７０を外枠１０の下枠体１２に設置した状態では、後側底壁７４ａが下枠体１２に当接され、前側底壁７４ｂと下枠体１２との間には所定の隙間が形成される（図１２参照）。
【００９８】
よって、係合装置７０の群に外壁形成部材８０を装着して、外枠側係合装置１６を構成する場合には、係合装置７０（ケース体７１Ｒ，７１Ｌ）の前側底壁７４ｂと下枠体１２との間の隙間に、外壁形成部材８０の底面板８２を挿入することができる（図１２参照）。これにより、例えば、締結ねじによる締結固定を行わなくても、外壁形成部材８０の上方への移動を規制することができる。
【００９９】
この場合、前側底壁７４ｂと前壁との間を連結する部分は、前側底壁７４ｂから前壁へ向けて上昇傾斜して形成される。よって、前側底壁７４ｂと下枠体１２との間の隙間を大きくすると共に、傾斜部分を案内面として利用できるので、外壁形成部材８０の底面板８２を隙間へ挿入する作業を効率的に行わせることができる。
【０１００】
なお、前側底壁７４ｂと上壁とを連結する位置に、縦壁７３ｃを設けることで、ケース体７１Ｒ，７１Ｌの剛性を確保することができるだけでなく、係合装置７０の上面側（ケース体７１Ｒ，７１Ｌの上壁側）に載置された遊技機主部２０の重量を、縦壁７３ｃを利用して、前側底壁７４ｂへ効率的に伝達することができる。即ち、前側底壁７４ｂと外壁形成部材８０の底面板８２との間、或いは、外壁形成部材８０の底面板８２と下外枠１２との間に多少の隙間があっても、これらを密着させ、遊技機主部２０の重量を、前側底壁７４ｂ側においても、効果的に支えることができる。
【０１０１】
側壁の外面には、座面部７５が外方へ向けて張り出して形成される。座面部７５は、その底面を後側底壁７４ｂの底面と面一とする板状体に形成され、その板状体には、締結ねじＢ２を挿通するための挿通孔が穿設される。よって、座面部７５の挿通孔に挿通した締結ねじＢ２を下枠体１２に締結することで、ケース体７１Ｒ，７１Ｌが下枠体１２に締結固定される。
【０１０２】
次いで、図１４を参照して、突出部材７６及びコイルばね７７について説明する。図１４は、突出部材７６及びコイルばね７７の正面図である。なお、図１４では、環状板７６ｃを断面視して図示する。
【０１０３】
突出部材１４は、ケース体７１Ｒ，７１Ｌの内部空間に移動可能に収納される部材であり、大径部およびその大径部よりも小径の小径部を有し軸状に形成される軸本体７６ａと、その軸本体７６ａの大径部から径方向外方へ向けてフランジ状に張り出す張出部７６ｂと、環状の円板として形成される環状板７６ｃとを備える。
【０１０４】
本体部７６ａは、その先端に半球形状の先端部７６ａ１を備える。張出部７６ｂは、その下面（図１４下側面）と側面との接続部分が円弧状に湾曲して形成される。これにより、規制板７８の操作時には、その規制板７８の傾斜上面７８ｂ及び後端上面７８ｃに沿って張出部７６ｂを滑らかに移動させ、突出部材７６の出没動作を確実に行うことができる（図２０から図２２参照）。
【０１０５】
環状板７６ｃの中央には、円形の穴が開口される。その穴の内径は、本体部７６ａの小径部の外径よりも大径で、かつ、本体部７６ａの大径部の外径よりも小径とされる。よって、環状板７６ｃの中央の穴に、本体部７６ａの小径部が挿通されると、環状板７６ｃは、本体部７６ａの大径部と小径部との間の段差により係止される。
【０１０６】
コイルばね７７は、その内径が本体部７６ａの小径部よりも大径で、かつ、その外径が環状板７６ｃの外径よりも小径とされる。よって、コイルばね７７に本体部７６ａの小径部が挿通されると、そのコイルばね７７の端面が環状板７６ｃの板面に当接される。
【０１０７】
次いで、図１５を参照して、規制板７８について説明する。図１５（ａ）は、規制板７８の上面図であり、図１５（ｂ）は、図１５（ａ）のＸＶｂ−ＸＶｂ線における規制板７８の断面図である。
【０１０８】
図１５（ａ）及び図１５（ｂ）に示すように、規制板７８は、樹脂材料から上面視矩形の板状に形成される。この規制板７８には、水平な底面（図１５（ｂ）下側面）に対し、その底面と平行に形成される先端上面７８ｂ及び後端上面７８ｃと、先端上面７８ａから後端上面７８ｃへ向けて上昇傾斜する傾斜上面７８ｂとが形成される。
【０１０９】
これら各上面７８ａ，７８ｂ，７８ｃは、図１５（ａ）に示すように、矩形状の領域として形成される。また、規制板７８の板厚（図１５（ｂ）上下方向寸法）は、先端上面７８ａが形成される部分において最小とされ、後端上面７８ｃが形成される部分において最大とされる。また、傾斜上面７８ｂが形成される部分の板厚は、その傾斜に沿って徐々に変化される。
【０１１０】
なお、規制板７８の先端上面７８ａが形成される部分の板厚は、ケース体７１Ｒの受入部ｍ３の高さと同等か若干小さくされ、規制板７８の傾斜上面７８ｂが形成される部分の板厚は、ケース体７１Ｒの受入部ｍ２の高さと同等か若干小さくされ、規制板７８の後端上面７８ｃが形成される部分の板厚は、ケース体７１Ｒの受入部ｍ１の高さと同等か若干小さくされる（図１３（ｂ）参照）。よって、規制板７８が前方へ最も押し込まれた状態では、規制板７８の各部が受入部ｍ１，ｍ２，ｍ３内にそれぞれ収容される（図２２参照）。
【０１１１】
傾斜上面７８ｂは、後端上面７８ｃに対し、図１５（ｂ）に示すように、直接接続されるのに対し、先端上面７８ａに対しては、底面に垂直な段差面を介して、接続される。ここで、コイルばね７７の付勢により、突出部材７６が初期位置（規制板７８による規制前の状態、図２１参照）に配置された状態では、ケース体７１Ｒの第１区画壁７３ａと突出部材７６の張出部７６ｂとの間の間隔は、規制板７８における傾斜上面７８ｂが形成される部分の板厚よりも大きくされる。よって、傾斜上面７８ｂが先端上面７８ａに直接接続される位置まで延設されていなくても、規制板７８を押し込み、その傾斜上面７８ｂを突出部材７６の張出部７６ｂの下面に侵入させる動作（図２１から図２２の状態へ遷移させる際の動作）を円滑に行うことができる。
【０１１２】
従って、本実施の形態における規制板７８によれば、傾斜上面７８ｂが先端上面７８ａに直接接続される位置まで延設される場合と比較して、その長さ寸法（図１５（ｂ）左右方向寸法）の短縮を図ることができ、その結果、部品コストの削減を図ることができる。また、このように、規制板７８の長さ寸法の短縮を図りつつ、傾斜上面７８ｂの傾斜角度は緩やかとできるので、傾斜上面７８ｂで突出部材７６を上方へ押し上げつつ、規制板７８を前方へ押し込む動作を円滑に行うことができる。
【０１１３】
規制板７８は、その板厚方向に貫通される上面視矩形形状の貫通孔７８ｄを備える。貫通孔７８ｄには、突出部材７６の本体部７６ａにおける大径部が挿通される（図１２参照）。よって、貫通孔７８ｄの幅寸法（図１５（ａ）上下寸法）は、突出部材７６の本体部７６ａにおける大径部の直径よりも若干大きくされる。
【０１１４】
また、貫通孔７８ｄは、その幅寸法（図１５（ａ）上下寸法）が、突出部材７６の張出部７６ｂの外径よりも小さくされると共に、先端上面７８ａから後端上面７８ｃにわたって形成さされる。これにより、突出部材７６の張出部７６ｂに少なくとも傾斜上面７８ｂ及び後端上面７８ｃを当接させることが可能とされる（図２２参照）。また、突出部材７６の張出部７６ｂを傾斜上面７８ｂから離間させ、先端上面７８ａに対向させることが可能とされる（図２０参照）。
【０１１５】
ここで、規制板７８は、貫通孔７８ｄにより形成される空間が閉じた空間として形成されるので、係合装置７０の組み立て状態においては（図１２参照）、かかる貫通孔７８ｄに突出部材７６が挿通されることで、規制板７８が抜き取り不可能とされる。よって、例えば、パチンコ機１の搬送中に規制板７８が脱落することや、島設備への設置後に作業者が不用意に抜き取って紛失することを抑制できる。
【０１１６】
図１２に戻って、係合装置７０の組み立て方法について説明する。まず、突出部材７６の本体部７６ａを、規制部材７８の貫通孔７８ｄに挿通した後、本体部７６ａの小径部に環状板７６ｃ及びコイルばね７７を挿通する。即ち、本体部７６ａの張出部７６ｂと環状板７６ｃとの間に規制板７８を挟んだ状態を形成する。以下、この状態の突出部材７６及び規制板７８を「第1組立部品」と称す。
【０１１７】
次いで、ケース体７１Ｒへ第1組立部品を合わせ面側から装着する。即ち、図１２に示すように、ケース体７１Ｒの保持部ｈ１〜ｈ３及び受入部ｍ１〜ｍ３に、第1組立部品を嵌め込む。この場合、ケース体７１Ｒの上壁と第１区画壁７３ａとの間に、突出部材７６の張出部７６ｂを配置すると共に、ケース体７１Ｒの第１区画壁７３ａと第２区画壁７３ｂとの間に、環状板７６ｃ及びコイルばね７７を配置する。なお、規制板７８は、ケース体７１Ｒの受入部ｍ１〜ｍ３の内、少なくとも受入部ｍ１に嵌め込まれていれば良い。即ち、規制板７８は、受入部ｍ２及びｍ３に達していなくても良く、貫通孔７８ｄに突出部材７６の本体部７６ａにおける大径部が挿通されていれば良い。
【０１１８】
ケース体７１Ｒに第１組立部品を装着した後は、そのケース体７１Ｒに対し、ケース体７１Ｌを、向かい合わせで（即ち、合わせ面同士を）結合し、膨出部７２の挿通孔７２ａに挿通した締結ねじＢ１にナットＮ１を螺合する。これにより、突出部材７６及び規制板７８が収容された状態で、ケース体７１Ｒ，７１Ｌが一体化され、係合装置７０の組み立てが完了する。
【０１１９】
外壁形成部材８０は、係合装置７０の群に前面側から装着され、係合装置７０の群の周囲に外壁を形成するための部材であり、一面側が開放された箱状に形成される。ここで、図１６及び図１７を参照して、外壁形成部材８０について説明する。
【０１２０】
図１６（ａ）は、外壁形成部材８０の上面図であり、図１６（ｂ）は、図１６（ａ）の矢印ＸＶＩｂ方向視における外壁形成部材８０の正面図である。また、図１７（ａ）は、図１６（ｂ）のＸＶＩＩａ−ＸＶＩＩａ線における外壁形成部材８０の断面図であり、図１７（ｂ）は、図１６（ｂ）の矢印ＸＶＩＩｂ方向視における外壁形成部材８０の側面図である。
【０１２１】
図１６及び図１７に示すように、外壁形成部材８０は、上面板８１と、その上面板８１に対し所定間隔を隔てつつ対向配置される底面板８２と、それら上面板８１及び底面板８２を連結する連結正面板８３と、連結正面板８３の長手方向両端に形成され対向配置される一対の側面板８４とを備える。
【０１２２】
即ち、外壁形成部材８０は、連結正面板８３が正面視矩形形状に形成され、その矩形形状（連結正面板８３）の上辺および下辺から上面板８１及び底面板８２が、左右の両辺から一対の側面板８４が、それぞれ同方向（図１７（ａ）右方向）へ向けて延設される。これにより、外壁形成部材８０は、一面側（連結正面板８３と反対側、図１７（ａ）右側）が開放する箱状に形成される。なお、上面板８１と側面板８４との間、及び、底面板８２と側面板８４との間には、所定の隙間が形成される。
【０１２３】
上面板８１には、複数（本実施の形態では４個、図５参照）の折り返し片８１ａが形成される。折り返し片８１ａは、上面板８１の延設先端側（連結正面板８３と反対側）の縁部から突設される上面視矩形状の小片を、上面板８１の上面側（図１７（ａ）上側）へ折り返して形成される。折り返し片８１ａと上面板８１との間の対向面間隔は、主部側被軸支部材３５の挿入爪３６ｃの板厚と同等か若干大きな寸法に設定される。
【０１２４】
なお、折り返し片８１ａの折り返し先端は、図１７（ａ）に示すように、上面板８１に対向する側（図１７（ａ）下側）の面が折り返し先端へ向けて上昇傾斜して形成される。よって、折り返し片８１ａと上面板８１との間の対向面間隔が、折り返し片８１ａの折り返し先端側（図１７（ａ）左側）ほど広くされるので、主部側被軸支部材３５の挿入３６ｃ１を対向面間へ挿入する際には、その挿入動作を円滑に行わせることができる（図２３及び図２４参照）。
【０１２５】
上面板８１には、複数個所（本実施の形態では５ヶ所、図５参照）に出没穴８１ｂが穿設される。出没穴８１ｂは、係合装置７０の突出部材７６が出没可能に挿通される円形の穴であり、複数の係合装置７０に対応する位置にそれぞれ設けられる。また、出没穴８１ｂの内径は、突出部材７６の本体部７６ａ（大径部）における外径よりも若干大きくされる（図１２参照）。
【０１２６】
なお、外壁形成部材８０は、プレス加工により、一枚の金属材料からなる板状体を所定の外形形状に打ち抜くと共にその打ち抜き材の所定部位（連結正面板８３に対して上面板８１、底面板８２および側面板８４が連結される部位、並びに、折り返し片８１ａ）を折り曲げて、形成される。板状体の打ち抜きの際には、外形形状の形成と同時に出没穴８１ｂも穿設される。
【０１２７】
図１２に戻って説明する。外壁形成部材８０は、その開放面側（連結正面板８３と反対側）を、外枠１０の下枠体１２に締結固定された係合装置７０の群の正面側（遊技機主部２０側、図１２左側）に対向配置した状態から、そのまま係合装置７０へ向けて真直ぐに（水平に）押し込むことで、係合装置７０の群に装着される。これにより、係合装置７０の群の周囲が外壁形成部材８０により取り囲まれる。
【０１２８】
即ち、係合装置７０の群の上面側には外壁形成部材８０の上面壁８１が、係合装置７０の群の正面側には外壁形成装置８０の連結正面板８３が、係合装置７０の群の左右両側には外壁形成装置８０の一対の側面板８４が、それぞれ対向配置される。その結果、係合装置７０が外壁形成部材８０の内部空間に収納された状態となり、各係合装置７０への外部からのアクセスを困難とできる。
【０１２９】
なお、外壁形成部材８０の一対の側面板８４は、その延設先端（連結正面板８３と反対側の縁部）が、側面視において（図１２（ｂ）参照）、外枠１０の左枠体１３及び右枠体１４と重なる位置まで延設される。よって、外壁形成部材８０の左右の側面板８４と外枠１０の左枠体１３及び右枠体１４との間からの係合装置７０へのアクセスをより困難とできる。
【０１３０】
また、各係合装置７０の底壁７４（前側外壁７４ｂ）と外枠１０の下枠体１２との対向面間には、外壁形成部材８０の底面板８２が挿入され、隙間が閉封される。また、その外壁形成部材８０の底面板８２は、外枠１０の下枠体１２に沿って左右方向に連続する。即ち、隣接する係合装置７０同士の間においても、外壁形成部材８０の底面板８２が外枠１０の下枠体１２の上面に当接される。これにより、外枠１０の下枠体１２と外枠形成部材８０の底面壁８２との間からの各係合装置７０へのアクセスを困難とできる。
【０１３１】
一方で、外壁形成部材８０は一面側（連結正面壁８３と反対側、図１２（ｂ）右側）が開放された形状に形成されるので、係合装置７０の群の背面側を露出させることができる。よって、外枠１０に対し遊技機主部２０を開放した状態においては（図３及び図４参照）、係合装置７０の背面側に突出する規制板７８へのアクセスを容易とできる。よって、作業者が規制板７８の押し込み操作または引き抜き操作をする際の作業性の向上を図ることができる。
【０１３２】
ここで、外壁形成部材８０が係合装置７０の群に装着されると、係合装置７０の突出部材７６の先端が、外壁形成部材８０の上面板８１の出没穴８１ｂに挿通され、その外壁形成部材８０の上面板８１から突出した状態となる。よって、外壁形成部材８０の引き抜き方向（装着時の押し込み方向と反対方向、図１２（ｂ）左方向）への移動を、突出部材７６と上面板８１の出没穴８１ｂとの係合により、規制することができる。また、外壁形成部材８０の上方向（図１２（ｂ）上方向）への移動は、外枠１０の下枠体１２と係合装置７０の底壁７４（前側底壁７４ｂ）との間に外壁形成部材８０の底面壁８２が挟持されていることで、規制することができる。
【０１３３】
このように、外壁形成部材８０は、係合装置７０へ対して一方向へ押し込むだけで、係合装置７０へ簡易に装着できるので、その分、組み立て工数を低減できる。また、締結ねじ等を用いて両者を固定する必要がなく、遊技機主部２０（主部側被軸支部材３５）との連結のための機能を利用（兼用）して、外壁形成部材８０を係合装置７０に固定するので、その分、部品点数の低減を図ることができる。一方で、このように、簡易な装着を可能としつつ、両者７０，８０を強固に連結できるので、外壁形成部材８０が係合装置７０から不正に取り外されることを抑制できる。
【０１３４】
外枠側係合部材１６は、図１２に示すように、係合装置７０に外壁形成部材８０が装着されることで、その上面側（図１２（ａ）及び図１２（ｂ）上側）に、遊技機主部２０の主部側被軸支部材３５と係合するための構造（外壁形成部材８０の上面壁８１から出没する突出部材７６、上面壁８１の折り返し片８１ａなど）が形成される。ここで、図１８及び図１９を参照して、主部側被軸支部材３５について説明する。
【０１３５】
図１８（ａ）は、主部側被軸支部材３５の上面図であり、図１８（ｂ）は、図１８（ａ）の矢印ＸＶＩＩＩｂ方向視における主部側被軸支部材３５の正面図である。また、図１９は、図１８（ｂ）のＸＩＸ−ＸＩＸ線における主部側被軸支部材３５の断面図である。なお、図１８（ａ）では、挿通爪３６ｃの近傍を部分的に断面視して図示する。
【０１３６】
図１８及び図１９に示すように、主部側被軸支部材３５は、長尺板状の本体板３６と、その本体板３６の長手方向（図１８（ａ）左右方向）に沿って本体板３６の縁部から立設されると共にその立設先端部分を本体板３６側へ平行に折り返して断面逆Ｌ字状に形成される立設板３７とを備える。
【０１３７】
主部側被軸支部材３５は、立設板３７が本体板３６の上面側（図１９上側）へ向けて立設される（即ち、主部側被軸支部材３５の一方の縁部が、本体板３６の上面側へ向けて折り返されて形成される）ので、主部側被軸支部材３５（本体板３６）の底面を平坦面形状とすることができる。よって、その接地面積を確保できるので、主部側被軸支部材３５を開放した状態（く字状に配置）して、遊技機主部２０（内枠３０）を自立させる際には（図６参照）、その自立を安定化させることができる。
【０１３８】
また、主部側被軸支部材３５が板状体から長尺形状に形成される場合であっても、かかる主部側被軸支部材３５に立設板３７を設けることで、その分、曲げ剛性を高めることができる。よって、主部側被軸支部材３５を遊技機主部２０（内枠３０）に対して開いた状態として、その主部側被軸支部材３５を利用することで、遊技機主部２０を自立させる場合に、遊技機主部２０を強固に支持することができる。よって、この点からも、遊技機主部２０の自立を安定化させることができる。
【０１３９】
一方で、主部側被軸支部材３５の縁部が折り返されていると、１の主部側被軸支部材３５に他の主部側被軸支部材３５を重ねて、複数の遊技機主部２０を自立させる（即ち、図６に示す状態で遊技機主部２０（内枠３０）を複数自立させる）際に、１の主部側被軸支部材３５の折り返された縁部に他の主部側被軸支部材３５が乗り上げることで、乗り上げた方の遊技機主部２０が傾斜して、その自立が不安定となる。
【０１４０】
これに対し、本実施の形態では、主部側被軸支部材３５は、遊技機主部２０（内枠３０）を自立させた状態において、遊技機主部２０側に位置する側の縁部が平板形状に形成される。即ち、平板形状の本体板３６には、遊技機主部２０と反対側となる縁部のみ立設板３７が形成される（図６参照）。よって、折り返されて形成される縁部（立設板３７）を避け、反対側の縁部の上（即ち、本体板３６の上）に他の主部側被軸支部材３５を順に重ねていくことができる。よって、遊技機主部２０の傾斜を抑制して、安定的に自立させることができる。
【０１４１】
ここで、立設板３７は、主部側被軸支部材３５の長手方向の全域にわたって（即ち、本体板３６の長手方向一端側から他端側までの範囲にわたって）形成される。よって、主部側被軸支部材３５の剛性を長手方向全体にわたって均一に向上させることができる。即ち、立設板３７と反対側の縁部を折り曲げて、主部側被軸支部材３５の剛性を高める構造を採用した場合、支持軸３４の近傍では、支持金具３３が上面側に移動可能に載置されることに起因して、縁部を折り曲げることができない。そのため、支持軸３４近傍のみに、剛性の弱い箇所が部分的に形成されてしまう。
【０１４２】
本体板３６には、複数個所（本実施の形態では５ヶ所、図５参照）に受入穴３６ａが穿設される。受入穴３６ａは、外枠側係合部材１６（係合装置７０）の突出部材７６を受け入れるための円形の穴であり、複数の係合装置７０に対応する位置にそれぞれ設けられる。受入穴３６ａの内径は、突出部材７６の本体部７６ａ（大径部）における外径よりも若干大きくされる（図１２参照）。
【０１４３】
なお、受入穴３６ａは、外枠側係合部材１６の長手方向（図１８（ａ）左右方向）を長径方向とする長穴形状に形成されていても良い。この場合には、外枠１０に対して遊技機主部２０を組み付ける際に、受入穴３６ａの長径方向の長さを利用して、突出部材７６の先端を受入穴３６ａに受け入れ易くすることができる。よって、外枠側係合部材１６に対する主部側被軸支部材３５の配置ずれや部材の寸法公差が存在する場合でも、外枠１０に対する遊技機主部２０の組み付け作業の効率化を図ることができる。一方で、受入穴３６は、その短径方向（図１８（ａ）上下方向）を、外枠１０から遊技機主部２０を抜き取る方向に向けるため、その方向においては、突出部材７６を受入穴３６ａにがたつきを少なくした状態で受け入れることができる。
【０１４４】
本体板３６及び立設板３７には、複数箇所（本実施の形態では４箇所、図５参照）に開口部３６ｂが開口形成される。開口部３６ｂは、外枠側係合装置１６の外壁形成部材８０における折り返し片８１ａを受け入れるための開口であり、図１８（ｂ）に示すように、立設板３７に正面視矩形形状に形成される開口部分の幅寸法（図１８（ｂ）左右方向寸法）が、外枠形成部材８０の折り返し片８１ａの幅寸法（図１６（ａ）左右方向寸法）よりも若干大きく形成される。
【０１４５】
開口部３６ｂは、本体板３６に開口される部分が、立設板３７に開口される部分に連通されつつ、図１８（ａ）に示すように、上面視Ｕ字形状を左右に配置した形状に形成される。これにより、本体板３６には、開口部３６ｂへ向けて突設される挿入爪３６ｃが形成される。ここで、挿入爪３６ｃは、複数（本実施の形態では４個）の開口部３６ｂのそれぞれに形成される。
【０１４６】
なお、挿入爪３６ｃの突設先端は、図１９に示すように、上側（図１９上側）の面が突設先端へ向けて下降傾斜して形成される。よって、外壁形成部材８０の折り返し片８１ａと本体板３６との間の対向面間へ挿入爪３６ｃを挿入する際には、その挿入動作を円滑に行わせることができる（図２３及び図２４参照）。
【０１４７】
本体板３６には、その長手方向一端側（図１８（ａ）左側）に、固定板３６ｄが形成される。固定板３６ｃは、立設板３７と同方向に立設され断面逆Ｊ字状に形成され、ねじりコイルばねＣＳの腕を固定する。即ち、主部側被軸支部材３５には、内枠３０の樹脂ベース３１の下端部に配設される支持金具３３が、その支持金具３３の挿通孔に支持軸３４を挿通させた状態で載置される（図４参照）。
【０１４８】
この場合、ねじりコイルばねＣＳは、コイル部を支持軸３４に挿通させ、そのコイル部から伸びる一方の腕を主部側被軸支部材３５の固定板３６ｄに固定すると共に、他方の腕を支持金具３３の固定部に固定した状態で、支持金具３３と主部側被軸支部材３５との間に介在される。その結果、主部側被軸支部材３５は、支持軸３４を回動中心として、支持金具３３（即ち、内枠３０）に対して、ねじりコイルばねＣＳのねじりトルクによって、開放される方向へ付勢される（図６参照）。
【０１４９】
このように、主部側被軸支部材３５は、ねじりコイルばねＣＳにより内枠３０（遊技機主部２０）に対して開いた状態となる方向へ付勢されるので、上述したように、主部側被軸支部材３５を内枠３０に対して開いた状態（く字状配置）として、内枠３０を自立させる際には（図６参照）、その主部側被軸支部材３５を開いた状態に維持して、内枠３０の自立を安定化させることができる。即ち、内枠３０の自立時に、主部側被軸支部材３５が不用意に閉じられて、内枠３０の自立が不安定化することを抑制できる。
【０１５０】
また、このように、主部側被軸支部材３５が、ねじりコイルばねＣＳのねじりトルクにより、内枠３０（遊技機主部２０）に対して開いた状態となる方向へ付勢される構造であれば、外枠１０に対して遊技機主部２０が開閉可能に配設された状態では（図３及び図４参照）、ねじりコイルばねＣＳの付勢力（ねじりトルク）を、遊技機主部２０を開放させる方向への力として利用することができる。よって、遊技機主部２０の重量が例えば重い場合であっても、その遊技機主部２０を解放させるための作業者の操作を容易化することができる。
【０１５１】
なお、主部側被軸支部材３５は、プレス加工により、一枚の金属材料からなる板状体を所定の外形形状に打ち抜くと共にその打ち抜き材の所定部位（立設板３７及び固定板３６ｄ）を折り曲げて、形成される。板状体の打ち抜きの際には、外形形状の形成と同時に受入穴３６ａ及び開口部３６ｂも穿設される。
【０１５２】
図１２に戻って説明する。外枠１０に配設される外枠側係合部材１６と内枠３０（遊技機主部２０）に配設された主部側被軸支部材３５との連結（係合）は、まず、外枠１０の正面に内枠３０（遊技機主部２０）を対面配置する（図２参照）。これにより、図１２に示すように、外枠側係合部材１６に主部側被軸支部材３５が立設板３７側を向けた状態で配設されるので、外枠１０へ向けて内枠３０を真直ぐに押し込むことで、上述した外枠側連結部材１５と主部側連結部材３２との連結を行いつつ（図１０参照）、主部側被軸支部材３５と外枠側係合部材１６との連結を行うことができる。
【０１５３】
この場合、外枠側係合部材１６の上面（外壁形成部材８０の上面板８１）には、主部側被軸支部材３５（主部側被軸支部材３５を介して遊技機主部２０）を仮置きするための領域が形成される。即ち、かかる領域に主部側被軸支部材３５が載置された状態では、外枠側連結部材１５と主部側連結部材３２とが連結されておらず（図１０（ａ）参照）、かつ、外枠側係合部材１６の突出部材７６が主部側被軸支部材３５の受入穴３６ａに受け入れられていない状態とできる。
【０１５４】
よって、遊技機主部２０を外枠１０に組み付ける際には、まず、遊技機主部２０の主部側被軸支部３５の先端側（立設板３７側）を、外枠側係合部材１６の上面における上記領域に載置（仮置き）し、その後、遊技機主部２０を押し込み、主部側被軸支部３５を外枠側係合部材１６の上面に沿って移動（滑動）させることで、外枠側連結部材１５と主部側連結部材３２とを連結させると共に（図１０（ｃ）参照）、外枠側係合部材１６の突出部材７６を主部側被軸支部材３５の受入穴３６ａへ挿通（受け入れ）させることができる（図２０から図２４参照）。
【０１５５】
即ち、作業者は、両連結部材１５，１６の連結と、受入穴３６ａへの突出部材７６の受け入れとを行う際に、それらの作業を、遊技機主部２０の重量を支持しつつ行う必要がなく、遊技機主部２０を外枠側係合部材１６上に仮置きした後は、水平方向へ押し込むだけで良い。よって、外枠１０に対して遊技機主部２０を組み付ける作業の作業性の向上を図ることができる。
【０１５６】
この場合、突出部材７６は、図１２に示す初期位置（コイルばね７７のみにより付勢され、張出部７６ｂの下面に規制板７８の上面が当接していない状態）において、半球状の先端部７６ｂ１のみが、外枠側係合部材１６の上面（外壁形成部材８０の上面板８１）からから突出されるので、主部側被軸支部材３５が外枠側係合部材１６の上面をスライド移動（滑動）され、主部側被軸支部材３５の角部（本体板３６と立設壁３７の接続部）が突出部材７６に当接する際には、引っ掛かりを抑制して、突出部材７６を対向面下により確実に没入させることができる。
【０１５７】
ここで、図２０から図２４を参照して、外枠１０に配設される外枠側係合部材１６と内枠３０に配設される主部側被軸支部３５との間の連結動作について説明する。
【０１５８】
図２０（ａ）、図２１（ａ）、図２２（ａ）、図２３（ａ）及び図２４（ａ）は、連結動作時における外枠側係合部材１６及び主部側被軸支部材３５の斜視図であり、図２０（ａ）及び図２３（ａ）は連結動作の開始時を、図２１（ａ）は主部側被軸支部材３５の受入穴３６ａに突出部材７６が挿通された状態を、図２２（ａ）及び図２４（ａ）は規制板７８が押し込まれた連結動作の終了時を、それぞれ示している。
【０１５９】
なお、図２０（ｂ）、図２１（ｂ）、図２２（ｂ）、図２３（ｂ）及び図２４（ｂ）は、図２０（ａ）の矢印ＸＸｂ、図２１（ａ）の矢印ＸＸＩｂ、図２２（ａ）のＸＸＩＩｂ、図２３（ａ）のＸＸＩＩＩｂ及び図２４（ａ）の矢印ＸＸＩＶｂ方向視における外枠側係合部材１６及び主部側被軸支部材３５の断面図である。
【０１６０】
また、図２０から図２４では、図面を簡素化するために、主要な構成のみに符号を付している。また、図２０から図２２では、ケース体７１Ｒの側面であって、ケース体７１Ｌとの合わせ面となる側面がハッチングを付して図示される。
【０１６１】
図２０に示すように、連結動作が開始され、主部側被軸支部材３５が外枠側係合部材１６（外壁形成部材８０）の上面に沿って移動されると、その主部側被軸支部材３５の移動に伴って、突出部材７６が下方へ押し下げられ、かかる突出部材７６が主部側被軸支部材３５の下面側に没入される。
【０１６２】
この場合、図２３に示すように、外枠側係合部材１６（外壁形成部材８０）の折り返し片８１ａの折り返し先端が、主部側被軸支部材３５の開口部３６ｂ内へ挿入される。これにより、折り返し片８１ａが開口部３６ｂにより規制され、外枠側係合部材１６に対する主部側被軸支部材３５の左右方向（図２１（ｂ）紙面垂直方向）への位置決めを行うことができる。また、主部側被軸支部材３５が外枠側係合部材１６に対して更に押し込まれる（前進移動される）場合には、開口部３６ｂが折り返し片８１ａに沿って案内されることで、主部側被軸支部材３５を適正な位置（即ち、受入穴３６ａに突出部材７６を受け入れ可能な位置）へ確実に移動させることができる。
【０１６３】
図２１に示すように、図２０に示す状態から主部側被軸支部材３５が外枠側係合部材１６に対して更に押し込まれる（前進移動される）と、主部側被軸支部材３５の受入穴３６ａに、外枠側係合部材１６（係合装置７０）の突出部材７６が受け入れられる（先端部が挿入される）。
【０１６４】
なお、図２１に示すように、受入穴３６ａに突出部材７６の先端部が挿入された状態では、主部側被軸支部材３５の挿入爪３６ｃの先端が、外枠側係合部材１６（外壁形成部材８０）の折り返し片８１ａの根元部分に当接される。これにより、主部側被軸支部材３５の押し込み動作（前進移動）を、適正な位置（受入穴３６ａに突出部材７６を受け入れた位置）で、確実に停止させることができる。
【０１６５】
また、挿入爪３６ｃの先端が折り返し片８１ａの根元部分に当接されることで、外枠側係合部材１６に対する主部側被軸支部材３５の押し込み動作（前進移動）が、仮に、作業者の不注意などで非常に強い力で行われたとしても、その力が突出部材７６のみに作用することを回避できる。即ち、主部側被軸支部材３５から作用する力を、折り返し片８１ａと突出部材７６の両者に分担させることができるので、その分、突出部材７６の破損を抑制できる。
【０１６６】
図２１に示すように、主部側被軸支部材３５の受入穴３６ａに、外枠側係合部材１６（係合装置７０）の突出部材７６の先端部分が受け入れられることで、主部側被軸支部材３５と外枠側係合部材１６とが連結状態とされる。しかし、この状態では、主部側被軸支部材３５が抜き取り方向（図２１（ｂ）左方向）へ引っ張られる（後退移動される）と、受入穴３６ａの内周面から突出部材７６の先端部７６ａ１に作用する力により、突出部材７６が下方へ移動して、受入穴３６ａよりも下方へ没入されることで、主部側被軸支部材３５が抜き取り可能となるおそれがある。
【０１６７】
そこで、図２１に示す状態となった後は、外枠側係合部材１６の背面側から、規制板７８を突出部材７６へ向けて（即ち、図２１（ｂ）左方向へ向けて）押し込む操作が行われる。規制板７８が突出部材７６へ向けて押し込まれると、その規制板７８の傾斜上面７８ｂが突出部材７６の張出部７６ｂの下面に侵入され、規制板７８の押し込み動作に伴って、傾斜上面７８ｂが張出部７６ｂを介して突出部材７６を上昇させる。
【０１６８】
図２２及び図２３に示すように、規制板７８が突出部材７６へ向けてさらに押し込まれると、突出部材７６の張出部７６ｂの下面に、規制板７８の後端上面７８ｃが侵入される。規制板７８は、後端上面７８ｃが底面と平行に形成されるため、突出部材７６の張出部７６ｂとケース体７１Ｒ，７１Ｌの第１区画壁７３ａとの間に規制板７８が介在されることで、突出部材７６の下方への移動を規制することができる。
【０１６９】
即ち、図２２及び図２３に示すように、突出部材７６の張出部７６ｂが規制板７８の後端上面７８ｃにより支持された状態では、仮に、主部側被軸支部材３５の受入穴３６ａから突出される突出部材７６の先端部分を、何らかの方法により、下方へ直接押し下げる不正行為が行われたとしても、突出部材７６が没入されることを回避できる。
【０１７０】
また、図２２及び図２３に示すように、突出部材７６の張出部７６ｂが規制板７８の後端上面７８ｃにより支持された状態では、突出部材７６の半球状の先端部７６ａ１は、主部側被軸支部材３５の上面（図２２（ｂ）上側面）よりも上方に突出される。即ち、受入穴３６ａの内周面に対面される部位は、突出部材７６の本体部７６ａにおける円柱状の部分となる。よって、仮に、主部側被軸支部材３５が抜き取り方向（図２１（ｂ）左方向）へ強い力で引っ張られ、受入穴３６ａの内周面が突出部材７６に当接したとしても、その当接によって突出部材７６を下方へ移動させる力を作用させることはできない。
【０１７１】
次いで、図２５を参照して、主部側被軸支部材３５を内枠３０に閉じた状態で保持するための保持構造について説明する。図２５は、内枠３０の回動先端側における背面斜視図である。なお、図２５では、施錠装置ＫＤによる係止が解除された状態における主部側被軸支部材３５が二点鎖線を用いて模式的に図示される。
【０１７２】
図２５に示すように、施錠装置ＫＤの係合爪ＫＤｂは、主部側被軸支部材３５の立設板３７に係合可能な第２係合爪ＫＤｂ１を備える。第２係合爪ＫＤｂ１は、係合爪ＫＤｂをなす板状体に一体に形成され、その板状体の縁部から下方（図２５下方向）へ向けて突設される。この第２係合爪ＫＤｂ１が、主部側被軸支部材３５の立設板３７の外面側（本体板３６と反対側）に係合されることで、主部側被軸支部材３５の開放方向（即ち、図２５に２点鎖線で示す状態）への移動が規制され、かかる主部側被軸支部材３５が図２５に実線で示す閉じた状態に保持される。
【０１７３】
一方、シリンダ錠ＫＤａのキー操作により、係合爪ＫＤｂが外枠１０の爪受け部材１７との係合を解除する方向へ変位されると、その係合爪ＫＤｂの変位に伴って、第２係合爪ＫＤｂ１が上方（図２５上方向）へ向けて変位される。これにより、第２係合爪ＫＤｂ１が、主部側被軸支部材３５の立設板３７の外面側（本体板３６と反対側）から上方へ後退され、主部側被軸支部材３５の図２５に実線で示す閉じた状態からの移動が許容される。その結果、主部側被軸支部材３５が開放方向（即ち、図２５に２点鎖線で示す状態）へ移動される。
【０１７４】
このように、第２係合爪ＫＤｂ１により、主部側被軸支部材３５を内枠３０（遊技機主部２０）の底面側に保持することができるので、遊技機主部２０を外枠１０に組み付ける際の作業性の向上を図ることができる。即ち、主部側被軸支部材３５は、ねじりコイルばねＣＳにより、遊技機主部２０に対して開いた状態となる方向へ付勢されているところ、これを第２係合爪ＫＤｂ１により遊技機主部２０の底面側に保持する（閉じた状態に保持する）ことができれば、作業者が、作業者自身が例えば一方の手で主部側被軸支部材３５を閉じた状態に保持しつつ、遊技機主部２０を外枠１０に組み付けるという煩雑な作業を行う必要がなく、遊技機主部２０を外枠１０に組み付ける作業のみに集中することができる。
【０１７５】
ここで、主部側被軸支部材３５を保持する第２係合爪ＫＤｂ１は、係合爪ＫＤｂに一体に形成される。よって、施錠装置ＫＤの操作（シリンダ錠ＫＤａのキー操作）により、係合爪ＫＤｂと外枠１０の爪受け部材１７との間の係合を解除する際には、その解除動作に連動して、第２係合爪ＫＤｂ１による主部側被軸支部材３５の保持（係合）も解除することができる。
【０１７６】
よって、遊技機主部２０を外枠１０に組み付ける際には、主部側被軸支部材３５を第２係合爪ＫＤｂ１により保持し、組み付け作業の作業性の向上を図りつつ、組み付け後は、施錠装置ＫＤの操作（シリンダ錠ＫＤａのキー操作）を行うのみで、外枠１０に対して遊技機主部２０を開放させることができる。即ち、シリンダ錠ＫＤａに対する一のキー操作のみで、遊技機主部２０の外枠１０に対する施錠の解除と、主部側被軸支部材３５の第２係合爪ＫＤｂ１による保持の解除とを同時に行うことができる。
【０１７７】
なお、主部側被軸支部材３５には、図２５に示すように、立設板３７の一部を切り欠いて形成される立設切り欠き部３７ａが形成され、この立設切り欠き部３７ａの形成部に残された縦壁部分（本体板３６から立設される部分）の外面側に第２係合爪ＫＤｂ１が係合する。
【０１７８】
ここで、立設切り欠き部３７ａを設けず、立設板３７の外面側に第２係合爪ＫＤｂ１を係合させる構成では、立設板３７のＲ状に湾曲した部分（本体板３６から立設される縦壁部分とその縦壁部分の立設先端から折り返される部分との間の接続部分）に第２係合爪ＫＤｂ１を係合させる必要が生じ、その係合が不安定となる。これに対し、上述のように、立設切り欠き部３７ａの形成部に残された縦壁部分（本体板３６から立設される部分）の外面側に第２係合爪ＫＤｂ１を係合させる構成とすることで、平坦面同士の係合として、その係合を安定化（確実化）することができる。
【０１７９】
次いで、図２６及び図２７を参照して、第２実施の形態について説明する。第１実施の形態では、主部側被軸支部材３５の立設板３７と反対側となる本体板３６の縁部が平坦面状に形成される場合を説明したが、第２実施の形態における主部側被軸支部材３５は、立設板３７と反対側となる本体板３６の縁部に第２立設板２３７ａが立設される。なお、上述した第１実施の形態と同一の部分には同一の符号を付して、その説明は省略する。
【０１８０】
図２６（ａ）は、第２実施の形態における主部側被軸支部材２３５の上面図であり、図２６（ｂ）は、図２６（ａ）の矢印ＸＸＶＩｂ方向視における主部側被軸支部材２３５の正面図である。また、図２７は、図２６（ｂ）のＸＸＶＩＩ−ＸＸＶＩＩ線における主部側被軸支部材２３５の断面図である。
【０１８１】
図２６及び図２７に示すように、第２実施の形態における主部側被軸支部材２３５は、本体板３６の長手方向（図２６（ａ）左右方向）に沿ってその本体板３６の縁部（立設板３７が形成される縁部と反対側の縁部、図２６（ａ）下側）から立設される第２立設板２３７ａを備える。
【０１８２】
第２立設板２３７ａは、立設板３７と同じ方向に立設される。即ち、主部側被軸支部材２３５が、外枠側係合部材１６に連結（係合）された状態では（図２２参照）、第２立設板２３７ａが本体板３６から立設される方向と、突出部材７６の先端部分が本体板３６の上面に突出される方向とを一致させることができる。よって、外枠１０に遊技機主部２０が組み付けられた状態において（図１参照）、その遊技機主部２０の前面側から突出部材７６の先端部分にアクセスする不正行為を、第２立設板２３７ａにより困難とすることができる。
【０１８３】
なお、内枠３０の樹脂ベース３１の底面に段差を設け、内枠３０に主部側被軸支部材２３５を閉じた状態では、樹脂ベース３１の底面の段差面（高い底面と低い底面との間を接続する面）に、第２立設板２３７ａの外面（図２７左側面）が対向配置されるように形成しても良い。これにより、遊技機主部２０の前面側から突出部材７６の先端部分にアクセスする不正行為をより困難とすることができる。
【０１８４】
次いで、図２８及び図２９を参照して、第３実施の形態について説明する。第１実施の形態では、外枠側係合部材１６に主部側被軸支部材３５が連結された場合に、突出部材７６の先端部分が露出される場合を説明したが（図２２参照）、第３実施の形態における主部側被軸支部材３３５は、外枠側係合部材１６に連結された場合に、突出部材７６の先端部分を被覆可能に形成される。なお、上述した第１実施の形態と同一の部分には同一の符号を付して、その説明は省略する。
【０１８５】
図２８は、第３実施の形態における主部側被軸支部材３３５の斜視図であり、図２９は、外枠側係合部材１６及び主部側被軸支部材３３５の斜視図である。なお、図２８では、主部側被軸支部材３３５の一部が部分的に断面視される。図２９は、規制板７８が押し込まれて連結動作を終了した状態が図示される。また、図２９では、ケース体７１Ｒの側面であって、ケース体７１Ｌとの合わせ面となる側面がハッチングを付して図示される。
【０１８６】
図２８に示すように、第３実施の形態における主部側被軸支部材３３５には、複数個所（本実施の形態では５ヶ所、第１実施の形態における受入穴３６ａと同じ箇所）に受入凹部３３６ａが凹設される。受入凹部３３６ａは、外枠側係合部材１６（係合装置７０）の突出部材７６の先端部分を受け入れるために底面側（図２８下側）に開口を有する凹部である。即ち、受入凹部３３６ａは、本体部３６の底面側からパンチを押し込む絞り加工により形成される容器状の凹部である。
【０１８７】
なお、受入凹部３３６ａの開口の内径は、突出部材７６の本体部７６ａ（大径部）における外径よりも若干大きくされ、受入凹部３３６ａの凹設深さは、規制板７８の後端上面７８ｃにより突出部材７６の張出部７６ｂが支持された状態において、その突出部材７６の先端部分を受け入れ可能な深さ（即ち、突出部材７６の先端部７６ａ１と受入凹部３３６ａの内周面３３６ａ１との間に若干の隙間が形成される深さ）に設定される。
【０１８８】
図２９に示すように、突出部材７６の張出部７６ｂが規制板７８の後端上面７８ｃにより支持された状態（即ち、主部側被軸支部材３３５と外枠側係合部材１６とが連結（係合）された状態）では、突出部材７６の先端部分を、受入凹部３３６ａにより被覆する（覆い隠す）ことができる。よって、突出部材７６が遊技者などによって操作（没入方向へ移動）され、外枠側係合部材１６と主部側被軸支部材３３５との間の連結が不正に解除されることを抑制できる。
【０１８９】
次いで、図３０から図３６を参照して、第４実施の形態について説明する。第１実施の形態では、外枠１０に対し遊技機主部２０を回動可能に軸支する２本の軸の内、上方側に位置する軸（連結軸部１５ｄ）が外枠１０側に配設される場合を説明したが、第４実施の形態における２本の軸の内の上方側の軸（第２支持軸４３４）は、遊技機主部４２０側に配設される。なお、上述した第１実施の形態と同一の部分には同一の符号を付して、その説明は省略する。
【０１９０】
図３０は、第４実施の形態におけるパチンコ機４０１を外枠４１０と遊技機主部４２０とに分解した状態を示すパチンコ機４０１の分解斜視図である。図３１は、内枠４３０及び外枠４１０の斜視図であり、内枠４３０に対してその内枠４３０の構成要素Ａ４が開かれた状態が図示される。図３２は、外枠４１０と内枠４３０の構成要素Ａ４との斜視図である。図３３（ａ）は、内枠４３０の構成要素Ａ４が連結された状態における外枠４１０の斜視図であり、図３３（ｂ）は、内枠４３０の構成要素Ａ４が取り外された状態における外枠４１０の斜視図である。
【０１９１】
第４実施の形態では、遊技機主部４２０を新たな機種として設計する場合、主部側被軸支部材３５を遊技機主部４２０に回動可能に軸支する支持軸３４だけでなく、主部側第２被軸支部材４３５を遊技機主部４２０に回動可能に軸支する第２支持軸４３４についても、外枠４１０（即ち、古い機種としての外枠４１０）との関係を考慮する必要がなく、その設計の自由度を高めることができる。即ち、本実施の形態では、主部側被軸支部材３５に加え、主部側第２被軸支部材４３５も、外枠４１０側の外枠側第２係合部材１６に対して連結（係合）可能な構造とされていれば足り、第２支持軸４３４を、支持軸３４と同様に、外枠４１０（外枠側第２係合部材４１６）との関係で設計する必要がなく、設計の自由度を確保できる。よって、支持軸４３４近傍においても、例えば、前面扉４０の意匠性の向上などを図ることができる。
【０１９２】
図３０から図３３に示すように、外枠４１０は、第１実施の形態と同様に、４枚の板材（上下に位置する上枠体４１１及び下枠体１２並びにそれらを連結する左右の左枠体４１３及び右枠体１４）を四辺に連結することで、正面視矩形枠状に形成される。
【０１９３】
上枠体４１１は、左枠体４１３が連結される側の端部に、係合片４３６を受け入れるための外枠側通路４１１ｃが形成される点で、第１実施の形態における上枠体１１と異なるが、他の構成は同一である。また、左枠体４１３は、縦材ＳＭが並設される分、第１実施の形態における左枠体１３よりも幅寸法（枠面に垂直な方向の寸法）が小さくされる点で異なるが、他の構成は左枠体１３と同一である。
【０１９４】
外枠４１０は、上枠体４１１と左枠体４１３との連結部分に配設される外枠側第２係合部材４１６と、下枠体１２の上面に配設される外枠側係合部材１６とを備える。外枠側第２係合部材４１６は、金属材料からなる板状体を所定形状に折り曲げて形成される部材であり、上枠体４１１の上面側（取付面４１１ｃ）及び左枠体４１３の外側面に締結ねじにより締結固定される。
【０１９５】
内枠４３０は、第１実施の形態と同様に、正面視略矩形状の樹脂ベース３１を主体に構成され、樹脂ベース３１における回動基端側（外枠４１０に連結される側）には、上端部（上方側）に主部側連結部材３２が、下端部（下方側）に支持金具３３（図４及び図５参照）が、それぞれ配設される。
【０１９６】
第4実施の形態では、主部側連結部材３２に、第２支持軸４３４を介して主部側第２被軸支部材４３５が回動可能に軸支される。なお、主部側第２被軸支部材４３５には、係合片４３６が締結ねじにより締結固定され、係合片４３６は、第２支持軸４３４と反対側となる端部から外方へ向けて突設される。第１実施の形態と同様に、支持金具３３には、主部側被軸支部材３５が支持軸３４を介して回動可能に軸支される。
【０１９７】
主部側被軸支部材３５及び主部側第２被軸支部材４３５は、外枠４１０と遊技機主部４２０とを開閉可能かつ着脱可能に連結する機構（連結構造）の一部をなす部材である。即ち、主部側被軸支部材３５が、第１実施の形態と同様に、外枠４１０の外枠側係合部材１６に連結される一方、第４実施の形態では、主部側第２被軸支部材４３５（係合片４３６）が、外枠４１０の外枠側第２係合部材４１６に連結される。この連結構造の詳細構成については、後述する。
【０１９８】
主部側被軸支部材３５と主部側第２被軸支部材４３５との間には、縦材ＳＭが配設される。縦材ＳＭは、金属製の押出材から断面Ｌ字に形成される板状体であり、その下端側（図３２下側）が主部側被軸支部材３５の基端部（回動中心側）の外側面に締結ねじにより締結固定されると共に、上端側（図３２上側）が主部側第２被軸支部材４３５の内側面に締結ねじにより締結固定される。
【０１９９】
このように、主部側被軸支部材３５及び主部側第２被軸支部材４３５は、縦材ＳＭにより連結されているので、主部側被軸支部材３５及び主部側第２被軸支部材４３５のいずれか一方が遊技機主部４２０（内枠４３０）に対して回動された場合には、この一方の回動に連動させて他方も回動させることができる。即ち、主部側被軸支部材３５及び主部側第２被軸支部材４３５の両者の回動位置を常に同位相に維持することができる。よって、主部側被軸支部材３５を外枠側係合部材１６に、主部側第２被軸支部材４３５を外枠側第２係合部材４１６に、それぞれ連結させる際には、これら両部材３５，４３５の位相を個別に調整する必要がないので、その連結作業の作業性の向上を図ることができる。
【０２００】
次いで、図３４から図３６を参照して、外枠４１０と遊技機主部４２０とを開閉可能かつ着脱可能に連結するための連結構造について説明する。まず、図３４を参照して、外枠側第２係合部材４１６及び主部側第２被軸支部材４３５の詳細構成について説明する。
【０２０１】
図３４（ａ）は、外枠４１０の斜視図であり、図３３（ｂ）の状態（内枠４３０の構成要素Ａ４が取り外された状態）に対応する。また、図３４（ｂ）は、図３４（ａ）のＸＸＸＩＶｂ−ＸＸＸＩＶｂ線における外枠４１０の断面図であり、図３４（ｃ）は、係合片４３６の斜視図である。
【０２０２】
図３４に示すように、外枠側第２係合部材４１６は、上枠体４１１の上面に配設される板状の上面板４１６ａと、その上面板４１６ａと略垂直をなし左枠体４１３の外面に配設される板状の側面板４１６ｂとを主に備える。なお、上面板４１６ａは上枠体４１１に、側面板４１６ｂは左枠体４１３に、それぞれ締結ねじにより締結固定される。また、上面板４１６ａ及び側面板４１６ｂの前後方向寸法（図３４（ｂ）左右方向寸法）は、上枠体４１１の前後方向寸法（図３４（ｂ）左右方向寸法）の約１／２とされる。
【０２０３】
外枠側第２係合部材４１６の上面板４１６ａは、その下面（上枠体４１１の取付面４１１ｃに当接される面）に挿入部４１６ｃが凹設される。挿入部４１６ｃは、主部側第２被軸支部材４３５の係合片４３６が挿入されると共にその挿入された係合片４３６が着脱自在に連結される部位であり（図３５参照）、係合片４３６の幅よりも若干大きな幅を有すると共に下面側が開放された断面コ字形状の溝状に形成される。
【０２０４】
ここで、挿入部４１６ｃは、外枠４１０の枠面に垂直な方向（図３４（ｂ）左右方向、即ち、係合片４３６の挿入方向）に沿って延設される。即ち、主部側第２被軸支部材４３５を外枠側第２係合部材４１６に連結する際の直線方向（即ち、係合片４３６の挿入方向）が、主部側被軸支部材３５を外枠側連結部材１６に連結する際の直線方向に平行とされるので、遊技機主部４２０を外枠４１０に対し直線方向へ移動させる動作のみで、これらを連結することができる。よって、主部側被軸支部材３５及び外枠側連結部材１６に加え、主部側第２被軸支部材４３５及び外枠側第２係合部材４１６を更に備える場合であっても、遊技機主部４２０を外枠４１０に組み付ける際の作業性の向上を図ることができる。なお、後述する外枠側通路４１１ｄの延設方向も挿入部４１６ｃと平行とされる。よって、この点からも、作業性の向上を図ることができる。
【０２０５】
挿入部４１６ｃの始端は、上面板４１６ａの一側（主部側第２被軸支部材４３５の側面に対向する側であって、図３４（ｂ）右側）の側面に開口され、この開口から係合片４３６が挿入される。挿入部４１６ｃの終端は、上面板４１６ａの他側（係合片４３６の挿入方向奥側であって、図３４（ｂ）左側）の側面まで達しておらず、上面板４１６ａの下面が上枠体４１１の取付面４１１ｃに密着される。これにより、係合片４３６を外部から遮蔽できる。
【０２０６】
挿入部４１６ｃの図３４（ｂ）に示す断面形状は、係合片４３６の外形形状とほぼ同一に形成される（図３５（ｂ）参照）。即ち、挿入部４１６ｃの天井面（図３４（ｂ）上側の面）は、終端側（図３４（ｂ）左側）が部分的に高くされ、その高さが異なる境界部分に係止面４１６ｃ１が形成される。係止面４１６ｃは、係合片４３６の挿入方向（枠面に垂直な方向、図３４（ｂ）左右方向）に垂直な平坦面として形成される。よって、挿入部４１６ｃに係合片４３６が挿入されると、係合片４３６の折返し部４３６ｃにおける折返し先端が係止面４１６ｃ１に係止され、これにより、外枠側第２係合部材４１６に主部側第２被軸支部材４３５（係合片４３６）が連結される。
【０２０７】
外枠４１１の上面は、取付面４１１ｃの高さ位置が他の面よりも一段低くされ、その取付面４１１ｃに外枠側第２係合部材４１６の上面板４１６ａが取り付けられた状態では、上面板４１６ａの上面が外枠４１１の上面（取付面４１１ｃ以外の面）よりも若干低くされる。
【０２０８】
取付面４１１ｃには、外枠側第２係合部材４１６の挿入部４１６ｃに対面する位置に外枠側通路４１１ｄが形成される。外枠側通路４１１ｄは、主部側第２被軸支部材４３５の係合片４３６を外枠側第２係合部材４１６の挿入部４１６ｃへ挿入する際に係合片４３６が通過する通路（図３５（ａ）参照）を形成すると共に挿入部４１６ｃに挿入された係合片４３６が揺動するための空間（図３６参照）を形成するための部位であり、係合片４３６の幅よりも若干大きな幅（即ち、挿入部４１６ｃと同等の幅）を有し、外枠４１０の枠面に垂直な方向（図３４（ｂ）左右方向、即ち、挿入部４１６ｃと同方向）に沿って延設される断面コ字状の溝状に形成される。
【０２０９】
外枠側通路４１１ｄの始端は、取付面４１１ｃの一側（外枠４１０の前面側、図３４（ｂ）右側）の側面に開口され、この開口から係合片４３６が挿入可能とされる。よって、外枠側第２係合部材４１６に主部側第２被軸支部材４３５を連結させる作業において、その初期段階（係合片４３６を外枠側通路４１１ｄ内へ配置する段階）での作業性が向上される。
【０２１０】
外枠側通路４１１ｄの終端は、上枠体４１１の他側（外枠４１０の背面側、図３４（ｂ）左側）の側面まで達しておらず、上述したように、上面板４１６ａの下面が上枠体４１１の取付面４１１ｃに密着される。これにより、係合片４３６を外部から遮蔽できる。
【０２１１】
外枠側通路４１１ｄは、上面側（図３４（ｂ）上側）が全域にわたって開放されると共に、下面側（図３４（ｂ）下側）は、外枠側第２係合部材４１６の挿入部４１６ｃに対応する部分（係合片４３６の挿入方向奥側であって、図３４（ｂ）左側）のみが部分的に開放される。
【０２１２】
なお、外枠側通路４１１ｄの下面側であって、開放して形成される部分の残部（係合片４３６の挿入方向手前側であって、図３４（ｂ）右側）は、開放部分へ向けて下降傾斜して形成される。よって、この下降傾斜により形成される空間によって、挿入部４１６ｃへの挿入時（即ち、図３５（ａ）に示す位置から更に挿入される際）に下方へ揺動する係合片４３６（薄板部４３６ｂ）を受け入れることができ、その結果、折返し部４３６ｃの塑性変形によりその折返し角度が小さくなる（即ち、係止面４１６ｃ１に対する係止能力が低下する）ことを抑制できる。
【０２１３】
主部側第２被軸支部材４３５は、係合片４３６が底面側に締結固定される上面板４３５ａと、その上面板４３５ａと略垂直をなす側面板４３５ｂと、上面板４３５ａから水平に延設されると共にその延設先端に第２支持軸４３４が底面から突設された状態で固着される延設板４３５ｃとを備える。
【０２１４】
なお、上面板４３５ａの幅寸法は、外枠側第２係合部材４１６の上面板４１６ａの幅寸法（即ち、上枠体４１１の取付面４１１ｃの幅寸法）と同等とされる。また、側面板４３５ｂは、縦材ＳＭの上端（図３４（ａ）上側）における外側面に締結ねじにより締結固定される。
【０２１５】
係合片４３６は、基部片４３６ａと、その基部片４３６ａから延設される薄板部４３６ｂと、その薄板部４３６ｂの一側（基部片４３６ａと反対側）を折り返して形成される折返し部４３６ｃとを備え、これら各部４３６ａ〜４３６ｃが金属材料から一体に形成される。
【０２１６】
基部４３６ａには、内周面にめねじが螺刻された締結孔が中央部に設けられ、その締結孔に締結ねじが螺合されることで、主部側第２被軸支部材４３５の上面板４３５ａにおける底面に係合片４３６（基部４３６ａ）が締結固定される。なお、基部４３６ａと主部側第２被軸支部材４３５の上面板４３５ａとを重ねた部分の板厚寸法が、外枠側第２係合部材４１６の上面板４１６ａの板厚寸法と同等とされる。
【０２１７】
薄板部４３６ｂは、基部４３６ａよりも板厚寸法が小さくされると共に、その底面が基部４３６ａの底面と面一に形成される。即ち、係合片４３６は、薄板部４３６ｂの上面と基部４３６ａの上面との間に段差を有し、基部４３６ａの上面に対し薄板部４３６ｂの上面が低くされる。
【０２１８】
このように、基部４３６ａの板厚寸法を大きくすることで、螺合強度を確保して、係合片４３６を上面板４３５ａに強固に締結固定できる。一方、係合片４３６が挿入部４１６ｃに挿入された状態では、薄板部４３６ｂの上面と挿入部４１６ｃの天井面との対向面間に空間（隙間）を形成することができるので（図３５（ｂ）参照）、係合片４３６に対する操作（揺動や切断）を行い易くできる。
【０２１９】
また、薄板部４３６ｂには、その長手方向中央よりも基部４３６ａ側に偏った位置に開口部４３６ｂ１が開口されると共に、その開口部４３６ｂ１を挟む両側の側縁部には、開口部４３６ｂ１へ向けてくぼみが形成される。これらによっても、係合片４３６に対する操作（揺動や切断）を行い易くできる。
【０２２０】
折返し部４３６ｃは、薄板部４３６ｂの一側を上面側（図３４（ｃ）上側）に折り返すことで形成され、その折返し先端の高さ位置が基部４３６ａの上面よりも高くされる。係合片４３６が挿入部４１６ｃに挿入されると、この折返し部４３６ｃの折返し先端が、挿入部４１６ｃの係止面４１６ｃ１に係止されることで、係合片４３６の反挿入方向（図３４（ｂ）右方向）への移動が規制される（図３５（ｂ）参照）。
【０２２１】
次いで、図３５及び図３６を参照して、外枠４１０に配設される外枠側第２係合部材４１６と内枠３０に配設される主部側第２被軸支部材４３５との間の連結動作および連結を解除する解除動作について説明する。
【０２２２】
図３５（ａ）及び図３５（ｃ）は、連結構造部分の斜視断面図であり、図３５（ｂ）及び図３５（ｄ）は、連結構造部分の側断面図である。なお、図３５（ａ）及び図３５（ｂ）は連結動作の開始時に対応し、図３５（ｃ）及び図３５（ｄ）は、連結動作の終了時に対応する。
【０２２３】
図３５（ａ）及び図３５（ｂ）に示すように、連結動作が開始され、主部側第２被軸支部材４３５が取付面４１１ｃ上で外枠側第２係合部材４１６へ向けて押し込まれる（前進移動される）ことで、係合片４３６の折返し部４３６ｃが挿入部４１６ｃの挿入始端側開口に当接される。即ち、係合片４３６が外枠側通路４１１ｄによって移動（案内）されることで、係合片４３６の挿入部４１６ｃへの位置決めを行うことができる。
【０２２４】
この位置決めされた状態から、主部側第２被軸支部材４３５が外枠側第２係合部材４１６へ向けて更に押し込まれる（前進移動される）と、外枠側通路４１６ｃの挿入始端側開口によって折返し部４３６ｃの傾斜面が下方（図３５（ｂ）下側）へ押し下げられ、係合片４３６（薄板部４３６ｂ）が弾性的に下方へ向けて揺動（変形）され、挿入部４１６ｃ内に挿入される。その後、折返し部４３６ｃの折返し先端が係止面４１６ｃ１に達すると、係合片４３６（薄板部４３６ｂ）が弾性回復力により上方へ向けて揺動（変形）される。その結果、図３５（ｃ）及び図３５（ｄ）に示すように、折返し部４３６ｃの折返し先端が係止面４１６ｃ１に係止される。
【０２２５】
係合片４３６は、薄板部４３６ｂに開口部４３６ｂ１及びくぼみが形成され、変形し易くされているので、係合片４３６が挿入部４１６ｃに挿入される過程においては、薄板部４３６ｂに変形（下方へ弾性的な揺動）を集中させ、折返し部４３６ｃ自体および折返し部４３６ｃと薄板部４３６ｂとの接続部分が塑性変形することを抑制できる。よって、薄板部４３６ｂに対する折返し部４３６ｃの折返し角度が小さくされることを抑制して、折返し部４３６ｃの折返し先端を係止面４１６ｃ１に確実に係止させることができ、その結果、係止能力を確保できる。
【０２２６】
外枠側第２係合部材４１６の挿入部４１６ｃは、係合片４３６の折返し部４３６ｃを受け入れる部分の形状が、折返し部４３６ｃの形状と同一形状（即ち、幅寸法（図３５（ｄ）紙面垂直方向寸法）及び前後方向寸法（図３５（ｄ）左右方向寸法）が略同一、かつ、傾斜角度が略同一）とされ、折返し部４３６ｃと折返し部４３６ｃ及び薄板部４３６ｂの接続部分との外面が挿入部４１６ｃの内面にほぼ密着（対面配置）される構造なので、係合片４３６が反挿入方向へ無理に引き抜かれる場合でも、折返し部４３６ｃが変形する（逃げる）ための空間を小さくして、係止状態が解除されることを抑制できる。
【０２２７】
ここで、外枠側係合部材１６の上面（外壁形成部材８０の上面板８１）には、上述したように、主部側被軸支部材３５（主部側被軸支部材３５を介して遊技機主部２０）を仮置きするための領域が形成されるが（図１２参照）、かかる領域に主部側被軸支部材３５が載置された状態では、外枠側第２係合部材４１６と主部側第２被軸支部材４３５とが連結されておらず、かつ、少なくとも係合片４３６が挿入部４１６ｃの挿入側開口（図３５（ｂ）右側）に達していない状態とされる。
【０２２８】
よって、遊技機主部４２０を外枠４１０に組み付ける際には、まず、遊技機主部４２０の主部側被軸支部３５の先端側（立設板３７側）を、外枠側係合部材１６の上面における上記領域に載置（仮置き）し、その後、遊技機主部４２０を押し込み、主部側被軸支部３５を外枠側係合部材１６の上面に沿って移動（滑動）させることで、外枠側係合部材１６の突出部材７６を主部側被軸支部材３５の受入穴３６ａへ挿通（受け入れ）させつつ（図２０から図２４参照）、外枠側第２係合部材４１６と主部側第２被軸支部材４３５とを連結させる（係合片４３６の折返し部４３６ｃを挿入部４１６ｃの係止面４１６ｃ１に係止させる）ことができる。
【０２２９】
即ち、作業者は、外枠側第２係合部材４１６と主部側第２被軸支部材４３５との連結と、受入穴３６ａへの突出部材７６の受け入れとを行う際に、それらの作業を、遊技機主部４２０の重量を支持しつつ行う必要がなく、遊技機主部４２０を外枠側係合部材１６上に仮置きした後は、水平方向へ押し込むだけで良い。よって、外枠４１０に対して遊技機主部４２０を組み付ける作業の作業性の向上を図ることができる。
【０２３０】
なお、仮置きするための領域に主部側被軸支部材３５が載置された状態では、係合片４３６が外枠側通路４１１ｄの前面側開口（図３５（ｂ）右側）に達していない状態としても良い。遊技機主部４２０を外枠側係合部材１６上に仮置きする際に、係合片４３６を外枠側通路４１１ｄ内に配置する必要がないので、その分、更に作業性の向上を図ることができる。
【０２３１】
図３６（ａ）は、連結構造部分の斜視断面図であり、図３６（ｂ）は、連結構造部分の側断面図である。なお、図３６（ａ）及び図３６（ｂ）は、連結を解除する解除動作の実行時に対応する。
【０２３２】
図３６（ａ）及び図３６（ｂ）に示すように、係合片４３６と挿入部４１６ｃとの間の連結を解除する際には、外枠４１０に対し遊技機主部４２０を開放し、外枠４１０の枠内（即ち、上枠体４１１の下面側）の空間から治具Ｊを利用して係合片４３６を操作することにより行うことができる。即ち、治具Ｊは、棒状体の先端に鉤状のフック部が形成されており、かかるフック部を係合片４３６の開口部４３６ｂ１に挿入し、薄板部４３６ｂを下方は引き寄せることで、かかる薄板部４３６ｂを弾性的に揺動（変形）させる。これにより、折返し部４３６ｃの折返し先端を、挿入部４１６ｃの係止面４１６ｃ１から下方へ移動させ、両者の間の係止状態を解除できる。
【０２３３】
このように、第４実施の形態では、主部側第２被軸支部材４３５の係合片４３６をその一側から外枠側第２係合部材４１６の挿入部４１６ｃに挿入することで、係合片４３６の折返し部４３６ｃにおける折り返し先端を、挿入部４１６ｃの係止面４１６ｃ１に係止させ、外枠側第２係合部材４１６と主部側第２被軸支部材４３５とを連結する構造であり、一方向への移動動作のみで両者を連結することができるので、遊技機主部４２０を外枠４１０に組み付ける作業の作業性の向上を図ることができる。この場合、係合片４３６は、板状体からなりその一部を折り返して折返し部４３６ｃを形成した簡素な構造であるので、部品コストの削減を図ることができる。
【０２３４】
また、主部側第２被軸支部材４３５と外枠側第２係合部材４１６とが連結された状態では、係合片４３６が外枠側第２係合部材４１６によって外枠４１０の外側（上面側および背面側）から遮蔽されるので（図３５（ｄ）参照）、係合片４３６が外部から操作されることを困難とできる。よって、主部側第２被軸支部材４３５と外枠側第２係合部材４１６との連結が不正に解除されることを抑制できる。
【０２３５】
一方で、係合片４３６は、少なくとも薄板部４３６ｂが外枠４１０の内側（上枠体４１１の下面側、図３５（ｄ）下側）に露出されるので、外枠４１０に対して遊技機主部４２０が開放された状態では、係合片４３６の露出された部分（薄板部４３６ｂの開口部４３６ｂ１）を操作することで、挿入部４１６ｃの係止面４１６ｃ１による係合片４３６の折返し部４３６ｃにおける折返し先端の係止を解除して、主部側第２被軸支部材４３５と外枠側第２係合部材４１６との連結の解除を行うことができる。
【０２３６】
なお、外枠４１０に対して遊技機主部４２０を閉じた状態では、遊技機主部４２０に配設される図示しない部品が外枠４１０の枠内（上枠体４１１の下面側に配設され、かかる部品が、外枠４１０の内側（上枠体４１１の下面側）に露出される係合片４３６の部分（薄板部４３６ｂ）に対面されるので、係合片４３６が操作されることを困難とできる。
【０２３７】
次いで、図３７から図４０を参照して、第５実施の形態について説明する。第１実施の形態では、施錠装置ＫＤの係合爪ＫＤｂが遊技機主部２０に配設されると共にその係合爪ＫＤｂが係合される爪受け部材１７が外枠１０に配設される場合を説明したが、第５実施の形態における爪受け部材１７は、遊技機主部５２０（内枠５３０の構成要素Ａ５）に配設される。なお、上述した各実施の形態と同一の部分には同一の符号を付して、その説明は省略する。
【０２３８】
図３７は、第５実施の形態におけるパチンコ機５０１を外枠５１０と遊技機主部５２０とに分解した状態を示すパチンコ機５０１の分解斜視図である。図３８は、外枠５１０及び内枠５３０の斜視図であり、内枠５３０に対してその内枠５３０の構成要素Ａ５が開かれた状態が図示される。図３９は、外枠５１０と内枠５３０の構成要素Ａ５との斜視図である。図４０は、内枠５３０の構成要素Ａ５が連結された状態における外枠５１０の斜視図である。
【０２３９】
第５実施の形態では、第４実施の形態と同様に、内枠５３０の構成要素Ａ５に支持軸３４及び第２支持軸４３４が配設され、その構成要素Ａ５を介して、内枠５３０（遊技機主部５２０）が外枠５１０に着脱可能に連結される。よって、遊技機主部５２０を新たな機種として設計する場合には、支持軸３４及び第２支持軸４３４について、設計の自由度を高めることができ、その分、両支持軸３４，４３４近傍における前面扉４０の意匠性の向上を図ることができる。
【０２４０】
更に、第５実施の形態では、施錠装置ＫＤ（爪受け部材１７）についても、構成要素Ａ５に配設される。よって、島設備に残した外枠５１０を流用しつつ、遊技機主部５２０を新たな機種として設計する場合には、施錠装置ＫＤについても、外枠５１０との関係を考慮する必要がない。従って、その設計の自由度を高め、より安全性の高い施錠装置ＫＤの開発が可能となる。
【０２４１】
図３７から図４０に示すように、外枠５１０は、第１実施の形態及び第４実施の形態と同様に、４枚の板材（上下に位置する上枠体５１１及び下枠体１２並びにそれらを連結する左右の左枠体４１３及び右枠体５１４）を四辺に連結することで、正面視矩形枠状に形成される。
【０２４２】
上枠体４１１は、取付面４１１ｃの一側（左枠体４１３が連結される側と反対側）にスリット溝５１１ｅが形成されると共に封止板１１ｂの配設が省略される（横枠体５３８に置き換えられる）点で、第４実施の形態における上枠体４１１と異なるが、他の構成は上枠体４１１と同一である。
【０２４３】
スリット溝５１１ｅは、上枠体５１１の上面側および下面側が開放されたスリット状の溝であり、外枠５１０に対して遊技機主部５２０（内枠５３０の構成要素Ａ５）が閉じられた状態では（図４０参照）、スリット溝５１１ｅ内に主部側第２被軸支部材５３５の連結板５３５ｄが収容される。
【０２４４】
右枠体５１４は、縦枠体５３７が並設される分、第１実施の形態における右枠体１４よりも厚み寸法（右枠体４１３と左枠体５１４を結ぶ方向の寸法）が小さくされると共に爪受け部材１７が配設されない点で異なるが、他の構成は右枠体１４と同一である。
【０２４５】
内枠５３０は、第１実施の形態および第４実施の形態と同様に、正面視略矩形状の樹脂ベース３１を主体に構成され、樹脂ベース３１における回動基端側（外枠５１０に連結される側）には、上端部（上方側）に主部側連結部材３２が、下端部（下方側）に支持金具３３（図４及び図５参照）が、それぞれ配設されると共に、主部側連結部材３２に、第２支持軸４３４を介して主部側第２被軸支部材５３５が回動可能に軸支される。
【０２４６】
内枠５３０の構成要素Ａ５は、第４実施の形態における構成要素Ａ４（主部側被軸支部材３５、主部側第２被軸支部材４３５および縦材ＳＭ）に対し、縦枠体５３７及び横枠体５３８を更に備え、これら各部材により正面視矩形の枠状に形成される。外枠５１０に対して遊技機主部５２０を連結した状態では、構成要素Ａ５が外枠５１０の枠内に配設される（図４０参照）。
【０２４７】
主部側第２被軸支部材５３５は、上面板４３５ａの一側（側面板４３５ｂと反対側）の縁部に連結板５３５ｄが配設される点で異なるが、他の構成は主部側第２被軸支部材４３５と同一である。
【０２４８】
なお、連結板５３５ｄは、上端が上面板４３５ａに連設されると共に上面板４３５ａと略垂直（即ち、側面板４３５ｂと平行）な板状の部分と、その板状の部分の下端に連設されると共に上面板４３５ａと略平行な板状の部分とから断面Ｌ字状に形成される。連結板５３５ｄは、上面板４３５ａに略平行な部分に横枠体５３８が接続されると共に、外枠５１０に対し遊技機主部５２０が閉じられた状態において上面板４３５ａに略垂直な部分がスリット溝５１１ｅ内に収容される。
【０２４９】
縦枠体５３７及び横枠体５３８は、主部側被軸支部材３５、主部側第２被軸支部材５３５および縦材ＳＭと共に正面視矩形の枠状体を形成する部材であり、金属材料から平板形状に形成される。縦枠体５３７は、主部側被軸支部材３５と横枠体５３８との間を接続することで、枠形状において縦材ＳＭと対向する辺を形成し、横枠体５３８は、主部側第２被軸支部材５３５と縦枠体５３７との間を接続することで、枠形状において主部側被軸支部材３５と対向する辺を形成する。
【０２５０】
施錠装置ＫＤは、係合爪ＫＤｂ（施錠移動部材）が内枠５３０に配設されると共に、爪受け部材１７（施錠基部材）が、縦枠体５３８（主部側被軸支部材、構成要素Ａ５）に配設されるので、施錠装置ＫＤを施錠状態とした場合には、遊技機主部５２０に対して構成要素Ａ５（主部側被軸支部材）を回動不能にすることができると共に、施錠装置ＫＤを開錠状態とした場合には、遊技機主部５２０に対して構成要素Ａ５（主部側被軸支部材）を回動可能とすることができる。
【０２５１】
即ち、構成要素Ａ５（主部側被軸支部材、主部側第２被軸支部材）が外枠側係合部材１６（及び外枠側第２係合部材４１６）に連結され、遊技機主部５２０が外枠５１０に組み付けられた状態では、施錠装置ＫＤを施錠状態にすることで、遊技機主部５２０を外枠５１０に対して開放不能にする（施錠する）ことができると共に、施錠装置ＫＤを開錠状態とすることで、遊技機主部５２０を外枠５１０に対して開閉可能とする（開錠する）ことができる。
【０２５２】
ここで、第１から第４実施の形態（即ち、遊技機主部２０，４２０に係合爪ＫＤｂを、外枠１０，４１０に爪受け部材１７を、それぞれ配設する構成）でも、遊技機主部２０，４２０を外枠１０，４１０に対して施錠装置ＫＤにより施錠することはできるが、この場合には、遊技機主部２０，４２０を新たに設計する場合であっても、係合爪ＫＤｂは、ホールに残される外枠１０，４１０の爪受け部材１７に対して施錠開錠可能な構造である必要があり、よって、施錠装置ＫＤについては新たに設計することができない。
【０２５３】
これに対し、本実施の形態では、構成要素Ａ５が主部側被軸支部材３５や主部側第２被軸支部材５３５等を備え、その構成要素Ａ５が外枠側係合部材１６及び外枠側第２係合部材４１６を介して外枠５１０に連結されるところ、その構成要素Ａ５に爪受け部材１７が配設されるので、施錠装置ＫＤの設計時には、係合爪ＫＤｂと爪受け部材１７の両者を、外枠５１０との関係を考慮する必要なく、自由に設計することができる。
【０２５４】
なお、第５実施の形態では、外枠５１０に遊技機主部５２０（構成要素Ａ５）が取り付けられると、横枠体５３８が上枠体５１１の下面に配設され、凹部１１ａにより形成される空間の下面側が横枠体５３８によって覆われる。よって、ハンドルｈｄを凹部１１ａ内に収納可能としつつ、その凹部１１ａによる空間を外部から遮蔽して、不正を防止できる。よって、封止板１１ｂ（図１から図５参照）の配設を省略して、製品コストの低減を図ることができる。
【０２５５】
次いで、図４１から図４９を参照して、第６実施の形態について説明する。第１実施の形態では、外枠側係合部材１６と主部側被軸支部材３５とによる連結構造が、その連結状態を変更不能に構成され、外枠１０に対する遊技機主部２０の傾斜状態は調整不能とされる場合を説明したが、第6実施の形態における連結構造は、その連結状態が変更可能とされ、外枠６１０に対する遊技機主部２０の傾斜角度を調整可能とされる。なお、上述した各実施の形態と同一の部分には同一の符号を付して、その説明は省略する。
【０２５６】
図４１は、第６実施の形態における外枠６１０と内枠の構成要素Ａ６との分解斜視図であり、図４２は、外枠６１０と内枠の構成要素Ａ６との斜視図である。なお、第6実施の形態の遊技機主部は、第５実施の形態における遊技機主部５２０と同一に構成される。よって、その図示および説明は省略する。
【０２５７】
第６実施の形態では、第４及び第５実施の形態と同様に、内枠５３０の構成要素Ａ６に支持軸３４及び第２支持軸４３４が配設され、その構成要素Ａ６を介して、内枠（遊技機主部）が外枠６１０に着脱可能に連結される。よって、遊技機主部を新たな機種として設計する場合には、支持軸３４及び第２支持軸４３４について、設計の自由度を高めることができ、その分、両支持軸３４，４３４近傍における前面扉の意匠性の向上を図ることができる。
【０２５８】
また、第６実施の形態では、構成要素Ａ６と外枠６１０との間に、両者の相対的な傾斜角度を調整する傾斜角度調整機構が形成される。具体的には、傾斜角度調整機構を構成する一要素である構成（ピン部材Ｂ）の取着位置が選択可能とされ、そのピン部材Ｂの取着位置に応じて、外枠６１０に対する構成要素Ａ６の相対的な傾斜角度が調整される。これにより、島設備に残した外枠６１０を流用して、遊技機主部の設置を行う場合であっても、ピン部材Ｂの取着位置を適宜選択することで、遊技機主部（遊技機６０１）の傾斜角度の調整を行うことができる。即ち、外枠６１０を島設備から取り外さなくても、遊技機６０１の傾斜角度の調整を行うことができる。
【０２５９】
図４１及び図４２に示すように、外枠６１０は、４枚の板材（上下に位置する上枠体６１１及び下枠体１２並びにそれらを連結する左右の枠体（内面縦枠体６１３及び外面縦枠体６１４を重合させて形成される枠体））を四辺に連結することで、正面視矩形枠状に形成される。
【０２６０】
上枠体６１１は、細幅の棒状体であり、連結部材６１２を介して、内面縦枠体６１３及び外面縦枠体６１４に両端が締結固定される。外枠６１０の組立状態では、図４２に示すように、上枠体６１１が外枠６１０の背面側に位置し、上枠体６１１の前面側には空間が形成される。よって、この空間を利用して、構成要素Ａ６の横枠体６３８及び封止板６３９を配設できる（図４９参照）。
【０２６１】
左右の枠体のそれぞれは、内面縦枠体６１３と外面縦枠体６１４との２枚を重ね合わせて形成される。これら左側の枠体および右側の枠体は鏡像対象の関係にあるため、それぞれに同じ符号を付して説明する。内面縦枠体６１３は、金属材料から縦長の平板形状に形成され、複数（本実施の形態では５個）の揺動片６１５を備える。
【０２６２】
ここで、図４３を参照して、内面縦枠体６１３の揺動片６１５について説明する。図４３（ａ）は、図４１の矢印Ｗ１方向視における内面縦枠体６１３の部分拡大正面図であり、図４３（ｂ）は、図４３（ａ）のＷ３−Ｗ３線における内面縦枠体６１３の断面図である。
【０２６３】
図４３に示すように、内面縦枠体６１３には、正面視略Ｕ字状のスリット６１３ａ（内面縦枠体６１３を板厚方向に貫通する細幅の開口）が開口形成され、そのスリット６１３ａに囲まれた部分が揺動片６１５とされる。よって、揺動片６１５は、基部側（スリット６１３ａの始端および終端側であって、図４３（ａ）右側）を支点として、内面縦枠体６１３の板厚方向（図４３（ａ）紙面垂直方向）に揺動可能とされる。
【０２６４】
このように、スリット６１３ａで囲まれた部分を揺動片６１５とするので、内面縦枠体６１３の外形をプレス加工で打ち抜く際に、同時に、同じ金型により、スリット６１３ａも打ち抜くことで、揺動片６１５を形成することができ、製造工数の削減を図ることができる。また、内面縦枠体６１３と揺動片６１５とを一体に形成でき、これらを別体に形成する場合（例えば、内面縦枠体６１３に揺動片６１５を締結や溶接などで固定する場合）と比較して、部品点数の削減を図ることができると共に、組立コストを削減できる。よって、パチンコ機６０１全体としての製品コストの削減を図ることができる。
【０２６５】
揺動片６１５は、その揺動先端側（図４３（ａ）左側）に締結孔６１５ａが貫通形成される。締結孔６１５ａは、内周面にめねじが螺刻されており、この締結孔６１５ａにピン部材Ｂのおねじ部Ｂ１が着脱可能に締結固定される。ピン部材Ｂは、揺動片６１５の揺動に伴って、頭部Ｂ２が、縦枠体６３７に近接する方向または縦枠体６３７から離間する方向へ移動される（図４６参照）。
【０２６６】
揺動片６１５は、互いに所定間隔（本実施の形態では等間隔）を隔てつつ、内面縦枠体６１３の長手方向（図４３（ａ）上下方向）に対し傾斜した状態で複数が列設される。即ち、各揺動片６１５は、揺動先端側が外枠６１０の前面側（図４３（ａ）左側）を向くと共に基部側が外枠６１０の背面側（図４３（ａ）右側）を向き、その向きを維持した状態で、下方の揺動片６１５ほど外枠６１０の前面側にずれた位置に配置される（図４２参照）。よって、複数の揺動片６１５は、最上方（図４３（ａ）上側）の揺動片６１５が最も外枠６１０の背面側に位置し、最下方の揺動片６１５が最も外枠６１０の前面側に位置する。
【０２６７】
ピン部材Ｂは、外枠６１０の左右の枠体（揺動片６１５）と遊技機主部（構成要素Ａ６）の縦枠体６３７との間に介在し、両者を連結させるための部材（介在体）であり（図４６参照）、揺動片６１５の締結孔６１５ａに締結固定されるおねじ部Ｂ１と、そのおねじ部Ｂ１よりも大径に形成される頭部Ｂ２とを備える。
【０２６８】
頭部Ｂ２は、縦枠体６３７の受入部６３７に挿入される部位であり、おねじ部Ｂ１に接続される基部側（図４３（ｂ）上側）が円柱状に形成されると共に、先端側（図４３（ｂ）下側）が先細テーパ状の円錐形状に形成される。これにより、外枠６１０に対し遊技機主部を取り付ける際には、縦枠体６３７の移動に伴いピン部材Ｂを持ち上げやすく（後方に後退させやすく）すると共に（図４６（ａ）参照）、受入部６３７に挿入しやすくし、かつ、挿入された後は、受入部６３７とピン部材Ｂとの係合を強固とすることができる（図４６（ｃ）参照）。
【０２６９】
図４１及び図４２に戻って説明する。内面縦枠体６１３は、その長手方向上端面（図４１上側面）から上方へ向けて突出する小片を下方へ向けて折り返した折返し片６１３ｂと、長手方向下端における背面側の側面（図４１右側面）から背面側へ突出する小片を前方へ向けて折り返した折返し片６１３ｃとを備える。外面縦枠体６１４を折返し片６１３ｂ，６１４ｃにより挟み込み、それら折返し片６１３ｂ，６１４ｃを外面縦枠体６１４に外面側から締結固定することで、図４２に示すように、内面縦枠体６１３及び外面縦枠体６１４が重ね合わされた状態で一体化される。
【０２７０】
外面縦枠体６１４は、木製材料から縦長の平板形状に形成され、内面縦枠体６１３と共に外枠６１０の左右の枠体を構成する。外面縦枠体６１４の長手方向上端（図４１上側）における外面（内面縦枠体６１３が重ね合わされる面と反対側の面）には、連結部材６１２の連結部分および内面縦枠体６１３の折返し片６１３ｂがそれぞれ嵌合される凹部が凹設される。同様に、外面縦枠体６１４の長手方向下端（図４１下側）における外面には、内面縦枠体６１３の折返し片６１３ｃが嵌合される凹部が応接される。これら凹部により折返し片６１３ｂ等が嵌合されることで、外面縦枠体６１４に対する連結部材６１２及び内面縦枠体６１３の横ずれが防止され、これらが強固に一体化される。
【０２７１】
ここで、外面縦枠体６１４について、図４４を参照して説明する。図４４（ａ）は、図４１の矢印Ｗ１方向視における外面縦枠体６１４の部分拡大正面図であり、図４４（ｂ）は、図４４（ａ）のＷ４−Ｗ４線における外面縦枠体６１４の断面図である。
【０２７２】
図４４に示すように、外面縦枠体６１４は、内面縦枠体６１３に重ね合わされる側（図４４（ａ）紙面手前側）の面に正面視矩形状の凹部６１４ａが凹設される。凹部６１４ａは、有底の凹みとして形成され、揺動片６１５の後退方向への最大の揺動を許容する深さ寸法を有する（図４６（ｂ）参照）。
【０２７３】
また、凹部６１４ａは、揺動片６１５の配設領域に対応する位置および大きさに形成される（図４７参照）。即ち、内面縦枠体６１３と外面縦枠体６１４とが重ね合わされた状態では、凹部６１４ａの形成領域内に全て（本実施の形態では５個）の揺動片６１５が配置される。
【０２７４】
外枠６１０は、左右の枠体が、内面縦枠体６１３及び外面縦枠体６１４の２枚の板状体を重ね合わさせて形成されるので、その剛性を高めることができる。この場合、外面縦枠体６１４の凹部６１４ａにより形成される空間により、揺動片６１５の揺動は許容しつつ、揺動片６１５を外部から遮蔽できるので（図４６（ｃ）参照）、かかる揺動片６１５が外部から操作されることを困難とできる。よって、その連結が不正に解除されることを抑制できる。
【０２７５】
図４１及び図４２に戻って説明する。第６実施の形態における内枠の構成要素Ａ６は、第５実施の形態における構成要素Ａ５と同様に、正面視矩形の枠状に形成され、外枠６１０に対して遊技機主部を連結した状態では、構成要素Ａ６が外枠６１０の枠内に配設される（図４９参照）。この構成要素Ａ６による枠状体は、主部側被軸支部材３５、主部側第２被軸支部材４３５、縦枠体６３７及び横枠体６３８から構成される。
【０２７６】
縦枠体６３７は、左右の枠体を構成する部材であり、金属材料から縦長の平板形状に形成され、主部側被軸支部材３５の長手方向両端にそれぞれ締結固定される。これら左側の枠体および右側の枠体は鏡像対象の関係にあるため、それぞれに同じ符号を付して説明する。
【０２７７】
ここで、図４５を参照して、縦枠体６３７について説明する。図４５（ａ）は、図４１の矢印Ｗ４方向視における縦枠体６３７の部分拡大正面図であり、図４５（ｂ）は、図４５（ａ）のＷ５−Ｗ５線における縦枠体６３７の断面図である。
【０２７８】
図４５に示すように、縦枠体６３７は、幅方向（図４５（ｂ）左右方向）の一側にテーパ状の傾斜面６３７ａが形成される。傾斜面６３７ａは、構成要素Ａ６の外面（即ち、外枠６１０に構成要素Ａ４が取り付けられた状態で、内面縦枠体６１３に対向する面）側から幅方向一側（構成要素Ａ６を外枠６１０へ取り付ける際の取付方向（挿入方向）先端側、図４５（ｂ）右側）へ向けて下降傾斜して形成される。この傾斜面６３７ａにより、構成要素Ａ６を外枠６１０の枠内へスムーズに挿入できると共に、内面縦枠体６１３の揺動片６１５を後方へスムーズに後退させることができる（図４６参照）。
【０２７９】
縦枠体６３７は、複数（本実施の形態では５個）の受入部６３７ｂを備える。受入部６３７ｂは、縦枠体６３７に板厚方向に貫通形成された正面視長円形の孔であり、その長径方向を上下方向（縦枠体６３７の長手方向、図４５（ａ）上下方向）に沿わせた姿勢で配設される。受入部６３７ｂの短径寸法は、ピン部材Ｂの頭部Ｂ２における外径寸法よりも若干大きくされる。
【０２８０】
受入部６３７ｂは、互いに所定間隔（本実施の形態では等間隔）を隔てつつ、縦枠体６３７の長手方向（図４５（ａ）上下方向）に平行な直線状に複数が列設され、各受入部６３７ｂの高さ位置（図４５（ａ）上下方向位置）は、各揺動片６１５の高さ位置に対応して設定される。
【０２８１】
よって、複数の揺動片６１５の内のいずれか１の揺動片６１５にピン部材Ｂを締結固定し、外枠６１０に対して遊技機主部（構成要素Ａ６）を取り付けると、ピン部材Ｂの頭部Ｂ２が所定の受入部６３７ｂ（即ち、ピン部材Ｂが取り付けられた揺動片６１５と同じ高さ位置にある受入部６３７ｂ）に受け入れられる。これにより、ピン部材Ｂを介して、揺動片６１５（外枠６１０）と受入部６３７ｂ（遊技機主部）とが連結される。
【０２８２】
この場合、上述したように、複数の揺動片６１５の列設方向が内面縦枠体６１３の長手方向に対して傾斜される一方、複数の受入部６３７ｂの列設方向が縦枠体６３７の長手方向に対して平行とされるので、ピン部材Ｂの介在する介在位置（即ち、ピン部材Ｂが締結固定される揺動片６１５の高さ位置）に応じて、外枠６１０と遊技機主部（構成要素Ａ６）との間の連結状態が変更される。即ち、外枠６１０に対する遊技機主部の傾斜角度が変更される。
【０２８３】
このように、板状体からなる縦枠体６３７に貫通形成された孔が受入部６３７ｂとされるので、縦枠体６３７の外形をプレス加工で打ち抜く際に、同時に、同じ金型により、孔を打ち抜くことで、受入部６３７ｂを容易に形成することができ、製造工数の削減を図ることができる。よって、パチンコ機６０１全体としての製品コストの削減を図ることができる。
【０２８４】
また、受入部６３７ｂが正面視長円形とされ、その長径の方向を上下方向に沿わせた姿勢で受入部６３７ｂが配設されると共に、受入部６３７ｂの長径がピン部材Ｂの外径よりも大きくされるので、その長径と外径との寸法差の分、受入部６３７ｂにピン部材Ｂを受け入れる際の外枠６１０と遊技機主部との上下方向（高さ方向）の位置決めを行い易くすることができる。
【０２８５】
図４１及び図４２に戻って説明する。横枠体６３８は、木製材料から平板形状に形成され、一端側が主部側第２被軸支部材４３５を介して一方の縦枠体６３７に接続されると共に、他端側が他方の縦枠体６３７に接続される。これにより、横枠体６３８は、構成要素Ａ６の枠形状において、主部側被軸支部材３５と対向する辺を形成する。
【０２８６】
なお、横枠体６３８には、ハンドルｈｄを収納可能な凹部６３８ａが凹設されると共に、その凹部６３８ａに対応する領域を覆う封止板６３９が下面に配設される。また、縦枠体６３７の一方（図４１右側）には、その内面側（他方の縦枠体６３７と対向する側）に爪受け部材１７（図３９参照）が配設される。
【０２８７】
次いで、図４６及び図４７を参照して、外枠６１０に対する遊技機主部（構成要素Ａ６）の連結構造およびその連結動作について説明する。図４６（ａ）から図４６（ｃ）は、外枠６１０と遊技機主部（構成要素Ａ６）との連結構造を示す連結構造部分の断面図であり、図４２のＷ２−Ｗ２線における断面図に対応する。
【０２８８】
図４７（ａ）から図４７（ｃ）は、遊技機主部（構成要素Ａ６）が連結された状態における外枠６１０の斜視図であり、外枠６１０と遊技機主部との間の連結位置を変更した状態が図示され、外枠６１０に対する遊技機主部の傾斜角度がそれぞれ異なる。
【０２８９】
図４６（ａ）に示すように、外枠６１０に対する遊技機主部（構成要素Ａ６）の取り付けが開始され、外枠６１０の枠内へ構成要素Ａ６が挿入（図４６（ａ）右方向へ移動）されると、縦枠体６３７が内面縦枠体６１３の内面に沿って移動される。これにより、ピン部材Ｂの頭部Ｂ２が縦枠体６３７の傾斜面６３７ａに沿って案内されることで、内面縦枠体６１３の揺動片６１５が後方（縦枠体６３７から離間する方向、図４６（ａ）上方）へ向けて弾性的に揺動（変形）される。
【０２９０】
図４６（ｂ）に示すように、外枠６１０の枠内へ構成要素Ａ６が更に挿入（図４６（ｂ）右方向へ移動）されると、ピン部材Ｂの頭部Ｂ２が、縦枠体６３７の傾斜面６３７ａを通過して、縦枠体６３７の外面（図４６（ｂ）上側面）上に乗り上げる。なお、この場合、揺動片６１５の後方への揺動量（変形量）が最大となり、凹部６１４ａは、この揺動片６１５の揺動を許容する。
【０２９１】
図４６（ｃ）に示すように、ピン部材Ｂの頭部Ｂ２が縦枠体６３７の受入部６３７ｂに到達すると、弾性回復力により、内面縦枠体６１３の揺動片６１５が縦枠体６３７へ近接する方向へ揺動（即ち、初期位置へ復帰）され、ピン部材Ｂの頭部Ｂ２が縦枠体６３７の受入部６３７ｂに受け入れられる。その結果、外枠６１０の内側縦枠体６１３と遊技機主部（構成要素Ａ６）の縦枠体６３７との間にピン部材Ｂが介在する状態（即ち、外枠６１０に対し遊技機主部（構成要素Ａ６）を連結させた状態）が形成され、遊技機主部を外枠６１０に組み付ける作業が完了される。
【０２９２】
このように、揺動片６１５が弾性的に揺動可能に形成されるので、外枠６１０に遊技機主部（構成要素Ａ６）を取り付ける場合には、かかる遊技機主部を外枠６１０に対して移動させるだけで、揺動片６１５を前後に揺動させ（後退および初期位置への復帰）、ピン部材Ｂを受入部６３７ｂに受け入れさせることができる。即ち、作業者は、外枠６１０に対して遊技機主部を押し込むだけで、両者を容易に連結させることができ、その結果、遊技機主部を外枠６１０に組み付ける作業の作業性の向上を図ることができる。
【０２９３】
この場合、ピン部材Ｂの介在する介在位置（即ち、ピン部材Ｂが締結固定される揺動片６１５の高さ位置）に応じて、外枠６１０に対する遊技機主部（構成要素Ａ６）の傾斜角度が変更される。即ち、上述したように、複数の受入部６３７ｂの列設方向が縦枠体６３７の長手方向に対して平行とされる一方、複数の揺動片６１５の列設方向が内面縦枠体６１３の長手方向に対して傾斜され、高さ位置が上方の揺動片６１５ほど外枠６１０の背面側に位置すると共に高さ位置が下方の揺動片６１５ほど外枠６１０の前面側に位置する（図４２参照）。
【０２９４】
よって、図４７（ａ）に示すように、高さ位置が最下方の揺動片６１５にピン部材Ｂが取り付けられた場合は、ピン部材Ｂが外枠６１０の最も前面側（図４７（ａ）左手前側）に位置する場合であるので、かかるピン部材Ｂを介して連結された状態では、外枠６１０に対する遊技機主部（構成要素Ａ６）の傾斜角度が最も大きくなる（即ち、外枠６１０に対して遊技機主部（構成要素Ａ６）が最も起立した状態となる）。
【０２９５】
一方、図４７（ｃ）に示すように、高さ位置が最上方の揺動片６１５にピン部材Ｂが取り付けられた場合は、ピン部材Ｂが外枠６１０の最も背面側（図４７（ｃ）右奥側）に位置する場合であるので、かかるピン部材Ｂを介して連結された状態では、外枠６１０に対する遊技機主部（構成要素Ａ６）の傾斜角度が最も小さくなる（即ち、外枠６１０に対して遊技機主部（構成要素Ａ６）が最も倒伏した状態となる）。
【０２９６】
また、図４７（ｂ）に示すように、高さ位置が中間（５ヶ所の内の上から３ヶ所目）の揺動片６１５にピン部材Ｂが取り付けられた場合は、ピン部材Ｂが上述した外枠６１０の背面側および前面側の中間位置となるので、かかるピン部材Ｂを介して連結された状態では、外枠６１０に対する遊技機主部（構成要素Ａ６）の傾斜角度が上述した最大および大小の中間の角度となる。
【０２９７】
このように、第６実施の形態では、内面縦枠体６１３と縦枠体６３７との間の連結状態を変更することができ、これにより、外枠６１０に対する遊技機主部（構成要素Ａ６）の傾斜角度を調整することができる。よって、例えば、外枠６１０に遊技機主部を組み付けた結果、傾斜角度の調整が必要な場合であっても、外枠６１０を島の木枠から一旦取り外し、島の木枠に対する外枠６１０の取り付け角度を調整する必要がなく、島の木枠に外枠６１０を装着したままで、外枠６１０に対する遊技機主部の傾斜角度、即ち、島の木枠に対する遊技機主部の傾斜角度を調整することができる。
【０２９８】
この場合、内面縦枠体６１３と縦枠体６３７との間の連結状態の変更は、これら内面縦枠体６１３と縦枠体６３７との間に介在するピン部材Ｂの介在位置を変更する（即ち、複数の揺動片６１５に対し、ピン部材Ｂをいずれに締結固定するかを選択する）ことで行うことができ、簡素な作業である。よって、外枠６１０に対する遊技機主部（構成要素Ａ６）の傾斜角度を調整する際の作業性の向上を図ることができる。
【０２９９】
一方、外枠６１０から遊技機主部（構成要素ａ６）の取り外しは次のように行う。まず、施錠装置ＫＤを開錠し、外枠６１０に対し遊技機主部を開放する。構成要素Ａ６の縦枠体６３７の内面に、受入部６３７ｂの開口を介して、ピン部材Ｂの頭部Ｂ２を露出されるので、かかるピン部材Ｂの頭部Ｂ２を取り外し方向（図４６（ｃ）上方向）へ向けて押圧することで、揺動片６１５を縦枠体６３７から離間する方向へ揺動させ、ピン部材Ｂの頭部Ｂ２を受入部６３７ｂの外へ後退させる。これにより、内面縦枠体６１３と縦枠体６３７との間にピン部材Ｂが介在しない状態（即ち、両者の連結を解除した状態）とすることができるので、遊技機主部を取り外し方向（図４６（ｂ）左方向）へ移動させることで、外枠６１０から取り外すことができる。
【０３００】
なお、外枠６１０に対して遊技機主部を閉じた状態では、遊技機主部に配設される各部品（例えば、樹脂ベース３１など）が外枠６１０の枠内に配設され、かかる部品が、縦枠体６３７の受入部６３７ｂの開口に対面される。よって、受入部６３７ｂの開口から露出されるピン部材Ｂの頭部Ｂ２を対面された部品により遮蔽できるので、開口を介してピン部材Ｂの頭部Ｂ２が操作されることを困難とできる。
【０３０１】
次いで、図４８から図５１を参照して、第７実施の形態について説明する。第１実施の形態では、遊技機主部２０が主部側被軸支部材３５により自立可能に形成される場合を説明したが、第７実施の形態における遊技機主部は、主部側被軸支部材７３５による正立状態での自立に加え、主部側第２被軸支部材７３８による倒立状態での自立も可能に形成される。なお、上述した各実施の形態と同一の部分には同一の符号を付して、その説明は省略する。
【０３０２】
図４８は、内枠７３０の分解斜視図であり、図４９は、外枠７３０の分解斜視図である。なお、第７実施の形態の遊技機主部は、主部側被軸支部材７３５、主部側第２被軸支部材７３８及び主部側連結部材７３２が異なると共にハンドルｈｄが省略される点を除き、第１実施の形態における遊技機主部２０と同一に構成される。よって、その図示および説明は省略する。
【０３０３】
図４８に示すように、第７実施の形態における内枠７３０は、樹脂ベース３１の回動基端側下端（図４８左下）に主部側被軸支部材７３５が配設される。主部側被軸支部材７３５は、支持金具３３との連結構造は第１実施の形態における主部側被軸支部材３５と同一であるので、その説明は省略する。
【０３０４】
主部側被軸支部材７３５は、長尺板状の本体板７３６と、その本体板７３６の長手方向に沿って本体板７３６の縁部から立設されると共にその立設先端部分を本体板７３６側へ平行に折り返して断面逆Ｌ字状に形成される立設板７３７とを備える。立設板７３７は、本体板７３６の長手方向の全域にわたって形成され、主部側被軸支部材７３５の剛性が確保される。
【０３０５】
本体板７３６の複数個所（本実施の形態では３ヶ所）には、受入穴７３６ａが穿設される。受入穴７３６ａは、係合装置７７０の突出部材７７６を受け入れるための正面視矩形の孔である。また、主部側被軸支部材７３５には、立設板７３７の一部を切り欠いて形成される立設切り欠き部７３７ａが形成される。この立設切り欠き部３７ａに第２係合爪ＫＤｂ１が係合することで、主部側被軸支部材７３５が閉じた状態に保持される。
【０３０６】
樹脂ベース３１の回動基端側上端（図４８左奥側）には、主部側連結部材７３２が配設される。主部側連結部材７３２は、外枠７１０と反対側（即ち、前面扉４０側、図１参照）へ向けて突出する状態で、樹脂ベース３１に締結ねじにより締結固定される。この主部側連結部材７３２には、第２支持軸７３４を介して、主部側第２被軸支部材７３８が回動可能に軸支される。
【０３０７】
なお、主部側連結部材７３２と主部側第２被軸支部材７３８との間には、ねじりコイルばね（図示せず）が介在され、そのねじりコイルばねのねじりトルクによって、主部側被軸支部材７３８は、第２支持軸７３４を回動中心として、開放方向（図５０の状態となる方向）へ付勢される。
【０３０８】
主部側第２被軸支部材７３８は、長尺板状の本体板７３９と、その本体板７３９の長手方向に沿って本体板７３９の縁部から立設される立設板７４０と、その立設板７４０の長手方向一側において外枠７１０と反対側（即ち、前面扉４０側、図１参照）へ向けて本体板７３９と平行に延設される延設板７４１とを備える。立設板７４０は、本体板７３９の長手方向の全域にわたって形成され、主部側第２被軸支部材７３８の剛性が確保される。延設板７４１の下面には、第２支持軸７３４が突設される。
【０３０９】
本体板７３９の複数個所（本実施の形態では３ヶ所）には、受入穴７３９ａが穿設される。受入穴７３９ａは、外枠側係合部材７１７（係合装置７７０）の突出部材７７６を受け入れるための正面視矩形の孔である。また、主部側第２被軸支部材７３８には、立設板７４０の一部を切り欠いて形成される立設切り欠き部７４０ａが形成される。この立設切り欠き部７４０ａに施錠装置ＫＤの施錠動作部材の一部（例えば、一対の係合爪ＫＤｂを連結すると共にシリンダー錠ＫＤａのキー操作に連動して変位動作する部材）が係合することで、主部側第２被軸支部材７３８が閉じた状態に保持される。
【０３１０】
図４９に示すように、第７実施の形態における外枠７１０は、４枚の板材（上下に位置する上枠体７１１及び下枠体１２並びにそれらを連結する左枠体１３及び右枠体１４）を四辺に連結することで、正面視矩形枠状に形成される。なお、右枠体１４には、爪受け部材１７が配設される（図４及び図５参照）。
【０３１１】
上枠体７１１は、金属材料からなり、長尺板状の本体板７１１ａと、その本体板７１１ａの長手方向に沿って本体板７１１ａの縁部から立設されると共にその立設先端部分を本体板７１１ａ側へ平行に折り返して断面逆Ｌ字状に形成される立設板７１１ｂとを備える。立設板７１１ｂは、本体板７１１ａの長手方向の全域にわたって形成され、上枠体７１１の剛性が確保される。また、立設板７１１ｂの折り返した部分と本体板７１１ａとの対向間隔は、後述する板材７１５の板厚と同等か若干大きくされ、その対向面間に板材７１５を保持可能とされる。
【０３１２】
上枠体７１１は、本体板７１１ａに複数（本実施の形態では２個）の開口７１１ａ１が形成される。開口７１１ａは、正面視矩形の孔（開口）である。開口７１１ａ１の縁部（隣接する開口７１１ａ１に対向する側の辺）には、係合板７１１ａ２が配設される。係合板７１１ａ２は、本体板７１１ａから立設されると共にその立設先端部分を開口７１１ａ１側へ平行に折り返して断面逆Ｌ字状に形成される。係合板７１１ａ２の折り返した部分と本体板７１１ａとの対向間隔は、板材７１５の板厚と同等か若干大きくされ、その対向面間に板材７１５を保持可能とされる。
【０３１３】
本体板７１１ａの上面であって、開口７１１ａ１に対応する位置には、木製材料からなる平板状の板材７１５が配設される。よって、上枠体７１１を金属材料から形成して、その剛性を確保しつつ、開口７１１ａ１を介して、外枠７１０（上枠体７１１）を島設備の枠体に釘等により打ち付けて固定することができる。
【０３１４】
なお、板材７１５は、上枠体７１１の長手方向両端側から中央へ向けて挿入され、開口７１１ａ１に対応する位置で、本体板７１１ａと立設板７１１ｂの折り返した部分との対向面間、及び、本体板７１１ａと係合板７１１ａ２の折り返した部分との対向面間に挟まれて保持される。よって、板材７１５を保持するための構造を簡素化して、製品コストの削減を図ることができると共に、板材７１５の着脱を容易とすることができる。
【０３１５】
上枠体７１１には、本体板７１１ａの上面に複数（本実施の形態では３個）の係合装置７７０が配設される。係合装置７７０は、主部側第２被軸支部材７３８を外枠７１０に連結させるための装置であり、進退可能に形成される突出部材７７６を備える。本体板７１１ａには、係合装置７７０の配設位置に出没穴（図示せず）が開口形成されており、係合装置７７０は、本体板７１１ａの出没穴を介して、本体板７１１ａの下面から突出部材７７６を出没可能とされる。
【０３１６】
下枠体１２には、外壁形成部材７８０が配設され、その外壁形成部材７８０の内部に複数（本実施の形態では３個）の係合装置７７０が配設される。外壁形成部材７８０に配設される係合装置７７０は、外壁形成部材７８０の出没穴７８１ａを介して、外壁形成部材７８０の上面から突出部材７７６を出没可能とされる。
【０３１７】
なお、外壁形成部材７８０は、第１実施の形態における外壁形成部材８０に対し、出没穴７８１ａの形成個数が３個とされると共に出没穴７８１ａの正面視形状が矩形状とされる（第１実施の形態では正面視円形の出没穴８１ｂが５個）点を除き、他の構成は外壁形成部材８０と同一であるので、その説明は省略する。この場合、折り返し片８１ａの図示は省略するが、かかる折り返し片８１ａを第１実施の形態と同様の形態で外壁形成部材７８０に設けても良い。
【０３１８】
図５０は、外枠７１０及び内枠７３０の斜視図であり、外枠７１０から内枠７３０を取り外した状態が図示される。図５１は、外枠７１０及び内枠７３０の斜視図であり、外枠７１０に対して内枠７３０を開放した状態が図示される。なお、図５０では、内枠７３０に対し主部側被軸支部材７３５を開放すると共に主部側第２被軸支部材７３８を閉じた状態が図示される。
【０３１９】
図５０及び図５１に示すように、遊技機主部（内枠７３０）は、主部側被軸支部材７３５及び主部側第２被軸支部材７３８が係合装置７７０に係合されることで、外枠７１０に連結される。即ち、外枠７１０の枠内へ主部側被軸支部材７３５及び主部側第２被軸支部材７３８が挿入されると、主部側被軸支部材７３５の本体板７３６の下面が外壁形成部材８０の上面に沿って移動されると共に、主部側第２被軸支部材７３８の本体板７３９の上面が上枠体７１１の本体板７１１ａの下面に沿って移動され、これら本体板７３６，７３９によって、係合装置７７０の突出部材７７６が押し込まれ（後退され）、外壁形成部材８０の上面および本体板７１１ａの下面に没入される。
【０３２０】
主部側被軸支部材７３５及び主部側第２被軸支部材７３８が更に挿入され、係合装置７７０の突出部材７７６（即ち、出没穴７８１ａの形成位置）に本体板７３６の受入穴７３６ａおよび本体板７３９の受入穴７３９ａが到達すると、係合装置７７０の突出部材７７６が前進し、本体板７３６の受入穴７３６ａおよび本体板７３９の受入穴７３９ａにそれぞれ受け入れられる。その結果、外枠７１０に対し遊技機主部（内枠７３０）が連結され、組み付け作業が完了される。
【０３２１】
この場合、第７実施の形態では、遊技機主部に対して回動可能に形成される主部側被軸支部材７３５及び主部側第２被軸支部材７３８の２本の部材を備え、それら２本の部材の一方（主部側被軸支部材７３５）が遊技機主部の下端に配設されると共に他方（主部側第２被軸支部材７３８）が遊技機主部の上端に配設される。
【０３２２】
よって、一方（主部側被軸支部材７３５）を開いた状態とすることで、遊技機主部を正立状態（即ち、図５０に示す状態）で単独で自立させることができ、かつ、他方（主部側第２被軸支部材７３８）を開いた状態とすることで、遊技機主部を倒立状態（即ち、図５０に示す遊技機主部を上下反転させ、その遊技機主部の上方側を床面に載置した状態）でも単独で自立させることができる。
【０３２３】
これにより、下方寄りに重心が位置する遊技機主部であれば、主部側被軸支部材７３５を開放して、正立状態で自立させる一方、上方寄りに重心が位置する遊技機主部であれば、主部側第２被軸支部材７３８を開放して、倒立状態で自立させることで、遊技機主部を安定して自立させることができる。
【０３２４】
以上、実施形態に基づき本発明を説明したが、本発明は上記実施形態に何ら限定されるものではなく、本発明の趣旨を逸脱しない範囲内で種々の変形改良が可能であることは容易に推察できるものである。
【０３２５】
上記各実施の形態において、一又は複数の実施の形態における一部の形態または全部の形態と、一又は複数の他の実施の形態における一部の形態または全部の形態とを、組み合わせても良く、置き換えても良い。以下に例示する変形例（変形形態）においても同様である。即ち、一又は複数の実施の形態または（及び）一又は複数の変形形態における一部の形態または全部の形態と、一又は複数の他の実施の形態または（及び）一又は複数の他の変形形態における一部の形態または全部の形態とを、組み合わせても良く、置き換えても良い。
【０３２６】
この組み合わせや置き換えとしては、例えば、以下の形態が一例として例示される。第２実施の形態における第２立設板２３７ａを、第３実施の形態における主部側被軸支部材３３５、第４から第６実施の形態における主部側被軸支部材３５、或いは、第７実施の形態における主部側被軸支部材３３５又は（及び）主部側第２被軸支部材７３８に設ける形態。第１及び第２実施の形態または第４から第６実施の形態における主部側被軸支部材３５の受入穴３６ａと第７実施の形態における主部側被軸支部材３３５又は（及び）主部側第２被軸支部材７３８における受入穴７３６ａ，７３９ａを、第３実施の形態における受入凹部３３６ａに置き換える形態。
【０３２７】
上記各実施形態で挙げた数値は一例であり、他の数値を採用することは当然可能である。かかる数値の一例としては、例えば、受入穴３６ａや挿入爪３６ｃの形成個数などが例示される。
【０３２８】
上記各実施の形態では、外枠側係合装置１６が外枠１０の下枠体１２に配設される場合を説明したが、必ずしもこれに限られるものではなく、これに代えて、或いは、これに加えて、外枠１０の上枠体１１の下面側に配設してもよい。なお、上枠体１１に配設する場合には、遊技機主部２０の重量を支える必要がないので、外枠側係合装置１６の簡素化（例えば、板厚の薄肉化や材質の変更など）を行うことができ、その分、製品コストの削減を図ることができる。
【０３２９】
上記各実施の形態では、規制板７８の上面視において、貫通孔７８ｄにより形成される空間が閉じた空間として形成される場合を説明したが、必ずしもこれに限られるものではなく、規制板７８の上面視において、貫通孔７８ｄの内部空間と外部とを連通する通路が規制板７８に形成されていても良い。この場合には、かかる通路を利用して、突出部材７６を貫通孔７８ｄの内部空間へ配置することができる。よって、突出部材７６の本体部７６ａと環状板７６ｃとを別体とする必要がなく、環状板７６ｃを本体部７６ａと一体に形成することができるので、部品点数および組立工数の低減を図ることができる。
【０３３０】
上記各実施の形態では、複数の係合装置７０が外枠１０の幅方向（左右方向）に等間隔に配設される場合を説明したが、必ずしもこれに限られるものではなく、例えば、外枠１０の左右方向（左枠体１３側および右枠体１４側）に偏らせて配設しても良い。この場合には、中央部分にスペースを確保して、他の部品（例えば、スピーカ装置や制御基板、コネクタなど）を配設できる。即ち、各係合装置７０の対向間に形成される各スペースは狭く、単体では有効な利用が困難なデッドスペースとなり易いところ、係合装置８０を左右に偏らせて配設することで、各デッドスペースを合体させて、その分、中央に有効なスペース（広いスペース）を確保することができる。
【０３３１】
上記各実施の形態では、主部側被軸支部材３５の長手方向寸法が、外枠１０の幅寸法（左枠体１３及び右枠体１４の対向面間隔）と略同一とされる場合を説明したが、必ずしもこれに限られるものではなく、上記各実施の形態における主部側被軸支部材３５よりも短くすることは当然可能である。
【０３３２】
上記各実施の形態では、規制板７８の後端部分における外面を平坦面状に形成する場合を説明したが、必ずしもこれに限られるものではなく、その外面の凹凸や溝を設けても良い。凹凸や溝が設けられることで、規制板７８を引く抜く際の滑り止めとすることができる。
【０３３３】
上記各実施の形態では、ケース体７１Ｒ，７１Ｌを締結ねじＢ１及びナットＮ１による締結固定により一体化（結合）する場合を説明したが、必ずしもこれに限られるものではなく、他の結合手段を利用することは当然可能である。他の結合手段としては、ケース体７１Ｒ，７１Ｌの合わせ面同士を接着で接着固定する方法、合わせ面同士を超音波溶着で溶着させる方法、或いは、ケース体７１Ｒ，７１Ｌの一方に形成された弾性的な爪を他方に設けられた受け部に係合させる方法などが例示される。
【０３３４】
上記各実施の形態では、外壁形成部材８０が、板状体を折り曲げることで形成され、例えば、上面板８１と側面板８４との間などに隙間が形成される場合を説明したが、必ずしもこれに限られるものではなく、板状体に絞り加工を施して、外壁形成部材８０を容器状（即ち、上面板８１と側面板８４との間、及び、底面板８２と側面板８４との間に隙間が形成されない形状）に形成しても良い。これにより、突出部材７６へのアクセスをより困難とすることができる。
【０３３５】
上記第１及び第２実施の形態では、係合装置７０（突出部材７６）の配設数と主部側被軸支部材３５の受入穴３６ａの配設数とが同数とされる場合を説明したが、必ずしもこれに限られるのものではなく、係合装置７０（突出部材７６）の配設数よりも、主部側被軸支部材３５の受入穴３６ａの配設数を少なくしても良い。第３実施の形態における受入凹部３３６ａについても同様である。これら受入穴３６ａ又は受入凹部３３６ａの配設数が少なくても、突出部材７６は主部側被軸支部材３５の下面側で没入状態にあれば足りるからである(図２０参照）。
【０３３６】
上記第４から第６実施の形態では、主部側第２被係合部材４３５，５３５と主部側連結部材３２とが枠面に垂直な方向へのスライド移動（案内溝５４への第２支持軸４３４の挿入）により連結可能に構成される場合を説明したが、必ずしもこれに限られるものではなく、着脱不能に構成しても良く、或いは、連結方向を変更しても良い。連結方向を変更する場合としては、例えば、主部側連結部材３２の軸穴に、主部側第２被係合部材４３５，５３５の第２支持軸４３４を軸方向に挿入することで、両者が連結される構造が例示される。
【０３３７】
上記第４実施の形態では、主部側第２被軸支部材４３５に係合片４３６を締結固定する締結ねじの頭部が、主部側第２被軸支部材４３５の外面に位置する構造を説明したが、必ずしもこれに限られるものではなく、締結ねじの頭部が係合片４３６の下面側に位置する構想であっても良い。即ち、締結ねじのおねじが挿通する挿通孔を係合片４３６に設けると共にその挿通孔に挿通されたおねじが螺合されるめねじを主部側第２被軸支部材４３５に設けても良い。これにより、締結ねじの頭部を外枠４１０の枠内に位置させることができるので、かかる締結ねじが不正に取り外されることを抑制できる。
【０３３８】
上記第４実施の形態では、係合片４３６が挿入部４１６ｃに挿入された状態で、係合片４３６を下方に揺動させる空間（外枠側通路４１１ｄ）が形成される構造を説明したが、必ずしもこれに限られるものではなく、係合片４３６が挿入部４１６ｃに挿入された状態（折返し部４３６ｃの折返し先端が係止面４１６ｃ１に係止された状態）では係合片４３６の下方への揺動を規制する手段を、外枠側通路４１１ｄ内に設けてもよい。これにより、係合片４３６を切断しなければ連結状態（係止された状態）を解除できないので、かかる連結状態が不正に解除されることを抑制できる。
【０３３９】
上記第６実施の形態では、内面縦枠体６１３の長手方向に対し揺動片６１５が傾斜した状態で列設され、縦枠体６３７の長手方向に平行な直線状に受入部６３７ｂが列設される場合を説明したが、必ずしもこれに限られるものではなく、これとは逆としても良い。即ち、内面縦枠体６１３の長手方向に平行な直線状に揺動片６１５を列設すると共に、縦枠体６３７の長手方向に対し傾斜した状態で受入部６３７ｂを列設しても良い。これによっても、同様に、外枠６１０に対する遊技機主部の傾斜角度を調整できる。
【０３４０】
第６実施の形態では、揺動片６１５が、その揺動先端側を外枠６１０の前面側へ向けて配置される場合を説明したが、必ずしもこれに限られるものではなく、これとは逆に、揺動片６１５は、その揺動先端側を外枠６１０の背面側へ向けた状態で配置されても良い。
【０３４１】
上記第６実施の形態では、外枠６１０の左右の枠体に揺動片６１５を、構成要素Ａ６の左右の枠体に受入部６３７ｂを、それぞれ設ける場合を説明したが、必ずしもこれに限られるものではなく、これと逆の配置としても良い。即ち、外枠６１０の左右の枠体に受入部６３７ｂを、構成要素Ａ６の左右の枠体に揺動片６１５を、それぞれ設けても良い。
【０３４２】
上記第６実施の形態では、複数の受入部６３７ｂが縦枠体６３７に分散配置される場合を説明したが、必ずしもこれに限られるものではなく、１の受入部６３７ｂのみを設ける構造としても良い。この場合の１の受入部６３７ｂとしては、例えば、第６実施の形態における複数の受入部６３７ｂの間を直線状の溝で接続して得られる長穴形状の開口が例示される。
【０３４３】
上記第６実施の形態では、複数の揺動片６１５を備え、それら各揺動片６１５にピン部材Ｂを着脱自在に装着する部位を設ける場合を説明したが、必ずしもこれに限られるものではなく、１の揺動片を幅広に形成し、その１の揺動片に、ピン部材を着脱自在に装着する部位を複数設けても良い。これによっても、ピン部材を装着する部位を変更することで、外枠６１０に対する遊技機主部の傾斜角度を調整することができる。
【０３４４】
上記各実施の形態では、遊技機主部が連結装置を介して外枠に開閉可能に配設される場合を説明したが、外枠は特に存在する必要がなく、外枠に代えて、取付対象に遊技機主部が連結装置を介して開閉可能に配設される構成であっても良い。即ち、外枠側係合部材や外枠側連結部材が取付対象に取り付けられても良い。取付対象の形状は任意であり、枠状に限定されるものではない。また、取付対象は、ホールの島に設けられた枠自体であっても良い。即ち、ホールの島に設けられた枠（取付対象）に連結装置を介して遊技機主部が配設されても良い。この場合、ホールの島に設けられた枠（取付対象）の形状は任意であり、例えば、上下の板（外枠の上枠体および下枠体が連結される板）を有する形状に限られるものではない。
【０３４５】
上記各実施の形態では、支持金具３３（主部側軸部材）に軸穴が開口される一方、主部側被軸支部材３５，７３５（主部側被軸支部材）から支持軸３４が突設され、支持金具３３の軸穴に挿通された支持軸３４を介して、主部側被軸支部材３５，７３５が支持金具３３に対して相対回動可能に軸支される場合を説明したが、必ずしもこれに限られるものではなく、支持金具３３から支持軸３４が突設される一方、主部側被軸支部材３５，７３５に軸穴が開口され、主部側被軸支部材３５，７３５の軸穴に挿通された支持軸３４を介して、主部側被軸支部材３５，７３５が支持金具３３に対して相対回動可能に軸支される構成であっても良い。即ち、主部側軸部材に対し主部側被軸支部材を相対回動可能に軸支する構成は、主部側軸部材または主部側被軸支部材の一方から支持軸が突設されると共にその支持軸が挿通される軸穴が主部側軸部材または主部側被軸支部材の他方に開口されていれば良い。
【０３４６】
これは主部側第２軸部材（主部側連結部材３２，７３２）に対して主部側第２被軸支部材（主部側第２被軸支部材４３５，５３５，７３２）を相対回動可能に軸支する構成についても同様であり、主部側第２軸部材または主部側第２被軸支部材の一方から支持軸（第２支持軸４３４，７３４）が突設されると共にその支持軸が挿通される軸穴が主部側第２軸部材または主部側第２被軸支部材の他方に開口されていれば良い。
【０３４７】
上記各実施の形態では、主部側被軸支部材３５，７３５（主部側被軸支部材）が支持金具３３（主部側軸部材）に対し１本の支持軸３４を介して相対回動可能に軸支される場合を説明したが、必ずしもこれに限られるものではなく、複数本の支持軸を介して、主部側被軸支部材３５，７３５（主部側被軸支部材）が支持金具３３（主部側軸部材）に対し相対回動可能に軸支される構成としても良い。同様に、複数本の支持軸を介して、主部側第２被軸支部材（主部側第２被軸支部材４３５，５３５，７３２）が主部側第２軸部材（主部側連結部材３２，７３２）に相対回動可能に軸支される構成としても良い。例えば、主部側被軸支部材３５，７３５と支持金具３３との間、或いは、主部側第２被軸支部材４３５，５３５，７３２と主部側連結部材３２，７３２との間を、スライドヒンジ（相対回動に伴って回動軸の位置が移動するヒンジ）を介して相対回動可能に軸支する構成が例示される。このような軸支構造も、請求項１から請求項４及び遊技機Ａ０〜Ａ３５，Ｄ１〜Ｄ３における「軸支」に含まれる。
【０３４８】
以下に、本発明の遊技機に加えて、上記実施形態に含まれる各種発明の概念を示す。
【０３４９】
外枠と、その外枠に連結装置を介して開閉可能に配設される遊技機主部と、を備えた遊技機において、前記連結装置は、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材と、を少なくとも備えることを特徴とする遊技機Ａ０。
【０３５０】
なお、遊技機Ａ０の「外枠」は「取付対象」と変更しても良い。この場合、「取付対象」は遊技機Ａ０の構成でなくても良い（遊技機Ａ０が備えなくても良い）。これらのことは、以下の従属項（遊技機Ａ１からＡ３５および遊技機Ｄ１からＤ３）においても同様である。
【０３５１】
遊技機Ａ０によれば、外枠に配設される外枠側係合部材に対し、遊技機主部に配設される主部側被軸支部材を連結させることで、外枠に対し、遊技機主部を、連結装置を介して開閉可能に連結することができる。一方、外枠側係合部材と主部側被軸支部材との間の連結を解除することで、外枠から遊技機主部を取り外すことができる。
【０３５２】
これにより、外枠をホールの島の木枠に残したまま、遊技機主部を取り外すことができるので、遊技機の入れ替えを行う際には、ホールの島の木枠に残された外枠を利用して、別の遊技機主部を設置することができる。その結果、傾斜角度の調整を不要として、入れ替えに要する工数を低減することができる。
【０３５３】
この場合、遊技機主部の設計時、主部側軸部材については、外枠との関係を考慮する必要がないので、その設計の自由度を高めることができる。即ち、主部側軸部材は、主部側被軸支部材を、外枠に配設される外枠側係合部材に対して連結可能な構造とすれば足り、主部側軸部材を、外枠（外枠側係合部材）との関係で設計する必要がない。よって、主部側軸部材の設計の自由度を確保できる。
【０３５４】
遊技機Ａ０において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と、を更に備えることを特徴とする遊技機Ａ１。
【０３５５】
遊技機Ａ１によれば、遊技機Ａ０の奏する効果に加え、外枠に配設される外枠側連結部材に対し、遊技機主部に配設される主部側連結部材を連結させる共に、外枠に配設される外枠側係合部材に対し、遊技機主部に配設される主部側被軸支部材を連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、外枠側連結部材と主部側連結部材との間の連結、及び、外枠側係合部材と主部側被軸支部材との間の連結をそれぞれ解除することで、外枠から遊技機主部を取り外すことができる。
【０３５６】
遊技機Ａ０又はＡ１において、前記遊技機主部に配設される主部側被軸支部材と前記外枠に配設される外枠側係合部材とが、直線方向への相対移動により連結可能に形成されることを特徴とする遊技機Ａ２。
【０３５７】
遊技機Ａ２によれば、遊技機Ａ０又はＡ１の奏する効果に加え、遊技機主部を外枠に組み付ける際の作業性の向上を図ることができる。即ち、外枠と比較して、遊技機主部は比較的重量が嵩むところ、遊技機の入れ替えを行う際には、作業者は、この比較的重量が嵩む遊技機主部を、ホールの島の木枠に残された外枠に対して組み付ける必要がある。さらにその組み付け作業では、外枠に配設される外枠側係合部材に対し、遊技機主部に配設される主部側被軸支部材を連結させる必要がある。そのため、作業者にとって、外枠係合部材と主部側被軸支部材との連結に複雑な動作が必要であると、その連結動作を、比較重量が嵩む遊技機主部を支持しながら行うことが困難となり、遊技機主部を外枠に組み付けることができないおそれがある。これに対し、遊技機Ａ２によれば、遊技機主部に配設される主部側被軸支部材と外枠に配設される外枠側係合部材とが、直線方向への相対移動により連結可能とされるので、かかる連結動作を簡素とすることができ、その結果、遊技機主部を外枠に組み付ける際の作業性の向上を図ることができる。
【０３５８】
特に、遊技機Ａ１の構成を備えた遊技機Ａ２の場合には、「前記遊技機主部に配設される主部側連結部材と前記外枠に配設される外枠側連結部材とが、直線方向への相対移動により連結可能に形成され、その主部側連結部材を外枠側連結部材に連結させる際の直線方向が、前記遊技機主部に配設される主部側被軸支部材を、前記外枠に配設される外枠側係合部材に連結させる際の前記直線方向と平行とされる」構成を備えることが好ましい。この構成を備える遊技機Ａ２によれば、遊技機Ａ０又はＡ１の奏する効果に加え、遊技機主部に配設される主部側連結部材を、外枠に配設される外枠側連結部材に連結する際の直線方向と、遊技機主部に配設される主部側被軸支部材を、外枠に配設される外枠側連結部材に連結する際の直線方向とが平行とされるので、遊技機主部を外枠に対し直線方向へ移動させる動作のみで連結することができる。よって、主部側連結部材および外枠側連結部材を更に備える場合であっても、遊技機主部を外枠に組み付ける際の作業性の向上を図ることができる。
【０３５９】
遊技機Ａ２において、前記直線方向は、前記外枠の枠面に対して垂直な方向であることを特徴とする遊技機Ａ３。
【０３６０】
遊技機Ａ３によれば、遊技機Ａ２の奏する効果に加え、遊技機主部に配設される主部側連結部材を、外枠に配設される外枠側連結部材に連結する際の直線方向、及び、遊技機主部に配設される主部側被軸支部材を、外枠に配設される外枠側連結部材に連結する際の直線方向が、外枠の枠面に対して垂直な方向とされるので、遊技機主部を外枠に対し正面に配置し、そのまま真直ぐに直線方向へ押し込む動作のみで、遊技機主部を外枠に組み付けることができる。よって、遊技機主部を外枠に組み付ける際の作業性の向上を図ることができる。
【０３６１】
遊技機Ａ０からＡ３において、前記主部側被軸支部材は、前記主部側軸部材に軸支される一端側から離間する位置に配設され先端部を備え、前記先端部は、前記外枠から取り外された前記遊技機主部に対して前記主部側被軸支部材が開いた状態となった場合に接地可能に形成されることを特徴とする遊技機Ａ４。
【０３６２】
遊技機Ａ４によれば、遊技機Ａ０からＡ３に奏する効果に加え、遊技機主部を単独で（即ち、外枠から分離した状態であっても）自立させることができる。即ち、従来の遊技機は、外枠の底面が比較的面積を有する平坦面として形成され、その外枠の底面を利用することで、遊技機が自立可能に形成された。一方、従来の遊技機では、遊技機主部の自立については考慮されていない。そのため、外枠から遊技機主部を取り外し可能に形成した場合には、取り外した遊技機主部は、横倒しとする必要がある。これに対し、遊技機Ａ４によれば、主部側被軸支部材が、主部側軸部材に軸支される一端側から離間する位置に先端部を備えるので、かかる主部側被軸支部材を遊技機主部に対して相対回動させ、開いた状態とする（即ち、主部側被軸支部材が例えば直線状の部材であれば、両者をく字状に配置する。但し、主部側被軸支部材は、軸支される一端側と先端部との間の形状は直線状に限定されない。）ことで、遊技機主部を単独で（即ち、外枠から分離した状態であっても）自立させることができる。
【０３６３】
なお、従来の遊技機においては、外枠に対して遊技機主部を開いた状態とすれば（両者をく字状に配置）、遊技機を自立させることはできる。しかし、外枠が遊技機主部に対して一回り大きな外形を有するため、外枠の底面（接地側の面）と遊技機主部の底面（接地側の面）との間の高さ方向（遊技機の上下方向）の寸法差の分、自立させた遊技機の傾きが大きくなる。また、外枠を含む分、重心位置が高くなる。そのため、自立させた遊技機が倒れ易い。これに対し、遊技機Ａ４によれば、外枠から取り外した遊技機主部を単独で自立させるので、遊技機主部の底面（接地側の面）と主部側被軸支部材の先端部における底面（接地面）との高さ方向の差を小さくできる。また、外枠を含まない分、重心位置を低くできる。よって、自立させた遊技機が倒れることを抑制できる。
【０３６４】
遊技機Ａ４において、前記主部側被軸支部材は、前記遊技機主部の枠面に垂直な方向に平行な平板形状に形成される部分を備え、その平板形状に形成される部分の底面が前記先端部とされることを特徴とする遊技機Ａ５。
【０３６５】
遊技機Ａ５によれば、遊技機Ａ４の奏する効果に加え、主部側被軸支部材が、遊技機主部の枠面に垂直な方向に平行な平板形状に形成される部分を備えるので、その分、例えば、接地される床が変形する場合（例えば、床が弾性材料からなる場合、或いは、床に布や弾性材料からなる敷設材が敷設されている場合など）には、その床（敷設体）に対する接地面積を確保して、遊技機主部の自立を安定化させることができる。また、このように主部側被軸支部材の平板形状に形成される部分が、遊技機主部の枠面に垂直な方向に平行とされることで、複数の遊技機主部を自立させる際に、１の主部側被軸支部材に他の主部側被軸支部材を重ねることができるので、複数の遊技機主部を自立させる際の収納効率の向上を図ることができる。さらに、主部側被軸支部材が、遊技機主部の枠面に垂直な方向に平行な平板形状に形成される部分を備えることで、遊技機主部を外枠に閉じた状態とした際に、遊技機主部に制御基板などの部品を配設するスペースを効率的に確保することができる。
【０３６６】
ここで、主部側被軸支部材が遊技機主部に１の軸（主部側軸部材）により軸支される（軸支箇所が１ヶ所のみである）場合には、その軸支部分に軸方向（遊技機の上下方向）のガタを設け、そのガタにより、遊技機主部の底面（接地側の面）と主部側被軸支部材の先端部（平板形状に形成される部分）における底面（接地側の面）との間の高さ方向（遊技機の上下方向）の寸法差を吸収する（小さくする）ように構成しても良い。これにより、主部側被軸支部材の先端部を、より均一に接地させる（接地面席を確保する）ことができ、自立を安定させることができる。
【０３６７】
遊技機Ａ４又はＡ５において、前記主部側被軸支部材は、前記主部側軸部材に軸支される一端側とその反対側となる他端側との間を結ぶ一対の縁部の内の一方の縁部が折り返されて形成されると共に他方の縁部が平板形状に形成され、前記主部側被軸支部材が前記遊技機主部に対して開いた状態となった場合に、前記折り返されて形成された一方の縁部が前記遊技機主部と反対側に位置すると共に、前記平板形状に形成された他方の縁部が前記遊技機主部側に位置することを特徴とする遊技機Ａ６。
【０３６８】
遊技機Ａ６によれば、遊技機Ａ４又はＡ５の奏する効果に加え、主部側被軸支部材の一端側と他端側とを結ぶ一対の縁部の内の一方の縁部が折り返されて形成されるので、その分、主部側被軸支部材の剛性を高めることができる。即ち、主部側被軸支部材が遊技機主部に対して開いた状態（く字状の配置）とされる場合に、遊技機主部を強固に支持することができるので、遊技機主部の自立を安定化させることができる。
【０３６９】
一方で、主部側被軸支部材の縁部が折り返されていると、１の主部側被軸支部材に他の主部側被軸支部材を重ねて、複数の遊技機主部を自立させる際に、折り返された縁部に乗り上げることで、遊技機主部が傾斜して、自立が不安定となる。これに対し、本遊技機によれば、主部側軸支部材は、遊技機主部を自立させた状態において、遊技機主部側に位置する他方の縁部が平板形状に形成される。よって、折り返されて形成される一方の縁部を避け、他方の縁部の上に他の主部側被軸支部材を順に重ねていくことができる。よって、遊技機主部の傾斜を抑制して、安定的に自立させることができる。
【０３７０】
遊技機Ａ６において、前記主部側被軸支部材の一方の縁部は、上面側へ向けて折り返されて形成されることを特徴とする遊技機Ａ７。
【０３７１】
遊技機Ａ７によれば、遊技機Ａ６の奏する効果に加え、主部側被軸支部材の一方の縁部は、上面側へ向けて折り返されて形成されるので、主部側被軸支部材の底面（接地側の面）に平坦面形状の部分を形成することができる。よって、接地面積を確保して、遊技機主部の自立を安定化させることができる。
【０３７２】
なお、遊技機Ａ５及び遊技機Ａ７において、外枠へ遊技機主部が取り付けられた状態で「上面（上側を向く面）」となる面は、遊技機主部が外枠から取り外され、接地される面となる場合には、「底面」となる。また、遊技機Ａ７において、「上面側」とは、接地させた際に上側を向く面を意味する。よって、外枠に遊技機主部が取り付けられた状態で上方に位置する主部側被軸支部材では、その取り付け状態で下面となる面側が、遊技機Ａ７における「上面側」となる。遊技機Ａ５及びＡ７を除く他の遊技機Ａ１からＡ４，Ａ６，Ａ８からＡ３５，Ｄ１からＤ３においても同様である。
【０３７３】
遊技機Ａ４から遊技機Ａ７のいずれかにおいて、前記主部側被軸支部材と前記遊技機主部との間に介在し、前記主部側被軸支部材を、前記主部側軸部材を回動中心として相対回動させ、前記遊技機主部に対して開いた状態となる方向へ付勢する回動付勢部材を備えることを特徴とする遊技機Ａ８。
【０３７４】
遊技機Ａ８によれば、遊技機Ａ４からＡ７のいずれかの奏する効果に加え、主部側被軸支部材が回動付勢部材により遊技機主部に対して開いた状態となる方向へ付勢されるので、主部側被軸支部材を遊技機主部に対して開いた状態（く字状に配置）に維持して、遊技機主部の自立を安定化させることができる。即ち、遊技機主部の自立時に主部側被軸支部材が不用意に閉じられて、遊技機主部の自立が不安定化することを抑制できる。
【０３７５】
また、外枠に配設される外枠側係合部材と遊技機主部に配設される主部側被軸支部材との連結により、外枠に対して遊技機主部が開閉可能に配設された状態では、回動付勢部材の付勢力を、遊技機主部を開放させる方向への力として利用することができる。よって、遊技機主部の重量が重い場合であっても、その遊技機主部を作業者が開放する操作を容易とすることができる。
【０３７６】
遊技機Ａ２又はＡ８において、前記主部側被軸支部材が、前記主部側軸部材を回動中心として前記遊技機主部に対して相対回動され、前記遊技機主部の底面側に配設された場合に、その主部側被軸支部材を保持する主部側保持部材を備えることを特徴とする遊技機Ａ９。
【０３７７】
遊技機Ａ９によれば、遊技機Ａ２又はＡ８の奏する効果に加え、主部側保持部材により主部側被軸支部材を遊技機主部の底面側に保持することができるので、遊技機主部を外枠に組み付ける際の作業性の向上を図ることができる。即ち、遊技機Ａ２の構成を備えた遊技機Ａ９の場合には、外枠から取り外された状態での遊技機主部において、主部側保持部材によって主部側被軸支部材が保持されているので、外枠に対して遊技機主部を直線方向へ相対移動させる動作のみで、主部側被軸支部材を外枠側係合部材に連結させ、外枠に対する遊技機主部の組み付けを完了することができ、先に主部側被軸支部材を主部側係合部材に連結させた後、次いで外枠に対して遊技機主部を閉じる動作を不要とすることができる。また、遊技機Ａ８の構成を備えた遊技機Ａ９の場合には、主部側被軸支部材は、回動付勢部材により遊技機主部に対して開いた状態となる方向へ付勢されているところ、これを主部側保持部材により遊技機主部の底面側に保持する（閉じた状態に保持する）ことができれば、作業者は、作業者自身が例えば一方の手で主部側被軸支部材を閉じた状態に保持しつつ、遊技機主部を外枠に組み付けるという煩雑な作業を行う必要がなく、遊技機主部を外枠に組み付ける作業のみに集中することができる。
【０３７８】
遊技機Ａ９において、前記遊技機主部を前記外枠に対して施錠する施錠装置を備えると共に、前記施錠装置が前記主部側保持部材を備え、前記施錠装置の操作により前記遊技機主部の外枠に対する施錠が解除される場合に、その操作に連動して、前記主部側保持部材による前記主部側被軸支部材の保持が解除されることを特徴とする遊技機Ａ１０。
【０３７９】
遊技機Ａ１０によれば、遊技機Ａ９の奏する効果に加え、施錠装置が主部側保持部材を備え、施錠装置の操作に連動して、主部側保持部材による主部側被軸支部材の保持を解除できるので、遊技機主部を外枠に組み付ける際には、主部側被軸支部材を主部側保持部材により保持し、組み付け作業の作業性の向上を図りつつ、組み付け後は、施錠装置による施錠を解除するのみで、外枠に対して遊技機主部を開放させることができる。即ち、施錠装置を解除する一の操作のみで、遊技機主部の外枠に対する施錠の解除と、主部側被軸支部材の主部側保持部材による保持の解除とを同時に行うことができる。
【０３８０】
遊技機Ａ４からＡ１０のいずれかにおいて、前記連結装置は、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材とからなる組を二組備え、これら二組の内の一方の組が前記遊技機主部および外枠の下方側に配設される共に他方の組が前記遊技機主部および外枠の上方側に配設されることを特徴とする遊技機Ａ１１。
【０３８１】
遊技機Ａ１１によれば、遊技機Ａ４からＡ１０のいずれかの奏する効果に加え、主部側軸部材、主部側被軸支部材および外枠側係合部材からなる組を二組備え、それら二組のそれぞれにおいて、主部側被軸支部材を外枠側係合部材に連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、二組のそれぞれにおいて、主部側被軸支部材と外枠側係合部材との間の連結を解除することで、外枠から遊技機主部を取り外すことができる。
【０３８２】
また、遊技機主部の設計時、二組のそれぞれにおいて、主部側被軸支部材を、外枠側係合部材に対して連結可能な構造とすれば足り、主部側軸部材を、外枠（外枠側係合部材）との関係で設計する必要がない。即ち、主部側軸部材の設計の自由度を確保できるので、遊技機主部を外枠に対して開閉させる際の支持軸（即ち、二組の内の一方の組の主部側軸部材と他方の組の主部側軸部材）の位置を任意に設計可能とでき、その結果、例えば、遊技機主部の開閉態様や支持軸周辺の他部材の設計の自由度を確保できる。
【０３８３】
この場合、二組の内の一方の組が遊技機主部および外枠の下方側に配設される共に他方の組が遊技機主部および外枠の上方側に配設されるので、一方の組における主部側被軸支部材を開いた状態とし、かかる一方の組における主部側被軸支部材を接地させることで、遊技機主部を正立状態（即ち、遊技機主部の下方側を床面に載置した状態）で単独で自立させることができるだけでなく、他方の組における主部側被軸支部材を開いた状態とし、かかる他方の組における主部側被軸支部材を接地させることで、遊技機主部を倒立状態（即ち、遊技機主部を上下反転させることで、その遊技機主部の上方側を床面に載置した状態）でも単独で自立させることができる。これにより、遊技機主部の重心位置に応じて、自立させる向きを変更する（例えば、重心位置が上方に位置する遊技機主部であれば、その重心位置が下方となるように、倒立状態で自立させる）ことができるので、その自立状態を安定化することができる。
【０３８４】
また、遊技機Ａ８の構成を備えた遊技機Ａ１１では、二組の両方が回動付勢部材を備えても良く、或いは、一方の組または他方の組のいずれかのみが回動付勢部材を備えても良い。遊技機Ａ９の構成を備えた遊技機Ａ１１では、二組の両方が主部側保持部材を備えても良く、或いは、一方の組または他方の組のいずれかのみが主部側保持部材を備えても良い。
【０３８５】
遊技機Ａ１１において、前記連結装置は、前記二組の内の一方の組の主部側被軸支部材と他方の組の主部側被軸支部材とを接続する接続部材を備えることを特徴とする遊技機Ａ１２。
【０３８６】
遊技機Ａ１２によれば、二組の内の一方の組の主部側被軸支部材と他方の組の主部側被軸支部材とが接続部材により接続（連結）されるので、一方（又は他方）の組の主部側被軸支部材が回動された場合には、この一方（又は他方）の組の主部側被軸支部材の回動に連動させて他方（又は一方）の組の主部側被軸支部材も回動させることができる。即ち、二組の主部側被軸支部材の両者の回動位置を常に同位相に維持することができる。よって、二組の主部側被軸支部材を相手部材（外枠に配設される外枠側係合部材）にそれぞれ連結させる際には、これら二組の主部側被軸支部材の位相を個別に調整する必要がなく、その分、連結作業の作業性の向上を図ることができる。
【０３８７】
遊技機Ａ０からＡ１２において、前記外枠に配設される外枠側係合部材は、前記主部側被軸支部材に対向配置される対向面と、その対向面から出没可能に突出する突出部材と、その突出部材を前記対向面から突出する方向へ付勢する出没付勢部材とを備え、前記遊技機主部に配設される主部側被軸支部材は、前記外枠側係合部材の対向面に対向配置された場合に、その対向面から突出される前記突出部材を受け入れる受入部を備え、前記外枠側係合部材の突出部材が前記主部側被軸支部材の受入部に受け入れられることで、前記外枠側係合部材に対し前記主部側被軸支部材が連結されることを特徴とする遊技機Ａ１３。
【０３８８】
遊技機Ａ１２によれば、遊技機Ａ０からＡ１１のいずれかの奏する効果に加え、主部側被軸支部材を外枠側係合部材の対向面に対向配置させ、その外枠側係合部材の対向面から突出される突出部材を、主部側被軸支部材の受入部に受け入れさせることで、外枠側係合部材に対し主部側被軸支部材を連結させることができるので、遊技機主部を外枠に組み付ける作業の作業性の向上を図ることができる。
【０３８９】
遊技機Ａ１３において、前記外枠側係合部材の突出部材は、突出先端部分が先細形状に形成されると共にその突出先端部分を前記対向面下に没入可能に形成され、前記突出先端部分のみが前記対向面から突出する位置に前記出没付勢部材の付勢力により保持されることを特徴とする遊技機Ａ１４。
【０３９０】
遊技機Ａ１４によれば、遊技機Ａ１３の奏する効果に加え、外枠側係合部材の突出部材は、先細形状に形成された突出先端部分のみが対向面から突出されるので、遊技機主部に配設される主部側被軸支部材が外枠側係合部材の対向面上をスライド移動され、突出部材に当接した際に、引っ掛かりを抑制して、突出部材を対向面下により確実に没入させることができる。
【０３９１】
遊技機Ａ１３又はＡ１４において、前記外枠側係合部材は、前記突出部材が前記主部側被軸支部材の受入部に受け入れられた状態で、前記突出部材に当接してその突出部材の前記対向面下への没入を規制する没入規制部材を備えることを特徴とする遊技機Ａ１５。
【０３９２】
遊技機Ａ１５によれば、遊技機Ａ１３又はＡ１４の奏する効果に加え、外枠側係合部材の突出部材が対向面下へ没入することを没入規制部材により規制できるので、主部側被軸支部材の受入部に外枠側係合部材の突出部材が受け入れられた状態を維持して、外枠側係合部材と主部側被軸支部材との連結が解除されることを抑制できる。この場合、外枠側係合部材の突出部材の突出先端部分のみが対向面から突出される場合には、突出部材が主部側被軸支部材の受入部に受け入れられた後に、主部側被軸支部材を外枠側係合部材の対向面上でスライド移動させることで、突出部材を対向面下により没入させることができ、その結果、外枠側係合部材と主部側被軸支部材との連結が解除されてしまうので、没入規制部材により突出部材の没入を規制する本構造が特に有効となる。
【０３９３】
遊技機Ａ１５において、前記外枠側係合部材は、前記没入規制部材の移動を案内する案内部材を備え、前記没入規制部材は、傾斜して形成される傾斜面を備えると共に、前記突出部材は、前記没入規制部材の傾斜面が当接される被当接部を備え、前記没入規制部材が前記案内部材に案内され、その傾斜面を前記突出部材の被当接部に当接させつつ、一方向へ移動されると、前記突出部材が前記対向面上に押し上げられると共に、前記案内部材と前記被当接面との間に没入規制部材が介在することで、前記突出部材の前記対向面下への没入が規制されることを特徴とする遊技機Ａ１６。
【０３９４】
遊技機Ａ１６によれば、遊技機Ａ１５の奏する効果に加え、没入規制部材が突出部材の被当接部に当接する傾斜面を備えるので、没入規制部材の一方向への移動により、突出部材の対向面下への没入が規制され場合には、突出部材を対向面上に押し上げた状態とすることができる。これにより、主部側被軸支部材の受入部へ突出部材の突出先端をより深くまで挿入して、その受け入れ量を確保することができる。その結果、主部側被軸支部材の受入部と外枠側係合部材の突出部材との係合を強固として、外枠側係合部材と主部側被軸支部材との連結が解除されることを抑制できる。
【０３９５】
また、このように、没入規制部材の傾斜面を利用して突出部材を対向面上へ押し上げる構造とすることで、没入規制部材を案内部材の案内に沿って一方向へ移動させるのみで、かかる没入規制部材を案内部材と突出部材との間に介在させることができる。よって、例えば、没入規制部材を一方向へ移動させる動作と同時に突出部材を持ち上げておく動作を別途行う必要がなく、その分、作業性の向上を図ることができる。
【０３９６】
遊技機Ａ１３から遊技機Ａ１６において、前記外枠に配設される外枠側係合部材は、前記平坦面から立設される立設壁と、その立設壁の立設先端から前記遊技機主部側へ向けて前記平坦面と略平行に延設される延設壁とを備え、前記遊技機主部に配設される主部側被軸支部材は、その受入部に前記外枠側係合部材の突出部材が受け入れられた場合に、前記外枠側係合部材の平坦面および延設壁の対向面間に挟持される被挟持部を備えることを特徴とする遊技機Ａ１７。
【０３９７】
遊技機Ａ１７によれば、遊技機Ａ１３からＡ１６の奏する効果に加え、外枠側係合部材の突出部材が主部側被軸支部材の受入部に受け入れられると、外枠側係合部材の平坦面および延設壁の対向面間に、主部側被軸支部材の被挟持部が挟持されるので、外枠側係合部材に対して主部側被軸支部材が平坦面の面直方向（即ち、突出部材の出没方向）へ移動することを規制することができる。これにより、外枠側係合部材と主部側軸支部材との間の連結を確実として、外枠に対し、遊技機主部を、より強固に連結できる。
【０３９８】
この場合、外枠側係合部材の延設壁は、立設壁の立設先端から遊技機主部側へ向けて延設されるので、主部側被軸支部材を外枠側係合部材の平坦面に沿って移動させる動作のみで、主部側被軸支部材の被挟持部を外枠側係合部材の平坦面および延設壁との対向面間に挟持させることができる。また、その主部側被軸支部材の移動は、外枠側係合部材の立設壁によって規制する（位置決めする）ことができる。よって、遊技機主部を外枠に組み付ける際の作業性の向上を図ることができる。
【０３９９】
遊技機Ａ１３からＡ１７において、前記外枠に配設される外枠側連結部材と前記遊技機主部に配設される主部側連結部材とが連結されておらず、かつ、前記外枠側係合部材の突出部材が前記主部側被軸支部材の受入部に受け入れられていない状態において、前記主部側被軸支部材を載置可能な領域が前記外枠側係合部材の平坦面に形成されることを特徴とする遊技機Ａ１８。
【０４００】
遊技機Ａ１８によれば、遊技機Ａ１３からＡ１７の奏する効果に加え、外枠側の外枠側連結部材と遊技機主部側の主部側連結部材とが連結されておらず、かつ、外枠側係合部材の突出部材が主部側被軸支部材の受入部に受け入れられていない状態において、主部側被軸支部材を載置可能な領域が外枠側係合部材の平坦面に形成されるので、遊技機主部を外枠に組み付ける際には、まず、遊技機主部の主部側被軸支部を、外枠側係合部材の平坦面における上記領域に載置（仮置き）し、その後、主部側被軸支部を外枠側係合部材の平坦面に沿って移動させることで、外枠側の外枠側連結部材に対する遊技機主部側の主部側連結部材の連結と、外枠側係合部材の突出部材の主部側被軸支部材の受入部への受け入れとをそれぞれ行うことができる。即ち、作業者は、上記連結および受け入れの作業を行う際に、その作業を、遊技機主部の重量を支持しつつ行う必要がない。よって、外枠に対して遊技機主部を組み付ける作業の作業性の向上を図ることができる。
【０４０１】
遊技機Ａ０からＡ１８において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と備え、前記外枠に配設される外枠側連結部材または前記遊技機主部に配設される主部側連結部材の一方は、軸状の連結軸部を備え、前記外枠に配設される外枠側連結部材または前記遊技機主部に配設される主部側連結部材の他方は、前記連結軸部を回動可能に軸支する軸支部と、その軸支部に連通し前記連結軸部を前記軸支部まで案内する案内溝部とを備えることを特徴とする遊技機Ａ１９。
【０４０２】
遊技機Ａ１９によれば、遊技機Ａ０からＡ１８の奏する効果に加え、連結軸部を回動能に軸支する軸支部には、連結軸部を案内する案内溝部が連通されているので、連結軸部を案内溝部に沿って移動させることで、連結軸部を軸支部に軸支させ、外枠側の外枠側連結部材と遊技機主部側の主部側連結部材とを連結することができる。よって、遊技機主部を外枠に組み付ける際の作業性の向上を図ることができる。
【０４０３】
遊技機Ａ１９において、前記外枠に配設される外枠側連結部材または前記遊技機主部に配設される主部側連結部材の他方は、前記案内溝部へ出没可能に形成され前記案内溝部に突出することで、前記軸支部に軸支された連結軸部が前記案内溝部を通過することを規制する通過規制部材を備えることを特徴とする遊技機Ａ２０。
【０４０４】
遊技機Ａ２０によれば、遊技機Ａ１９の奏する効果に加え、外枠側の外枠側連結部材または遊技機主部側の主部側連結部材の他方は、案内溝部へ出没可能に形成される通過規制部材を備え、その通過規制部材を案内溝部に突出させることで、軸支部に軸支された連結軸部が案内溝部を通過することを規制することができる。即ち、連結軸部が軸支部から脱落して、外枠側の外枠側連結部材と遊技機主部側の主部側連結部材との連結が解除されることを抑制することができる。
【０４０５】
遊技機Ａ２０において、前記外枠に配設される外枠側連結部材または前記遊技機主部に配設される主部側連結部材の一方は、前記外枠に対して前記遊技機主部が閉じられた状態では、前記通過規制部材を被覆すると共に、前記外枠に対して前記遊技機主部が開放された状態では、前記通過規制部材を露出させる被覆部材を備えることを特徴とする遊技機Ａ２１。
【０４０６】
遊技機Ａ２１によれば、遊技機Ａ２０の奏する効果に加え、外枠に対して遊技機主部が閉じられた状態では、被覆部材により通過規制部材が被覆されるので、通過規制部材が操作されることを困難とできる。よって、外枠側の外枠側連結部材と遊技機主部側の主部側連結部材との連結が不正に解除されることを抑制することができる。一方で、外枠に対して遊技機主部が開放された状態では、通過規制部材が露出されるので、通過規制部材を操作可能とできる。よって、連結軸部が案内溝部を通過可能な状態として、外枠側の外枠側連結部材と遊技機主部側の主部側連結部材との連結の解除を行うことができる。
【０４０７】
遊技機Ａ２０又はＡ２１において、前記外枠に配設される外枠側連結部材または前記遊技機主部に配設される主部側連結部材の他方は、少なくとも、前記連結軸部が前記案内溝部を通過可能な位置まで前記通過規制部材が後退された場合に、その通過規制部材を保持する規制部材保持手段を備えることを特徴とする遊技機Ａ２２。
【０４０８】
遊技機Ａ２２によれば、遊技機Ａ２０又はＡ２１の奏する効果に加え、少なくとも、連結軸部が案内溝部を通過可能な位置まで通過規制部材が後退された場合に、その通過規制部材を保持する規制部材保持手段を備えるので、通過規制部材による規制を解除し、連結軸部が案内溝部を通過可能（即ち、連結軸部を抜き取り可能）な状態を形成し且つその状態を維持することができる。よって、作業者は、通過規制部材を後退した状態に保持しつつ、連結溝部を軸支部から抜き取るという煩雑な作業を行う必要がない。その結果、外枠側の外枠側連結部材と遊技機主部側の主部側連結部材との連結の解除を容易とすることができる。
【０４０９】
遊技機Ａ２２において、前記外枠に配設される外枠側連結部材または前記遊技機主部に配設される主部側連結部材の他方は、前記通過規制部材を前記案内溝部に突出する方向へ付勢する規制付勢部材を備え、前記通過規制部材は、前記案内溝部に突出する部分に傾斜して形成される傾斜面を備え、前記連結軸部が前記傾斜面を押圧することで、前記連結軸部が前記案内溝部を通過可能な位置まで前記通過規制部材が後退される一方、前記規制部材保持手段により保持可能な位置には前記通過規制部材が達しないことを特徴とする遊技機Ａ２３。
【０４１０】
遊技機Ａ２３によれば、遊技機Ａ２２の奏する効果に加え、連結軸部が傾斜面を押圧することで、連結軸部が案内溝部を通過可能な位置まで通過規制部材が後退されるので、連結軸部を案内溝部に沿って押し込むことで、かかる連結軸部を軸支部に到達させ、外枠側の外枠側連結部材と遊技機主部側の主部側連結部材とを連結することができる。この場合、通過規制部材は、規制部材保持手段により保持可能な位置には達しないので、規制付勢部材の付勢力により、通過規制部材を案内溝部に突出する位置へ復帰（前進）させることができる。その結果、連結軸部が軸支部から脱落して、外枠側の外枠側連結部材と遊技機主部側の主部側連結部材との連結が解除されることを抑制することができる。
【０４１１】
遊技機Ａ０において、前記連結装置は、前記遊技機主部に配設される主部側第２軸部材と、その主部側第２軸部材を介して前記遊技機主部に相対回動可能に軸支される主部側第２被軸支部材と、その主部側第２被軸支部材に着脱可能に連結され前記外枠に配設される外枠側第２係合部材と、を更に備えることを特徴とする遊技機Ａ２４。
【０４１２】
遊技機Ａ２４によれば、遊技機Ａ０の奏する効果に加え、外枠に配設される外枠側係合部材および外枠側第２係合部材に対し、遊技機主部に配設される主部側被軸支部材および主部側第２被軸支部材をそれぞれ連結させることで、外枠に対し、遊技機主部を、連結装置を介して開閉可能に連結することができる。即ち、連結装置は外枠と遊技機主部とを２ヶ所で連結するので、これら外枠と遊技機主部とを安定した状態で連結することができる。一方、外枠側係合部材と主部側被軸支部材との間の連結、及び、外枠側第２係合部材と主部側第２被軸支部材との間の連結をそれぞれ解除することで、外枠から遊技機主部を取り外すことができる。
【０４１３】
この場合、主部側第２軸部材についても、主部側軸部材と同様に、主部側第２被軸支部材を、外枠に配設される外枠側第２係合部材に対して連結可能な構造とすれば足り、かかる主部側第２軸部材を、外枠（外枠側第２係合部材）との関係で設計する必要がない。即ち、主部側軸部材に加え、主部側第２軸部材についても、外枠との関係を考慮する必要がなく、その設計の自由度を確保できるので、遊技機主部を外枠に対して開閉させる際の支持軸（即ち、主部側軸部材と主部側被軸支部材との間の支持軸、及び、主部側第２軸部材と主部側第２被軸支部材との間の支持軸）の位置を任意に設計可能とでき、その結果、例えば、遊技機主部の開閉態様や支持軸周辺の他部材の設計の自由度を確保できる。
【０４１４】
遊技機Ａ２４において、前記遊技機主部に配設される主部側第２被軸支部材は、板状体からなると共にその板状体の一側を折り返して形成された折返し部を有する係合片を備え、前記外枠に配設される外枠側第２係合部材は、前記主部側第２被軸支部材の係合片が前記一側から挿入可能に形成されると共に前記係合片が前記一側から挿入された場合に前記係合片の折返し部における折り返し先端が係止される係止面を有する挿入部を備え、前記係合片が挿入部に挿入され、前記係合片の折返し部における折返し先端が挿入部の係止面に係止されることで、前記主部側第２被軸支部材と外枠側第２係合部材とが連結されることを特徴とする遊技機Ａ２５。
【０４１５】
遊技機Ａ２５によれば、遊技機Ａ２４の奏する効果に加え、主部側第２被軸支部材の係合片をその一側から外枠側第２係合部材の挿入部に挿入し、係合片の折返し部における折り返し先端を、挿入部の係止面に係止させることで、外枠側第２係合部材に対し主部側第２被軸支部材を連結させることができる。よって、遊技機主部を外枠に組み付ける作業の作業性の向上を図ることができる。また、係合片は、板状体からなりその一部を折り返して折返し部を形成した簡素な構造であるので、部品コストの削減を図ることができる。
【０４１６】
遊技機Ａ２５において、前記主部側第２被軸支部材が外枠側第２係合部材に連結された状態では、前記主部側第２被軸支部材の係合片が前記外枠側第２係合部材よりも前記外枠の内側に位置し、前記係合片が前記外枠側第２係合部材によって前記外枠の外側から遮蔽される一方、前記係合片の少なくとも一部が前記外枠の内側に露出され、前記係合片の前記外枠の内側に露出した部分を操作することで、前記係合片の折返し部における折返し先端と前記挿入部の係止面との係止を解除可能に形成されることを特徴とする遊技機Ａ２６。
【０４１７】
遊技機Ａ２６によれば、遊技機Ａ２５の奏する効果に加え、主部側第２被軸支部材が外枠側第２係合部材に連結された状態では、係合片が外枠側第２係合部材によって外枠の外側から遮蔽されるので、係合片が操作されることを困難とできる。よって、主部側第２被軸支部材と外枠側第２係合部材との連結が不正に解除されることを抑制することができる。一方で、係合片の少なくとも一部が外枠の内側に露出されるので、外枠に対して遊技機主部が開放された状態では、係合片の露出された部分を操作することができる。よって、係合片の折返し部における折返し先端と挿入部の係止面との係止を解除して、主部側第２被軸支部材と外枠側第２係合部材との連結の解除を行うことができる。なお、外枠に対して遊技機主部を閉じた状態では、遊技機主部に配設される部品が外枠の枠内に配設され、かかる部品が、係合片の外枠の内側に露出される部分に対面されるので、係合片が操作されることを困難とできる。
【０４１８】
遊技機Ａ２４からＡ２６のいずれかにおいて、前記遊技機主部に配設される主部側被軸支部材と前記外枠に配設される外枠側係合部材とが、直線方向への相対移動により連結可能に形成されると共に、前記遊技機主部に配設される主部側第２被軸支部材と前記外枠に配設される外枠側第２係合部材とが、直線方向への相対移動により連結可能に形成され、その主部側第２被軸支部材を外枠側第２係合部材に連結させる際の直線方向が、前記主部側被軸支部材を前記外枠側係合部材に連結させる際の前記直線方向と平行とされることを特徴とする遊技機Ａ２７。
【０４１９】
遊技機Ａ２７によれば、遊技機Ａ２４からＡ２６のいずれかの奏する効果に加え、主部側第２被軸支部材を外枠側第２係合部材に連結する際の直線方向と、主部側被軸支部材を外枠側連結部材に連結する際の直線方向とが平行とされるので、遊技機主部を外枠に対し直線方向へ移動させる動作のみで連結することができる。よって、主部側第２被軸支部材および外枠側第２係合部材を更に備える場合であっても、遊技機主部を外枠に組み付ける際の作業性の向上を図ることができる。
【０４２０】
遊技機Ａ０からＡ２７のいずれかにおいて、前記遊技機主部を前記外枠に対して施錠する施錠装置を備え、前記施錠装置は、外部からの操作に連動して開錠位置および施錠位置に移動される移動体を有する施錠移動部材と、前記施錠位置に移動した移動体が係合されることで前記施錠移動部材との間で施錠状態を形成すると共に前記移動体の開錠位置への移動に伴い前記移動体の係合が解除されることで前記施錠移動部材との間で開錠状態を形成する施錠基部材とを備え、前記施錠移動部材が前記遊技機主部に配設されると共に、前記施錠基部材が前記主部側被軸支部材に配設されることを特徴とする遊技機Ａ２８。
【０４２１】
遊技機Ａ２８によれば、遊技機Ａ０からＡ２８のいずれかの奏する効果に加え、施錠装置は、施錠移動部材が遊技機主部に配設されると共に、施錠基部材が主部側被軸支部材に配設されるので、施錠装置を施錠状態とすることで、遊技機主部に対して主部側被軸支部材を回動不能にすることができると共に、施錠装置を開錠状態とすることで、遊技機主部に対して主部側被軸支部材を回動可能とすることができる。即ち、主部側被軸支部材が外枠側係合部材に連結され、遊技機主部が外枠に組み付けられた状態では、施錠装置を施錠状態にすることで、遊技機主部を外枠に対して開放不能にする（施錠する）ことができると共に、施錠装置を開錠状態とすることで、遊技機主部を外枠に対して開閉可能とする（開錠する）ことができる。
【０４２２】
ここで、遊技機主部に施錠移動部材を、外枠に施錠基部材を、それぞれ配設する構成でも、遊技機主部を外枠に対して施錠装置により施錠することはできるが、この場合には、遊技機主部を新たに設計する場合であっても、施錠移動部材は、ホールに残される外枠の施錠基部材に対して施錠開錠可能な構造である必要があり、よって、施錠装置については新たに設計することができない。これに対し、本遊技機によれば、施錠装置の設計時、施錠移動部材と施錠基部材との両者を、外枠との関係を考慮する必要なく、自由に設計することができる。
【０４２３】
遊技機Ａ０において、前記遊技機主部に配設される主部側被軸支部材が、前記外枠に配設される外枠側係合部材に連結された場合に、それら主部側被軸支部材と外枠側係合部材と間の連結状態を変更して前記外枠に対する遊技機主部の傾斜角度を調整する傾斜調整手段を備えることを特徴とする遊技機Ａ２９。
【０４２４】
遊技機Ａ２９によれば、遊技機Ａ０の奏する効果に加え、主部側被軸支部材と外枠側係合部材との間の連結状態を傾斜調整手段により変更することで、外枠に対する遊技機主部の傾斜角度を調整することができる。よって、例えば、外枠に遊技機主部を組み付けた結果、傾斜角度の調整が必要な場合であっても、外枠を島の木枠から一旦取り外し、島の木枠に対する外枠の取り付け角度を調整する必要がなく、島の木枠に外枠を装着したままで、外枠に対する遊技機主部の傾斜角度、即ち、島の木枠に対する遊技機主部の傾斜角度を調整することができる。
【０４２５】
遊技機Ａ２９において、前記傾斜調整手段は、前記主部側被軸支部材または外枠側係合部材の一方に配設される第1係合部と、前記主部側被軸支部材または外枠側係合部材の他方に配設される第２係合部と、それら第1係合部および第２係合部の間に介在し両者を連結させる介在体とを備え、前記第1係合部および第２係合部の間に前記介在体が介在する介在位置が変更可能とされ、前記介在体の介在位置に応じて前記外枠に対する遊技機主部の傾斜角度が調整されることを特徴とする遊技機Ａ３０。
【０４２６】
遊技機Ａ３０によれば、遊技機Ａ２９の奏する効果に加え、第1係合部と第２係合部との間に介在する介在体により両者（第1係合部および第２係合部）が連結され、かかる介在体の介在位置が変更可能とされるので、介在体の介在位置を変更することで、第１係合部と第２係合部との間の連結状態を変更して、外枠に対する遊技機主部の傾斜角度を調整できる。よって、外枠に対する遊技機主部の傾斜角度を調整する際の作業性の向上を図ることができる。
【０４２７】
遊技機Ａ３０において、前記第１係合部は、前記第２係合部に対して近接および離間する方向へ向けて弾性的に揺動可能に形成されると共に前記介在体が着脱可能に形成される複数の揺動片を備え、前記第２係合部は、前記複数の揺動片に対応する位置に配設されると共に前記介在体を受け入れ可能に形成される複数の介在体受入部を備え、前記揺動片に装着された介在体が前記介在体受入部に受け入れられることで前記第１係合部と第２係合部とが連結されると共に、前記介在体が装着される揺動片が変更されることで、前記第1係合部および第２係合部の間に介在する前記介在体の介在位置が変更され、その介在体の介在位置に応じて前記外枠に対する遊技機主部の傾斜角度が調整されることを特徴とする遊技機Ａ３１。
【０４２８】
遊技機Ａ３１によれば、遊技機Ａ３０の奏する効果に加え、第１係合部が複数の揺動片を備えると共にそれら揺動片に対応する位置に配設される介在体受入部を第２係合部が備え、複数の揺動片に対して介在体が着脱可能に形成されるので、複数の揺動片のいずれに介在体を装着するかを選択することで、第１係合部および第２係合部の間に介在する介在体の介在位置を変更することができる。即ち、介在体の介在位置を選択することで、外枠に対する遊技機主部の傾斜角度を調整できる。
【０４２９】
この場合、揺動片が第２係合部に対して近接および離間する方向へ向けて揺動可能に形成されるので、外枠に遊技機主部を取り付ける場合、介在体が介在体受入部に到達するまでは、揺動片の第２係合部から離間する方向への揺動により介在体を後退させることで、外枠に対する遊技機主部の移動を可能としつつ、介在体が介在体受入部に到達した際には、揺動片の第２係合部へ近接する方向への揺動（初期位置への復帰）により、介在体を介在体受入部に受け入れさせることができる。このように、外枠に対して遊技機主部を移動させることで、第１係合部と第２係合部との間に介在体が介在する状態（即ち、外枠側係合部材に対し主部側被軸支部材を連結させた状態）を容易に形成することができるので、遊技機主部を外枠に組み付ける作業の作業性の向上を図ることができる。
【０４３０】
遊技機Ａ３１において、前記第１係合部が配設される主部側被軸支部材または外枠側係合部材の一方が板状体から形成されると共に、その板状体に正面視略Ｕ字状のスリットが開口され、前記正面視略Ｕ字状のスリットに囲まれた部分が前記揺動片とされることを特徴とする遊技機Ａ３２。
【０４３１】
遊技機Ａ３２によれば、遊技機Ａ３１の奏する効果に加え、板状体に正面視略Ｕ字状のスリットが開口され、その正面視略Ｕ字状のスリットに囲まれた部分が揺動片とされるので、揺動片を弾性的に揺動可能とするための構造を簡素化することができる。即ち、板状体（主部側被軸支部材または外枠側係合部材の一方）と揺動片とを一体に形成できるので、これらを別体に形成する場合と比較して、部品点数の削減を図ることができると共に、組立コストを削減でき、その分、遊技機全体としての製品コストの削減を図ることができる。
【０４３２】
遊技機Ａ３１又はＡ３２において、前記第２係合部が配設される主部側被軸支部材または外枠側係合部材の他方が板状体から形成されると共に、その板状体に孔が貫通形成され、その孔が前記介在体受入部とされることを特徴とする遊技機Ａ３３。
【０４３３】
遊技機Ａ３３によれば、遊技機Ａ３１又はＡ３２の奏する効果に加え、第２係合部が配設される主部側被軸支部材または外枠側係合部材の他方が板状体から形成され、その板状体に貫通形成された孔が介在体受入部とされるので、主部側被軸支部材または外枠側係合部材の他方の構造を簡素化すると共に、介在体受入部の形成を容易として、その分、製品コストの削減を図ることができる。
【０４３４】
また、板状体に貫通形成された孔が介在体受入部とされるので、介在体受入部に介在体が受け入れられた状態において、介在体の先端側を介在体受入部の他方の開口から露出させることができる。よって、かかる露出部分を介して、介在体を取り外し方向へ向けて押圧して、揺動片を第２係合部から離間する方向へ揺動させることで、介在体を介在体受入部の外へ後退させる（押し出す）ことができる。これにより、第１係合部と第２係合部との間に介在体が介在しない状態（即ち、外枠側係合部材と主部側被軸支部材との連結を解除した状態）を容易に形成することができるので、遊技機主部を外枠から取り外す作業の作業性の向上を図ることができる。
【０４３５】
遊技機Ａ３３において、前記第１係合部が外枠側係合部材に配設されると共に、前記第２係合部が主部側被軸支部材に配設され、前記揺動片に装着された介在体が前記介在体受入部に受け入れられ、前記第１係合部と第２係合部とが連結された状態では、前記第２係合部が配設される主部側被軸支部材が、前記第１係合部が配設される外枠側係合部材よりも前記外枠の内側に位置し、前記第２係合部の介在体受入部の開口が前記外枠の内側に露出されることを特徴とする遊技機Ａ３４。
【０４３６】
遊技機Ａ３４によれば、遊技機Ａ３３の奏する効果に加え、第２係合部が配設される主部側被軸支部材が外枠の内側に位置し、第２係合部の介在体受入部の開口が外枠の内側に露出されるので、外枠に対して遊技機主部が開放された状態では、露出された介在体受入部の開口を介して介在体を操作する（反対側へ押し出す）ことができる。よって、第１係合部と第２係合部との間に介在体が介在しない状態（即ち、外枠側係合部材と主部側被軸支部材との連結を解除した状態）を容易に形成可能として、遊技機主部を外枠から取り外す作業の作業性の向上を図ることができる。一方、外枠に対して遊技機主部を閉じた状態では、遊技機主部に配設される部品が外枠の枠内に配設され、かかる部品が、第２係合部の介在体受入部の開口に対面されるので、かかる開口を介して介在体が操作されることを困難とできる。
【０４３７】
遊技機Ａ３１からＡ３４のいずれかにおいて、前記第１係合部が配設される主部側被軸支部材または外枠側係合部材の一方が２枚の板状体を重合させて形成され、それら２枚の板状体は、前記第２係合部側に位置する一方の板状体に前記揺動片が配設されると共に、その一方の板状体を挟んで前記第２係合部と反対側に位置する他方の板状体には、前記一方の板状体に重合される側の面における前記揺動片を含む範囲に凹部が凹設されることを特徴とする遊技機Ａ３５。
【０４３８】
遊技機Ａ３５によれば、遊技機Ａ３１からＡ３４のいずれかが奏する効果に加え、第１係合部が配設される主部側被軸支部材または外枠側係合部材の一方が２枚の板状体を重合させて形成されるので、かかる主部側被軸支部材または外枠側係合部材の一方の剛性を高めることができる。この場合、第２係合部側に位置する一方の板状体に揺動片が配設されると共に、他方の板状体には、前記一方の板状体に重合される側の面における揺動片を含む範囲に凹部が凹設されるので、かかる凹部により形成される空間により揺動片の揺動を許容しつつ、他方の板状体が一方の板状体に重合されることにより、他方の板状体により揺動片を遮蔽して、かかる揺動片が操作されることを困難とすることができる。よって、主部側被軸支部材と外枠側係合部材との連結が不正に解除されることを抑制することができる。
【０４３９】
遊技機Ａ０からＡ３５のいずれかにおいて、前記遊技機はスロットマシンであることを特徴とする遊技機Ｄ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４４０】
遊技機Ａ０からＡ３５のいずれかにおいて、前記遊技機はパチンコ遊技機であることを特徴とする遊技機Ｄ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４４１】
遊技機Ａ０からＡ３５のいずれかにおいて、前記遊技機はパチンコ遊技機とスロットマシンとを融合させたものであることを特徴とする遊技機Ｄ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
遊技機のホールへの設置は、ホールの島に設けられた木枠に、釘を用いて固定する方法が一般的である。具体的には、例えば、遊技機を入れ替える場合、古い遊技機を木枠から取り外し、新しい遊技機を木枠の所定位置に配置し、傾斜角度を調整した後、その調整した傾斜角度を保持しつつ、遊技機の外枠の上板および下板を、木枠の上枠および下枠にそれぞれ釘で打ち付けて固定する（例えば、特許文献１：特開２００８−１２６００４号公報）。
しかしながら、上述した従来の遊技機では、その入れ替えを行う際に、作業者による傾斜角度の調整がその都度必要となり、また、傾斜角度の調整には熟練した技術が必要であるため、工数が嵩むという問題点があった。
本技術的思想は、上記例示した問題点等を解決するためになされたものであり、遊技機の入れ替えを行う際に、その入れ替えに要する工数を低減することができる遊技機を提供することを目的としている。
＜手段＞
この目的を達成するために技術的思想１の遊技機は、外枠と、その外枠に連結装置を介して開閉可能に配設される遊技機主部と、を備えるものであり、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と、前記遊技機主部に配設される主部側軸部材と、その主部側軸部材を介して前記遊技機主部に相対回動可能に軸支される主部側被軸支部材と、その主部側被軸支部材に着脱可能に連結され前記外枠に配設される外枠側係合部材と、を備える。
技術的思想２の遊技機は、技術的思想１記載の遊技機において、前記遊技機主部に配設される主部側連結部材と前記外枠に配設される外枠側連結部材とが、直線方向への相対移動により連結可能に形成されると共に、前記遊技機主部に配設される主部側被軸支部材と前記外枠に配設される外枠側係合部材とが、直線方向への相対移動により連結可能に形成され、それら両直線方向が平行とされる。
技術的思想３の遊技機は、技術的思想２記載の遊技機において、前記直線方向は、前記外枠の枠面に対して垂直な方向である。
技術的思想４の遊技機は、技術的思想１から３のいずれかに記載の遊技機において、前記連結装置は、前記外枠に配設される外枠側連結部材と、その外枠側連結部材に着脱可能に連結されると共に連結時には前記外枠側連結部材に対して相対回動可能に形成され前記遊技機主部に配設される主部側連結部材と備え、前記外枠に配設される外枠側連結部材または前記遊技機主部に配設される主部側連結部材の一方は、軸状の連結軸部を備え、前記外枠に配設される外枠側連結部材または前記遊技機主部に配設される主部側連結部材の他方は、前記連結軸部を回動可能に軸支する軸支部と、その軸支部に連通し前記連結軸部を前記軸支部まで案内する案内溝部とを備える。
＜効果＞
本技術的思想によれば、遊技機の入れ替えを行う際に、その入れ替えに要する工数を低減することができる。
【符号の説明】
【０４４２】
１，４０１，５０１                      パチンコ機（遊技機）
１０，４１０，５１０，６１０，７１０    外枠
１５                                    外枠側連結部材
１５ｃ                                  延設板（被覆部材）
１５ｄ                                  連結軸部
１６                                    外枠側係合部材
１７                                    爪受け部材（施錠基部材）
２０，４２０，５２０                    遊技機主部
３２，７３２                            主部側連結部材
３４                                    支持軸（主部側軸部材または主部側第２軸部材）
３５，２３５，３３５，７３５            主部側被軸支部材（又は主部側第２被軸支部材）
ＣＳ                                    ねじりコイルばね（回動付勢部材）
３６ａ                                  受入穴（受入部）
３３６ａ                                受入凹部（受入部）
３７                                    立設壁（折り返して形成された主部側被軸支部材の一方の縁部）
５４                                    案内溝（案内溝部）
６１ｄ                                  保持突起（規制部材保持手段の一部）
６２                                    スライド片（通過規制部材）
６２ｂ                                  傾斜面
６３                                    コイルばね（規制付勢部材）
７３ａ                                  第１区画壁（案内部材）
７６                                    突出部材
７６ａ１                                先端部（突出部材の突出先端部分）
７６ｂ                                  張出部（被当接部）
７７                                    コイルばね（出没付勢部材）
７８                                    規制板（没入規制部材）
７８ｂ                                  傾斜上面（傾斜面）
８１ａ                                  折り返し片（立設壁および延設壁）
４１６                                  外枠側第２係合部材（または外枠側係合部材）
４１６ｃ                                挿入部
４１６ｃ１                              係止面
４３４，７３４                          第２支持軸（主部側第２軸部材または主部側軸部材）
４３５，５５，７３８                    主部側第２被軸支部材（又は主部側被軸支部材）
４３６                                  係合片
４３６ｃ                                折返し部
５３７，６３７                          縦枠体（接続部材）
６１３                                  内面縦枠体（外枠側係合部材または外枠側第２係合部材）
６１３ａ                                スリット
６１４ａ                                凹部
６１４                                  外面縦枠体（外枠側係合部材または外枠側第２係合部材）
６１５                                  揺動片（傾斜調整手段の一部、第１係合部または第２係合部）
６３７                                  縦枠体（主部側被軸支部材または主部側第２被軸支部材）
６３７ａ                                受入部（傾斜調整手段の一部、第２係合部または第１係合部、介在体受入部）
７７０                                  係合装置（外枠側係合部材の一部）
７８０                                  外壁形成部材（外枠側係合部材の一部）
ＫＤ                                    施錠装置
ＫＤｂ１                                第２係合爪（主部側保持部材、移動体、施錠移動部材の一部）
ＫＤｂ                                  係合爪（移動体、施錠移動部材の一部）
ＳＭ                                    縦材（接続部材）
Ｂ                                      ピン部材（介在体）